(57)【要約】一セルのサブバンドのうちの第１のサブバンド上で第１タイプのリスンビフォアトーク（ＬＢＴ）がクリアチャネルを示し、一セルの１つ以上の他のサブバンドに対する第２タイプのＬＢＴがクリアチャネルを示すことに基づいて、信号がセルを介して伝送される。方法は、無線デバイスによって、一セルを介したアップリンク信号の伝送のためのアップリンク許可を示すダウンリンク制御情報を受信することであって、一セルがサブバンドを含むものであることと、一セルのサブバンドから第１のサブバンドを選択することと、第１のサブバンド上で第１タイプのリッスンビフォアトーク（ＬＢＴ）を実行することと、一セルの１つ以上のその他のサブバンド上で第２タイプのＬＢＴを実行することであって、１つ以上のその他のサブバンドが、第１のサブバンドとは異なるものであることと、一セルを介してアップリンク信号を伝送することと、を含む。【選択図】図２１Ａ
2021525977.tif 000002
【特許請求の範囲】
【請求項１】
無線デバイスによって、一セルを介したアップリンク信号の伝送のためのアップリンク許可を示すダウンリンク制御情報を受信することであって、前記一セルがサブバンドを含むものであることと、
前記一セルの前記サブバンドから第１のサブバンドを選択することと、
前記第１のサブバンド上で第１タイプのリッスンビフォアトーク（ＬＢＴ）を実行することと、
前記一セルの１つ以上のその他のサブバンド上で第２タイプのＬＢＴを実行することであって、前記１つ以上のその他のサブバンドが、前記第１のサブバンドとは異なるものであることと、  
前記第１のタイプのＬＢＴが、前記一セルの前記第１のサブバンドがクリアであることを示し、
前記第２のタイプのＬＢＴが、前記一セルの前記１つ以上の他のサブバンドがクリアであることを示すことに基づき、
前記一セルを介して前記アップリンク信号を伝送することと、を含む方法。
【請求項２】
前記無線デバイスのために構成された複数のセルから前記一セルを選択することをさらに含む、請求項１に記載の方法。
【請求項３】
前記複数のセルの各々が１つ以上のサブバンドをそれぞれ含む、請求項２に記載の方法。
【請求項４】
前記複数のセルから前記一セルを前記選択することが、前記複数のセルから前記一セルをランダムに選択することを含む、請求項３に記載の方法。
【請求項５】
前記複数のセルから前記一セルを前記ランダムに選択することが、前記複数のセルから前記一セルを均一分布でランダムに選択することを含む、請求項４に記載の方法。
【請求項６】
前記複数のセルから前記一セルを前記ランダムに選択することが、前記複数の前記セルから、ある持続時間中に１回だけの頻度で前記一セルを選択することをさらに含む、請求項５に記載の方法。
【請求項７】
前記持続時間が１秒以上からなる、請求項６に記載の方法。
【請求項８】
前記複数のセルのうちの、前記一セルとは異なるその他のセルのサブバンド上で前記第２タイプのＬＢＴを実行することをさらに含む、請求項３に記載の方法。
【請求項９】
前記第１タイプのＬＢＴが前記一セルの前記第１のサブバンドがクリアであることを示し、前記第２タイプのＬＢＴが、前記サブバンドのうちの少なくとも１つのサブバンドがクリアであると示すことに基づいて、前記複数のセルのうち前記その他のセルのうちの少なくとも１つを介してアップリンク信号を伝送することをさらに含む、請求項８に記載の方法。
【請求項１０】
前記一セルの前記サブバンドから前記第１のサブバンドを前記選択することが、前記一セルの前記サブバンドから前記第１のサブバンドをランダムに選択することを含む、請求項１に記載の方法。
【請求項１１】
前記一セルの前記サブバンドから前記第１のサブバンドを前記ランダムに選択することが、前記一セルの前記サブバンドから前記第１のサブバンドを、均一分布でランダムに選択することを含む、請求項１０に記載の方法。
【請求項１２】
前記一セルの前記サブバンドから前記第１のサブバンドを前記ランダムに選択することが、前記セルの前記サブバンドから、ある持続時間中に１回だけの頻度で前記第１のサブバンドを選択することをさらに含む、請求項１１に記載の方法。
【請求項１３】
前記持続時間が１秒以上からなる、請求項１２に記載の方法。
【請求項１４】
前記一セルの前記１つ以上のその他のサブバンド上で前記第２タイプのＬＢＴを前記実行することが、前記一セルの前記１つ以上のその他のサブバンドの各サブバンド上で前記第２タイプのＬＢＴを実行することを含む、請求項１に記載の方法。
【請求項１５】
前記第１タイプのＬＢＴが、ランダムバックオフパラメータおよび第１のＬＢＴ持続時間を用いるＬＢＴである、請求項１に記載の方法。
【請求項１６】
前記第２タイプのＬＢＴが、ランダムバックオフを用いないワンショットＬＢＴ持続時間に基づくワンショットＬＢＴである、請求項１５に記載の方法。
【請求項１７】
前記第１のＬＢＴ持続時間が前記ワンショットＬＢＴ持続時間よりも長い、請求項１６に記載の方法。
【請求項１８】
前記セルの前記サブバンドの各々が複数の連続する物理リソースブロックを含む、請求項１に記載の方法。
【請求項１９】
最大エネルギー検出閾値またはエネルギー検出閾値オフセットを有するＬＢＴパラメータ構成メッセージを受信することをさらに含む、請求項１に記載の方法。
【請求項２０】
前記第１タイプのＬＢＴおよび前記第２タイプのＬＢＴが、同じ最大エネルギー検出閾値または同じエネルギー検出閾値オフセットを使用する、請求項１９に記載の方法。
【請求項２１】
前記一セルの前記１つ以上の他のサブバンド上で前記第２タイプのＬＢＴを前記実行することが、前記一セルの前記１つ以上の他のサブバンド上で、同じ持続時間を用いて前記第２タイプのＬＢＴを実行することを含む、請求項１に記載の方法。
【請求項２２】
前記一セルを介して前記アップリンク信号を前記伝送することが、前記一セルの物理アップリンク共有チャネルを介してトランスポートブロックを伝送することを含む、請求項１に記載の方法。
【請求項２３】
前記一セルを介して前記アップリンク信号を前記伝送することが、前記一セルの帯域幅部分を介して前記アップリンク信号を伝送することを含む、請求項１に記載の方法。
【請求項２４】
前記ダウンリンク制御情報が前記一セルの帯域幅部分を示す、請求項１に記載の方法。
【請求項２５】
前記一セルの前記帯域幅部分が前記一セルの１つ以上のサブバンドを含む、請求項２４に記載の方法。
【請求項２６】
前記一セルの前記サブバンドの各々が同じ帯域幅を含む、請求項１に記載の方法。
【請求項２７】
前記一セルの前記サブバンドの各々が同数の物理リソースブロックを含む、請求項１に記載の方法。
【請求項２８】
前記ダウンリンク制御情報が、
帯域幅部分を示す帯域幅部分インジケータフィールド、
前記一セルの前記第１のサブバンドおよび前記１つ以上のその他のサブバンドのリソースブロックを示す周波数リソース割り当てフィールド、ならびに／または
前記一セルの前記第１のサブバンドおよび前記１つ以上のその他のサブバンドの時間領域リソースを示すタイミング情報フィールドを含む、請求項１に記載の方法。
【請求項２９】
前記アップリンク信号を前記伝送することが、前記セルの前記第１のサブバンドおよび前記１つ以上の他のサブバンドの無線リソースを介して１つ以上のトランスポートブロックを伝送することを含む、請求項１に記載の方法。
【請求項３０】
複数のセルに対する複数のアップリンク許可を受信することをさらに含み、
前記複数のアップリンク許可が、前記アップリンク許可を含み、
前記複数のセルが前記一セルを含む、請求項１に記載の方法。
【請求項３１】
前記第１タイプのＬＢＴおよび前記第２タイプのＬＢＴが、前記アップリンク許可を受信することに応答して実行される、請求項１に記載の方法。
【請求項３２】
前記一セルが１つ以上の帯域幅部分を含み、
前記１つ以上の帯域幅部分のうちの帯域幅部分が、前記サブバンドを含む、請求項１に記載の方法。
【請求項３３】
前記アップリンク信号を前記伝送することが、前記一セルの帯域幅部分の前記第１のサブバンドおよび前記１つ以上の他のサブバンドの無線リソースを介して１つ以上のトランスポートブロックを伝送することを含む、請求項１に記載の方法。
【請求項３４】
１つ以上のプロセッサと、
前記１つ以上のプロセッサによって実行されると、無線デバイスに請求項１〜３３のいずれかに記載の方法を実行させる前記命令を記憶するメモリと、を備える無線デバイス。
【請求項３５】
請求項１〜３３のいずれかに記載の方法を実行するように構成された無線デバイスと、
前記ダウンリンク制御情報を伝送するように構成された基地局と、を備えるシステム。
【請求項３６】
プロセッサによって実行されると、前記プロセッサに請求項１〜３３のいずれか一項に記載の方法を実施させる命令を含む、非一時的コンピュータ可読記憶媒体。
【請求項３７】
無線デバイスによって、サブバンドを含む一セルを介したアップリンク信号の伝送のためのアップリンク許可を示すダウンリンク制御情報を受信することと、
前記一セルの前記サブバンドのうちの第１のサブバンド上で第１のタイプのリッスンビフォアトーク（ＬＢＴ）を実行することと、
前記一セルの、前記第１のサブバンドとは異なる１つ以上のその他のサブバンド上で第２タイプのＬＢＴを実行することと、
前記第１タイプのＬＢＴおよび前記第２のタイプのＬＢＴがクリアチャネルを示すことに基づいて、前記一セルを介して前記アップリンク信号を伝送することと、を含む方法。
【請求項３８】
無線デバイスによって、サブバンドを含む一セルに対するアップリンク許可を受信することと、
前記サブバンドのうちの第１のサブバンド上で第１のタイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２タイプのＬＢＴがクリアチャネルを示すことに基づいて、前記一セルを介してアップリンク信号を伝送することと、を含む方法。
【請求項３９】
基地局によって、一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２のタイプのＬＢＴがクリアチャネルを示すことに基づいて、前記一セルを介してダウンリンク信号を伝送することと、を含む方法。
【請求項４０】
一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２タイプのＬＢＴがクリアチャネルを示すことに基づいて、前記一セルを介して信号を伝送することと、を含む方法。
【請求項４１】
一セルのサブバンドのうちの第１のサブバンド上で第１タイプのリッスンビフォアトーク（ＬＢＴ）がクリアチャネルを示し、
前記一セルの１つ以上のその他のサブバンドの上で第２タイプのＬＢＴがクリアチャネルを示すことに基づく、前記一セルを介して信号を伝送することを含む、方法。
【請求項４２】
無線デバイスによって、サブバンドを含む一セルに対するアップリンクグラントを受信することと、
前記サブバンドのうちの第１のサブバンド上で第１タイプのリッスンビフォアトーク（ＬＢＴ）を実行することと、
前記一セルの１つ以上の他のサブバンド上で第２タイプのＬＢＴを実行することと、
前記第１タイプのＬＢＴがクリアチャネルを示し、
前記第２タイプのＬＢＴがクリアチャネルを示すこと、
のうちの少なくとも一方に基づく、前記一セルを介してアップリンク信号を伝送することと、を含む方法。
【請求項４３】
無線デバイスによって、一セルの帯域幅部分（ＢＷＰ）を介したアップリンク信号の伝送のためのアップリンク許可を示すダウンリンク制御情報を受信することであって、前記ＢＷＰが複数のサブバンドを含むものと、
前記ＢＷＰの前記複数のサブバンドから第１のサブバンドを選択することと、
前記第１のサブバンド上で第１タイプのリッスンビフォアトーク（ＬＢＴ）を実行することと、
前記ＢＷＰの１つ以上のその他のサブバンド上で第２タイプのＬＢＴを実行することであって、前記１つ以上のその他のサブバンドが前記第１のサブバンドとは異なるものと、
前記第１タイプのＬＢＴが前記ＢＷＰの前記第１のサブバンドがクリアであることを示し、
前記第２タイプのＬＢＴが、前記ＢＷＰの前記１つ以上のその他のサブバンドがクリアであることを示すこと
に基づき、前記ＢＷＰを介して前記アップリンク信号を伝送することと、を含む方法。
【請求項４４】
無線デバイスによって、一セルの帯域幅部分（ＢＷＰ）を介したアップリンク信号の伝送のためのアップリンク許可を示すダウンリンク制御情報を受信することであって、前記ＢＷＰがサブバンドを含むものであることと、
前記ＢＷＰの前記サブバンドのうちの第１のサブバンド上で第１タイプのリッスンビフォアトーク（ＬＢＴ）を実行することと、
前記ＢＷＰの、前記第１のサブバンドとは異なる１つ以上のその他のサブバンド上で第２タイプのＬＢＴを実行することと、
前記第１タイプのＬＢＴおよび前記第２タイプのＬＢＴがクリアチャネルを示すことに基づいて、前記ＢＷＰを介して前記アップリンク信号を伝送することと、を含む方法。
【請求項４５】
無線デバイスによって、一セルの帯域幅部分（ＢＷＰ）に対するアップリンク許可を受信することであって、前記ＢＷＰがサブバンドを含むものであることと、
前記ＢＷＰの第１のサブバンド上で第１タイプのリッスンビフォアトーク（ＬＢＴ）を実行することと、
前記ＢＷＰの１つ以上の他のサブバンド上で第２タイプのＬＢＴを実行することと、
前記第１タイプのＬＢＴおよび前記第２タイプのＬＢＴがクリアチャネルを示すことに基づいて、前記ＢＷＰを介してアップリンク信号を伝送することと、を含む方法。
【請求項４６】
基地局によって、帯域幅部分（ＢＷＰ）のサブバンドのうちの第１のサブバンド上で第１タイプのリッスンビフォアトーク（ＬＢＴ）を実行することと、
前記ＢＷＰの１つ以上の他のサブバンド上で第２タイプのＬＢＴを実行することと、
前記第１タイプのＬＢＴおよび前記第２タイプのＬＢＴがクリアチャネルを示すことに基づいて、前記ＢＷＰを介してダウンリンク信号を伝送することと、を含む方法。
【請求項４７】
一セルの帯域幅部分（ＢＷＰ）のサブバンドのうちの第１のサブバンド上で第１タイプのリッスンビフォアトーク（ＬＢＴ）を実行することと、
前記ＢＷＰの１つ以上のその他のサブバンド上で第２タイプのＬＢＴを実行することと、
前記第１タイプのＬＢＴおよび前記第２タイプのＬＢＴがクリアチャネルを示すことに基づいて、前記ＢＷＰを介して信号を伝送することと、を含む方法。
【請求項４８】
ＢＷＰのサブバンドのうちの第１のサブバンドに対する第１タイプのリスンビフォアトーク（ＬＢＴ）がクリアチャネルを示し、
前記ＢＷＰの１つ以上の他のサブバンドに対する第２タイプのＬＢＴがクリアチャネルを示すことに基づいて前記帯域幅部分（ＢＷＰ）を介して信号を伝送することを含む、方法。
【請求項４９】
無線デバイスによって、一セルを介したアップリンク信号の伝送のためのアップリンク許可を示すダウンリンク制御情報を受信することであって、前記一セルがサブバンドを含むものであることと、
前記一セルの前記サブバンドから第１のサブバンドを選択することと、
前記第１のサブバンド上で第１タイプのリッスンビフォアトーク（ＬＢＴ）を実行することと、
前記一セルの１つ以上のその他のサブバンド上で第２タイプのＬＢＴを実行することであって、前記１つ以上の他のサブバンドが前記第１のサブバンドとは異なるものであることと、
前記アップリンクグラントと第１タイプのＬＢＴがクリアチャネルを示すことに基づいて、前記一セルの前記第１のサブバンドを介して第１のアップリンク信号を伝送することと、
モミのタイプのＬＢＴが、前記第１のサブバンドがクリアであることを示し、
前記第２のタイプのＬＢＴが、前記一セルの前記少なくとも１つの第２サブバンドがクリアであることを示すこと
に基づき、前記アップリンク許可に基づいて、前記１つ以上のその他のサブバンドのうちの少なくとも１つの第２のサブバンドを介して第２のアップリンク信号を伝送することと、を含む方法。
【請求項５０】
モミのタイプのＬＢＴが前記第１のサブバンドがビジーであることを示すこと、または
前記第２タイプのＬＢＴが、前記一セルの前記少なくとも１つの第３のサブバンドがビジーであることを示すことに基づき、
前記アップリンク許可に基づいて、前記１つ以上のその他のサブバンドのうちの少なくとも１つの第３のサブバンドを介して第３のアップリンク信号を伝送しないことをさらに含む、請求項４９に記載の方法。
【請求項５１】
前記第２タイプのＬＢＴが前記一セルの前記少なくとも１つの第３のサブバンドがビジーであることを示すことに基づき、前記アップリンク許可に基づいて、前記１つ以上のその他のサブバンドのうちの少なくとも１つの第３のサブバンドを介して第３のアップリンク信号を伝送しないことをさらに含む、請求項４９に記載の方法。
【請求項５２】
前記無線デバイスのために構成された複数のセルから前記一セルを選択することをさらに含む、請求項４９に記載の方法。
【請求項５３】
前記複数のセルの各々が１つ以上のそれぞれサブバンドを含む、請求項５２に記載の方法。
【請求項５４】
前記複数のセルから前記一セルを前記選択することが、前記複数のセルから前記一セルをランダムに選択することを含む、請求項５３に記載の方法。
【請求項５５】
前記複数のセルから前記一セルを前記ランダムに選択することが、前記複数のセルから前記一セルを、均一分布でランダムに選択することを含む、請求項５４に記載の方法。
【請求項５６】
前記複数のセルから前記一セルを前記ランダムに選択することが、前記複数の前記セルから、ある持続時間中に１回だけの頻度で前記一セルを選択することをさらに含む、請求項５５に記載の方法。
【請求項５７】
前記持続時間が１秒以上からなる、請求項５６に記載の方法。
【請求項５８】
前記複数のセルのうちの、前記一セルとは異なる他のセルのサブバンド上で前記第２タイプのＬＢＴを実行することをさらに含む、請求項５３に記載の方法。
【請求項５９】
前記第１タイプのＬＢＴが前記一セルの前記第１のサブバンドがクリアであることを示し、前記第２タイプのＬＢＴが前記サブバンドのうちの少なくとも１つのサブバンドがクリアであることを示すことに基づいて、前記複数のセルのうちの前記その他のセルのうちの少なくとも１つを介してアップリンク信号を伝送することをさらに含む、請求項５８に記載の方法。
【請求項６０】
前記一セルの前記サブバンドから前記第１のサブバンドを前記選択することが、前記一セルの前記サブバンドから前記第１のサブバンドをランダムに選択することを含む、請求項４９に記載の方法。
【請求項６１】
前記一セルの前記サブバンドから前記第１のサブバンドを前記ランダムに選択することが、前記一セルの前記サブバンドから前記第１のサブバンドを、均一な分布でランダムに選択することを含む、請求項６０に記載の方法。
【請求項６２】
前記一セルの前記サブバンドから前記第１のサブバンドを前記ランダムに選択することが、前記一セルの前記サブバンドから、ある持続時間中に１回だけの頻度で前記第１のサブバンドを選択することをさらに含む、請求項６１に記載の方法。
【請求項６３】
前記持続時間が１秒以上からなる、請求項６２に記載の方法。
【請求項６４】
前記一セルの前記１つ以上のその他のサブバンド上で前記第２タイプのＬＢＴを前記実行することが、前記一セルの前記１つ以上のその他のサブバンドの各サブバンド上で前記第２タイプのＬＢＴを実行することを含む、請求項４９に記載の方法。
【請求項６５】
前記第１タイプのＬＢＴが、ランダムバックオフパラメータおよび第１のＬＢＴ持続時間を用いるＬＢＴである、請求項４９に記載の方法。
【請求項６６】
前記第２タイプのＬＢＴが、ランダムバックオフを用いないワンショットＬＢＴ持続時間に基づくワンショットＬＢＴである、請求項６５に記載の方法。
【請求項６７】
前記第１のＬＢＴ持続時間が前記ワンショットＬＢＴ持続時間よりも長い、請求項６６に記載の方法。
【請求項６８】
前記一セルの前記サブバンドの各々が、複数の連続する物理リソースブロックを含む、請求項４９に記載の方法。
【請求項６９】
最大エネルギー検出閾値またはエネルギー検出閾値オフセットを有するＬＢＴパラメータ構成メッセージを受信することをさらに含む、請求項４９に記載の方法。
【請求項７０】
前記第１タイプのＬＢＴおよび前記第２タイプのＬＢＴが、同じ最大エネルギー検出閾値または同じエネルギー検出閾値オフセットを使用する、請求項６９に記載の方法。
【請求項７１】
前記一セルの前記１つ以上のその他のサブバンド上で前記第２タイプのＬＢＴを前記実行することが、前記一セルの前記１つ以上のその他のサブバンド上で、同じ持続時間を用いて前記第２タイプのＬＢＴを実行することを含む、請求項４９に記載の方法。
【請求項７２】
前記第１のアップリンク信号を前記伝送することが、前記一セルの物理アップリンク共有チャネルを介して１つ以上のトランスポートブロックを伝送することを含む、請求項４９に記載の方法。
【請求項７３】
前記第２のアップリンク信号を前記伝送することが、前記一セルの物理アップリンク共有チャネルを介して１つ以上のトランスポートブロックを伝送することを含む、請求項４９に記載の方法。
【請求項７４】
前記第１のアップリンク信号を前記伝送することが、前記一セルの帯域幅部分を介して前記第１のアップリンク信号を伝送することを含む、請求項４９に記載の方法。
【請求項７５】
前記第２のアップリンク信号を前記伝送することが、前記一セルの帯域幅部分を介して前記第２のアップリンク信号を伝送することを含む、請求項４９に記載の方法。
【請求項７６】
前記ダウンリンク制御情報が前記一セルの帯域幅部分を示す、請求項４９に記載の方法。
【請求項７７】
前記一セルの前記帯域幅部分が前記一セルの１つ以上のサブバンドを含む、請求項７６に記載の方法。
【請求項７８】
前記一セルの前記サブバンドの各々が同じ帯域幅を含む、請求項４９に記載の方法。
【請求項７９】
前記一セルの前記サブバンドの各々が同数の物理リソースブロックを含む、請求項４９に記載の方法。
【請求項８０】
前記ダウンリンク制御情報が、
帯域幅部分を示す帯域幅部分インジケータフィールド、および
前記一セルの前記第１のサブバンドおよび前記１つ以上のその他のサブバンドのリソースブロックを示す周波数リソース割り当てフィールド、ならびに／または
前記一セルの前記第１のサブバンドおよび前記１つ以上のその他のサブバンドの時間領域リソースを示すタイミング情報フィールドを含む、請求項４９に記載の方法。
【請求項８１】
前記第１のアップリンク信号および前記第２のアップリンク信号を前記伝送することが、前記一セルの前記第１のサブバンドと前記１つ以上のその他のサブバンドのうちの前記少なくとも１つの第２のサブバンドの無線リソースを介して、１つ以上のトランスポートブロックを伝送することを含む、請求項４９に記載の方法。
【請求項８２】
複数のセルに対する複数のアップリンク許可を受信することをさらに含み、
前記複数のアップリンク許可が前記アップリンク許可を含み、
前記複数のセルが前記一セルを含む、
請求項４９に記載の方法。
【請求項８３】
前記アップリンク許可を受信することに応答して、前記第１タイプのＬＢＴおよび前記第２タイプのＬＢＴが実行される、請求項４９に記載の方法。
【請求項８４】
前記一セルが１つ以上の帯域幅部分を含み、
前記１つ以上の帯域幅部分のうちの帯域幅部分が、前記サブバンドを含む、請求項４９に記載の方法。
【請求項８５】
前記第１のアップリンク信号および前記第２のアップリンク信号を前記伝送することが、前記一セルの帯域幅部分の前記第１のサブバンドと前記１つ以上のその他のサブバンドのうちの前記少なくとも１つの第２のサブバンドとの無線リソースを介して、１つ以上のトランスポートブロックを伝送することを含む、請求項４９に記載の方法。
【請求項８６】
１つ以上のプロセッサと、
前記１つ以上のプロセッサによって実行されると、無線デバイスに請求項４９〜８５のいずれかに記載の方法を実行させる命令を記憶するメモリと、を備える無線デバイス。
【請求項８７】
請求項４９〜８５のいずれかに記載の方法を実行するように構成された無線デバイスと、
前記ダウンリンク制御情報を伝送するように構成された基地局と、を備えるシステム。
【請求項８８】
プロセッサによって実行されると、前記プロセッサに請求項４９〜８５のいずれか一項に記載の方法を実施すさせる命令を含む、非一時的コンピュータ可読記憶媒体。
【請求項８９】
無線デバイスによって、サブバンドを含む一セルに対するアップリンク許可を受信することと、
前記一セルの前記サブバンドのうちの第１のサブバンド上で第１タイプのリッスンビフォアトーク（ＬＢＴ）を実行することと、
前記一セルの、前記第１のサブバンドとは異なる１つ以上のその他のサブバンド上で第２タイプのＬＢＴを実行することと、
モミのタイプのＬＢＴが前記第１のサブバンドがクリアであることを示し、
前記第２のタイプのＬＢＴが、前記少なくとも１つのサブバンドがクリアであることを示すことに基づいて、
前記１つ以上の他のサブバンドのうちの少なくとも１つのサブバンドを介してアップリンク信号を伝送することと、を含む方法。
【請求項９０】
一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、  
モミのタイプのＬＢＴが前記第１のサブバンドがクリアであることを示し、
前記第２のタイプのＬＢＴが、前記少なくとも１つのサブバンドがクリアであることを示すこと
に基づいて、前記１つ以上のその他のサブバンドのうちの少なくとも１つのサブバンドを介してアップリンク信号を伝送することと、を含む方法。
【請求項９１】
サブバンドのうちの第１のサブバンドに対する第１タイプのリッスンビフォアトーク（ＬＢＴ）がクリアチャネルを示し、
第２のサブバンドに対する第２タイプのＬＢＴがクリアチャネルを示すことに基づいて、
一セルのサブバンドのうちの前記第２のサブバンドを介して信号を伝送すること、を含む方法。
【請求項９２】
無線デバイスによって、一セルの帯域幅部分（ＢＷＰ）を介したアップリンク信号の伝送のためのアップリンク許可を示すダウンリンク制御情報を受信することであって、前記ＢＷＰがサブバンドを含むものであることと、
前記ＢＷＰの前記サブバンドから第１のサブバンドを選択することと、
前記第１のサブバンド上で第１のタイプのリッスンビフォアトーク（ＬＢＴ）を実行することと、
前記ＢＷＰの１つ以上のその他のサブバンド上で第２のタイプのＬＢＴを実行することであって、前記１つ以上のその他のサブバンドが前記第１のサブバンドとは異なるものであることと、
前記アップリンク許可と第１のタイプのＬＢＴがクリアチャネルを示すことに基づいて、前記ＢＷＰの前記第１のサブバンドを介して第１のアップリンク信号を伝送することと、
モミのタイプのＬＢＴが、前記第１のサブバンドがクリアであることを示し、
前記第２のタイプのＬＢＴが、前記ＢＷＰの前記少なくとも１つの第２のサブバンドがクリアであることを示すことに基づき、
前記アップリンクグラントに基いて、前記１つ以上の他のサブバンドのうちの少なくとも１つの第２のサブバンドを介して第２のアップリンク信号を伝送することと、を含む方法。
【請求項９３】
前記モミのタイプのＬＢＴが前記第１のサブバンドがビジーであることを示し、
前記第２のタイプのＬＢＴが前記ＢＷＰの前記少なくとも１つの第３のサブバンドがビジーであることを示すことに基づき、
前記アップリンク許可に基づいて、前記１つ以上の他のサブバンドのうちの少なくとも１つの第３のサブバンドを介して第３のアップリンク信号を伝送しないことをさらに含む、請求項９２に記載の方法。
【請求項９４】
前記第２タイプのＬＢＴが、前記ＢＷＰの前記少なくとも１つの第３のサブバンドがビジーであることを示すことに基づき、前記アップリンク許可に基づいて前記１つ以上のその他のサブバンドのうちの少なくとも１つの第３のサブバンドを介して第３のアップリンク信号を伝送しないことをさらに含む、請求項９２に記載の方法。
【請求項９５】
前記無線デバイスのために構成された複数のセルから前記一セルを選択することをさらに含む、請求項９２に記載の方法。
【請求項９６】
前記複数のセルの各々が、１つ以上のそれぞれのサブバンドを含む、請求項９５に記載の方法。
【請求項９７】
前記複数のセルから前記一セルを前記選択することが、前記複数のセルから前記一セルをランダムに選択することを含む、請求項９５に記載の方法。
【請求項９８】
前記複数のセルから前記一セルを前記ランダムに選択することが、前記複数のセルから前記一セルを、均一分布でランダムに選択することを含む、請求項９７に記載の方法。
【請求項９９】
前記複数のセルから前記一セルを前記ランダムに選択することが、前記複数のセルから、ある持続時間中に１回だけの頻度で前記一セルを選択することをさらに含む、請求項９８に記載の方法。
【請求項１００】
前記持続時間が１秒以上からなる、請求項９９に記載の方法。
【請求項１０１】
前記複数のセルのうちの、前記一セルとは異なるその他のセルのＢＷＰのサブバンド上で前記第２タイプのＬＢＴを実行することをさらに含む、請求項９６に記載の方法。
【請求項１０２】
前記第１タイプのＬＢＴが前記ＢＷＰの前記第１のサブバンドがクリアであることを示し、前記第２タイプのＬＢＴが前記サブバンドのうちの少なくとも１つのサブバンドがクリアであることを示すことに基づいて、前記複数のセルのうちの前記その他のセルの少なくとも１つのＢＷＰを介してアップリンク信号を伝送することをさらに含む、請求項１０１に記載の方法。
【請求項１０３】
前記ＢＷＰの前記サブバンドから前記第１のサブバンドを前記選択することが、前記ＢＷＰの前記サブバンドから前記第１のサブバンドをランダムに選択することを含む、請求項９２に記載の方法。
【請求項１０４】
前記ＢＷＰの前記サブバンドから前記第１のサブバンドを前記ランダムに選択することが、前記ＢＷＰの前記サブバンドから前記第１のサブバンドを、均一分布でランダムに選択することを含む、請求項１０３に記載の方法。
【請求項１０５】
前記ＢＷＰの前記サブバンドから前記第１のサブバンドを前記ランダムに選択することが、前記ＢＷＰの前記サブバンドから、ある持続時間中に１回だけの頻度で前記第１のサブバンドを選択することをさらに含む、請求項１０４に記載の方法。
【請求項１０６】
前記持続時間が１秒以上からなる、請求項１０５に記載の方法。
【請求項１０７】
前記ＢＷＰの前記１つ以上のその他のサブバンド上で前記第２のタイプのＬＢＴを前記実行することが、前記ＢＷＰの前記１つ以上のその他のサブバンドの各サブバンド上で前記第２タイプのＬＢＴを実行することを含む、請求項９２に記載の方法。
【請求項１０８】
前記第１タイプのＬＢＴが、ランダムバックオフパラメータおよび第１のＬＢＴ持続時間を用いるＬＢＴである、請求項９２に記載の方法。
【請求項１０９】
前記第２タイプのＬＢＴが、ランダムバックオフを用いないワンショットＬＢＴ持続時間に基づくワンショットＬＢＴである、請求項１０８に記載の方法。
【請求項１１０】
前記第１のＬＢＴ持続時間が前記ワンショットＬＢＴ持続時間よりも長い、請求項１０９に記載の方法。
【請求項１１１】
前記ＢＷＰの前記サブバンドの各々が複数の連続する物理リソースブロックを含む、請求項９２に記載の方法。
【請求項１１２】
最大エネルギー検出閾値またはエネルギー検出閾値オフセットを有するＬＢＴパラメータ構成メッセージを受信することをさらに含む、請求項９２に記載の方法。
【請求項１１３】
前記第１タイプのＬＢＴおよび前記第２タイプのＬＢＴが、同じ最大エネルギー検出閾値または同じエネルギー検出閾値オフセットを使用する、請求項１１２に記載の方法。
【請求項１１４】
前記ＢＷＰの前記１つ以上のその他のサブバンド上で前記第２タイプのＬＢＴを前記実行することが、前記ＢＷＰの前記１つ以上の他のサブバンド上で、同じ持続時間を用いて前記第２タイプのＬＢＴを実行することを含む、請求項９２に記載の方法。
【請求項１１５】
前記第１のアップリンク信号を前記伝送することが、前記ＢＷＰの物理アップリンク共有チャネルを介して１つ以上のトランスポートブロックを伝送することを含む、請求項９２に記載の方法。
【請求項１１６】
前記第２のアップリンク信号を前記伝送することが、前記ＢＷＰの物理アップリンク共有チャネルを介して１つ以上のトランスポートブロックを伝送することを含む、請求項９２に記載の方法。
【請求項１１７】
前記ダウンリンク制御情報が前記セルの帯域幅部分を示す、請求項９２に記載の方法。
【請求項１１８】
前記セルの前記帯域幅部分が１つ以上のサブバンドを含む、請求項１１７に記載の方法。
【請求項１１９】
前記ＢＷＰの前記サブバンドの各々が同じ帯域幅を含む、請求項９２に記載の方法。
【請求項１２０】
前記ＢＷＰの前記サブバンドの各々が同数の物理リソースブロックを含む、請求項９２に記載の方法。
【請求項１２１】
前記ダウンリンク制御情報が、
ＢＷＰを示す帯域幅部分インジケータフィールド、
前記ＢＷＰの前記第１のサブバンドおよび前記１つ以上のその他のサブバンドのリソースブロックを示す周波数リソース割り当てフィールド、ならびに／または
前記ＢＷＰの前記第１のサブバンドおよび前記１つ以上の他のサブバンドの時間領域リソースを示すタイミング情報フィールドを含む、請求項９２に記載の方法。
【請求項１２２】
前記第１のアップリンク信号および前記第２のアップリンク信号を前記伝送することが、前記ＢＷＰの前記第１のサブバンドと前記１つ以上のその他のサブバンドのうちの前記少なくとも１つの第２のサブバンドとの無線リソースを介して、１つ以上のトランスポートブロックを伝送することを含む、請求項９２に記載の方法。
【請求項１２３】
複数のセルに対する複数のアップリンク許可を受信することをさらに含み、
前記複数のアップリンク許可が前記アップリンク許可を含み、
前記複数のセルが前記一セルを含む、請求項９２に記載の方法。
【請求項１２４】
前記アップリンク許可を受信することに応答して、前記第１タイプのＬＢＴおよび前記第２タイプのＬＢＴが実行される、請求項９２に記載の方法。
【請求項１２５】
前記一セルが１つ以上の帯域幅部分からなり、
前記１つ以上の帯域幅部分のうちの帯域幅部分が、前記サブバンドを含む、請求項９２に記載の方法。
【請求項１２６】
前記第１のアップリンク信号および前記第２のアップリンク信号を前記伝送することが、前記セルの前記ＢＷＰの前記第１のサブバンドと前記１つ以上のその他のサブバンドのうちの前記少なくとも１つの第２のサブバンドとの無線リソースを介して、１つ以上のトランスポートブロックを伝送することを含む、請求項９２に記載の方法。
【請求項１２７】
１つ以上のプロセッサと、
前記１つ以上のプロセッサによって実行されると、無線デバイスに請求項９２〜１２６のいずれかに記載の方法を実行させる命令を記憶するメモリと、
を備える無線デバイス。
【請求項１２８】
請求項９２〜１２６のいずれかに記載の方法を実行するように構成された無線デバイスと、
前記ダウンリンク制御情報を伝送するように構成された基地局と、
を備えるシステム。
【請求項１２９】
プロセッサによって実行されると、前記プロセッサに請求項９２〜１２６のいずれか一項に記載の方法を実施させる命令を含む、非一時的コンピュータ可読記憶媒体。
【請求項１３０】
無線デバイスによって、サブバンドを含むセルの帯域幅部分（ＢＷＰ）に対するアップリンク許可を受信することと、
前記ＢＷＰの前記サブバンドのうちの第１のサブバンド上で第１タイプのリッスンビフォアトーク（ＬＢＴ）を実行することと、
前記ＢＷＰの、前記第１のサブバンドとは異なる１つ以上のその他のサブバンド上で第２タイプのＬＢＴを実行することと、
モミのタイプのＬＢＴが前記第１のサブバンドがクリアであることを示し、
前記第２のタイプのＬＢＴが前記少なくとも１つのサブバンドがクリアであることを示すことに基づき、
前記１つ以上のその他のサブバンドのうちの少なくとも１つのサブバンドを介してアップリンク信号を伝送することと、を含む方法。
【請求項１３１】
セルの帯域幅部分（ＢＷＰ）のサブバンドのうちの第１のサブバンド上で第１タイプのリッスンビフォアトーク（ＬＢＴ）を実行することと、
前記ＢＷＰの１つ以上のその他のサブバンド上で第２タイプのＬＢＴを実行することと、  
モミのタイプのＬＢＴが前記第１のサブバンドがクリアであることを示し、
前記第２のタイプのＬＢＴが、前記少なくとも１つのサブバンドがクリアであることを示すことに基づき、
前記１つ以上のその他のサブバンドのうちの少なくとも１つのサブバンドを介してアップリンク信号を伝送することと、を含む方法。
【請求項１３２】
サブバンドのうちの第１のサブバンド上における第１タイプのリッスンビフォアトーク（ＬＢＴ）がクリアチャネルを示し、
前記第２のサブバンド上における第２タイプのＬＢＴがクリアチャネルを示すことに基づき、
帯域幅部分のサブバンドのうちの前記第２のサブバンドを介して信号を伝送することを含む、方法。
【請求項１３３】
無線デバイスによって、一セルを介したアップリンク信号の伝送のための少なくとも１つのアップリンク許可を示す少なくとも１つのダウンリンク制御情報（ＤＣＩ）を受信することであって、前記セルの各々が１つ以上のサブバンドを含むものと、
前記少なくとも１つのＤＣＩを前記受信することに応答して、前記セルからセルを選択することと、
前記セルの前記１つ以上のサブバンドのうちの第１のサブバンド上で第１タイプのリッスンビフォアトーク（ＬＢＴ）を実行することと、
前記セルの、前記第１のサブバンドとは異なる１つ以上のその他のサブバンド上で第２タイプのＬＢＴを実行することと、
前記第１のタイプのＬＢＴが前記セルの前記第１のサブバンドがクリアであることを示し、
前記第２のタイプのＬＢＴが、前記セルの前記１つ以上のその他のサブバンドがクリアであることを示すことに基づき、
前記セルを介して前記アップリンク信号のうちの１つ以上を伝送することと、を含む方法。
【請求項１３４】
前記セルから前記一セルを前記選択することが、前記セルから前記一セルをランダムに選択することを含む、請求項１３３に記載の方法。
【請求項１３５】
前記セルから前記一セルを前記ランダムに選択することが、前記セルから前記一セルを、均一分布でランダムに選択することを含む、請求項１３４に記載の方法。
【請求項１３６】
前記セルから前記一セルを前記ランダムに選択することが、前記セルからある持続時間中に１回だけの頻度で前記一セルを選択することをさらに含む、請求項１３４に記載の方法。
【請求項１３７】
前記持続時間が１秒以上からなる、請求項１３６に記載の方法。
【請求項１３８】
前記一セルの前記１つ以上のサブバンドから前記第１のサブバンドを選択することをさらに含む、請求項１３３に記載の方法。
【請求項１３９】
前記一セルの前記１つ以上のサブバンドから前記第１のサブバンドを前記選択することが、前記一セルの前記１つ以上のサブバンドから前記第１のサブバンドをランダムに選択することを含む、請求項１３８に記載の方法。
【請求項１４０】
前記一セルの前記１つ以上のサブバンドから前記第１のサブバンドを前記ランダムに選択することが、前記一セルの前記１つ以上のサブバンドから前記第１のサブバンドを、均一分布でランダムに選択することを含む、請求項１３９に記載の方法。
【請求項１４１】
前記一セルの前記１つ以上のサブバンドから前記第１のサブバンドを前記ランダムに選択することが、前記一セルの前記１つ以上のサブバンドから、ある持続時間中に１回だけの頻度で前記第１のサブバンドを選択することをさらに含む、請求項１４０に記載の方法。
【請求項１４２】
前記持続時間が１秒以上からなる、請求項１４１に記載の方法。
【請求項１４３】
前記セルの前記１つ以上の他のサブバンド上で前記第２タイプのＬＢＴを前記実行することが、前記セルの前記１つ以上のその他のサブバンドの各サブバンド上で前記第２タイプのＬＢＴを実行することを含む、請求項１３３に記載の方法。
【請求項１４４】
前記第１タイプのＬＢＴが、ランダムバックオフパラメータおよび第１のＬＢＴ持続時間を用いるＬＢＴである、請求項１３３に記載の方法。
【請求項１４５】
前記第２タイプのＬＢＴが、ランダムバックオフを用いないワンショットＬＢＴ持続時間に基づくワンショットＬＢＴである、請求項１４４に記載の方法。
【請求項１４６】
前記第１のＬＢＴ持続時間が前記ワンショットＬＢＴ持続時間よりも長い、請求項１４５に記載の方法。
【請求項１４７】
前記セルのうちのあるセルの前記１つ以上のサブバンドの各々が、複数の連続する物理リソースブロックを含む、請求項１３３に記載の方法。
【請求項１４８】
１つ以上の最大エネルギー検出閾値または１つ以上のエネルギー検出閾値オフセットを有する１つ以上のＬＢＴパラメータ構成メッセージを受信することをさらに含む、請求項１３３に記載の方法。
【請求項１４９】
前記第１タイプのＬＢＴおよび前記第２タイプのＬＢＴが、前記セルのうちの一セルに対する、同じ最大エネルギー検出閾値または同じエネルギー検出閾値オフセットを使用する、請求項１４８に記載の方法。
【請求項１５０】
前記セルの前記１つ以上のその他のサブバンド上で前記第２タイプのＬＢＴを前記実行することが、前記セルの前記１つ以上の他のサブバンド上で、同じ持続時間を用いて前記第２タイプのＬＢＴを実行することを含む、請求項１３３に記載の方法。
【請求項１５１】
前記セルを介して前記アップリンク信号のうちの前記１つ以上を前記伝送することが、前記セルの１つ以上の物理アップリンク共有チャネルを介してトランスポートブロックを伝送することを含む、請求項１３３に記載の方法。
【請求項１５２】
前記セルを介して前記アップリンク信号のうちの前記１つ以上を前記伝送することが、前記セルの１つ以上の帯域幅部分を介して前記アップリンク信号のうちの前記１つ以上を伝送することを含む、請求項１３３に記載の方法。
【請求項１５３】
前記少なくとも１つのＤＣＩが、前記セルの１つ以上の帯域幅部分を示す、請求項１３３に記載の方法。
【請求項１５４】
前記セルの前記１つ以上の帯域幅部分の各々が、前記一セルの１つ以上のサブバンドを含む、請求項１５３に記載の方法。
【請求項１５５】
前記セルのうちの一セルの前記１つ以上のサブバンドの各々が同じ帯域幅を含む、請求項１３３に記載の方法。
【請求項１５６】
前記セルのうちの一セルの前記１つ以上のサブバンドの各々が同数の物理リソースブロックを含む、請求項１３３に記載の方法。
【請求項１５７】
前記少なくとも１つのＤＣＩが、
帯域幅部分を示す帯域幅部分インジケータフィールド、および
前記セルの前記第１のサブバンドおよび前記１つ以上の他のサブバンドのリソースブロックを示す周波数リソース割り当てフィールド、ならびに／または
前記セルの前記第１のサブバンドおよび前記１つ以上のその他のサブバンドの時間領域リソースを示すタイミング情報フィールドを備える、請求項１３３に記載の方法。
【請求項１５８】
前記アップリンク信号を前記伝送することが、前記セルの前記第１のサブバンドおよび前記１つ以上のその他のサブバンドの無線リソースを介して１つ以上のトランスポートブロックを伝送することを含む、請求項１３３に記載の方法。
【請求項１５９】
前記第１タイプのＬＢＴおよび前記第２タイプのＬＢＴが、前記少なくとも１つのアップリンク許可を受信することに応答して実行される、請求項１３３に記載の方法。
【請求項１６０】
前記一セルが１つ以上の帯域幅部分を含み、
前記１つ以上の帯域幅部分のうちのある帯域幅部分が前記１つ以上のサブバンドを含む、請求項１３３に記載の方法。
【請求項１６１】
前記アップリンク信号を前記伝送することが、前記セルの帯域幅部分の前記第１のサブバンドおよび前記１つ以上のその他のサブバンドの無線リソースを介して１つ以上のトランスポートブロックを伝送することを含む、請求項１３３に記載の方法。
【請求項１６２】
１つ以上のプロセッサと、
前記１つ以上のプロセッサによって実行されると、無線デバイスに請求項１３３〜１６１のいずれかに記載の方法を実行させる命令を記憶するメモリと、を備える無線デバイス。
【請求項１６３】
請求項１３３〜１６１のいずれかに記載の方法を実行するように構成された無線デバイスと、
前記少なくとも１つのダウンリンク制御情報を伝送するように構成された基地局と、を備えるシステム。
【請求項１６４】
プロセッサによって実行されると、前記プロセッサに請求項１３３〜１６１のいずれか一項に記載の方法を実施させる命令を含む、非一時的コンピュータ可読記憶媒体。
【請求項１６５】
一セルの１つ以上のサブバンドのうちの第１のサブバンド上で第１タイプのリッスンビフォアトーク（ＬＢＴ）を実行することと、
セルの１つ以上のその他のサブバンド上で第２タイプのＬＢＴを実行することと、
前記第１タイプのＬＢＴが前記一セルの前記第１のサブバンドがクリアであることを示し、
前記第２タイプのＬＢＴが、前記一セルの前記１つ以上のその他のサブバンドがクリアであることを示すことに基づき、
前記セルを介してアップリンク信号を伝送することと、を含む方法。
【請求項１６６】
一セルの１つ以上のサブバンドのうちの第１のサブバンド上において第１タイプのリスンビフォアトーク（ＬＢＴ）を実行することと、
セルの１つ以上のその他のサブバンド上で第２タイプのＬＢＴを実行することと、
前記第１タイプのＬＢＴが前記一セルの前記第１のサブバンドがクリアであることを示し、
前記第２タイプのＬＢＴが、前記一セルの前記少なくとも１つの第２のサブバンドがクリアであることを示すことに基づき、
前記セルの少なくとも１つの第２のサブバンドを介してアップリンク信号を伝送することと、を含む方法。
【請求項１６７】
第１のセルの第１のサブバンド上における第１タイプのリッスンビフォアトーク（ＬＢＴ）がクリアチャネルを示し、
第２のセルの前記第２のサブバンド上における第２タイプのＬＢＴがクリアチャネルを示すことに基づき、
セルのうちの第２のセルの第２のサブバンドを介して信号を伝送することを含む、方法。
【請求項１６８】
一セルの１つ以上のサブバンドのうちの第１のサブバンド上で第１タイプのリスンビフォアトーク（ＬＢＴ）を実行することと、
セルの１つ以上のその他のサブバンド上で第２タイプのＬＢＴを実行することと、    前記第１タイプのＬＢＴが前記一セルの前記第１のサブバンドがクリアであることを示すこと、および
前記第２タイプのＬＢＴが、前記一セルの前記１つ以上のその他のサブバンドがクリアであることを示すこと、のうちの少なくとも一方に基づき、
前記セルを介してアップリンク信号を伝送することと、を含む方法。
【請求項１６９】
無線デバイスによって、セルの帯域幅部分（ＢＷＰ）を介したアップリンク信号の伝送のための少なくとも１つのアップリンク許可を示す少なくとも１つのダウンリンク制御情報（ＤＣＩ）を受信することであって、前記ＢＷＰの各々が１つ以上のサブバンドを含むものであることと、
前記少なくとも１つのＤＣＩを前記受信することに応答して、前記セルから一セルを選択することと、
前記一セルの第１のＢＷＰの前記１つ以上のサブバンドのうちの第１のサブバンド上で第１タイプのリッスンビフォアトーク（ＬＢＴ）を実行することと、
前記セルの１つ以上のＢＷＰの、前記第１のサブバンドとは異なる１つ以上のその他のサブバンド上で第２タイプのＬＢＴを実行することと、
前記第１タイプのＬＢＴが前記第１のＢＷＰの前記第１のサブバンドがクリアであることを示し、
前記第２タイプのＬＢＴが、前記１つ以上のＢＷＰの前記１つ以上のその他のサブバンドがクリアであることを示すことに基づき、
前記ＢＷＰを介して前記アップリンク信号のうちの１つ以上を伝送することと、を含む方法。
【請求項１７０】
セルのうちの１つの第１の帯域幅部分（ＢＷＰ）の１つ以上のサブバンドのうちの第１のサブバンド上で第１タイプのリッスンビフォアトーク（ＬＢＴ）を実行することと、
前記セルのＢＷＰの１つ以上のその他のサブバンド上で第２のタイプのＬＢＴを実行することと、
前記第１タイプのＬＢＴが前記第１のＢＷＰの前記第１のサブバンドがクリアであることを示し、
前記第２タイプのＬＢＴが、前記ＢＷＰの前記１つ以上の他のサブバンドがクリアであることを示すことに基づき、
前記ＢＷＰを介してアップリンク信号を伝送することと、を含む方法。
【請求項１７１】
セルのうちの一セルの帯域幅部分（ＢＷＰ）の１つ以上のサブバンドのうちの第１のサブバンド上で第１タイプのリッスンビフォアトーク（ＬＢＴ）を実行することと、
前記セルのＢＷＰの１つ以上のその他のサブバンド上で第２のタイプのＬＢＴを実行することと、  
前記第１タイプのＬＢＴが前記ＢＷＰの前記第１のサブバンドがクリアであることを示し、
前記第２のタイプのＬＢＴが、前記ＢＷＰの前記少なくとも１つの第２のサブバンドがクリアであることを示すことに基づき、
前記ＢＷＰの少なくとも１つの第２のサブバンドを介してアップリンク信号を伝送することと、を含む方法。
【請求項１７２】
セルのうちの第１のセルの第１のＢＷＰの第１のサブバンド上で第１のタイプのリッスンビフォアトーク（ＬＢＴ）がクリアチャネルを示し、
前記第２のＢＷＰの第２のサブバンドで第２のタイプのＬＢＴがクリアチャネルを示すことに基づき、
前記セルのうちの第２のセルの第２の帯域幅部分（ＢＷＰ）の第２のサブバンドを介して信号を伝送することを含む、方法。
【請求項１７３】
１つ以上のプロセッサと、
前記１つ以上のプロセッサによって実行されると、無線デバイスに、
サブバンドを含む一セルのためのアップリンク許可を受信することと、
前記サブバンドのうちの第１のサブバンド上で第１のタイプのリッスンビフォアトーク（ＬＢＴ）を実行することと、
前記セルの１つ以上のその他のサブバンド上で第２タイプのＬＢＴを実行することと、      前記第１タイプのＬＢＴがクリアチャネルを示すこと、および
前記第２タイプのＬＢＴがクリアチャネルを示すこと、
のうちの少なくとも一方に基づき、前記セルを介してアップリンク信号を伝送することと、
を行わせる命令を記億するメモリとを備えた、無線デバイス。
【請求項１７４】
１つ以上のプロセッサと、
前記１つ以上のプロセッサによって実行されると、前記無線デバイスに、
一セルの１つ以上のサブバンドのうちの第１のサブバンド上で第１タイプのリッスンビフォアトーク（ＬＢＴ）を実行することと、
セルの１つ以上のその他のサブバンド上で第２タイプのＬＢＴを実行することと、  
前記第１タイプのＬＢＴが前記セルの前記第１のサブバンドがクリアであることを示すこと、および
前記第２タイプのＬＢＴが、前記セルの前記１つ以上の他のサブバンドがクリアであることを示すこと、
のうちの少なくとも一方に基づき、前記セルを介してアップリンク信号を伝送することと、
を行わせる命令を記憶するメモリを備える、無線デバイス。
【請求項１７５】
基地局によって、あるセルのサブバンドから第１のサブバンドを選択することと、
前記第１のサブバンド上で第１のタイプのリッスンビフォアトーク（ＬＢＴ）を実行することと、
前記一セルの１つ以上のその他のサブバンド上で第２タイプのＬＢＴを実行することであって、前記１つ以上のその他のサブバンドが前記第１のサブバンドとは異なるものであることと、    前記第１タイプのＬＢＴが、前記一セルの前記第１のサブバンドがクリアであることを示し、
前記第２タイプのＬＢＴが、前記一セルの前記１つ以上のその他のサブバンドがクリアであることを示すこと、
に基づき、前記セルを介してダウンリンク信号を伝送することと、を含む方法。
【請求項１７６】
複数のセルから前記一セルを選択することをさらに含む、請求項１７５に記載の方法。
【請求項１７７】
前記複数のセルの各々が１つ以上のそれぞれのサブバンドを含む、請求項１７６に記載の方法。
【請求項１７８】
前記複数のセルから前記一セルを前記選択することが、前記複数のセルから前記一セルをランダムに選択することを含む、請求項１７６に記載の方法。
【請求項１７９】
前記複数のセルから前記一セルを前記ランダムに選択することが、前記複数のセルから前記一セルを、均一分布でランダムに選択することを含む、請求項１７８に記載の方法。
【請求項１８０】
前記複数のセルから前記一セルを前記ランダムに選択することが、前記複数の前記セルからある持続時間中に１回だけの頻度で前記一セルを選択することをさらに含む、請求項１７８に記載の方法。
【請求項１８１】
前記持続時間が１秒以上からなる、請求項１８０に記載の方法。
【請求項１８２】
前記複数のセルのうちの、前記一セルとは異なる他のセルのサブバンド上で前記第２タイプのＬＢＴを実行することをさらに含む、請求項１７７に記載の方法。
【請求項１８３】
前記第１タイプのＬＢＴが
前記一セルの前記第１のサブバンドがクリアであることを示し、
前記第２タイプのＬＢＴが、前記他のセルのうちの少なくとも１つのサブバンドがクリアであることを示すこと
に基づいて、前記複数のセルのうちの前記その他のセルを介してダウンリンク信号を伝送することをさらに含む、請求項１８２に記載の方法。
【請求項１８４】
前記セルの前記サブバンドから前記第１のサブバンドを前記選択することが、前記セルの前記サブバンドから前記第１のサブバンドをランダムに選択することを含む、請求項１７５に記載の方法。
【請求項１８５】
前記一セルの前記サブバンドから前記第１のサブバンドを前記ランダムに選択することが、前記一セルの前記サブバンドから前記第１のサブバンドを、均一分布でランダムに選択することを含む、請求項１８４に記載の方法。
【請求項１８６】
前記一セルの前記サブバンドから前記第１のサブバンドを前記ランダムに選択することが、前記一セルの前記サブバンドから、ある持続時間中に１回に限る頻度で前記第１のサブバンドを選択することをさらに含む、請求項１８４に記載の方法。
【請求項１８７】
前記持続時間が１秒以上からなる、請求項１８６に記載の方法。
【請求項１８８】
前記一セルの前記１つ以上の他のサブバンド上で前記第２タイプのＬＢＴを前記実行することが、前記一セルの前記１つ以上の他のサブバンドの各サブバンド上で前記第２タイプのＬＢＴを実行することを含む、請求項１７５に記載の方法。
【請求項１８９】
前記第１タイプのＬＢＴが、ランダムバックオフパラメータおよび第１のＬＢＴ持続時間を用いるＬＢＴである、請求項１７５に記載の方法。
【請求項１９０】
前記第２タイプのＬＢＴが、ランダムバックオフを用いないワンショットＬＢＴ持続時間に基づくワンショットＬＢＴである、請求項１８９に記載の方法。
【請求項１９１】
前記第１のＬＢＴ持続時間が、前記ワンショットＬＢＴ持続時間よりも長い、請求項１９０に記載の方法。
【請求項１９２】
前記一セルの前記サブバンドの各々が複数の連続する物理リソースブロックを含む、請求項１７５に記載の方法。
【請求項１９３】
最大エネルギー検出閾値またはエネルギー検出閾値オフセットを有する、ＬＢＴパラメータ構成メッセージを伝送することをさらに含む、請求項１７５に記載の方法。
【請求項１９４】
前記第１タイプのＬＢＴおよび前記第２タイプのＬＢＴが、同じ最大エネルギー検出閾値または同じエネルギー検出閾値オフセットを使用する、請求項１９３に記載の方法。
【請求項１９５】
前記一セルの前記１つ以上のその他のサブバンド上で前記第２タイプのＬＢＴを前記実行することが、前記一セルの前記１つ以上の他のサブバンド上で、同じ持続時間を用いて前記第２のタイプのＬＢＴを実行することを含む、請求項１７５に記載の方法。
【請求項１９６】
前記一セルを介して前記ダウンリンク信号を前記伝送することが、前記一セルの物理ダウンリンク共有チャネルを介してトランスポートブロックを伝送することを含む、請求項１７５に記載の方法。
【請求項１９７】
前記一セルを介して前記ダウンリンク信号を伝送することが、前記一セルの帯域幅部分を介して前記ダウンリンク信号を伝送することを含む、請求項１７５に記載の方法。
【請求項１９８】
前記一セルの前記サブバンドの各々が同じ帯域幅を含む、請求項１７５に記載の方法。
【請求項１９９】
前記一セルの前記サブバンドの各々が同数の物理リソースブロックを含む、請求項１７５に記載の方法。
【請求項２００】
ダウンリンク信号を前記伝送することが、前記一セルの前記第１のサブバンドおよび前記１つ以上のその他のサブバンドの無線リソースを介して１つ以上のトランスポートブロックを伝送することを含む、請求項１７５に記載の方法。
【請求項２０１】
前記一セルが１つ以上の帯域幅部分からなり、
前記１つ以上の帯域幅部分のうちのある帯域幅部分は前記サブバンドを含む、
請求項１７５に記載の方法。
【請求項２０２】
ダウンリンク信号を前記伝送することが、前記一セルの帯域幅部分の前記第１のサブバンドおよび前記１つ以上のその他のサブバンドの無線リソースを介して１つ以上のトランスポートブロックを伝送することを含む、請求項１７５に記載の方法。
【請求項２０３】
１つ以上のプロセッサと、
前記１つ以上のプロセッサによって実行されると、基地局に請求項１７５〜２０２のいずれかに記載の方法を実行することを行わせる命令を記憶するメモリと、を備える基地局。
【請求項２０４】
請求項１７５〜２０２のいずれかに記載の方法を実行するように構成された基地局と、
前記ダウンリンク信号を受信するように構成された無線デバイスと、を備える、システム。
【請求項２０５】
プロセッサによって実行されると、前記プロセッサに請求項１７５〜２０２のいずれか一項に記載の方法を実施させる命令を含む、非一時的コンピュータ可読記憶媒体。
【請求項２０６】
基地局によってセルから一セルを選択することであって、前記セルの各々が１つ以上のサブバンドを含むものであることと、
前記一セルの前記１つ以上のサブバンドのうちの第１のサブバンド上で第１タイプのリッスンビフォアトーク（ＬＢＴ）を実行することと、
前記セルの、前記第１のサブバンドとは異なる１つ以上の他のサブバンド上で第２タイプのＬＢＴを実行することと、    前記第１タイプのＬＢＴが、前記一セルの前記第１のサブバンドがクリアであることを示し、
前記第２タイプのＬＢＴが、前記一セルの前記１つ以上の他のサブバンドがクリアであることを示すことに基づき、
前記セルを介してダウンリンク信号のうちの１つ以上を伝送することと、を含む方法。
【請求項２０７】
前記セルから前記一セルを前記選択することが、前記セルから前記一セルをランダムに選択することを含む、請求項２０６に記載の方法。
【請求項２０８】
前記セルから前記一セルを前記ランダムに選択することが、前記セルから前記一セルを、均一分布でランダムに選択することを含む、請求項２０７に記載の方法。
【請求項２０９】
前記セルから前記一セルを前記ランダムに選択することが、前記セルから、ある持続時間中に１回に限る頻度で前記セルを選択することをさらに含む、請求項２０７に記載の方法。
【請求項２１０】
前記持続時間が１秒以上からなる、請求項２０９に記載の方法。
【請求項２１１】
前記一セルの前記１つ以上のサブバンドから前記第１のサブバンドを選択することをさらに含む、請求項２０６に記載の方法。
【請求項２１２】
前記一セルの前記１つ以上のサブバンドから前記第１のサブバンドを前記選択することが、前記一セルの前記１つ以上のサブバンドから前記第１のサブバンドをランダムに選択することを含む、請求項２１１に記載の方法。
【請求項２１３】
前記一セルの前記１つ以上のサブバンドから前記第１のサブバンドを前記ランダムに選択することが、前記一セルの前記１つ以上のサブバンドから前記第１のサブバンドを、均一分布でランダムに選択することを含む、請求項２１２に記載の方法。
【請求項２１４】
前記一セルの前記１つ以上のサブバンドから前記第１のサブバンドを前記ランダムに選択することが、前記一セルの前記１つ以上のサブバンドから、ある持続時間中に１回以下の頻度で前記第１のサブバンドを選択することをさらに含む、請求項２１２に記載の方法。
【請求項２１５】
前記持続時間が１秒以上からなる、請求項２１４に記載の方法。
【請求項２１６】
前記セルの前記１つ以上の他のサブバンド上で前記第２のタイプのＬＢＴを前記実行することが、前記セルの前記１つ以上の他のサブバンドの各サブバンド上で前記第２のタイプのＬＢＴを実行することを含む、請求項２０６に記載の方法。
【請求項２１７】
前記第１のタイプのＬＢＴが、ランダムバックオフパラメータおよび第１のＬＢＴ持続時間を用いるＬＢＴである、請求項２０６に記載の方法。
【請求項２１８】
前記第２タイプのＬＢＴが、ランダムバックオフを用いないワンショットＬＢＴ持続時間に基づくワンショットＬＢＴである、請求項２１７に記載の方法。
【請求項２１９】
前記第１のＬＢＴ持続時間が前記ワンショットＬＢＴ持続時間よりも長い、請求項２１８に記載の方法。
【請求項２２０】
前記セルのうちの一セルの前記１つ以上のサブバンドの各々が、複数の連続する物理リソースブロックを含む、請求項２０６に記載の方法。
【請求項２２１】
１つ以上の最大エネルギー検出閾値または１つ以上のエネルギー検出閾値オフセットを有する１つ以上のＬＢＴパラメータ構成メッセージを伝送することをさらに含む、請求項２０６に記載の方法。
【請求項２２２】
前記第１のタイプのＬＢＴおよび前記第２のタイプのＬＢＴが、前記セルのうちの一セルに対する、同じ最大エネルギー検出閾値または同じエネルギー検出閾値オフセットを使用する、請求項２２１に記載の方法。
【請求項２２３】
前記セルの前記１つ以上の他のサブバンド上で前記第２のタイプのＬＢＴを前記実行することが、前記セルの前記１つ以上の他のサブバンド上で、同じ持続時間を用いて前記第２のタイプのＬＢＴを実行することを含む、請求項２０６に記載の方法。
【請求項２２４】
前記セルを介してダウンリンク信号のうちの前記１つ以上を前記伝送することが、前記セルの１つ以上の物理ダウンリンク共有チャネルを介してトランスポートブロックを伝送することを含む、請求項２０６に記載の方法。
【請求項２２５】
前記セルを介してダウンリンク信号のうちの前記１つ以上を前記伝送することが、前記セルの１つ以上の帯域幅部分を介してダウンリンク信号のうちの前記１つ以上を伝送することを含む、請求項２０６に記載の方法。
【請求項２２６】
前記セルのうちの一セルの前記１つ以上のサブバンドの各々が、同じ帯域幅を含む、請求項２０６に記載の方法。
【請求項２２７】
前記セルのうちの一セルの前記１つ以上のサブバンドの各々が、同数の物理リソースブロックを含む、請求項２０６に記載の方法。
【請求項２２８】
ダウンリンク信号のうちの１つ以上を前記伝送することが、前記セルの前記第１のサブバンドおよび前記１つ以上のその他のサブバンドの無線リソースを介して１つ以上のトランスポートブロックを伝送することを含む、請求項２０６に記載の方法。
【請求項２２９】
前記セルの各々が、１つ以上の帯域幅部分を含み、
前記１つ以上の帯域幅部分のうちの帯域幅部分が、前記１つ以上のサブバンドを含む、請求項２０６に記載の方法。
【請求項２３０】
ダウンリンク信号のうちの１つ以上を前記伝送することが、前記セルの帯域幅部分の前記第１のサブバンドおよび前記１つ以上の他のサブバンドの無線リソースを介して、１つ以上のトランスポートブロックを伝送することを含む、請求項２０６に記載の方法。
【請求項２３１】
１つ以上のプロセッサと、
前記１つ以上のプロセッサによって実行されると、前記基地局に請求項２０６〜２３０のいずれかに記載の方法を実行することを行わせる命令を記憶するメモリと、を備える基地局。
【請求項２３２】
請求項２０６〜２３０のいずれかに記載の方法を実行するように構成された基地局と、
ダウンリンク信号のうちの前記１つ以上を受信するように構成された無線デバイスと、備えるシステム。
【請求項２３３】
プロセッサによって実行されると、前記プロセッサに請求項２０６〜２３０のいずれか一項に記載の方法を実施させる命令を含む、、非一時的コンピュータ可読記憶媒体。
【発明の詳細な説明】
【技術分野】
【０００１】
関連出願の相互参照
本出願は、２０１８年８月９日に出願された米国仮特許出願第６２／７１６，８００号の利益を主張し、その全体が参照により本明細書に組み込まれる。
【発明の概要】
【発明が解決しようとする課題】
【０００２】
本開示の例示的な実施形態が、チャネルアクセスおよびキャリアアグリゲーションの動作を可能にする。本明細書に開示される技術の実施形態を、マルチキャリア通信および広帯域のシステムの技術分野において用いることができる。より具体的には、本明細書に開示される技術の実施形態は、リスンビフォアトークを用いる、キャリアアグリゲーションおよび広帯域キャリアのためのチャネルアクセスについて説明する。
【課題を解決するための手段】
【０００３】
本開示を通じ、以下の略称が使用される。
【表１−１】
2021525977.tif 000003
【表１−２】
2021525977.tif 000004
【表１−３】
2021525977.tif 000005
【表１−４】
2021525977.tif 000006
【０００４】
本開示の例示的な実施形態は、様々な物理層変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。物理層での信号伝送には、様々な変調方式を適用することができる。変調方式の例としては、以下に限定されないが、位相、振幅、符号、これらの組み合わせ、および／または同様のものが挙げられる。例示的な無線伝送方法は、２相位相変調（ＢＰＳＫ）を使用する直交振幅変調（ＱＡＭ）、４相位相変調（ＱＰＳＫ）、１６−ＱＡＭ、６４−ＱＡＭ、２５６−ＱＡＭ、および／または同様のものを実装することができる。物理的な無線伝送は、伝送要件と無線条件に応じて変調およびコーディング方式を動的または半動的に変更することにより強化することができる。
【図面の簡単な説明】
【０００５】
本開示の様々な実施形態のうちのいくつかの例が、図面を参照して本明細書に記載されている。
【０００６】
【図１】本開示の実施形態の態様に基づく、例示的なＲＡＮアーキテクチャの略図である。
【図２Ａ】本開示の実施形態の態様に基づく、例示的なユーザプレーンプロトコルスタックの略図である。
【図２Ｂ】本開示の実施形態の態様に基づく、例示的な制御ユーザプレーンプロトコルスタックの略図である。
【図３】本開示の実施形態の態様に基づく、例示的な無線デバイスおよび２つの基地局の略図である。
【図４Ａ】（図４Ａ、図４Ｂ、図４Ｃ、および図４Ｄ）本開示の一実施形態の一局面に基づく、アップリンクおよびダウンリンク信号伝送の例示的な略図である。
【図４Ｂ】（図４Ａ、図４Ｂ、図４Ｃ、および図４Ｄ）本開示の一実施形態の一局面に基づく、アップリンクおよびダウンリンク信号伝送の例示的な略図である。
【図４Ｃ】（図４Ａ、図４Ｂ、図４Ｃ、および図４Ｄ）本開示の一実施形態の一局面に基づく、アップリンクおよびダウンリンク信号伝送の例示的な略図である。
【図４Ｄ】（図４Ａ、図４Ｂ、図４Ｃ、および図４Ｄ）本開示の一実施形態の一局面に基づく、アップリンクおよびダウンリンク信号伝送の例示的な略図である。
【図５Ａ】本開示の実施形態の態様に基づく、例示的なアップリンクチャネルマッピング、および例示的アップリンク物理信号の略図である。
【図５Ｂ】本開示の実施形態の態様に基づく、例示的なダウンリンクチャネルマッピング、および例示的ダウンリンク物理信号の略図である。
【図６】本開示の実施形態の態様に基づく、例示的なフレーム構造を描いている略図である。
【図７Ａ】（図７Ａおよび図７Ｂ）本開示の一実施形態の一局面によるＯＦＤＭサブキャリアの例示的なセットを描いている図である。
【図７Ｂ】（図７Ａおよび図７Ｂ）本開示の一実施形態の一局面によるＯＦＤＭサブキャリアの例示的なセットを描いている図である。
【図８】本開示の実施形態の態様に基づく、例示的なＯＦＤＭ無線リソースを描いている略図である。
【図９Ａ】マルチビームシステムでの例示的なＣＳＩ−ＲＳおよび／またはＳＳブロック伝送を描いている略図である。
【図９Ｂ】本開示の実施形態の態様に基づく、例示的なダウンリンクビーム管理プロシージャを描いている略図である。
【図１０】本開示の実施形態の態様に基づく、構成されたＢＷＰの例示的な略図である。
【図１１Ａ】（図１１Ａおよび図１１Ｂ）本開示の実施形態の態様に基づく、例示的なマルチ接続の略図である。
【図１１Ｂ】（図１１Ａおよび図１１Ｂ）本開示の実施形態の態様に基づく、例示的なマルチ接続の略図である。
【図１２】本開示の実施形態の態様に基づく、例示的なランダムアクセスプロシージャの略図である。
【図１３】本開示の実施形態の態様に基づく、例示的なＭＡＣエンティティの構造である。
【図１４】本開示の実施形態の態様に基づく、例示的なＲＡＮアーキテクチャの略図である。
【図１５】本開示の実施形態の態様に基づく、例示的なＲＲＣ状態の略図である。
【図１６】本開示の実施形態の態様に基づく、例示的なチャネルアクセス優先度クラスの略図である。
【図１７】本開示の実施形態の態様に基づく、例示的なリスンビフォアトーク（ＬＢＴ）の略図である。
【図１８】本開示の実施形態の態様に基づく、例示的なＲＲＣ構成の略図である。
【図１９】本開示の実施形態の態様に基づく、例示的なリソース関係の略図である。
【図２０Ａ】本開示の実施形態の態様に基づく、セルに含まれる例示的なサブバンドの略図である。
【図２０Ｂ】本開示の実施形態の態様に基づく、マルチキャリア広帯域通信における例示的なリスンビフォアトーク（ＬＢＴ）の略図である。
【図２１Ａ】本開示の実施形態の態様に基づく、セルに含まれる例示的なサブバンドの略図である。
【図２１Ｂ】本開示の実施形態の態様に基づく、マルチキャリア広帯域通信における例示的なリスンビフォアトーク（ＬＢＴ）の略図である。
【図２２Ａ】本開示の実施形態の態様に基づく、セルに含まれる例示的なサブバンドの略図である。
【図２２Ｂ】本開示の実施形態の態様に基づく、シングルキャリア広帯域通信における例示的なリスンビフォアトーク（ＬＢＴ）の略図である。
【図２３Ａ】本開示の実施形態の態様に基づく、セルに含まれる例示的なサブバンドの略図である。
【図２３Ｂ】本開示の実施形態の態様に基づく、シングルキャリア広帯域通信における例示的なリスンビフォアトーク（ＬＢＴ）の略図である。
【図２４Ａ】本開示の実施形態の態様に基づく、セルに含まれる例示的なサブバンドの略図である。
【図２４Ｂ】本開示の実施形態の態様に基づく、シングルキャリア広帯域通信における例示的なリスンビフォアトーク（ＬＢＴ）の略図である。
【図２５Ａ】本開示の実施形態の態様に基づく、セルに含まれる例示的なサブバンドの略図である。
【図２５Ｂ】本開示の実施形態の態様に基づく、シングルキャリア広帯域通信における例示的なリスンビフォアトーク（ＬＢＴ）の略図である。
【図２６Ａ】本開示の実施形態の態様に基づく、セルに含まれる例示的なサブバンドの略図である。
【図２６Ｂ】本開示の実施形態の態様に基づく、シングルキャリア広帯域通信における例示的なリスンビフォアトーク（ＬＢＴ）の略図である。
【図２７】本開示の例示的な実施形態の態様に基づく、フロー略図である。
【発明を実施するための形態】
【０００７】
図１は、本開示の実施形態の一態様に基づく、例示的な無線アクセスネットワーク（ＲＡＮ）アーキテクチャである。この例に例示されているように、ＲＡＮノードは、次世代ノードＢ（ｇＮＢ）（例えば１２０Ａ、１２０Ｂ）であり得、第１の無線デバイス（例えば１１０Ａ）に向かう新無線（ＮＲ）ユーザプレーンおよび制御プレーンプロトコル終端を提供することができる。一例において、ＲＡＮノードは、次世代進化型ノードＢ（ｎｇ−ｅＮＢ）（例えば、１２４Ａ、１２４Ｂ）であってもよく、第２の無線デバイス（例えば、１１０Ｂ）に向かう進化型ＵＭＴＳ地上無線アクセス（Ｅ−ＵＴＲＡ）ユーザプレーンおよび制御プレーンプロトコル終端を提供することができる。第１の無線デバイスは、Ｕｕインターフェースを介してｇＮＢと通信することができる。第２の無線デバイスは、Ｕｕインターフェースを介してｎｇ−ｅＮＢと通信することができる。この開示では、無線デバイス１１０Ａおよび１１０Ｂは、構造的上、無線デバイス１１０と同様である。基地局１２０Ａおよび／または１２０Ｂは、構造上、基地局１２０と同様であり得る。基地局１２０は、ｇＮＢ（例えば１２２Ａおよび／または１２２Ｂ）、ｎｇ−ｅＮＢ（例えば１２４Ａおよび／または１２４Ｂ）、および／または同様のもの、のうちの少なくとも１つを備えることができる。
【０００８】
ｇＮＢまたはｎｇ−ｅＮＢは、無線リソース管理およびスケジューリング、ＩＰヘッダ圧縮、データの暗号化および保全性保護、ユーザ機器（ＵＥ）アタッチメントにおけるアクセスおよびモビリティ管理機能（ＡＭＦ）の選択、ユーザプレーンおよび制御プレーンデータのルーティング、接続設定および解放、（ＡＭＦから生み出された）ページングメッセージのスケジューリングおよび伝送、（ＡＭＦまたは運用およびメンテナンス（Ｏ＆Ｍ）から生み出された）システムブロードキャスト情報のスケジューリングおよび伝送、測定および測定レポート構成、アップリンク内のトランスポートレベルパケットマーキング、セッション管理、ネットワークスライシングのサポート、サービス品質（ＱｏＳ）フロー管理、およびデータ無線ベアラへのマッピング、ＲＲＣ＿ＩＮＡＣＴＩＶＥ状態にあるＵＥのサポート、非アクセス層（ＮＡＳ）メッセージのための分散機能、ＲＡＮ共有、およびデュアル接続、またはＮＲとＥ−ＵＴＲＡとの間の緊密なインターワーキングなどの機能をホストとして提供することができる。
【０００９】
一例において、１つ以上のｇＮＢおよび／または１つ以上のｎｇ−ｅＮＢは、Ｘｎインターフェースによって互いに相互接続することができる。ｇＮＢまたはｎｇ−ｅＮＢは、ＮＧインターフェースによって、５Ｇコアネットワーク（５ＧＣ）に接続することができる。一例において、５ＧＣは、１つ以上のＡＭＦ／ユーザ計画機能（ＵＰＦ）機能（例えば、１３０Ａまたは１３０Ｂ）を備えることができる。ｇＮＢまたはｎｇ−ｅＮＢは、ＮＧ−ユーザプレーン（ＮＧ−Ｕ）インターフェースによってＵＰＦに接続することができる。ＮＧ−Ｕインターフェースは、ＲＡＮノードとＵＰＦとの間にユーザプレーンプロトコルデータユニット（ＰＤＵ）の配信（例えば、非保証配信）を提供することができる。ｇＮＢまたはｎｇ−ｅＮＢは、ＮＧ−制御プレーン（ＮＧ−Ｃ）インターフェースによってＡＭＦに接続することができる。ＮＧ−Ｃインターフェースは、ＮＧインターフェース管理、ＵＥコンテキスト管理、ＵＥモビリティ管理、ＮＡＳメッセージのトランスポート、ページング、ＰＤＵセッション管理、構成転送、または警告メッセージ伝送などの機能を提供することができる。
【００１０】
一例において、ＵＰＦは、イントラ／インター無線アクセス技術（ＲＡＴ）モビリティ（適用可能な場合）のためのアンカーポイント、データネットワークとの相互接続の外部ＰＤＵセッションポイント、パケットルーティングおよびフォワーディング、ポリシールール強制のパケット検査およびユーザプレーン部、トラフィック使用レポート、データネットワークへのトラフィックフローのルーティングをサポートするためのアップリンク分類子、マルチホームＰＤＵセッションをサポートするための分岐ポイント、ユーザプレーンのためのＱｏＳ処理、例えばパケットフィルタリング、ゲーティング、アップリンク（ＵＬ）／ダウンリンク（ＤＬ）レート強制、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストとして提供することができる。
【００１１】
一例において、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワーク間のモビリティのためのインターコアネットワーク（ＣＮ）ノードシグナリング、アイドルモードＵＥ到達可能性（例えば、ページング再伝送の制御および実行）、登録エリア管理、システム内およびシステム間のモビリティのサポート、アクセス認証、ローミング権のチェックを含むアクセス認定、モビリティ管理制御（加入およびポリシー）、ネットワークスライシングのサポート、および／またはセッション管理機能（ＳＭＦ）選択などの機能をホストとして提供することができる。
【００１２】
図２Ａは、例示的ユーザプレーンプロトコルスタックであり、ここでは、サービスデータ適応プロトコル（ＳＤＡＰ）（例えば、２１１および２２１）、パケットデータコンバージェンスプロトコル（ＰＤＣＰ）（例えば、２１２および２２２）、無線リンク制御（ＲＬＣ）（例えば、２１３および２２３）ならびに媒体アクセス制御（ＭＡＣ）（例えば、２１４および２２４）サブレイヤ、ならびに物理（ＰＨＹ）（例えば、２１５および２２５）層は、ネットワーク側上の無線デバイス（例えば、１１０）およびｇＮＢ（例えば１２０）で終端することができる。一例において、ＰＨＹ層は、トランスポートサービスを上位層（例えば、ＭＡＣ、ＲＲＣなど）に提供する。一例において、ＭＡＣサブレイヤのサービスおよび機能は、論理チャネルとトランスポートチャネルとの間のマッピング、ＰＨＹ層へ／から送達されるトランスポートブロック（ＴＢ）へ／からの、１つまたは異なる論理チャネルに属するＭＡＣサービスデータユニット（ＳＤＵ）の多重化／分割化、スケジューリング情報レポート、ハイブリッド自動反復要求（ＨＡＲＱ）（例えば、キャリアアグリゲーション（ＣＡ）の場合は、キャリア当たり１つのＨＡＲＱエンティティ）を介する誤り訂正、動的スケジューリングによるＵＥ間の優先度処理、論理チャネル優先度付けによる１つのＵＥの論理チャネル間の優先度処理、および／またはパディングを含むことができる。ＭＡＣエンティティは、１つもしくは複数のヌメロロジ、および／または伝送タイミングをサポートすることができる。一例において、論理チャネル優先度付けにおけるマッピング制限により、論理チャネルがどのヌメロロジおよび／または伝送タイミングを使用することができるかを制御することができる。一例において、ＲＬＣサブレイヤは、トランスペアレントモード（ＴＭ）、非肯定モード（ＵＭ）、および肯定モード（ＡＭ）伝送モードをサポートすることができる。このＲＬＣ構成は、ヌメロロジおよび／または伝送時間間隔（ＴＴＩ）持続時間に依存せずに論理チャネル毎にあり得る。一例において、自動反復要求（ＡＲＱ）は、論理チャネルが構成されているいずれのヌメロロジおよび／またはＴＴＩ持続時間に関して動作することができる。一例において、ユーザプレーンのためのＰＤＣＰ層のサービスおよび機能は、シーケンスナンバリング、ヘッダ圧縮および解凍、ユーザデータの転送、リオーダリングおよび重複検出、ＰＤＣＰ  ＰＤＵルーティング（例えば、分割ベアラの場合）、ＰＤＣＰ  ＳＤＵの再伝送、暗号化、暗号解読および完全性保護、ＰＤＣＰ  ＳＤＵ破棄、ＲＬＣ  ＡＭのためのＰＤＣＰ再確立およびデータ回復、ならびに／またはＰＤＣＰ  ＰＤＵの複製を含むことができる。一例において、ＳＤＡＰのサービスおよび機能は、ＱｏＳフローとデータ無線ベアラとの間のマッピングを含むことができる。一例において、ＳＤＡＰのサービスおよび機能は、ＤＬパケットおよびＵＬパケットにおけるサービス品質インジケータ（ＱＦＩ）をマッピングすることを含むことができる。一例において、ＳＤＡＰのプロトコルエンティティは、個々のＰＤＵセッションのために構成することができる。
【００１３】
図２Ｂは、例示的制御プレーンプロトコルスタックであり、ここで、ＰＤＣＰ（例えば、２３３および２４２）、ＲＬＣ（例えば、２３４および２４３）、およびＭＡＣ（例えば、２３５および２４４）サブレイヤ、ならびにＰＨＹ（例えば、２３６および２４５）層は、ネットワーク側上の無線デバイス（例えば、１１０）およびｇＮＢ（例えば、１２０）で終端することができ、上述のサービスおよび機能を実行することができる。一例において、ＲＲＣ（例えば、２３２および２４１）は、無線デバイス、およびネットワーク側のｇＮＢで終端することができる。一例において、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、メンテナンスおよび解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへ／からのＮＡＳメッセージ転送を含むことができる。一例において、ＮＡＳ制御プロトコル（例えば、２３１および２５１）は、無線デバイス、およびネットワーク側上のＡＭＦ（例えば、１３０）で終端されてもよく、ＵＥと、３ＧＰＰアクセスおよび非３ＧＰＰアクセスのためのＡＭＦとの間のモビリティ管理、ならびにＵＥと、３ＧＰＰアクセスおよび非３ＧＰＰアクセスのＳＭＦとの間のセッション管理などの機能を実行することができる。
【００１４】
一例において、基地局は、無線デバイスのための複数の論理チャネルを構成することができる。複数の論理チャネル内の論理チャネルは、無線ベアラに対応することができ、無線ベアラは、ＱｏＳ要件と関連付けることができる。一例において、基地局は、複数のＴＴＩ／ヌメロロジ中の１つ以上のＴＴＩ／ヌメロロジにマッピングされている論理チャネルを構成することができる。無線デバイスは、アップリンク許可を示す物理ダウンリンク制御チャネル（ＰＤＣＣＨ）を介して、ダウンリンク制御情報（ＤＣＩ）を受信することができる。一例において、アップリンク許可は、第１のＴＴＩ／ヌメロロジのためにあり得、トランスポートブロックの伝送のためのアップリンクリソースを示すことができる。基地局は、無線デバイスのＭＡＣ層で論理チャネル優先度付けプロシージャによって使用される１つ以上のパラメータを有する複数の論理チャネル内に各論理チャネルを構成することができる。その１つ以上のパラメータは、優先度、優先されたビットレートなどを含むことができる。複数の論理チャネル内の各論理チャネルは、その論理チャネルに関連付けられたデータを含む１つ以上のバッファに対応することができる。論理チャネル優先度付けプロシージャは、複数の論理チャネル、および／または１つ以上のＭＡＣ制御要素（ＣＥ）内の１つ以上の第１の論理チャネルにアップリンクリソースを割り当てることができる。この１つ以上の第１の論理チャネルは、第１のＴＴＩ／ヌメロロジにマッピングされることができる。無線デバイスでのＭＡＣ層は、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例において、ＭＡＣ  ＰＤＵは、複数のＭＡＣサブヘッダを含むＭＡＣヘッダを含むことができる。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応することができる。一例において、ＭＡＣ  ＣＥまたは論理チャネルは、論理チャネル識別子（ＬＣＩＤ）を用いて構成されることができる。一例において、論理チャネルまたはＭＡＣ  ＣＥのためのＬＣＩＤは、固定／事前構成されることができる。一例において、論理チャネルまたはＭＡＣ  ＣＥのためのＬＣＩＤは、基地局により無線デバイスのために構成されることができる。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含むことができる。
【００１５】
一例において、基地局は、１つ以上のＭＡＣコマンドを用いることによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマを開始および／または中止させる）。この１つ以上のＭＡＣコマンドは、１つ以上のＭＡＣ制御要素を含むことができる。一例において、１つ以上のプロセスは、１つ以上の無線ベアラのためのＰＤＣＰパケット複製の作動および／または停止を含むことができる。基地局は、１つ以上のフィールドを含むＭＡＣ  ＣＥ、１つ以上の無線ベアラのためのＰＤＣＰ複製の作動および／または停止を示すフィールドの値を伝送することができる。一例において、１つ以上のプロセスは、１つ以上のセル上のチャネル状態情報（ＣＳＩ）伝送を含むことができる。基地局は、１つ以上のセル上のＣＳＩ伝送の作動および／または停止を示す１つ以上のＭＡＣ  ＣＥを伝送することができる。一例において、１つ以上のプロセスは、１つ以上のセカンダリセルの作動または停止を含んでもよい。一例において、基地局は、１つ以上のセカンダリセルの作動または停止を示すＭＡ  ＣＥを伝送することができる。一例において、基地局は、無線デバイスにおける１つ以上の間欠受信（ＤＲＸ）タイマの開始および／または中止を示す１つ以上のＭＡＣ  ＣＥを伝送することができる。一例において、基地局は、１つ以上のタイミングアドバンスグループ（ＴＡＧ）のための１つ以上のタイミングアドバンス値を示す１つ以上のＭＡＣ  ＣＥを伝送することができる。
【００１６】
図３は、基地局（基地局１、１２０Ａ、および基地局２、１２０Ｂ）および無線デバイス１１０のブロック図である。無線デバイスは、ＵＥと呼ばれることがある。基地局は、ＮＢ、ｅＮＢ、ｇＮＢ、および／またはｎｇ−ｅＮＢと呼ばれることがある。一例において、無線デバイスおよび／または基地局は、中継ノードとしての機能を果たすことができる。基地局１、１２０Ａは、少なくとも１つの通信インターフェース３２０Ａ（例えば、無線モデム、アンテナ、有線モデム、および／または同様のもの）と、少なくとも１つのプロセッサ３２１Ａと、非一過性メモリ３２２Ａ内に格納され、かつ少なくとも１つのプロセッサ３２１Ａによって実行可能なプログラムコード命令３２３Ａの少なくとも１つのセットと、を備えることができる。基地局２、１２０Ｂは、少なくとも１つの通信インターフェース３２０Ｂと、少なくとも１つのプロセッサ３２１Ｂと、非一過性メモリ３２２Ｂ内に格納され、かつ少なくとも１つのプロセッサ３２１Ｂによって実行可能なプログラムコード命令３２３Ｂの少なくとも１つのセットと、を備えることができる。
【００１７】
基地局は、多数のセクタ、例えば、１、２、３、４、または６つのセクタを含むことができる。基地局は、例えば、１〜５０以上の範囲の多数のセルを含むことができる。セルは、例えば、プライマリセルまたはセカンダリセルとしてカテゴリ化することができる。無線リソース制御（ＲＲＣ）接続確立／再確立／ハンドオーバにおいて、１つのサービングセルは、ＮＡＳ（非アクセス層）モビリティ情報（例えば、トラッキングエリア識別子（ＴＡＩ））を提供することができる。ＲＲＣ接続再確立／ハンドオーバにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）であり得、これに対して、アップリンクでは、キャリアは、ＵＬ  ＰＣＣであり得る。無線デバイス能力に応じて、セカンダリセル（ＳＣｅｌｌ）は、ＰＣｅｌｌと一緒にサービングセルのセットを形成するように構成することができる。ダウンリンクでは、ＳＣｅｌｌに対応するキャリアは、ダウンリンクセカンダリコンポーネントキャリア（ＤＬ  ＳＣＣ）であり得、これに対して、アップリンクでは、キャリアは、アップリンクセカンダリコンポーネントキャリア（ＵＬ  ＳＣＣ）であり得る。ＳＣｅｌｌには、アップリンクキャリアを有する場合と有しない場合がある。
【００１８】
ダウンリンクキャリアとオプションのアップリンクキャリアを含むセルには、物理セルＩＤとセルインデックスを割り当てることができる。キャリア（ダウンリンクまたはアップリンク）は、１つのセルに属することができる。セルＩＤまたはセルインデックスはまた、セルのダウンリンクキャリアまたはアップリンクキャリアを識別することもできる（その状況に応じて、それは、使用される）。本開示では、セルＩＤは、同様に、キャリアＩＤと呼ばれることがあり、セルインデックスは、キャリアインデックスと呼ばれることがある。一実施形態では、物理セルＩＤまたはセルインデックスをセルに割り当てることができる。セルＩＤは、ダウンリンクキャリア上に伝送される同期信号を使用して判定することができる。セルインデックスは、ＲＲＣメッセージを使用して判定することができる。例えば、本開示が第１のダウンリンクキャリアに対する第１の物理セルＩＤに言及する場合、本開示は、第１の物理セルＩＤが、第１のダウンリンクキャリアを含むセルに対するものであることを意味し得る。同じ概念は、例えば、キャリア作動に当てはまり得る。本開示が第１のキャリアが作動されることを示す場合、本明細書は、第１のキャリアを含むセルが作動されることを同様に意味し得る。
【００１９】
基地局は、１つ以上のセルに対する複数の構成パラメータを含む１つ以上のメッセージ（例えば、ＲＲＣメッセージ）を無線デバイスに伝送することができる。１つ以上のセルは、少なくとも１つのプライマリセル、および少なくとも１つのセカンダリセルを含むことができる。一例において、ＲＲＣメッセージは、無線デバイスにブロードキャストまたはユニキャストすることができる。一例において、構成パラメータは、共通パラメータおよび専用パラメータを含むことができる。
【００２０】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバ（例えば、ＮＲモビリティ内またはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／レポート、無線リンク障害の検出および／もしくはそこからの回復、または、無線デバイスから／へのコアネットワークエンティティ（例えば、ＡＭＦ、モビリティ管理エンティティ（ＭＭＥ））へ／からのＮＡＳメッセージ転送、のうちの少なくとも１つをさらに含むことができる。
【００２１】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、パブリックランドモバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿Ｉｄｌｅ状態では、基地局（例えば、ＮＧ−ＲＡＮ）は、無線デバイスに対する５ＧＣ−ＮＧ−ＲＡＮ接続（Ｃ／Ｕ−プレーンの両方）を保持することができ、および／または無線デバイスに対するＵＥ  ＡＳコンテキストを保存することができる。無線デバイスのＲＲＣ＿Ｃｏｎｎｅｃｔｅｄ状態では、基地局（例えば、ＮＧ−ＲＡＮ）は、無線デバイスに対する５ＧＣ−ＮＧ−ＲＡＮ接続（Ｃ／Ｕ−プレーンの両方）の確立、無線デバイスに対するＵＥ  ＡＳコンテキストの保存、無線デバイスへの／からのユニキャストデータの伝送／受信、または、無線デバイスから受信された測定結果に基づくネットワーク制御されたモビリティ、のうちの少なくとも１つを実行することができる。無線デバイスのＲＲＣ＿Ｃｏｎｎｅｃｔｅｄ状態では、ＮＧ−ＲＡＮは、無線デバイスが属するセルを知ることができる。
【００２２】
システム情報（ＳＩ）は、最小ＳＩおよび他のＳＩに分割することができる。最小ＳＩは、周期的にブロードキャストすることができる。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の様式でブロードキャストまたは設定のいずれかを行うことができ、ネットワークまたは無線デバイスからの要求のいずれかによって、トリガすることができる。最小ＳＩは、異なるメッセージ（例えば、ＭａｓｔｅｒＩｎｆｏｒｍａｔｉｏｎＢｌｏｃｋおよびＳｙｓｔｅｍＩｎｆｏｒｍａｔｉｏｎＢｌｏｃｋＴｙｐｅ１）を使用して２つの異なるダウンリンクチャネルを介して伝送することができる。別のＳＩは、ＳｙｓｔｅｍＩｎｆｏｒｍａｔｉｏｎＢｌｏｃｋＴｙｐｅ２を介して伝送することができる。ＲＲＣ＿Ｃｏｎｎｅｃｔｅｄ状態にある無線デバイスの場合、専用ＲＲＣシグナリングは、他のＳＩの要求および送達の場合に用いることができる。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００２３】
無線デバイスは、静的であり得る、その無線アクセス能力情報をレポートすることができる。基地局は、無線デバイスが帯域情報に基づいてレポートする能力がどれほどかについて要求することができる。ネットワークによって許可される場合、一時的な能力制限要求を無線デバイスによって送信して、（例えば、ハードウェアの共有、干渉、またはオーバーヒートのため）いくつかの能力の可用性が制限されていることを基地局に知らせることができる。基地局は、その要求を確認または拒否することができる。一時的な能力制限は、５ＧＣに対してトランスペアレントであり得る（例えば、静的能力は、５ＧＣにおいて保存され得る）。
【００２４】
ＣＡが構成されている場合、無線デバイスは、ネットワークとのＲＲＣ接続を有することができる。ＲＲＣ接続確立／再確立／ハンドオーバプロシージャでは、１つのサービングセルが、ＮＡＳモビリティ情報を提供することができ、ＲＲＣ接続再確立／ハンドオーバでは、１つのサービングセルが、セキュリティ入力を提供することができる。このセルは、ＰＣｅｌｌと呼ばれることがある。無線デバイスの能力に応じて、ＳＣｅｌｌは、ＰＣｅｌｌと一緒にサービングセルのセットを形成するように構成することができる。無線デバイスのために構成されたサービングセルのセットは、１つのＰＣｅｌｌ、および１つ以上のＳＣｅｌｌを含むことができる。
【００２５】
ＳＣｅｌｌの再構成、追加、および削除は、ＲＲＣによって実行することができる。ＮＲ内ハンドオーバにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを用いて、ＳＣｅｌｌのすべての必要なシステム情報を送信することができ、すなわち、接続モードにある間は、無線デバイスは、ブロードキャストされたシステム情報を、ＳＣｅｌｌから直接取得する必要がない場合がある。
【００２６】
ＲＲＣ接続再構成プロシージャの目的は、ＲＲＣ接続を変更すること、（例えば、ＲＢを確立、変更、および／または解放すること、ハンドオーバを実行すること、測定を設定、変更、および／または解放すること、ＳＣｅｌｌおよびセルグループを追加、変更、および／または解放すること）であり得る。ＲＲＣ接続再構成プロシージャの一部として、ＮＡＳ専用情報を、ネットワークから無線デバイスに転送することができる。ＲＲＣＣｏｎｎｅｃｔｉｏｎＲｅｃｏｎｆｉｇｕｒａｔｉｏｎメッセージは、ＲＲＣ接続を変更するためのコマンドであり得る。それは、任意の関連付けられた専用ＮＡＳ情報およびセキュリティ構成を含む測定構成、モビリティ制御、無線リソース構成（例えば、ＲＢ、ＭＡＣの主要な構成および物理チャネル構成）のための情報を伝達することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＲｅｌｅａｓｅＬｉｓｔを含む場合、無線デバイスは、ＳＣｅｌｌ解放を実行することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＡｄｄＭｏｄＬｉｓｔを含む場合、無線デバイスは、ＳＣｅｌｌ追加または変更を実行することができる。
【００２７】
ＲＲＣ接続確立（または再確立、再開）プロシージャとは、ＲＲＣ接続を確立（または再確立、再開）することであり得、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００２８】
測定レポートプロシージャとは、無線デバイスからＮＧ−ＲＡＮに測定結果を転送することであり得る。無線デバイスは、正常なセキュリティ作動の後に測定レポートプロシージャを開始することができる。測定レポートメッセージを用いて、測定結果を伝送することができる。
【００２９】
無線デバイス１１０は、少なくとも１つの通信インターフェース３１０（例えば、無線モデム、アンテナ、および／または同様のもの）と、少なくとも１つのプロセッサ３１４と、非一過性メモリ３１５内に格納され、かつ少なくとも１つのプロセッサ３１４により実行可能なプログラムコード命令３１６の少なくとも１つのセットと、を備えることができる。この無線デバイス１１０は、少なくとも１つのスピーカ／マイクロフォン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９、のうちの少なくとも１つをさらに備えることができる。
【００３０】
無線デバイス１１０のプロセッサ３１４、基地局１、１２０Ａのプロセッサ３２１Ａ、および／または基地局２、１２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを備えることができる。無線デバイス１１０のプロセッサ３１４、基地局１、１２０Ａ内のプロセッサ３２１Ａ、および／もしくは基地局２、１２０Ｂ内のプロセッサ３２１Ｂは、信号符号化／処理、データ処理、パワー制御、入力／出力処理、ならびに／または、無線デバイス１１０、基地局１、１２０Ａ、および／もしくは基地局２、１２０Ｂを無線環境で動作させることができる任意の他の機能性、のうちの少なくとも１つを実行することができる。
【００３１】
無線デバイス１１０のプロセッサ３１４は、スピーカ／マイクロフォン３１１、キーパッド３１２、および／またはディスプレイ／タッチパッド３１３に接続することができる。プロセッサ３１４は、スピーカ／マイクロフォン３１１、キーパッド３１２および／もしくはディスプレイ／タッチパッド３１３からユーザ入力データを受信し、ならびに／またはユーザ出力データをこれらに提供することができる。無線デバイス１１０内のプロセッサ３１４は、電源３１７からパワーを受信することができ、および／またはそのパワーを無線デバイス１１０内の他のコンポーネントに分配するように構成することができる。電源３１７は、１つ以上の乾電池、太陽電池、燃料電池、および同様のもの、のうちの少なくとも１つを備えることができる。プロセッサ３１４は、ＧＰＳチップセット３１８に接続することができる。ＧＰＳチップセット３１８は、無線デバイス１１０の地理学的位置情報を提供するように構成することができる。
【００３２】
無線デバイス１１０のプロセッサ３１４は、他の周辺装置３１９にさらに接続することができ、その周辺装置は、追加の特徴および／または機能性を提供する１つ以上のソフトウェアおよび／またはハードウェアモジュールを備えることができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレーヤー、インターネットブラウザ、および同様のもの、のうちの少なくとも１つを備えることができる。
【００３３】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成することができる。一例において、基地局１、１２０Ａの通信インターフェース３２０Ａは、基地局２の通信インターフェース３２０Ｂ、ならびに他のＲＡＮおよびコアネットワークノードと通信することができる。
【００３４】
無線リンク３３０Ａおよび／または無線リンク３３０Ｂは、双方向リンクおよび／または方向性リンクのうちの少なくとも１つを含むことができる。無線デバイス１１０の通信インターフェース３１０は、基地局１、１２０Ａの通信インターフェース３２０Ａと、および／または基地局２、１２０Ｂの通信インターフェース３２０Ｂと通信するように構成することができる。基地局１、１２０Ａおよび無線デバイス１１０、ならびに／または、基地局２、１２０Ｂおよび無線デバイス１１０は、それぞれ、無線リンク３３０Ａを介して、および／または無線リンク３３０Ｂを介して、トランスポートブロックを送信および受信するように構成することができる。無線リンク３３０Ａおよび／または無線リンク３３０Ｂは、少なくとも１つの周波数キャリアを用いることができる。実施形態のいくつかの様々な態様によれば、送受信機（複数可）を用いることができる。送受信機は、送信機および受信機の両方を含むデバイスであり得る。送受信機は、無線デバイス、基地局、中継ノード、および／または同等物などのデバイス内で用いることができる。通信インターフェース３１０、３２０Ａ、３２０Ｂ、および無線リンク３３０Ａ、３３０Ｂにおいて実施される無線技術の例示的な実施形態が、図４Ａ、図４Ｂ、図４Ｃ、図４Ｄ、図６、図７Ａ、図７Ｂ、図８、および関連する文脈に例示されている。
【００３５】
一例において、無線ネットワーク内の他のノード（例えば、ＡＭＦ、ＵＰＦ、ＳＭＦなど）は、１つ以上の通信インターフェース、１つ以上のプロセッサ、および、命令を格納するメモリを備えることができる。
【００３６】
ノード（例えば、無線デバイス、基地局、ＡＭＦ、ＳＭＦ、ＵＰＦ、サーバ、スイッチ、アンテナ、および／またはその同様のもの）は、１つ以上のプロセッサと、１つ以上のプロセッサによって実行されたときに、そのノードに特定のプロセスおよび／または機能を実行させる命令を格納するメモリと、を含むことができる。例示的な実施形態は、単一キャリアおよび／またはマルチキャリア通信の動作を可能にすることができる。他の例示的な実施形態は、単一キャリアおよび／またはマルチキャリア通信の動作を生じさせるために、１つ以上のプロセッサにより実行可能な命令を含む、非一過性有形コンピュータ可読媒体を備えることができる。さらに他の例示的な実施形態は、非一過性有形コンピュータ可読機械アクセス可能媒体を含む製品を含むことができ、この媒体は、プログラム可能なハードウェアが、ノードに単一キャリアおよび／またはマルチキャリア通信の動作を可能にさせることを可能にするための、そこに符号化された命令を有する。ノードは、プロセッサ、メモリ、インターフェース、および／または同様のものを備えることができる。
【００３７】
インターフェースは、ハードウェアインターフェース、ファームウェアインターフェース、ソフトウェアインターフェース、のうちの少なくとも１つ、および／またはこれらの組み合わせを備えることができる。ハードウェアインターフェースは、コネクタ、ワイヤ、ドライバなどの電子デバイス、増幅器、および／または同様のものを備えることができる。ソフトウェアインターフェースは、プロトコル（複数可）、プロトコル層、通信ドライバ、デバイスドライバ、それらの組み合わせ、および／または同様のものを実装するようにメモリデバイス内に格納されたコードを含むことができる。ファームウェアインターフェースは、組み込み型ハードウェアと、メモリデバイス内に格納され、かつ／またはそれと通信するコードとの組み合わせを含み、接続、電子デバイス動作、プロトコル（複数可）、プロトコル層、通信ドライバ、デバイスドライバ、ハードウェア動作、これらの組み合わせ、および／または同様のものを実装することができる。
【００３８】
図４Ａ、図４Ｂ、図４Ｃ、および図４Ｄは、本開示の実施形態の一態様に基づく、アップリンクおよびダウンリンク信号伝送の場合の例示的な略図である。図４Ａは、少なくとも１つの物理チャネルの例示的なアップリンク送信機を示す。物理アップリンク共有チャネルを代表するベースバンド信号は、１つ以上の機能を実行することができる。この１つ以上の機能は、スクランブリング、複素数値シンボルを生成するためのスクランブルビットの変調、１つまたはいくつかの伝送層上への複素数値変調シンボルのマッピング、複素数値シンボルを生成するための変換プリコーディング、複素数値シンボルのプリコーディング、プリコーディングされた複素数値シンボルのリソース要素へのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが有効である場合は、アップリンク伝送のためのＳＣ−ＦＤＭＡ信号が生成され得る。一例において、変換プリコーディングが有効でない場合は、図４Ａによって、アップリンク伝送のためのＣＰ−ＯＦＤＭ信号が生成され得る。これらの機能は、例として例解されており、他のメカニズムが様々な実施形態において実装され得ることが想定される。
【００３９】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。伝送前にフィルタリングを用いることができる。
【００４０】
ダウンリンク伝送のための例示的構造が、図４Ｃに示されている。ダウンリンク物理チャネルを表すベースバンド信号は、１つ以上の機能を実行することができる。この１つ以上の機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上での伝送するための各層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含むことができる。これらの機能は、例として例解されており、他のメカニズムが様々な実施形態において実装され得ることが想定される。
【００４１】
一例において、ｇＮＢは、アンテナポート上の第１のシンボルおよび第２のシンボルを無線デバイスに伝送することができる。この無線デバイスは、アンテナポート上の第１のシンボルを伝達するためのチャネルから、アンテナポート上の第２のシンボルを伝達するためのチャネル（例えば、フェージング利得、マルチパス遅延など）を推測することができる。一例において、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置されることができる。１つ以上の大規模な特性は、遅延拡散、ドップラー拡散、ドップラーシフト、平均利得、平均遅延、および／または空間受信（Ｒｘ）パラメータのうちの少なくとも１つを含むことができる。
【００４２】
アンテナポートの複素数値ＯＦＤＭベースバンド信号のキャリア周波数に対する例示的な変調およびアップコンバージョンが、図４Ｄに示されている。伝送前にフィルタリングを用いることができる。
【００４３】
図５Ａは、例示的なアップリンクチャネルマッピングおよび例示的なアップリンク物理信号の略図である。図５Ｂは、例示的なダウンリンクチャネルマッピングおよびダウンリンク物理信号の略図である。一例において、物理層は、１つ以上の情報転送サービスを、ＭＡＣおよび／または１つ以上の上位層に提供することができる。例えば、物理層は、１つ以上のトランスポートチャネルを介して１つ以上の情報転送サービスをＭＡＣに提供することができる。情報転送サービスは、特性データが無線インターフェースにわたってどのように、また何と一緒に転送されるかを示すことができる。
【００４４】
例示的な実施形態において、無線ネットワークは、１つ以上のダウンリンクおよび／またはアップリンクトランスポートチャネルを含むことができる。例えば、図５Ａの略図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの略図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングすることができる。例えば、ＵＬ−ＳＣＨ５０１は、物理アップリンク共有チャネル（ＰＵＳＣＨ）５０３にマッピングすることができる。ＲＡＣＨ５０２は、ＰＲＡＣＨ５０５にマッピングすることができる。ＤＬ−ＳＣＨ５１１およびＰＣＨ５１２は、物理ダウンリンク共有チャネル（ＰＤＳＣＨ）５１４にマッピングすることができる。ＢＣＨ５１３は、物理ブロードキャストチャネル（ＰＢＣＨ）５１６にマッピングすることができる。
【００４５】
対応するトランスポートチャネルを有さない１つ以上の物理チャネルが存在する場合がある。この１つ以上の物理チャネルは、アップリンク制御情報（ＵＣＩ）５０９および／またはダウンリンク制御情報（ＤＣＩ）５１７に対して用いることができる。例えば、物理アップリンク制御チャネル（ＰＵＣＣＨ）５０４は、ＵＥから基地局にＵＣＩ５０９を搬送することができる。例えば、物理ダウンリンク制御チャネル（ＰＤＣＣＨ）５１５は、基地局からＵＥにＤＣＩ５１７を搬送することができる。ＮＲは、ＵＣＩ５０９およびＰＵＳＣＨ５０３伝送がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリング許可のうちの少なくとも１つを示すことができる。
【００４６】
アップリンクでは、ＵＥは、１つ以上の基準信号（ＲＳ）を基地局に伝送することができる。例えば、１つ以上のＲＳは、復調−ＲＳ（ＤＭ−ＲＳ）５０６、位相トラッキング−ＲＳ（ＰＴ−ＲＳ）５０７、および／またはサウンディングＲＳ（ＳＲＳ）５０８のうちの少なくとも１つであり得る。ダウンリンクでは、基地局は、１つ以上のＲＳをＵＥに伝送（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとすることができる。
【００４７】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に伝送することができる。例えば、ＵＥは、ＰＵＳＣＨ５０３および／またはＰＵＣＣＨ５０４を用いて少なくとも１つのアップリンクＤＭ−ＲＳ５０６を基地局に伝送することができ、少なくとも１つのアップリンクＤＭ−ＲＳ５０６は、対応する物理チャネルと同じ周波数範囲に及ぶことがある。一例において、基地局は、１つ以上のアップリンクＤＭ−ＲＳ構成を有するＵＥを構成することができる。少なくとも１つのＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングすることができる。１つ以上の追加のアップリンクＤＭ−ＲＳは、ＰＵＳＣＨおよび／またはＰＵＣＣＨの１つ以上のシンボルで伝送するように構成することができる。基地局は、ＰＵＳＣＨおよび／またはＰＵＣＣＨのための先行ＤＭ−ＲＳシンボルの最大数を用いてＵＥを準統計学的に構成することができる。例えば、ＵＥは、先行ＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新しい無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００４８】
一例において、アップリンクＰＴ−ＲＳ５０７が存在するか否かは、ＲＲＣ構成に依存し得る。例えば、アップリンクＰＴ−ＲＳの存在は、ＵＥ固有に構成することができる。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調およびコーディング方式（ＭＣＳ））のために用いられる１つ以上のパラメータとの関連付けの組み合わせによってＵＥ固有に構成することができる。アップリンクＰＴ−ＲＳ５０７の動的存在は、それが構成される場合、少なくともＭＣＳを含む１つ以上のＤＣＩパラメータと関連付けることができる。無線ネットワークは、時間／周波数領域で画定される複数のアップリンクＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、アップリンクＰＴ−ＲＳ５０７は、ＵＥのためのスケジュールされた時間／周波数持続時間内に制限される場合がある。
【００４９】
一例において、ＵＥは、アップリンクチャネル依存スケジューリングおよび／またはリンク適応をサポートするチャネル状態推定のために、基地局に、ＳＲＳ５０８を伝送することができる。例えば、ＵＥによって伝送されたＳＲＳ５０８は、基地局が１つ以上の異なる周波数におけるアップリンクチャネル状態を推定することを可能にすることができる。基地局スケジューラは、アップリンクチャネル状態を用いて、ＵＥからアップリンクＰＵＳＣＨ伝送のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、上位層（例えば、ＲＲＣ）のパラメータによって構成されることができる。例えば、上位層パラメータがビーム管理を示す場合、１つ以上のＳＲＳリソースセットの各々の中のＳＲＳリソースを一度に伝送することができる。ＵＥは、異なるＳＲＳリソースセット内に１つ以上のＳＲＳリソースを同時に伝送することができる。新しい無線ネットワークは、非周期的、周期的、かつ／または半永続的なＳＲＳ伝送をサポートすることができる。ＵＥは、１つ以上のトリガタイプに基づいてＳＲＳリソースを伝送することができ、その１つ以上のトリガタイプは、上位層シグナリング（例えば、ＲＲＣ）、および／または１つ以上のＤＣＩフォーマット（例えば、少なくとも１つのＤＣＩフォーマットを用いて、ＵＥが、１つ以上の構成されたＳＲＳリソースセットのうちの少なくとも１つを選択することができる）を含むことができる。ＳＲＳトリガタイプ０は、上位層のシグナリングに基づいてトリガされたＳＲＳを指し得る。ＳＲＳトリガタイプ１は、１つ以上のＤＣＩフォーマットに基づいてトリガされたＳＲＳを指し得る。一例において、ＰＵＳＣＨ５０３およびＳＲＳ５０８が同じスロットで伝送される場合、ＵＥは、ＰＵＳＣＨ５０３および対応するアップリンクＤＭ−ＲＳ５０６の伝送後にＳＲＳ５０８を伝送するように構成されることができる。
【００５０】
一例において、基地局は、以下のうちの少なくとも１つを示す１つ以上のＳＲＳ構成パラメータを用いてＵＥを準統計学的に構成することができ、それらの構成パラメータは、ＳＲＳリソース構成識別子、ＳＲＳポート数、ＳＲＳリソース構成の時間領域挙動（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤである。
【００５１】
一例において、ある時間領域では、ＳＳ／ＰＢＣＨブロックは、ＳＳ／ＰＢＣＨブロック内に１つ以上のＯＦＤＭシンボル（例えば、０〜３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０〜２３９まで増加順で番号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有し得る。例えば、ＰＢＣＨ５１６は、３個のＯＦＤＭシンボル、および２４０個のサブキャリアにまたがり得る。ＵＥは、同じブロックインデックスを用いて伝送された１つ以上のＳＳ／ＰＢＣＨブロックが、例えば、ドップラー拡散、ドップラーシフト、平均利得、平均遅延、および空間Ｒｘパラメータに関して、おおよそ同じ位置に配置され得ることを想定することができる。ＵＥは、他のＳＳ／ＰＢＣＨブロック伝送の場合、おおよそ同じ位置の配置を想定することはできない。ＳＳ／ＰＢＣＨブロックの周期性は、無線ネットワーク（例えば、ＲＲＣシグナリングによる）によって構成されることができ、ＳＳ／ＰＢＣＨブロックを送信することができる１つ以上の時間場所は、サブキャリア間隔によって決定されることができる。一例において、無線ネットワークが、異なるサブキャリア間隔を想定するようにＵＥを構成しない限り、ＵＥは、ＳＳ／ＰＢＣＨブロックの帯域固有のサブキャリア間隔を想定することができる。
【００５２】
一例において、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な伝送をサポートすることができる。例えば、基地局は、ダウンリンクＣＳＩ−ＲＳ５２２の周期的伝送を用いてＵＥを準統計学的に構成および／または再構成することができる。構成されたＣＳＩ−ＲＳリソースは、作動および／または停止させることができる。半永続的な伝送の場合、ＣＳＩ−ＲＳリソースの作動および／または停止は、動的にトリガすることができる。一例において、ＣＳＩ−ＲＳ構成は、少なくともアンテナポート数を示す１つ以上のパラメータを含むことができる。例えば、基地局は、３２個のポートを有するＵＥを構成することができる。基地局は、１つ以上のＣＳＩ−ＲＳリソースセットを有するＵＥを準統計学的に構成することができる。１つ以上のＣＳＩ−ＲＳリソースを、１つ以上のＣＳＩ−ＲＳリソースセットから１つ以上のＵＥに割り当てることができる。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例において、ダウンリンクＣＳＩ−ＲＳ５２２およびコアセットが空間的におおよそ同じ場所に配置されている場合、ＵＥは、ダウンリンクＣＳＩ−ＲＳ５２２および制御リソースセット（コアセット）に対して同じＯＦＤＭシンボルを用いるように構成されることができ、ダウンリンクＣＳＩ−ＲＳ５２２と関連付けられたリソース要素は、コアセットのために構成されたＰＲＢの外側にある。一例において、ダウンリンクＣＳＩ−ＲＳ５２２およびＳＳＢ／ＰＢＣＨが空間的におおよそ同じ場所に配置されている場合、ＵＥは、ダウンリンクＣＳＩ−ＲＳ５２２およびＳＳＢ／ＰＢＣＨに対して同じＯＦＤＭシンボルを用いるように構成されることができ、ダウンリンクＣＳＩ−ＲＳ５２２と関連付けられたリソース要素は、ＳＳＢ／ＰＢＣＨのために構成されたＰＲＢの外側にある。
【００５３】
一例において、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に伝送することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）の上にマッピングすることができる。基地局は、ＰＤＳＣＨ５１４のための先行ＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００５４】
一例において、ダウンリンクＰＴ−ＲＳ５２４が存在するか否かは、ＲＲＣ構成に依存し得る。例えば、ダウンリンクＰＴ−ＲＳ５２４の存在は、ＵＥ固有に構成することができる。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成することができる。ダウンリンクＰＴ−ＲＳ５２４の動的存在は、それが構成される場合、少なくともＭＣＳを含む１つ以上のＤＣＩパラメータと関連付けることができる。無線ネットワークは、時間／周波数領域において画定される複数のＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限する場合がある。
【００５５】
図６は、本開示の実施形態の態様に基づく、キャリアの例示的なフレーム構造を描いている略図である。マルチキャリアＯＦＤＭ通信システムでは、１つ以上のキャリアを含むことができ、例えば、キャリアアグリゲーションの場合には、１〜３２個のキャリアに、またはデュアル接続の場合には、１〜６４個のキャリアに及ぶ。異なる無線フレーム構造をサポートすることができる（例えば、ＦＤＤ方式の場合、およびＴＤＤ複信方式の場合）。図６は、例示的なフレーム構造を示す。ダウンリンクおよびアップリンク伝送は、無線フレーム６０１内に構成することができる。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割することができる。サブフレーム（複数可）は、サブキャリア間隔および／またはＣＰ長さに応じて、１つ以上のスロット（例えば、スロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割することができる。例えば、１０個のサブフレームは、ダウンリンク伝送に利用可能であり得、１０個のサブフレームは、１０ミリ秒の時間間隔でのアップリンク伝送に利用可能であり得る。アップリンクおよびダウンリンク伝送は、周波数領域内で分離することができる。スロット（複数可）は、複数のＯＦＤＭシンボル６０４を含むことができる。スロット６０５内のＯＦＤＭシンボル６０４の数は、サイクリックプレフィックス長さに依存し得る。例えば、１つのスロットは、通常のＣＰを有する、最大４８０ｋＨｚの同じサブキャリア間隔で１４個のＯＦＤＭシンボルであり得る。１つのスロットは、拡張されたＣＰを有する、６０ｋＨｚの同じサブキャリア間隔で１２個のＯＦＤＭシンボルであり得る。１つのスロットは、ダウンリンク、アップリンク、または、ダウンリンク部およびアップリンク部、ならびに／または同様のものを含むことができる。
【００５６】
図７Ａは、本開示の実施形態の一態様に基づく、例示的なＯＦＤＭサブキャリアセットを描いている略図である。この例において、ｇＮＢは、例示的なチャネル帯域幅７００を有するキャリアを有する無線デバイスと通信することができる。略図内の矢印（複数可）は、マルチキャリアＯＦＤＭシステム内のサブキャリアを描き得る。ＯＦＤＭシステムは、ＯＦＤＭ技術、ＳＣ−ＦＤＭＡ技術、および／または同様のものなどの技術を使用することができる。一例において、矢印７０１は、情報シンボルを伝送するサブキャリアを示す。一例において、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚなどのうちの任意の１つであり得る。一例において、異なるサブキャリア間隔は、異なる伝送ヌメロロジに対応することができる。一例において、伝送ヌメロロジは、少なくともヌメロロジインデックス、サブキャリア間隔の値、サイクリックプレフィックス（ＣＰ）のタイプを含むことができる。一例において、ｇＮＢは、キャリア内の多数のサブキャリア７０３上で、ＵＥへ伝送する／ＵＥから受信することができる。一例において、多数のサブキャリア７０３により占有される帯域幅（伝送帯域幅）は、保護帯域７０４および７０５に起因して、キャリアのチャネル帯域幅７００よりも小さくてもよい。一例において、保護帯域７０４および７０５を使用して、１つ以上の近隣のキャリアへ／からの干渉を低減することができる。キャリア内のサブキャリア（伝送帯域幅）の数は、キャリアのチャネル帯域幅、およびサブキャリア間隔に依存し得る。例えば、２０ＭＨｚチャネル帯域幅および１５ＫＨｚサブキャリア間隔を有するキャリアの場合、伝送帯域幅は、１０２４個のサブキャリア数となり得る。
【００５７】
一例において、ｇＮＢおよび無線デバイスは、ＣＡを用いて構成されると、複数のＣＣと通信することができる。一例において、異なるコンポーネントキャリアは、ＣＡがサポートされている場合、異なる帯域幅および／またはサブキャリア間隔を有することができる。一例において、ｇＮＢは、第１のコンポーネントキャリア上のＵＥに第１のタイプのサービスを伝送することができる。ｇＮＢは、第２のコンポーネントキャリア上のＵＥに第２のタイプのサービスを伝送することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した伝送に好適となり得る。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システムのキャリアは、連続キャリア、非連続キャリア、または連続キャリアと非連続キャリアの両方の組み合わせであってもよい。
【００５８】
図８は、本開示の実施形態の一態様に基づく、ＯＦＤＭ無線リソースを描いている略図である。一例において、キャリアは、伝送帯域幅８０１を有することができる。一例において、リソースグリッドは、周波数領域８０２および時間領域８０３の構造内にあり得る。一例において、リソースグリッドは、サブフレーム内の第１の数のＯＦＤＭシンボル、および第２の数のリソースブロックを含むことができ、伝送ヌメロロジおよびキャリアのために、上位層シグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソース要素８０５であり得る。一例において、サブフレームは、キャリアと関連付けられたヌメロロジに応じて第１の数のＯＦＤＭシンボル８０７を含むことができる。例えば、キャリアのヌメロロジのサブキャリア間隔が１５ＫＨｚである場合、サブフレームは、キャリアに対して１４個のＯＦＤＭシンボルを有することができる。ヌメロロジのサブキャリア間隔が３０ＫＨｚである場合、サブフレームは、２８個のＯＦＤＭシンボルを有することができる。ヌメロロジのサブキャリア間隔が６０ＫＨｚである場合、サブフレームは、５６個のＯＦＤＭシンボルなどを有することができる。一例において、キャリアのリソースグリッド内に含まれる第２の数のリソースブロックは、キャリアの帯域幅およびヌメロロジに依存し得る。
【００５９】
図８に示すように、リソースブロック８０６は、１２個のサブキャリアを含むことができる。一例において、複数のリソースブロックは、リソースブロックグループ（ＲＢＧ）８０４にグループ化することができる。一例において、ＲＢＧのサイズは、ＲＢＧサイズ構成を示すＲＲＣメッセージ、キャリア帯域幅のサイズ、またはキャリアの帯域幅部のうちの少なくとも１つに依存し得る。一例において、キャリアは、複数の帯域幅部を含むことができる。キャリアの第１の帯域幅部は、キャリアの第２の帯域幅部とは異なる周波数位置および／または帯域幅を有することができる。
【００６０】
一例において、ｇＮＢは、ダウンリンクまたはアップリンクリソースブロック割り当てを含むダウンリンク制御情報を無線デバイスに伝送することができる。基地局は、ダウンリンク制御情報および／またはＲＲＣメッセージ（複数可）内のパラメータに従って、１つ以上のリソースブロックおよび１つ以上のスロットを介して、スケジュールおよび伝送されたデータパケット（例えば、トランスポートブロック）を、無線デバイスに伝送し、または無線デバイスから受信することができる。一例では、１つ以上のスロットの第１のスロットに対する開始シンボルを無線デバイスに示すことができる。一例において、ｇＮＢは、１つ以上のＲＢＧおよび１つ以上のスロットにスケジュールされたデータパケットを、無線デバイスに伝送し、または無線デバイスから受信することができる。
【００６１】
一例において、ｇＮＢは、１つ以上のＰＤＣＣＨを介して無線デバイスにダウンリンク割り当てを含むダウンリンク制御情報を伝送することができる。ダウンリンク割り当ては、少なくとも変調およびコーディングフォーマットを示すパラメータ、リソース割り当て、および／または、ＤＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【００６２】
一例において、ｇＮＢは、無線デバイスへのダウンリンク伝送のための構成スケジューリング（ＣＳ）リソースを割り当てることができる。ｇＮＢは、ＣＳ許可の周期性を示す１つ以上のＲＲＣメッセージを伝送することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを伝送することができる。ＤＣＩは、ダウンリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６３】
一例において、ｇＮＢは、１つ以上のＰＤＣＣＨを介して無線デバイスにアップリンク許可を含むダウンリンク制御情報を伝送することができる。アップリンク許可は、少なくとも変調およびコーディングフォーマットを示すパラメータ、リソース割り当て、および／または、ＵＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のＣ−ＲＮＴＩを介して無線デバイスにリソースを動的に割り当てることができる。無線デバイスは、可能なリソース割り当てを見出すために、１つ以上のＰＤＣＣＨをモニタすることができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを伝送することができる。
【００６４】
一例において、ｇＮＢは、無線デバイスへのアップリンクデータ伝送のためのＣＳリソースを割り当てることができる。ｇＮＢは、ＣＳ許可の周期性を示す１つ以上のＲＲＣメッセージを伝送することができる。ｇＮＢは、ＣＳリソースを作動させるＣＳ−ＲＮＴＩにアドレス指定されたＰＤＣＣＨを介してＤＣＩを伝送することができる。ＤＣＩは、アップリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６５】
一例において、基地局は、ＰＤＣＣＨを介してＤＣＩ／制御シグナリングを伝送することができる。ＤＣＩは、複数のフォーマット中の１つのフォーマットを取ることができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ伝送／受信タイミング、ＨＡＲＱフィードバックタイミングなど）などを含むことができる。一例において、ＤＣＩは、１つ以上のトランスポートブロックのための伝送パラメータを含むアップリンク許可を示すことができる。一例において、ＤＣＩは、１つ以上のトランスポートブロックを受信するためのパラメータを示すダウンリンク割り当てを示すことができる。一例において、ＤＣＩは、基地局によって使用されて、無線デバイスにおいて競合なしランダムアクセスを開始することができる。一例において、基地局は、スロットフォーマットを通知するスロットフォーマットインジケータ（ＳＦＩ）を含むＤＣＩを伝送することができる。一例において、基地局は、ＰＲＢ（複数可）および／またはＯＦＤＭシンボル（複数可）を通知するプリエンプション表示を含むＤＣＩを伝送することができ、そこでは、ＵＥは、ＵＥのための伝送が意図されていないことを想定することができる。一例において、基地局は、ＰＵＣＣＨまたはＰＵＳＣＨまたはＳＲＳのグループパワー制御のためのＤＣＩを伝送することができる。一例において、ＤＣＩは、ＲＮＴＩに対応することができる。一例において、無線デバイスは、初期アクセス（例えば、Ｃ−ＲＮＴＩ）を完了することに応答してＲＮＴＩを取得することができる。一例において、基地局は、無線のためのＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例において、無線デバイスは、ＲＮＴＩを計算することができる（例えば、無線デバイスは、プリアンブルの伝送のために使用されるリソースに基づいて、ＲＡ−ＲＮＴＩを計算することができる）。一例において、ＲＮＴＩは、事前構成された値（例えば、Ｐ−ＲＮＴＩまたはＳＩ−ＲＮＴＩ）を有することができる。一例において、無線デバイスは、グループ共通探索空間をモニタすることができ、その空間は、基地局によって使用されてＵＥのグループのために意図されているＤＣＩを伝送する。一例において、グループ共通ＤＣＩは、ＵＥのグループのために共通して構成されているＲＮＴＩに対応することができる。一例において、無線デバイスは、ＵＥ固有の探索空間をモニタすることができる。一例において、ＵＥ固有のＤＣＩは、無線デバイスのために構成されたＲＮＴＩに対応することができる。
【００６６】
ＮＲシステムは、単一ビーム動作および／またはマルチビーム動作をサポートすることができる。マルチビーム動作において、基地局は、ダウンリンクビーム掃引を実行して、共通制御チャネルおよび／またはダウンリンクＳＳブロックのカバレッジを提供することができ、このカバレッジは、少なくともＰＳＳ、ＳＳＳ、および／またはＰＢＣＨを含むことができる。無線デバイスは、１つ以上のＲＳを使用して、ビームペアリンクの品質を測定することができる。１つ以上のＳＳブロック、またはＣＳＩ−ＲＳリソースインデックス（ＣＲＩ）と関連付けられた１つ以上のＣＳＩ−ＲＳリソース、またはＰＢＣＨの１つ以上のＤＭ−ＲＳを、ビームペアリンクの品質を測定するためのＲＳとして使用することができる。ビームペアリンクの品質は、基準信号受信パワー（ＲＳＲＰ）値、または基準信号受信品質（ＲＳＲＱ）値、および／またはＲＳリソース上で測定されたＣＳＩ値として定義することができる。基地局は、ビームペアリンクの品質を測定するために使用されるＲＳリソースが、制御チャネルのＤＭ−ＲＳとおおよそ同じ場所に配置されている（ＱＣＬｅｄ）かどうかを示すことができる。制御チャネルのＲＳリソースおよびＤＭ−ＲＳは、ＲＳ上の伝送から無線デバイスへの、および制御チャネル上の伝送から無線デバイスへのチャネル特性が、構成された基準の下で類似しているとき、または同じであるときに、ＱＣＬされたと呼ばれることがある。マルチビーム動作において、無線デバイスは、アップリンクビーム掃引を実行して、セルにアクセスすることができる。
【００６７】
一例において、無線デバイスは、無線デバイスの能力に応じて、１つ以上のビームペアリンク上のＰＤＣＣＨを同時にモニタするように構成されることができる。これは、ビームペアリンクのブロッキングに対するロバスト性を向上させることができる。基地局は、１つ以上のメッセージを伝送して、異なるＰＤＣＣＨ  ＯＦＤＭシンボルの１つ以上のビームペアリンク上のＰＤＣＣＨをモニタするように無線デバイスを構成することができる。例えば、基地局は、１つ以上のビームペアリンク上のＰＤＣＣＨをモニタするための無線デバイスのＲｘビーム設定に関するパラメータを含む、上位層シグナリング（例えば、ＲＲＣシグナリング）またはＭＡＣ  ＣＥを伝送することができる。基地局は、ＤＬ  ＲＳアンテナポート（複数可）（例えば、セル固有のＣＳＩ−ＲＳ、無線デバイス固有のＣＳＩ−ＲＳ、ＳＳブロック、またはＰＢＣＨのＤＭ−ＲＳを用いる、もしくは用いないＰＢＣＨ）と、ＤＬ制御チャネルの復調のためのＤＬ  ＲＳアンテナポート（複数可）との間で、空間的なＱＣＬ仮定の表示を伝送することができる。ＰＤＣＣＨのビーム表示のためのシグナリングは、ＭＡＣ  ＣＥシグナリング、またはＲＲＣシグナリング、またはＤＣＩシグナリング、または仕様透過的および／もしくは暗黙的方法、ならびにこれらのシグナリング方法の組み合わせであり得る。
【００６８】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を伝送することができる。この情報は、ＤＭ−ＲＳアンテナポート（複数可）を用いてＱＣＬされ得るＲＳアンテナポートを示すことができる。ＤＬデータチャネルのＤＭ−ＲＳアンテナポート（複数可）の異なるセットは、ＲＳアンテナポート（複数可）の異なるセットを用いてＱＣＬとして示すことができる。
【００６９】
図９Ａは、ＤＬチャネルにおけるビーム掃引の例である。ＲＲＣ＿ＩＮＡＣＴＩＶＥ状態またはＲＲＣ＿ＩＤＬＥ状態では、無線デバイスは、ＳＳブロックがＳＳバースト９４０およびＳＳバーストセット９５０を形成すると想定され得る。ＳＳバーストセット９５０は、所定の周期性を有し得る。例えば、マルチビーム動作では、基地局１２０は、一緒にＳＳバースト９４０を形成するＳＳブロックを複数のビームで伝送することができる。１つ以上のＳＳブロックが、１つのビーム上で伝送され得る。複数のＳＳバースト９４０が複数のビームで伝送される場合、ＳＳバーストは一緒にＳＳバーストセット９５０を形成することができる。
【００７０】
無線デバイスは、無線デバイスと基地局との間のリンクのビーム品質を推定するためのマルチビーム動作においてＣＳＩ−ＲＳをさらに使用することができる。ビームは、ＣＳＩ−ＲＳと関連付けることができる。例えば、無線デバイスは、ＣＳＩ−ＲＳ上でのＲＳＲＰ測定に基づいて、ダウンリンクビーム選択のＣＲＩで示され、ビームのＲＳＲＰ値と関連付けられるように、ビームインデックスをレポートすることができる。ＣＳＩ−ＲＳは、１つ以上のアンテナポートのうちの少なくとも１つ、１つ以上の時間無線リソースまたは周波数無線リソースを含むＣＳＩ−ＲＳリソース上で伝送され得る。ＣＳＩ−ＲＳリソースは、共通のＲＲＣシグナリングによるセル固有の方式で、または専用のＲＲＣシグナリングおよび／またはＬ１／Ｌ２シグナリングによる無線デバイス固有の方式で構成され得る。セルがカバーする複数の無線デバイスは、セル固有のＣＳＩ−ＲＳリソースを測定することができる。セルがカバーする無線デバイスの専用サブセットは、無線デバイス固有のＣＳＩ−ＲＳリソースを測定することができる。
【００７１】
ＣＳＩ−ＲＳリソースは、周期的に、または非周期的伝送を使用して、またはマルチショットまたは半永続的な伝送を使用して、伝送され得る。例えば、図９Ａの周期的な伝送では、基地局１２０は、時間領域で構成された周期性を使用して、構成されたＣＳＩ−ＲＳリソース９４０を周期的に伝送することができる。非周期的伝送では、構成されたＣＳＩ−ＲＳリソースは、専用タイムスロットで伝送され得る。マルチショットまたは半永続的な伝送では、構成されたＣＳＩ−ＲＳリソースは、構成された期間内に伝送され得る。ＣＳＩ−ＲＳ伝送に使用されるビームは、ＳＳブロック伝送に使用されるビームとは異なるビーム幅を有することができる。
【００７２】
図９Ｂは、例示的な新無線ネットワークにおけるビーム管理プロシージャの例である。基地局１２０および／または無線デバイス１１０は、ダウンリンクＬ１／Ｌ２ビーム管理プロシージャを実行することができる。以下のダウンリンクＬ１／Ｌ２ビーム管理プロシージャのうちの１つ以上は、１つ以上の無線デバイス１１０および１つ以上の基地局１２０内で実行され得る。一例において、Ｐ−１プロシージャ９１０を使用して、無線デバイス１１０が基地局１２０と関連付けられた１つ以上の伝送（Ｔｘ）ビームを測定して、基地局１２０と関連付けられた第１のセットのＴｘビームと、無線デバイス１１０と関連付けられた第１のセットのＲｘビーム（複数可）と、の選択をサポートできるようにすることができる。基地局１２０でのビームフォーミングのために、基地局１２０は、異なるＴＸビームのセットを掃引することができる。無線デバイス１１０でのビームフォーミングの場合、無線デバイス１１０は、異なるＲｘビームのセットを掃引することができる。一例において、Ｐ−２プロシージャ９２０を使用して、無線デバイス１１０が基地局１２０と関連付けられた１つ以上のＴｘビームを測定して、場合によっては、基地局１２０と関連付けられた第１のセットのＴｘビームを変更できるようにすることができる。Ｐ−２プロシージャ９２０は、Ｐ−１プロシージャ９１０におけるものとは異なり、場合によっては、ビーム改良のためにより小さいビームのセットに対して実行されてもよい。Ｐ−２プロシージャ９２０は、Ｐ−１プロシージャ９１０の特別な場合であり得る。一例において、Ｐ−３プロシージャ９３０を使用して、無線デバイス１１０が基地局１２０と関連付けられた少なくとも１つのＴｘビームを測定して、無線デバイス１１０と関連付けられた第１のセットのＲｘビームを変更できるようにすることができる。
【００７３】
無線デバイス１１０は、１つ以上のビーム管理レポートを基地局１２０に伝送することができる。１つ以上のビーム管理レポートでは、無線デバイス１１０は、少なくとも１つ以上のビーム識別、ＲＳＲＰ、構成されたビームのサブセットのプリコーディング行列インジケータ（ＰＭＩ）／チャネル品質インジケータ（ＣＱＩ）／ランクインジケータ（ＲＩ）を含むいくつかのビームペア品質パラメータを示すことができる。１つ以上のビーム管理レポートに基づいて、基地局１２０は、１つ以上のビームペアリンクが１つ以上のサービングビームであることを示す信号を無線デバイス１１０に伝送することができる。基地局１２０は、１つ以上のサービングビームを使用して無線デバイス１１０のＰＤＣＣＨおよびＰＤＳＣＨを伝送することができる。
【００７４】
例示的な実施形態において、新無線ネットワークは、帯域幅適応（ＢＡ）をサポートすることができる。一例において、ＢＡを用いるＵＥによって構成された受信および／または送信帯域幅は、大きくなくてもよい。例えば、受信および／または送信帯域幅は、セルの帯域幅ほど大きくなくてもよい。受信および／または送信帯域幅は、調節可能であってもよい。例えば、ＵＥは、受信および／または送信帯域幅を変化させて、例えば、活動が少ない期間中には減らして節電することができる。例えば、ＵＥは、周波数領域内の受信および／または送信帯域幅の位置を変化させ得、例えば、スケジューリングのフレキシブル性を高めることができる。例えば、ＵＥは、サブキャリア間隔を変化させて、例えば、異なるサービスを可能にすることができる。
【００７５】
例示的な実施形態において、セルの全セル帯域幅のサブセットは、帯域幅部（ＢＷＰ）と呼ばれることがある。基地局は、１つ以上のＢＷＰを用いてＵＥを構成してＢＡを達成することができる。例えば、基地局は、ＵＥに対して、１つ以上の（構成された）ＢＷＰのうちのどれがアクティブＢＷＰであるかを示すことができる。
【００７６】
図１０は、４０ＭＨｚの幅および１５ｋＨｚのサブキャリア間隔を有するＢＷＰ１（１０１０および１０５０）、１０ＭＨｚの幅および１５ｋＨｚのサブキャリア間隔を有するＢＷＰ２（１０２０および１０４０）、２０ＭＨｚの幅および６０ｋＨｚのサブキャリア間隔を有するＢＷＰ３  １０３０、で構成された３つのＢＷＰの例示的な略図である。
【００７７】
一例において、ＵＥは、１個のセルの１つ以上のＢＷＰ内で動作するように構成され、１個のセルにつき１つ以上の上位層（例えば、ＲＲＣ層）、１個のセルにつき少なくとも１つのパラメータＤＬ−ＢＷＰによるＤＬ帯域幅内の、ＵＥ（ＤＬ  ＢＷＰセット）による受信のための１つ以上のＢＷＰ（例えば、最大４つのＢＷＰ）のセット、および、１個のセルにつき少なくとも１つのパラメータＵＬ−ＢＷＰによるＵＬ帯域幅内の、ＵＥ（ＵＬ  ＢＷＰセット）による受信のための１つ以上のＢＷＰ（例えば、最大４つのＢＷＰ）のセット、によって構成され得る。
【００７８】
ＰＣｅｌｌでのＢＡを可能にするため、基地局は、１つ以上のＵＬおよびＤＬ  ＢＷＰペアを用いてＵＥを構成することができる。ＳＣｅｌｌ（例えば、ＣＡの場合）でのＢＡを可能にするため、基地局は、少なくとも１つ以上のＤＬ  ＢＷＰを用いてＵＥを構成することができる（例えば、ＵＬには、何もない場合がある）。
【００７９】
一例において、初期アクティブＤＬ  ＢＷＰは、少なくとも１つの共通探索空間のための制御リソースセットに対して、連続ＰＲＢの位置および数、サブキャリア間隔、またはサイクリックプレフィックスのうちの少なくとも１つによって定義され得る。ＰＣｅｌｌでの動作のために、１つ以上の上位層パラメータは、ランダムアクセスプロシージャのための少なくとも１つの初期ＵＬ  ＢＷＰを示すことができる。ＵＥがプライマリセルでのセカンダリキャリアを用いて構成される場合、ＵＥは、セカンダリキャリアでのランダムアクセスプロシージャのための初期ＢＷＰを用いて構成され得る。
【００８０】
一例において、ペアになっていないスペクトル動作の場合、ＵＥは、ＤＬ  ＢＷＰの場合の中心周波数がＵＬ  ＢＷＰの場合の中心周波数と同じであり得ることを予期し得る。
【００８１】
例えば、１つ以上のＤＬ  ＢＷＰまたは１つ以上のＵＬ  ＢＷＰのセット内の、それぞれのＤＬ  ＢＷＰまたはＵＬ  ＢＷＰの場合、基地局は、以下のうちの少なくとも１つを示す１つ以上のパラメータを用いてセルのためのＵＥを準統計学的に構成することができ、それらのパラメータは、サブキャリア間隔、サイクリックプレフィックス、連続ＰＲＢの数、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからの、ＤＬ  ＢＷＰとＵＬ  ＢＷＰとの間のリンク、ＰＤＳＣＨ受信タイミングに対するＤＣＩ検出、ＨＡＲＱ−ＡＣＫ送信タイミング値に対するＰＤＳＣＨ受信、ＰＵＳＣＨ送信タイミング値に対するＤＣＩ検出、帯域幅の第１のＰＲＢに対する、それぞれ、ＤＬ帯域幅またはＵＬ帯域幅の第１のＰＲＢのオフセットである。
【００８２】
一例において、ＰＣｅｌｌでの１つ以上のＤＬ  ＢＷＰのセット内のＤＬ  ＢＷＰの場合、基地局は、共通探索空間および／または１つのＵＥ固有の探索空間のうちの少なくとも１つのタイプに対する１つ以上の制御リソースセットを用いてＵＥを構成することができる。例えば、基地局は、アクティブＤＬ  ＢＷＰにおいて、ＰＣｅｌｌ上の共通探索空間なしで、またはＰＳＣｅｌｌ上で、ＵＥを構成することはできない。
【００８３】
１つ以上のＵＬ  ＢＷＰのセット内にＵＬ  ＢＷＰがある場合、基地局は、１つ以上のＰＵＣＣＨ送信に対する１つ以上のリソースセットを用いてＵＥを構成することができる。
【００８４】
一例において、ＤＣＩがＢＷＰインジケータフィールドを含む場合、ＢＷＰインジケータフィールド値は、１つ以上のＤＬ受信に対して構成されたＤＬ  ＢＷＰセットからのアクティブＤＬ  ＢＷＰを示すことができる。ＤＣＩがＢＷＰインジケータフィールドを含む場合、ＢＷＰインジケータフィールド値は、１つ以上のＵＬ送信に対して構成されたＵＬ  ＢＷＰセットからのアクティブＵＬ  ＢＷＰを示すことができる。
【００８５】
一例において、ＰＣｅｌｌの場合、基地局は、構成されたＤＬ  ＢＷＰ間のデフォルトＤＬ  ＢＷＰを用いてＵＥを準統計学的に構成することができる。ＵＥがデフォルトＤＬ  ＢＷＰを提供されない場合、デフォルトＢＷＰは、初期アクティブＤＬ  ＢＷＰとなり得る。
【００８６】
一例において、基地局は、ＰＣｅｌｌのタイマ値を用いてＵＥを構成することができる。例えば、ＵＥが、ペアになっているスペクトル動作に対して、デフォルトＤＬ  ＢＷＰ以外のアクティブＤＬ  ＢＷＰを示すＤＣＩを検出した場合、または、ＵＥが、ペアになっていないスペクトル動作に対して、デフォルトＤＬ  ＢＷＰまたはＵＬ  ＢＷＰ以外のアクティブＤＬ  ＢＷＰまたはＵＬ  ＢＷＰを示すＤＣＩを検出した場合、ＵＥは、ＢＷＰ停止タイマと呼ばれるタイマを開始することができる。ＵＥが、ペアになっているスペクトル動作またはペアになっていないスペクトル動作に対しての期間中にＤＣＩを検出しない場合、ＵＥは、第１の値の期間（例えば、第１の値が１ミリ秒または０．５ミリ秒であり得る）までタイマをインクリメントすることができる。一例において、タイマは、タイマがそのタイマ値に等しくなったときに、満了し得る。ＵＥは、タイマが満了したときに、アクティブＤＬ  ＢＷＰからデフォルトＤＬ  ＢＷＰに切り替えることができる。
【００８７】
一例において、基地局は、１つ以上のＢＷＰを用いてＵＥを準統計学的に構成することができる。ＵＥは、第２のＢＷＰをアクティブＢＷＰとして示すＤＣＩを受信することに応答して、および／または、ＢＷＰ停止タイマの満了（例えば、第２のＢＷＰがデフォルトＢＷＰとなり得ること）に応答して、第１のＢＷＰから第２のＢＷＰにアクティブＢＷＰを切り替えることができる。例えば、図１０は、ＢＷＰ１（１０１０および１０５０）、ＢＷＰ２（１０２０および１０４０）、およびＢＷＰ３（１０３０）の、構成された３つのＢＷＰの例示的な略図である。ＢＷＰ２（１０２０および１０４０）は、デフォルトＢＷＰであってもよい。ＢＷＰ１（１０１０）は、初期アクティブＢＷＰであってもよい。一例において、ＵＥは、ＢＷＰ停止タイマの満了に応答して、ＢＷＰ１  １０１０からＢＷＰ２  １０２０にアクティブＢＷＰを切り替えることができる。例えば、ＵＥは、ＢＷＰ３  １０３０をアクティブＢＷＰとして示すＤＣＩを受信することに応答して、ＢＷＰ２  １０２０からＢＷＰ３  １０３０にアクティブＢＷＰを切り替えることができる。ＢＷＰ３  １０３０からＢＷＰ２  １０４０に、および／またはＢＷＰ２  １０４０からＢＷＰ１  １０５０にアクティブＢＷＰを切り替えることは、アクティブＢＷＰを示すＤＣＩを受信することに応答するものであり、かつ／またはＢＷＰ停止タイマの満了に応答するものであってもよい。
【００８８】
一例において、ＵＥが、構成されたＤＬ  ＢＷＰおよびタイマ値の間にデフォルトＤＬ  ＢＷＰを用いてセカンダリセルのために構成される場合、セカンダリセルでのＵＥプロシージャは、セカンダリセルのタイマ値、およびセカンダリセルのデフォルトＤＬ  ＢＷＰを使用するプライマリセルと同じであってもよい。
【００８９】
一例において、基地局が、セカンダリセルまたはキャリア上で第１のアクティブＤＬ  ＢＷＰおよび第１のアクティブＵＬ  ＢＷＰを用いてＵＥを構成する場合、ＵＥは、セカンダリセル上での表示されたＤＬ  ＢＷＰ、および表示されたＵＬ  ＢＷＰを、セカンダリセルまたはキャリア上での、それぞれの第１のアクティブＤＬ  ＢＷＰ、および第１のアクティブＵＬ  ＢＷＰとして用いることができる。
【００９０】
図１１Ａおよび図１１Ｂは、マルチ接続（例えば、デュアル接続、マルチ接続、緊密なインターワーキング、および／または同様のもの）を用いるパケットフローを示す。図１１Ａは、実施形態の一態様に基づく、ＣＡおよび／またはマルチ接続を有する無線デバイス１１０（例えば、ＵＥ）のプロトコル構造の例示的な略図である。図１１Ｂは、実施形態の一態様に基づく、ＣＡおよび／またはマルチ接続を有する複数の基地局のプロトコル構造の例示的な略図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【００９１】
マルチ接続が無線デバイス１１０に対して構成されている場合、無線デバイス１１０は、ＲＲＣが接続された状態で複数の受信／伝送機能をサポートし得、複数の基地局の複数のスケジューラにより提供された無線リソースを利用するように構成することができる。複数の基地局は、非理想的または理想的なバックホール（例えば、Ｘｎインターフェース、Ｘ２インターフェース、および／または同様のもの）を介して相互接続することができる。特定の無線デバイスに対するマルチ接続に必要とされる基地局は、２つの異なる役割のうちの少なくとも一方を実行し得、すなわち、基地局は、マスタ基地局として、またはセカンダリ基地局としていずれかの機能を果たすことができる。マルチ接続において、無線デバイスは、１つのマスタ基地局、および１つ以上のセカンダリ基地局に接続することができる。一例において、マスタ基地局（例えば、ＭＮ１１３０）は、無線デバイス（例えば、無線デバイス１１０）に対して、１つのプライマリセル、および／または１つ以上のセカンダリセルを含むマスタセルグループ（ＭＣＧ）を提供することができる。セカンダリ基地局（例えば、ＳＮ１１５０）は、無線デバイス（例えば、無線デバイス１１０）に対して、１つのプライマリセカンダリセル（ＰＳＣｅｌｌ）、および／または１つ以上のセカンダリセルを含むセカンダリセルグループ（ＳＣＧ）を提供することができる。
【００９２】
マルチ接続において、ベアラが用いる無線プロトコルアーキテクチャは、ベアラがどのように設定されるかに依存し得る。一例において、ベアラ設定オプションのうちの３つの異なるタイプ、すなわち、ＭＣＧベアラ、ＳＣＧベアラ、および／または分割ベアラをサポートすることができる。無線デバイスは、ＭＣＧの１つ以上のセルを介して、ＭＣＧベアラのパケットを受信／伝送し得、かつ／または、ＳＣＧの１つ以上のセルを介して、ＳＣＧベアラのパケットを受信／伝送することができる。マルチ接続はまた、セカンダリ基地局により提供される無線リソースを使用するように構成された少なくとも１つのベアラを有するものとして、説明することもできる。マルチ接続は、いくつかの例示的な実施形態において、構成／実装されてもされなくてもよい。
【００９３】
一例において、無線デバイス（例えば、無線デバイス１１０）は、ＳＤＡＰ層（例えば、ＳＤＡＰ１１１０）、ＰＤＣＰ層（例えば、ＮＲ  ＰＤＣＰ１１１１）、ＲＬＣ層（例えば、ＭＮ  ＲＬＣ１１１４）、およびＭＡＣ層（例えば、ＭＮ  ＭＡＣ１１１８）を介してＭＣＧベアラのパケット、ＳＤＡＰ層（例えば、ＳＤＡＰ１１１０）、ＰＤＣＰ層（例えば、ＮＲ  ＰＤＣＰ１１１２）、マスタまたはセカンダリＲＬＣ層（例えば、ＭＮ  ＲＬＣ１１１５、ＳＮ  ＲＬＣ１１１６）のうちの一方、および、マスタまたはセカンダリＭＡＣ層（例えば、ＭＮ  ＭＡＣ１１１８、ＳＮ  ＭＡＣ１１１９）のうちの一方を介して分割ベアラのパケット、および／またはＳＤＡＰ層（例えば、ＳＤＡＰ１１１０）、ＰＤＣＰ層（例えば、ＮＲ  ＰＤＣＰ１１１３）、ＲＬＣ層（例えば、ＳＮ  ＲＬＣ１１１７）、およびＭＡＣ層（例えば、ＭＮ  ＭＡＣ１１１９）を介してＳＣＧベアラのパケット、を伝送および／または受信することができる。
【００９４】
一例において、マスタ基地局（例えば、ＭＮ１１３０）および／またはセカンダリ基地局（例えば、ＳＮ１１５０）は、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２１、ＮＲ  ＰＤＣＰ１１４２）、マスタノードＲＬＣ層（例えば、ＭＮ  ＲＬＣ１１２４、ＭＮ  ＲＬＣ１１２５）、およびマスタノードＭＡＣ層（例えば、ＭＮ  ＭＡＣ１１２８）を介してＭＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２２、ＮＲ  ＰＤＣＰ１１４３）、セカンダリノードＲＬＣ層（例えば、ＳＮ  ＲＬＣ１１４６、ＳＮ  ＲＬＣ１１４７）、およびセカンダリノードＭＡＣ層（例えば、ＳＮ  ＭＡＣ１１４８）を介してＳＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２３、ＮＲ  ＰＤＣＰ１１４１）、マスタもしくはセカンダリノードＲＬＣ層（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣ層（例えば、ＭＮ  ＭＡＣ１１２８、ＳＮ  ＭＡＣ１１４８）を介して、分割ベアラのパケットを伝送／受信することができる。
【００９５】
マルチ接続において、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチ接続において、無線デバイスに対するサービングセルの構成されたセットは、２つのサブセット、すなわち、マスタ基地局のサービングセルを含むＭＣＧ、およびセカンダリ基地局のサービングセルを含むＳＣＧを含むことができる。ＳＣＧの場合、以下の構成のうちの１つ以上が、適用され得、すなわち、ＳＣＧのうちの少なくとも１つのセルが、構成されたＵＬ  ＣＣを有し、プライマリセカンダリセル（ＳＣＧのうちのＰＳＣｅｌｌ、ＰＣｅｌｌ、または場合によっては、ＰＣｅｌｌと呼ばれる）と呼ばれるＳＣＧの少なくとも１つのセルが、ＰＵＣＣＨリソースを用いて構成され、ＳＣＧが構成される場合には、少なくとも１つのＳＣＧベアラまたは１つの分割ベアラが存在し得、ＰＳＣｅｌｌ上の物理層問題もしくはランダムアクセス問題、または、ＳＣＧと関連付けられて到着されたＮＲ  ＲＬＣ再伝送の数の検出時に、または、ＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止されてもよく、マスタ基地局は、無線デバイスによってＳＣＧ故障タイプに関して通知されてもよく、分割ベアラの場合には、マスタ基地局にわたるＤＬデータ転送が、維持され得、ＮＲ  ＲＬＣ肯定モード（ＡＭ）ベアラは、分割ベアラのために構成され得、ＰＣｅｌｌおよび／またはＰＳＣｅｌｌは、停止されなくてもよく、ＰＳＣｅｌｌは、ＳＣＧ変更プロシージャを用いて（例えば、セキュリティキー変更およびＲＡＣＨプロシージャを用いて）変更され得、かつ／または分割ベアラとＳＣＧベアラとの間のベアラタイプ変更、またはＳＣＧおよび分割ベアラの同時構成は、サポートされてもされなくてもよい。
【００９６】
マルチ接続の場合の、マスタ基地局とセカンダリ基地局との間の相互作用については、以下のうちの１つ以上が適用され得、マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を用いることによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセル（複数可）のための最近（または最新）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例において、新しいＳＣＧ  ＳＣｅｌｌを追加する場合には、ＳＣＧのＰＳＣｅｌｌのＭＩＢから取得されたＳＦＮを除き、専用ＲＲＣシグナリングを、ＣＡについてのセルの要求されたシステム情報を送信するために使用することができる。
【００９７】
図１２は、ランダムアクセスプロシージャの例示的な略図である。１つ以上のイベントが、ランダムアクセスプロシージャをトリガすることができる。例えば、１つ以上のイベントとは、以下のうちの少なくとも１つであり得、すなわち、ＲＲＣ＿ＩＤＬＥからの初期アクセス、ＲＲＣ接続再確立プロシージャ、ハンドオーバ、ＵＬ同期ステータスが同期されていないときのＲＲＣ＿ＣＯＮＮＥＣＴＥＤ中のＤＬまたはＵＬデータ到着、ＲＲＣ＿Ｉｎａｃｔｉｖｅからの遷移、および／または他のシステム情報の要求である。例えば、ＰＤＣＣＨ命令、ＭＡＣエンティティ、および／またはビーム障害表示により、ランダムアクセスプロシージャを開始させることができる。
【００９８】
例示的な実施形態において、ランダムアクセスプロシージャは、競合ベースランダムアクセスプロシージャおよび競合なしランダムアクセスプロシージャのうちの少なくとも１つであり得る。例えば、競合ベースランダムアクセスプロシージャは、１つ以上のＭｓｇ１、１２２０伝送、１つ以上のＭｓｇ２、１２３０伝送、１つ以上のＭｓｇ３、１２４０伝送、および競合解決１２５０を含むことができる。例えば、競合なしランダムアクセスプロシージャは、１つ以上のＭｓｇ１、１２２０伝送および１つ以上のＭｓｇ２、１２３０伝送を含むことができる。
【００９９】
一例において、基地局は、１つ以上のビームを介して、ＵＥに、ＲＡＣＨ構成１２１０を伝送（例えば、ユニキャスト、マルチキャスト、またはブロードキャスト）することができる。ＲＡＣＨ構成１２１０は、以下のうちの少なくとも１つを示す１つ以上のパラメータを含むことができ、それらは、ランダムアクセスプリアンブルの伝送のためのＰＲＡＣＨリソースの利用可能なセット、初期プリアンブルパワー（例えば、ランダムアクセスプリアンブル初期受信ターゲットパワー）、ＳＳブロックの選択、および対応するＰＲＡＣＨリソースのためのＲＳＲＰ閾値、パワーランピングファクタ（例えば、ランダムアクセスプリアンブルパワーランピングステップ）、ランダムアクセスプリアンブルインデックス、プリアンブル伝送の最大数、プリアンブルグループＡおよびグループＢ、ランダムアクセスプリアンブルのグループを決定するための閾値（例えば、メッセージサイズ）、システム情報要求の１つ以上のランダムアクセスプリアンブル、および対応するＰＲＡＣＨリソース（複数可）のセット、もしあれば、ビーム障害回復要求の１つ以上のランダムアクセスプリアンブル、および対応するＰＲＡＣＨリソース（複数可）のセット、もしあれば、ＲＡ応答（複数可）をモニタするための時間窓、ビーム障害回復要求での応答（複数可）をモニタするための時間窓、および／または競合解決タイマである。
【０１００】
一例において、Ｍｓｇ１、１２２０は、ランダムアクセスプリアンブルの１つ以上の伝送であり得る。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３、１２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【０１０１】
例えば、ＵＥは、下位層からのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復要求のための１つ以上の競合なしＰＲＡＣＨリソースを用いてＵＥを準統計学的に構成することができる。関連付けられたＳＳブロックの間で第１のＲＳＲＰ閾値超のＲＳＲＰを有するＳＳブロックのうちの少なくとも１つ、または、関連付けられたＣＳＩ−ＲＳの間で第２のＲＳＲＰ閾値超のＲＳＲＰを有するＣＳＩ−ＲＳのうちの少なくとも１つが利用可能である場合、ＵＥは、ビーム障害回復要求に対する１つ以上のランダムアクセスプリアンブルのセットから、選択されたＳＳブロックまたはＣＳＩ−ＲＳに対応するランダムアクセスプリアンブルインデックスを選択することができる。
【０１０２】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロック中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳ中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【０１０３】
ＵＥは、選択されたランダムアクセスプリアンブルを伝送することによって、１つ以上のＭｓｇ１、１２２０伝送を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を決定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を決定することができる。ＵＥは、基地局に、選択されたＰＲＡＣＨ機会を介して、選択されたランダムアクセスプリアンブルを伝送することができる。ＵＥは、少なくとも初期プリアンブルパワーおよびパワーランピングファクタに基づいて、選択されたランダムアクセスプリアンブルの伝送のための伝送パワーを決定することができる。ＵＥは、選択されたランダムアクセスプリアンブルが伝送される選択されたＰＲＡＣＨ機会と関連付けられたＲＡ−ＲＮＴＩを決定することができる。例えば、ＵＥは、ビーム障害回復要求のためのＲＡ−ＲＮＴＩを決定しなくてもよい。ＵＥは、少なくとも、第１のＯＦＤＭシンボルのインデックス、選択されたＰＲＡＣＨ機会の第１のスロットのインデックス、および／またはＭｓｇ１、１２２０の伝送のためのアップリンクキャリアインデックスに基づいて、ＲＡ−ＲＮＴＩを決定することができる。
【０１０４】
一例において、ＵＥは、基地局から、ランダムアクセス応答、Ｍｓｇ２、１２３０を受信することができる。ＵＥは、時間ウインドウ（例えば、ｒａ−ＲｅｓｐｏｎｓｅＷｉｎｄｏｗ）を開始してランダムアクセス応答をモニタすることができる。ビーム障害回復要求の場合、基地局は、異なる時間ウインドウ（例えば、ｂｆｒ−ＲｅｓｐｏｎｓｅＷｉｎｄｏｗ）を用いてＵＥを構成し、ビーム障害回復要求の応答をモニタすることができる。例えば、ＵＥは、プリアンブル伝送の終わりから、１つ以上のシンボルの固定持続時間後の最初のＰＤＣＣＨ機会の開始時に時間ウインドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを伝送する場合、ＵＥは、第１のプリアンブル伝送の終わりから、１つ以上のシンボルの固定持続時間後の第１のＰＤＣＣＨ機会の開始時に時間ウインドウを開始することができる。ＵＥは、時間ウインドウのタイマが実行している間、ＲＡ−ＲＮＴＩにより識別された少なくとも１つのランダムアクセス応答、またはＣ−ＲＮＴＩにより識別されたビーム障害回復要求への少なくとも１つの応答、に対するセルのＰＤＣＣＨをモニタすることができる。
【０１０５】
一例において、少なくとも１つのランダムアクセス応答が、ＵＥにより伝送されたランダムアクセスプリアンブルに対応するランダムアクセスプリアンブル識別子を含む場合、ＵＥは、ランダムアクセス応答の受信を正常とみなすことができる。ＵＥは、ランダムアクセス応答の受信が正常である場合、競合なしランダムアクセスプロシージャが正常に完了したとみなすことができる。競合なしランダムアクセスプロシージャが、ビーム障害回復要求のためにトリガされた場合、ＵＥは、ＰＤＣＣＨ伝送がＣ−ＲＮＴＩにアドレス指定されている場合に、競合なしランダムアクセスプロシージャが正常に完了したとみなすことができる。一例において、少なくとも１つのランダムアクセス応答がランダムアクセスプリアンブル識別子を含む場合、ＵＥは、ランダムアクセスプロシージャが正常に完了したとみなすことができ、上位層へのシステム情報要求に対する肯定応答の受信を示すことができる。ＵＥが複数のプリアンブル伝送を送った場合、ＵＥは、対応するランダムアクセス応答の正常な受信に応答して、残ったプリアンブル（もし、あれば）を伝送することを停止することができる。
【０１０６】
一例において、ＵＥは、ランダムアクセス応答（例えば、競合ベースランダムアクセスプロシージャの場合）の正常な受信に応答して、１つ以上のＭｓｇ３、１２４０伝送を実行することができる。ＵＥは、ランダムアクセス応答により示されたタイミングアドバンスドコマンドに基づいて、アップリンク伝送タイミングを調節し得、ランダムアクセス応答により示されたアップリンク許可に基づいて、１つ以上のトランスポートブロックを伝送することができる。Ｍｓｇ３、１２４０のＰＵＳＣＨ伝送のためのサブキャリア間隔は、少なくとも１つの上位層（例えば、ＲＲＣ）パラメータによって提供されることができる。ＵＥは、ＰＲＡＣＨを介してランダムアクセスプリアンブルを、また、同じセル上のＰＵＳＣＨを介してＭｓｇ３、１２４０を、伝送することができる。基地局は、システム情報ブロックを介して、Ｍｓｇ３、１２４０のＰＵＳＣＨ伝送のためのＵＬ  ＢＷＰを示すことができる。ＵＥは、Ｍｓｇ３、１２４０の再伝送のためにＨＡＲＱを用いることができる。
【０１０７】
一例において、複数のＵＥは、同じプリアンブルを基地局に伝送することによってＭｓｇ１、１２２０を実行し得、アイデンティティを含む同じランダムアクセス応答（例えば、ＴＣ−ＲＮＴＩ）を、基地局から受信することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づくことができる。例えば、基地局がＣ−ＲＮＴＩをＵＥに割り当てる場合、ＵＥは、Ｃ−ＲＮＴＩにアドレス指定されているＰＤＣＣＨ伝送の受信に基づいて、競合解決１２５０を実行することができる。ＰＤＣＣＨでのＣ−ＲＮＴＩの検出に応答して、ＵＥは、競合解決１２５０が正常であるとみすことができ、ランダムアクセスプロシージャが正常に完了したとみなすことができる。ＵＥが適正なＣ−ＲＮＴＩを有さない場合、競合解決は、ＴＣ−ＲＮＴＩを用いることによってアドレス指定することができる。例えば、ＭＡＣ  ＰＤＵが正常に復号化され、ＭＡＣ  ＰＤＵが、Ｍｓｇ３、１２５０に伝送されたＣＣＣＨ  ＳＤＵに一致するＵＥ競合解決アイデンティティＭＡＣ  ＣＥを含む場合、ＵＥは、競合解決１２５０が正常であるとみなすことができ、ランダムアクセスプロシージャが正常に完了したとみなすことができる。
【０１０８】
図１３は、本開示の実施形態の一態様に基づく、ＭＡＣエンティティのための例示的な構造である。一例において、無線デバイスは、マルチ接続モードで動作するように構成することができる。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成することができる。この複数の基地局は、Ｘｎインターフェースを介して非理想的または理想的なバックホールを介して接続することができる。一例において、複数の基地局内の基地局は、マスタ基地局としての、またはセカンダリ基地局としての機能を果たすことができる。無線デバイスは、１つのマスタ基地局、および１つ以上のセカンダリ基地局に接続することができる。無線デバイスは、複数のＭＡＣエンティティ、例えば、マスタ基地局に対して１つのＭＡＣエンティティ、およびセカンダリ基地局（複数可）に対して１つ以上の他のＭＡＣエンティティを用いて構成することができる。一例において、無線デバイスのために構成されたサービングセルのセットは、２つのサブセット、すなわち、マスタ基地局のサービングセルを含むＭＣＧ、および、セカンダリ基地局（複数可）のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【０１０９】
一例において、ＳＣＧ内の少なくとも１つのセルは、構成されたＵＬ  ＣＣを有し得、少なくとも１つのセルのうちの１つのセルは、ＳＣＧのＰＳＣｅｌｌもしくはＰＣｅｌｌと呼ばれることがあり、または、場合によっては、単にＰＣｅｌｌと呼ばれることがある。ＰＳＣｅｌｌは、ＰＵＣＣＨリソースを用いて構成することができる。一例において、ＳＣＧが構成される場合、少なくとも１つのＳＣＧベアラ、または１つの分割ベアラが存在し得る。一例において、ＰＳＣｅｌｌでの物理層問題もしくはランダムアクセス問題を検出することについて、または、ＳＣＧと関連付けられたＲＬＣ再伝送の数に達したことについて、または、ＳＣＧ追加もしくはＳＣＧ変更中にＰＳＣｅｌｌでのアクセス問題を検出することについて、ＲＲＣ接続再確立プロシージャは、トリガされ得ず、ＳＣＧのセルに向かうＵＬ伝送は、中止されることができ、マスタ基地局は、ＵＥによってＳＣＧ障害のタイプに関して通知することができ、マスタ基地局を通じてＤＬデータ転送を維持することができる。
【０１１０】
一例において、ＭＡＣサブレイヤは、データ転送および無線リソース割り当てなどのサービスを上位層（例えば、１３１０または１３２０）に提供することができる。ＭＡＣサブレイヤは、複数のＭＡＣエンティティ（例えば１３５０および１３６０）を含むことができる。ＭＡＣサブレイヤは、データ転送サービスを論理チャネル上に提供することができる。異なる種類のデータ転送サービスに対応するために、複数のタイプの論理チャネルを定義することができる。論理チャネルは、特定のタイプの情報の転送をサポートすることができる。論理チャネルタイプは、どのタイプの情報（例えば、制御またはデータ）が転送されるかによって定義することができる。例えば、ＢＣＣＨ、ＰＣＣＨ、ＣＣＣＨ、およびＤＣＣＨは、制御チャネルであり得、ＤＴＣＨは、トラフィックチャネルであり得る。一例において、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御要素上でサービスを提供することができる。一例において、第２のＭＡＣエンティティ（例えば１３２０）は、ＢＣＣＨ、ＤＣＣＨ、ＤＴＣＨ、およびＭＡＣ制御要素上でサービスを提供することができる。
【０１１１】
ＭＡＣサブレイヤは、物理層（例えば１３３０または１３４０）から、データ転送サービス、ＨＡＲＱフィードバックのシグナリング、スケジューリング要求または測定値のシグナリング（例えば、ＣＱＩ）などのサービスを予期することができる。一例において、デュアル接続では、２つのＭＡＣエンティティが、無線デバイスのために構成され得、すなわち、それらは、ＭＣＧに対する１つ、およびＳＣＧに対する１つである。無線デバイスのＭＡＣエンティティは、複数のトランスポートチャネルを処理することができる。一例において、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例において、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【０１１２】
一例において、ＭＡＣエンティティが１つ以上のＳＣｅｌｌを用いて構成されている場合、複数のＤＬ−ＳＣＨが存在し得、複数のＵＬ−ＳＣＨ、ならびにＭＡＣエンティティ毎に複数のＲＡＣＨが存在し得る。一例において、ＳｐＣｅｌｌに、１つのＤＬ−ＳＣＨおよびＵＬ−ＳＣＨが存在し得る。一例において、ＳＣｅｌｌに対して、１つのＤＬ−ＳＣＨ、ゼロまたは１つのＵＬ−ＳＣＨ、および、ゼロまたは１つのＲＡＣＨが存在し得る。ＤＬ−ＳＣＨは、ＭＡＣエンティティ内の異なるヌメロロジおよび／またはＴＴＩ持続時間を使用して受信をサポートすることができる。また、ＵＬ−ＳＣＨは、ＭＡＣエンティティ内の異なるヌメロロジおよび／またはＴＴＩ持続時間を使用して伝送をサポートすることができる。
【０１１３】
一例において、ＭＡＣサブレイヤは、異なる機能をサポートすることができ、制御（例えば１３５５または１３６５）要素を用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理層に送達されるべき、１つまたは異なる論理チャネルからトランスポートブロック（ＴＢ）へのＭＡＣ  ＳＤＵの多重化（例えば、１３５２または１３６２）、トランスポートチャネル（例えば、ダウンリンクで）上の物理層から送達されるトランスポートブロック（ＴＢ）から１つまたは異なるの論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば、１３６３）、およびアップリンクでの論理チャネル優先度付け（例えば１３５１または１３６１）、を含むことができる。ＭＡＣエンティティは、ランダムアクセスプロセス（例えば、１３５４または１３６４）を処理することができる。
【０１１４】
図１４は、１つ以上の基地局を含むＲＡＮアーキテクチャの例示的な略図である。一例において、プロトコルスタック（例えば、ＲＲＣ、ＳＤＡＰ、ＰＤＣＰ、ＲＬＣ、ＭＡＣ、およびＰＨＹ）は、ノードにおいてサポートすることができる。基地局（例えば、１２０Ａまたは１２０Ｂ）は、基地局中央ユニット（ＣＵ）（例えば、ｇＮＢ−ＣＵ１４２０Ａまたは１４２０Ｂ）、および、機能的な分割が構成されている場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコル層は、基地局ＣＵ内に設置することができ、基地局の下位層は、基地局ＤＵ内に設置することができる。基地局ＣＵおよび基地局ＤＵを接続するＦ１インターフェース（例えば、ＣＵ−ＤＵインターフェース）は、理想的または非理想的バックホールであり得る。Ｆ１−Ｃは、Ｆ１インターフェースを介して制御プレーン接続を提供することができ、Ｆ１−Ｕは、Ｆ１インターフェースを介してユーザプレーン接続を提供することができる。一例において、Ｘｎインターフェースは、基地局ＣＵ間に構成することができる。
【０１１５】
一例において、基地局ＣＵは、ＲＲＣ機能、ＳＤＡＰ層、およびＰＤＣＰ層を含むことができ、基地局ＤＵは、ＲＬＣ層、ＭＡＣ層、およびＰＨＹ層を含むことができる。一例において、基地局ＣＵと基地局ＤＵとの間の様々な機能的分割オプションは、基地局ＣＵ内の上位プロトコル層（ＲＡＮ機能）の異なる組み合わせ、および、基地局ＤＵ内の下位プロトコル層（ＲＡＮ機能）の異なる組み合わせを設定することによって可能となり得る。機能的分割は、フレキシブル性をサポートし、サービス要件および／またはネットワーク環境に応じて、基地局ＣＵと基地局ＤＵとの間でプロトコル層を移動させることができる。
【０１１６】
一例において、機能的分割オプションは、基地局毎、基地局ＣＵ毎、基地局ＤＵ毎、ＵＥ毎、ベアラ毎、スライス毎に構成され、または他の粒度を用いて構成することができる。基地局ＣＵ分割毎において、基地局ＣＵは、固定分割オプションを有し得、基地局ＤＵは、基地局ＣＵの分割オプションに一致するように構成することができる。基地局ＤＵ分割毎において、基地局ＤＵは、異なる分割オプションを用いて構成され得、基地局ＣＵは、異なる基地局ＤＵに対して異なる分割オプションを提供することができる。ＵＥ分割において、基地局（基地局ＣＵ、および少なくとも１つの基地局ＤＵ）は、異なる無線デバイスに対して異なる分割オプションを提供することができる。ベアラ分割毎において、異なる分割オプションを、異なるベアラに対して利用することができる。スライス毎のスプライスでは、異なるスライスに異なる分割オプションを適用することができる。
【０１１７】
図１５は、無線デバイスのＲＲＣ状態遷移を示す例示的な略図である。一例において、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例において、ＲＲＣ接続状態では、無線デバイスは、少なくとも１つの基地局（例えば、ｇＮＢおよび／またはｅＮＢ）との、少なくとも１つのＲＲＣ接続を有することができ、それらの基地局は、無線デバイスのＵＥコンテキストを有することができる。ＵＥコンテキスト（例えば、無線デバイスコンテキスト）は、アクセス層コンテキスト、１つ以上の無線リンク構成パラメータ、ベアラ（例えば、データ無線ベアラ（ＤＲＢ）、シグナリング無線ベアラ（ＳＲＢ）、論理チャネル、ＱｏＳフロー、ＰＤＵセッション、および／または同様のもの）構成情報、セキュリティ情報、ＰＨＹ／ＭＡＣ／ＲＬＣ／ＰＤＣＰ／ＳＤＡＰ層構成情報、および／または、無線デバイスのための同様の構成情報、のうちの少なくとも１つを含むことができる。一例において、ＲＲＣアイドル状態では、無線デバイスは、基地局とのＲＲＣ接続を有さなくてもよく、無線デバイスのＵＥコンテキストは、基地局内に格納されない場合がある。一例において、ＲＲＣ停止状態では、無線デバイスは、基地局とのＲＲＣ接続を有さない場合がある。無線デバイスのＵＥコンテキストは、基地局内に格納され得、その基地局は、アンカー基地局（例えば、最終サービング基地局）と呼ばれることがある。
【０１１８】
一例において、無線デバイスは、ＲＲＣアイドル状態とＲＲＣ接続状態との間で両方向に（例えば、接続解放１５４０もしくは接続確立１５５０、または接続再確立）、および／またはＲＲＣ停止状態とＲＲＣ接続状態との間で両方向に（例えば、接続停止１５７０または接続再開１５８０）、ＵＥ  ＲＲＣ状態を遷移させることができる。一例において、無線デバイスは、ＲＲＣ停止状態からＲＲＣアイドル状態に、そのＲＲＣ状態を遷移させることができる（例えば、接続解放１５６０）。
【０１１９】
一例において、アンカー基地局は、無線デバイスがアンカー基地局のＲＡＮ通知エリア（ＲＮＡ）にとどまる、かつ／または、無線デバイスがＲＲＣ停止状態にとどまるような時間帯の少なくともその間中、無線デバイスのＵＥコンテキスト（無線デバイスコンテキスト）を保持することができる基地局であり得る。一例において、アンカー基地局は、ＲＲＣ停止状態にある無線デバイスが最新のＲＲＣ接続状態で最後に接続されている、または、無線デバイスがＲＮＡ更新プロシージャを内部で最後に実行した基地局であり得る。一例において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。
【０１２０】
一例において、無線デバイスは、基地局において、ＵＥ  ＲＲＣ状態をＲＲＣ接続状態からＲＲＣ停止状態に遷移させることができる。無線デバイスは、基地局からＲＮＡ情報を受信することができる。ＲＮＡ情報は、ＲＮＡ識別子のうちの少なくとも１つ、ＲＮＡの１つ以上のセルの１つ以上のセル識別子、基地局識別子、基地局のＩＰアドレス、無線デバイスのＡＳコンテキスト識別子、再開識別子、および／または同様のものを含むことができる。
【０１２１】
一例において、アンカー基地局は、メッセージ（例えば、ＲＡＮページングメッセージ）をＲＮＡの基地局にブロードキャストして、無線デバイスをＲＲＣ停止状態に到達させることができ、および／またはアンカー基地局からメッセージを受信する基地局は、別のメッセージ（例えば、ページングメッセージ）を、エアインターフェースを通して、ＲＮＡと関連付けられた、基地局のカバレッジエリア、セルカバレッジエリア、および／またはビームカバレッジエリア内の無線デバイスにブロードキャストおよび／またはマルチキャストすることができる。
【０１２２】
一例において、ＲＲＣ停止状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１２３】
例示的な実施形態において、ＲＲＣ停止状態にある無線デバイスは、少なくとも１つ以上のセルに対する測定結果に基づいて、キャンプオンする１つのセルを選択することができ、そこでは、無線デバイスは、基地局からのＲＮＡページングメッセージおよび／またはコアネットワークページングメッセージをモニタすることができる。一例において、ＲＲＣ停止状態にある無線デバイスは、ランダムアクセスプロシージャを実行するためのセルを選択してＲＲＣ接続を再開し、かつ／または基地局に（例えば、ネットワークに）１つ以上のパケットを伝送することができる。一例において、選択されたセルが、ＲＲＣ停止状態にある無線デバイスのためのＲＮＡとは異なるＲＮＡに属する場合、無線デバイスは、ランダムアクセスプロシージャを開始してＲＮＡ更新プロシージャを実行することができる。一例において、ＲＲＣ停止状態にある無線デバイスが、バッファ内に、ネットワークに伝送するための１つ以上のパケットを有する場合、無線デバイスは、ランダムアクセスプロシージャを開始して、無線デバイスが選択するセルの基地局に１つ以上のパケットを伝送することができる。ランダムアクセスプロシージャは、無線デバイスと基地局との間で、２つのメッセージ（例えば、２ステージランダムアクセス）、および／または４つのメッセージ（例えば、４ステージランダムアクセス）を用いて実行することができる。
【０１２４】
例示的な実施形態において、ＲＲＣ停止状態にある無線デバイスから１つ以上のアップリンクパケットを受信する基地局は、無線デバイスから受信されたＡＳコンテキスト識別子、ＲＮＡ識別子、基地局識別子、再開識別子、および／またはセル識別子のうちの少なくとも１つに基づいて、無線デバイスのための検索ＵＥコンテキスト要求メッセージを無線デバイスのアンカー基地局に伝送することによって、無線デバイスのＵＥコンテキストをフェッチすることができる。ＵＥコンテキストをフェッチすることに応答して、基地局は、無線デバイスのためのパス切り替え要求をコアネットワークエンティティ（例えば、ＡＭＦ、ＭＭＥ、および／または同様のもの）に伝送することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１２５】
ｇＮＢは、１つ以上の新しい無線技術を用いる無線ネットワークを介して無線デバイスと通信することができる。この１つ以上の無線技術は、物理層に関する複数の技術、媒体アクセス制御層に関する複数の技術、および／または無線リソース制御層に関する複数の技術、のうちの少なくとも１つを含むことができる。この１つ以上の無線技術を強化する例示的な実施形態は、無線ネットワークの性能を向上させることができる。例示的な実施形態は、システムスループット、またはデータ伝送率を高めることができる。例示的な実施形態は、無線デバイスのバッテリ消費を低減することができる。例示的な実施形態は、ｇＮＢと無線デバイスとの間のデータ伝送の待ち時間を改善することができる。例示的な実施形態は、無線ネットワークのネットワークカバレッジを向上させることができる。例示的な実施形態は、無線ネットワークの伝送効率を向上させることができる。
【０１２６】
セルラネットワークを介して搬送されるデータトラフィックの量は、今後何年も増加すると予想されている。ユーザ／デバイスの数は、増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える超高速データレートの提供が要求される。したがって、携帯電話事業者が増加する需要を満たすためには、より多くのスペクトルが必要である。シームレスなモビリティとともに高いデータレートに対するユーザの期待を考慮すると、セルラシステムのスモールセルと同様にマクロセルを展開するためにより多くのスペクトルを利用できるようにすることが有益である。
【０１２７】
市場の需要に応えるために、無認可スペクトルを利用してトラフィックの増加に対応する補完的なアクセスを展開することに、事業者からの関心が高まっている。これは、事業者が展開する多数のＷｉ−Ｆｉネットワークと、ＬＴＥ／ＷＬＡＮインターワーキングソリューションの３ＧＰＰ標準化によって実証されている。この関心は、無認可スペクトルが存在する場合、ホットスポットエリアなどのいくつかのシナリオでトラフィックの爆発的増加に対処するのに役立つ携帯電話事業者のライセンススペクトルを効果的に補完できることを示す。ＬＡＡは、事業者が１つの無線ネットワークを管理しながら、無認可スペクトルを利用するための代替手段を提供し、ネットワークの効率を最適化する新しい可能性を提供する。
【０１２８】
例示的な実施形態では、ＬＡＡセルでの伝送のためにリスンビフォアトーク（クリアチャネルアセスメント）を実装することができる。リスンビフォアトーク（ＬＢＴ）プロシージャでは、チャネルを使用する前に、機器がクリアチャネルアセスメント（ＣＣＡ）チェックを適用する場合がある。例えば、ＣＣＡは、少なくともエネルギ検出を利用して、チャネル上の他の信号の有無を判断し、チャネルが占有されているか、クリアであるかをそれぞれ判断する。例えば、ヨーロッパと日本の規制では、無認可帯域でのＬＢＴの使用が義務付けられている。規制要件とは別に、ＬＢＴを介したキャリアセンシングは、無認可スペクトルを公平に共有するための１つの方法である。
【０１２９】
例示的な実施形態では、最大伝送継続期間が制限された無認可キャリアでの不連続伝送が有効にされてもよい。これらの機能の一部は、不連続ＬＡＡダウンリンク伝送の開始から伝送される１つ以上の信号によってサポートされる場合がある。チャネル予約は、成功したＬＢＴ動作を介してチャネルアクセスを取得した後、ＬＡＡノードによる信号の送信によって有効になり、特定の閾値を超えるエネルギで送信信号を受信する他のノードが占有されるチャネルを感知できるようにする。不連続ダウンリンク送信でのＬＡＡ動作のために１つ以上の信号でサポートする必要がある機能には、ＵＥによるＬＡＡダウンリンク送信（セル識別を含む）の検出、ＵＥの時間と周波数の同期のうちの１つ以上が含まれる。
【０１３０】
例示的な実施形態では、ＤＬ  ＬＡＡ設計は、ＣＡによって集約されたサービングセルにわたるＬＴＥ−Ａキャリアアグリゲーションタイミング関係に従ってサブフレーム境界アライメントを用いてもよい。これは、ｅＮＢ送信がサブフレーム境界でのみ開始できることを意味しない場合がある。ＬＡＡは、ＬＢＴにしたがってサブフレーム内の全てのＯＦＤＭシンボルを送信できるわけではない場合、ＰＤＳＣＨの送信をサポートする場合がある。ＰＤＳＣＨに必要な制御情報の配信もサポートされる場合がある。
【０１３１】
ＬＢＴプロシージャは、ＬＡＡと他の事業者および無認可スペクトルで動作する技術との公正且つ友好的な共存のために用いられる場合がある。無認可スペクトルにおけるキャリアで伝送しようとするノードでのＬＢＴプロシージャでは、ノードがクリアチャネルアセスメントを実行して、チャネルが使用することができるかどうかを判断する必要がある。ＬＢＴプロシージャには、チャネルが使用されているかどうかを判断するための少なくともエネルギ検出が含まれる場合がある。例えば、ヨーロッパなど一部の地域の規制要件では、ノードがこの閾値を超えるエネルギを受け取る場合、ノードはチャネルが空いていないと仮定するように、エネルギ検出閾値を指定する。ノードはこのような規制要件に従ってもよく、オプションで、規制要件で指定された閾値よりも低い閾値をエネルギ検出に使用してもよい。一実施例では、ＬＡＡは、エネルギ検出閾値を適応的に変更するメカニズムを用いてもよく、例えば、ＬＡＡは、上限からエネルギ検出閾値を適応的に低下させるメカニズムを用いてもよい。適応メカニズムは、閾値の静的または半静的な設定を妨げない場合がある。一実施例では、カテゴリ４ＬＢＴメカニズムまたは他のタイプのＬＢＴメカニズムを実装することができる。
【０１３２】
様々な例のＬＢＴメカニズムを実装することができる。一実施例では、いくつかの信号の場合、いくつかの実装態様シナリオにおいて、いくつかの状況では、および／またはいくつかの周波数では、ＬＢＴプロシージャは、伝送エンティティによっては実行されない場合がある。一例では、カテゴリ２（例えば、ランダムバックオフのないＬＢＴ）を実装することができる。伝送エンティティが伝送する前にチャネルがアイドル状態であると検知される継続期間は、決定論的であり得る。一例では、カテゴリ３（例えば、固定サイズのコンテンションウィンドウを使用したランダムバックオフのＬＢＴ）を実装することができる。ＬＢＴプロシージャは、その構成要素の１つとして以下のプロシージャを有することができる。伝送エンティティは、コンテンションウィンドウ内で乱数Ｎを描画することができる。コンテンションウィンドウのサイズは、Ｎの最小値と最大値で指定することができる。コンテンションウィンドウのサイズは、固定とすることができる。乱数ＮをＬＢＴプロシージャにおいて使用して、伝送エンティティがチャネル上で伝送する前にチャネルがアイドル状態であると検知される継続期間を決定することができる。一例では、カテゴリ４（例えば、可変サイズのコンテンションウィンドウを使用したランダムバックオフのＬＢＴ）を実装することができる。伝送エンティティは、コンテンションウィンドウ内で乱数Ｎを描画することができる。コンテンションウィンドウのサイズは、Ｎの最小値および最大値によって指定することができる。伝送エンティティは、乱数Ｎを描画するときにコンテンションウィンドウのサイズを変更することができる。乱数Ｎは、伝送エンティティがチャネルで伝送する前に、チャネルがアイドルであると感知される継続期間を決定するためにＬＢＴプロシージャで使用される。
【０１３３】
ＬＡＡはＵＥでアップリンクＬＢＴを用いることができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、ＵＥのチャネル競合機会に影響を及ぼす、スケジューリングされたアクセスに基づくからである。異なるＵＬ  ＬＢＴスキームを動機付けるその他の考慮事項には、単一のサブフレームでの複数のＵＥの多重化が含まれるが、これらに限定されない。
【０１３４】
一実施例では、ＤＬ伝送バーストは、同じＣＣ上の同じノードからの直前または直後に伝送がないＤＬ伝送ノードからの連続伝送とすることができる。ＵＥの観点からのＵＬ送信バーストは、同じＣＣ上の同じＵＥからの直前または直後に送信がないＵＥからの連続送信とすることができる。一例では、ＵＥの観点からＵＬ送信バーストが定義される。一例では、ＵＬ送信バーストは、ｅＮＢの観点から定義されてもよい。一例では、同じ無認可キャリア上でＤＬ＋ＵＬ  ＬＡＡを動作するｅＮＢの場合、ＬＡＡ上のＤＬ送信バーストおよびＵＬ送信バーストは、同じ無認可キャリア上で、ＴＤＭ方式でスケジュールされ得る。例えば、ある瞬間は、ＤＬ伝送バーストまたはＵＬ伝送バーストの一部とすることができる。
【０１３５】
一例では、共有ｇＮＢ  ＣＯＴ内の単一および複数のＤＬからＵＬおよびＵＬからＤＬへの切り替えをサポートすることができる。単一または複数の切り替えポイントをサポートするための例示的なＬＢＴ要件は、次のものが含まれる場合がある。１６ｕｓ未満のギャップに対してＬＢＴを使用しないことができ、１６ｕｓを上回るが２５ｕｓを超えないギャップに対してワンショットＬＢＴを使用することができ、単一の切り替えポイントの場合、ＤＬ伝送からＵＬ伝送への２５ｕｓを超えるギャップに対してワンショットＬＢＴを使用することができ、複数の切り替えポイントの場合、ＤＬ伝送からＵＬ伝送への２５ｕｓを超えるギャップに対してワンショットＬＢＴを使用することができる、ことを含むことができる。
【０１３６】
一例では、低複雑度での検出を容易にする信号は、ＵＥの電力節減、共存の改善、少なくとも同じ事業者ネットワーク内での空間的再利用、サービングセル伝送バースト取得などに有用であり得る。
【０１３７】
一例では、免許不要帯域（ＮＲ−Ｕ）での新無線の動作は、少なくともＳＳ／ＰＢＣＨブロックバーストセット伝送を包含する信号を用いることができる。一例では、他のチャネルおよび信号を、信号の一部として一緒に伝送することができる。この信号の設計は、信号が少なくともビーム内で伝送される時間スパン内にギャップがないことを考慮することができる。一例では、ビーム切り替えのためにギャップが必要とされ得る。一例では、占有チャネル帯域幅が満たされ得る。
【０１３８】
一例では、ブロックインターレースベースのＰＵＳＣＨを用いることができる。一例では、ＰＵＣＣＨおよびＰＵＳＣＨに対して同じインターレース構造を使用することができる。一例では、インターレースベースのＰＲＡＣＨを使用することができる。
【０１３９】
一例では、初期アクティブＤＬ／ＵＬ  ＢＷＰは、５ＧＨｚ帯域に対しておよそ２０ＭＨｚであり得る。一例では、５ＧＨｚバンドと同様のチャネライゼーションが６ＧＨｚバンドに使用される場合、初期アクティブＤＬ／ＵＬ  ＢＷＰは、６ＧＨｚ帯域に対しておよそ２０ＭＨｚであり得る。
【０１４０】
一例では、対応するデータに対するＨＡＲＱ  Ａ／Ｎを、同じ共有ＣＯＴで伝送することができる。いくつかの例では、ＨＡＲＱ  Ａ／Ｎを、対応するデータが伝送されたものとは別のＣＯＴで伝送することができる。
【０１４１】
一例では、ＵＬ  ＨＡＲＱフィードバックが免許不要帯域で伝送されるとき、ＮＲ−Ｕは、１つ以上のＤＬ  ＨＡＲＱプロセスのためのＨＡＲＱフィードバックの柔軟なトリガおよび多重化をサポートするためのメカニズムを考慮することができる。
【０１４２】
一例では、ＨＡＲＱプロセス情報のタイミングへの依存性を除去することができる。一例では、ＰＵＳＣＨ上のＵＣＩは、ＨＡＲＱプロセスＩＤ、ＮＤＩ、ＲＶＩＤを搬送することができる。一例では、ダウンリンクフィードバック情報（ＤＦＩ）を、構成された許可のためのＨＡＲＱフィードバックの伝送のために使用することができる。
【０１４３】
一例では、ＣＢＲＡとＣＦＲＡとの両方をＮＲ−Ｕ  ＳｐＣｅｌｌ上でサポートすることができ、ＣＦＲＡをＮＲ−Ｕ  ＳＣｅｌｌ上でサポートすることができる。一例では、ＲＡＲを、ＳｐＣｅｌｌを介して伝送することができる。一例では、ＲＡＲに対する事前定義されたＨＡＲＱプロセスＩＤ。
【０１４４】
一例では、免許帯域ＮＲ（ＰＣｅｌｌ）とＮＲ−Ｕ（ＳＣｅｌｌ）との間のキャリアアグリゲーションをサポートすることができる。一例では、ＮＲ−Ｕ  ＳＣｅｌｌは、ＤＬとＵＬとの両方、またはＤＬのみを有することができる。一例では、免許帯域ＬＴＥ（ＰＣｅｌｌ）とＮＲ−Ｕ（ＰＳＣｅｌｌ）との間のデュアル接続をサポートすることができる。一例では、すべてのキャリアが免許不要スペクトルにあるスタンドアロンＮＲ−Ｕをサポートすることができる。一例では、免許不要帯域のＤＬと免許帯域のＵＬとを有するＮＲセルをサポートすることができる。一例では、免許帯域ＮＲ（ＰＣｅｌｌ）とＮＲ−Ｕ（ＰＳＣｅｌｌ）との間のデュアル接続をサポートすることができる。
【０１４５】
一例では、ＮＲ−Ｕが動作している帯域（例えば、サブ７ＧＨｚ）においてＷｉ−Ｆｉの不存在が（例えば、規制により）保証できない場合、ＮＲ−Ｕ動作帯域幅は、２０ＭＨｚの整数倍であり得る。一例では、少なくとも（例えば、規制により）Ｗｉ−Ｆｉの不存在が保証できない帯域について、ＬＢＴを、２０ＭＨｚの単位で実行することができる。一例では、受信機支援ＬＢＴ（例えば、ＲＴＳ／ＣＴＳタイプのメカニズム）および／またはオンデマンド受信機支援ＬＢＴ（例えば、例えば、必要なときにのみ有効化される受信機支援ＬＢＴ）を用いることができる。一例では、空間的再利用を強化するための手法を使用することができる。一例では、プリアンブル検出を使用することができる。
【０１４６】
一例では、免許不要キャリアでのスケジュールされたＰＵＳＣＨ伝送を用いると、ネットワークは、ＰＤＣＣＨを伝送するために最初にチャネルへのアクセス権を獲得する必要があり、次に、ＵＥは、リソース上で伝送する前に再度ＬＢＴを実行する必要がある。このようなプロシージャは、特にチャネルに負荷がかかっているときに、レイテンシを増加させる傾向がある。一例では、自律アップリンク伝送のメカニズムを使用することができる。一例では、ＵＥに、ＵＬ  ＳＰＳと同様の伝送用のリソースが事前に割り当てることができ、ＵＥは、リソースを使用する前にＬＢＴを実行する。一例では、自律アップリンクは、構成された許可の機能（例えば、タイプ１および／またはタイプ２）に基づき得る。
【０１４７】
一例では、ＨＡＲＱプロセスアイデンティティを、ＵＥによって（例えば、ＵＣＩとして）伝送することができる。これにより、ＨＡＲＱプロセスに関わらず、ＵＥは、最初に利用可能な伝送機会を使用できるようになり得る。一例では、ＰＵＳＣＨ上のＵＣＩを使用して、ＨＡＲＱプロセスＩＤ、ＮＤＩ、およびＲＶＩＤを搬送することができる。
【０１４８】
免許不要帯域の場合、ＵＬ動的許可スケジュール伝送は、ＵＥおよびｇＮＢの少なくとも２つのＬＢＴに起因して、遅延および伝送失敗の可能性を増加させ得る。ＮＲでの構成された許可などの事前構成された許可をＮＲ−Ｕに使用することができ、これにより、実行されるＬＢＴの数を減少させ、シグナリングオーバーヘッドを制御することができる。
【０１４９】
一例では、タイプ１の構成された許可では、アップリンク許可が、ＲＲＣによって提供され、構成されたアップリンク許可として記憶される。一例では、タイプ２の構成された許可では、アップリンク許可が、ＰＤＣＣＨによって提供され、構成された許可の作動または停止を示すＬ１シグナリングに基づいて、構成されたアップリンク許可として記憶またはクリアされる。
【０１５０】
一例では、タイミングに対するＨＡＲＱプロセス情報間の依存関係がないことが可能である。一例では、ＰＵＳＣＨ上のＵＣＩは、ＨＡＲＱプロセスＩＤ、ＮＤＩ、ＲＶＩＤなどを搬送することができる。一例では、ＵＥは、ＵＣＩによってｇＮＢに通知される１つのＨＡＲＱプロセスＩＤを自律的に選択することができる。
【０１５１】
一例では、ＵＥは、構成されたアップリンク許可を用いて非適応的再伝送を実行することができる。ＬＢＴに起因して、構成された許可の再伝送の動的許可がブロックされると、ＵＥは、構成された許可のある次の利用可能なリソースで伝送することを試みることができる。
【０１５２】
一例では、ダウンリンクフィードバック情報（ＤＦＩ）は、（例えば、ＤＣＩを使用して）伝送され得、構成された許可の伝送のためのＨＡＲＱフィードバックを含むことができる。ＵＥは、ＨＡＲＱフィードバックを含むＤＦＩに従って、構成された許可を使用して伝送／再伝送を実行することができる。一例では、２つ以上のチャネルを有する広帯域キャリアが、ＮＲベースの免許不要セルでサポートされている。
【０１５３】
一例では、キャリア内に１つのアクティブＢＷＰがあり得る。一例では、複数のチャネルを有するＢＷＰを作動させことができる。一例では、Ｗｉ−Ｆｉの不存在が保証できない場合（例えば、規制により）、ＬＢＴを２０ＭＨｚ単位で実行することができる。この場合、このＢＷＰに対する複数の並列ＬＢＴプロシージャが存在し得る。実際の伝送帯域幅は、ＬＢＴが成功したサブバンドの影響を受ける可能性があり、このアクティブ広帯域ＢＷＰ内で動的な帯域幅伝送をもたらし得る。
【０１５４】
一例では、複数のアクティブＢＷＰをサポートすることができる。ＢＷＰ利用効率を最大にするために、ＢＷＰ帯域幅は、ＬＢＴのためのサブバンドの帯域幅と同じであり得、例えば、ＬＢＴは、各ＢＷＰ上で実施される。ネットワークは、伝送されるデータ量に基づいてＢＷＰを作動／停止させることができる。
【０１５５】
一例では、ＬＴＥ  ＬＡＡにおけるキャリアアグリゲーションと同様であり得る、ワイドコンポーネントキャリア内でＵＥに対して、複数の非重複ＢＷＰを作動させることができる。ＢＷＰ利用効率を最大化するために、ＢＷＰ帯域幅は、ＬＢＴのためのサブバンドの帯域幅と同じであり得、すなわち、ＬＢＴを各ＢＷＰ上で実施する。２つ以上のサブバンドＬＢＴが成功した場合、ＵＥが、複数の作動するＢＷＰを含む複数のナローＲＦまたはワイドＲＦをサポートする機能を有する必要がある。
【０１５６】
一例では、単一の広帯域ＢＷＰを、コンポーネントキャリア内でＵＥのために作動させることができる。広帯域ＢＷＰの帯域幅は、ＬＢＴのサブバンド単位をなし得る。例えば、ＬＢＴに対するサブバンドが５ＧＨｚ帯域の２０ＭＨｚである場合、広帯域ＢＷＰ帯域幅は、複数の２０ＭＨｚからなり得る。実際の伝送帯域幅は、ＬＢＴが成功したサブバンドの影響を受ける可能性があり、このアクティブ広帯域ＢＷＰ内で動的な帯域幅伝送をもたらし得る。
【０１５７】
一例では、アクティブＢＷＰの切り替えを、スケジューリングＤＣＩの使用によって達成することができる。一例では、ネットワークは、今後および任意のその後のデータ伝送／受信に使用するための新しいアクティブＢＷＰをＵＥに示すことができる。一例では、ＵＥは、複数の構成されたＢＷＰを監視して、ｇＮＢによるＤＬ伝送のためにいずれが取得されたかを判定することができる。例えば、ＵＥを、各構成されたＢＷＰについての監視機会の周期性およびオフセットを用いて構成することができる。ＵＥは、ＢＷＰがこれらの監視機会中にｇＮＢによって取得されたかどうかを判定することを試行することができる。一例では、チャネルが取得されたと正常に判定すると、ＵＥは、少なくとも別の方法で示されるか、または最大チャネル占有時間（ＭＣＯＴ）に到達するまで、そのＢＷＰをそのアクティブＢＷＰとして継続することができる。一例では、ＢＷＰがアクティブであるとＵＥが判定したとき、ＵＥは、構成されたＣＯＲＥＳＥＴでＰＤＣＣＨのブラインド検出を試行することができ、非周期的またはＳＰＳリソース上で測定を実行することもできる。
【０１５８】
一例では、ＵＬ伝送について、ＵＥを、場合によっては異なるＢＷＰでの、複数のＵＬリソースを用いて構成することができる。ＵＥは、各々が、ＢＷＰおよび場合によってはビームペアリンクと紐付けられた、複数のＬＢＴ構成を有することができる。ＵＥに、１つ以上のＬＢＴ構成と紐付けられたＵＬリソースを許可することができる。同様に、ＵＥに、各々が異なるＬＢＴ構成の使用を必要とする複数のＡＵＬリソース／許可のないリソースを提供することができる。ＵＥに複数のＢＷＰを介して複数のＡＵＬリソースを提供することは、ＬＢＴが１つのＢＷＰにおける１つのＡＵＬリソースに対する第１のＬＢＴ構成を使用して失敗した場合、ＵＥが別のＢＷＰにおける別のＡＵＬリソースでの伝送を試行できることを、保証することができる。これは、チャネルアクセスのレイテンシを短縮し、免許不要キャリア全体の使用を向上させることができる。
【０１５９】
免許不要スペクトルで動作する少なくとも１つのＳＣｅｌｌを用いるキャリアアグリゲーションは、免許支援アクセス（ＬＡＡ）と呼ばれることがある。ＬＡＡでは、ＵＥのための構成されたサービングセルのセットは、第１のフレーム構造（例えば、フレーム構造タイプ３）に従って免許不要スペクトルで動作する少なくとも１つのＳＣｅｌｌを含むことができる。ＳＣｅｌｌは、ＬＡＡ  ＳＣｅｌｌと呼ばれることがある。
【０１６０】
一例では、キャリアを共有するＩＥＥＥ８０２．１１ｎ／１１ａｃデバイスの不存在が長期的に（例えば、規制のレベルによって）保証できない場合、およびネットワークが同時に伝送できる免許不要チャネルの最大数が４以下である場合、ＬＡＡ  ＳＣｅｌｌ伝送が実行される２つのキャリア中心周波数間の最大周波数分離は、６２ＭＨｚ以下であり得る。一例では、ＵＥは、周波数分離をサポートする必要があり得る。
【０１６１】
一例では、基地局およびＵＥは、ＬＡＡ  ＳＣｅｌｌ上での伝送を実行する前にリスンビフォアトーク（ＬＢＴ）を適用することができる。ＬＢＴが適用されると、送信機は、チャネルをリスン／センスして、チャネルが空いているか、またはビジーであるかを判定することができる。チャネルが空いている／クリアであると判定された場合、送信機は、伝送を実行することができ、そうでない場合、伝送を実行しないことが可能である。一例では、基地局がチャネルアクセスの目的で他の技術のチャネルアクセス信号を使用する場合、基地局は、ＬＡＡ最大エネルギー検出閾値要件を達成し続け得る。
【０１６２】
一例では、基地局によるチャネルアクセスプロシージャに準拠する伝送の合計時間は、ＬＡＡ  ＳＣｅｌｌ上の任意の連続する１秒の期間で５０ミリ秒を超えないことが可能である。
【０１６３】
一例では、ＵＥが適用するＬＢＴタイプ（例えば、タイプ１またはタイプ２のアップリンクチャネルアクセス）を、ＬＡＡ  ＳＣｅｌｌ上のアップリンクＰＵＳＣＨ伝送のためのアップリンク許可を介してシグナリングすることができる。一例では、自律アップリンク（ＡＵＬ）伝送について、ＬＢＴを、アップリンク許可でシグナリングしないことが可能である。
【０１６４】
一例では、ＡＵＬ上のタイプ１アップリンクチャネルアクセスについて、基地局は、論理チャネルのチャネルアクセス優先度クラスをシグナリングすることができ、ＵＥは、ＭＡＣ  ＳＤＵがＭＡＣ  ＰＤＵに多重化された論理チャネル（複数可）の（例えば、図１６ではより低い番号を有する）最高のチャネルアクセス優先度クラスを選択することができる。一例では、パディングＢＳＲを除くＭＡＣ  ＣＥは、最低のチャネルアクセス優先度クラスを使用することができる。
【０１６５】
一例では、ＡＵＬ上のタイプ２アップリンクチャネルアクセスについて、ＵＥは、共通ダウンリンク制御シグナリングで基地局によってシグナリングされるサブフレームにおけるＵＬ伝送のための任意のチャネルアクセス優先度クラスに対応する論理チャネルを選択することができる。
【０１６６】
一例では、アップリンクＬＡＡ動作について、基地局は、選択されたチャネルアクセス優先度クラス、または、タイプ１のアップリンクチャネルアクセスプロシージャがＵＥにシグナリングされる場合の、最新のＢＳＲおよびＵＥからの受信アップリンクトラフィックに基づいてＵＬ許可でシグナリングされたチャネルアクセス優先度クラスよりも、および／またはタイプ２アップリンクチャネルアクセスプロシージャがＵＥにシグナリングされる場合の、ダウンリンクトラフィック、最新のＢＳＲ、およびＵＥからの受信ＵＬトラフィックに基づいて基地局が使用するチャネルアクセス優先度クラスよりも低いチャネルアクセス優先度クラス（例えば、図１６ではより低い番号）に対応するトラフィックを伝送するために必要な最小値よりも多くのサブフレームをＵＥにスケジュールしないことが可能である。
【０１６７】
一例では、ＬＡＡキャリアでのアップリンク伝送およびダウンリンク伝送を実行するときに、第１の番号（例えば、４）のチャネルアクセス優先度クラスを使用することができる。図１６の一例では、いずれのチャネルアクセス優先度クラスが、異なる標準化ＱＣＩに属するトラフィックによって使用され得るかを示している。非標準化ＱＣＩ（例えば、オペレータ固有のＱＣＩ）は、図１６に基づいて好適なチャネルアクセス優先度クラスを使用することができ、例えば、非標準化ＱＣＩに使用されるチャネルアクセス優先度クラスは、非標準化ＱＣＩのトラフィッククラスに最もよく一致する標準化ＱＣＩのチャネルアクセス優先度クラスであるべきである。
【０１６８】
一例では、アップリンクについて、基地局は、論理チャネルグループ内の最も低い優先度のＱＣＩを考慮することにより、チャネルアクセス優先度クラスを選択することができる。
【０１６９】
一例では、４つのチャネルアクセス優先度クラスを使用することができる。ＰＤＳＣＨを用いてＤＬ伝送バーストが伝送され、それに対してチャネルアクセス優先度クラスＰ（１．．．４）を使用してチャネルアクセスが取得された場合、基地局は、ＤＬ伝送バーストが、成功したＬＢＴの後の基地局による連続伝送を指すとして、次のこと、すなわち、ＤＬ伝送バーストの伝送期間は、チャネルアクセス優先度クラス（複数可）≦Ｐに対応するすべての利用可能なバッファされたトラフィックを伝送するために必要な最小持続時間を超えないことが可能であり、ＤＬ伝送バーストの伝送期間は、チャネルアクセス優先度クラスＰの最大チャネル占有時間を超えないことが可能であり、チャネルアクセス優先度クラス≦Ｐに対応するデータが伝送に利用できなくなると、チャネルアクセス優先度クラス（複数可）＞Ｐに対応する追加のトラフィックをＤＬ伝送バーストに含めることができる、を確保することができる。このような場合、基地局は、この追加のトラフィックを用いて、ＤＬ伝送バーストにおける残りの伝送リソースの占有を最大化することができる。
【０１７０】
一例では、ＬＡＡ  ＳＣｅｌｌのＰＤＣＣＨが構成されると、クロスキャリアスケジューリングがアップリンク伝送に適用される場合、ＬＡＡ  ＳＣｅｌｌを、ＬＡＡ  ＳＣｅｌｌのＰＤＣＣＨを介したダウンリンク伝送のために、および１つの他のサービングセルのＰＤＣＣＨを介したアップリンク伝送のために、スケジュールすることができる。一例において、ＬＡＡ  ＳＣｅｌｌのＰＤＣＣＨが構成されると、セルフスケジューリングがアップリンク伝送とダウンリンク伝送との両方に適用される場合、ＬＡＡ  ＳＣｅｌｌを、ＬＡＡ  ＳＣｅｌｌのＰＤＣＣＨを介したアップリンク伝送およびダウンリンク伝送のためにスケジュールすることができる。
【０１７１】
一例では、自律アップリンクを、ＳＣｅｌｌ上でサポートすることができる。一例では、１つ以上の自律アップリンク構成を、ＳＣｅｌｌごとにサポートすることができる。一例では、２つ以上のＳＣｅｌｌがある場合、複数の自律アップリンク構成が、同時にアクティブであり得る。
【０１７２】
一例では、自律アップリンクがＲＲＣによって構成されるとき、次の情報、すなわち、ＡＵＬ  Ｃ−ＲＮＴＩ、自律ＵＬ  ＨＡＲＱ動作のために構成され得るＨＡＲＱプロセスＩＤであるａｕｌ−ｈａｒｑ−ｐｒｏｃｅｓｓｅｓ、自律アップリンクを使用する新しい伝送または同じＨＡＲＱプロセスの再伝送をトリガするまでの期間ａｕｌ−ｒｅｔｒａｎｓｍｉｓｓｉｏｎＴｉｍｅｒ、自律ＵＬ  ＨＡＲＱ動作のために構成されたサブフレームを示すビットマップａｕｌ−ｓｕｂｆｒａｍｅｓを、ＡＵＬ構成情報要素（例えば、ＡＵＬ−Ｃｏｎｆｉｇ）で提供することができる。
【０１７３】
一例では、自律アップリンク構成がＲＲＣによってリリースされると、対応する構成された許可をクリアすることができる。
【０１７４】
一例では、ＡＵＬ−Ｃｏｎｆｉｇが構成される場合、ＭＡＣエンティティは、構成されたアップリンク許可が、ａｕｌ−ｓｕｂｆｒａｍｅｓが１に設定されたそれらのサブフレームで発生すると見なすことができる。
【０１７５】
一例では、ＡＵＬ確認がトリガされてキャンセルされなかった場合であって、かつＭＡＣエンティティがこのＴＴＩについての新しい伝送用に割り当てられたＵＬリソースを有する場合、ＭＡＣエンティティは、多重化およびアセンブリプロシージャにＡＵＬ確認ＭＡＣ制御要素を生成するように指示することができ、ＭＡＣエンティティは、トリガされたＡＵＬ確認をキャンセルすることができる。
【０１７６】
一例では、ＭＡＣエンティティは、このＳＣｅｌｌに対するＡＵＬリリースによってトリガされたＡＵＬ確認ＭＡＣ制御要素の第１の伝送に応答して、ＳＣｅｌｌに対する構成されたアップリンク許可をクリアすることができる。一例では、自律アップリンクを使用するアップリンク伝送のための再伝送は、対応する構成されたアップリンク許可をクリアした後に継続することができる。
【０１７７】
一例では、ＭＡＣエンティティを、ＡＵＬ動作のためのＡＵＬ−ＲＮＴＩを用いて構成することができる。一例では、ＭＡＣエンティティのＡＵＬ  Ｃ−ＲＮＴＩに対するＰＤＣＣＨ上のサービングセルの伝送時間間隔について、アップリンク許可を受信することができる。一例では、受信されたＨＡＲＱ情報内のＮＤＩが１である場合、ＭＡＣエンティティは、対応するＨＡＲＱプロセスに対するＮＤＩが切り替えられていないと見なし得る。ＭＡＣエンティティは、この伝送時間間隔についてアップリンク許可および関連付けられたＨＡＲＱ情報をＨＡＲＱエンティティに送達し得る。一例では、受信されたＨＡＲＱ情報内のＮＤＩが０である場合であって、かつＰＤＣＣＨコンテンツがＡＵＬリリースを示す場合、ＭＡＣエンティティは、ＡＵＬ確認をトリガし得る。このＴＴＩについてのアップリンク許可が構成された場合、ＭＡＣエンティティは、対応するＨＡＲＱプロセスに対するＮＤＩビットが切り替えられたと見なし得る。ＭＡＣエンティティは、このＴＴＩについてアップリンクグラントおよび関連付けられたＨＡＲＱ情報をＨＡＲＱエンティティに送達し得る。一例では、受信されたＨＡＲＱ情報内のＮＤＩが０である場合であって、かつＰＤＣＣＨコンテンツがＡＵＬ作動を示す場合、ＭＡＣエンティティは、ＡＵＬ確認をトリガし得る。
【０１７８】
一例では、ａｕｌ−ｒｅｔｒａｎｓｍｉｓｓｉｏｎＴｉｍｅｒが実行されていない場合であって、かつ同じＨＡＲＱプロセスに対してＨＡＲＱエンティティに以前に送達されたアップリンク許可がない場合か、または、同じＨＡＲＱプロセスに対してＨＡＲＱエンティティに送達された以前のアップリンク許可が、ＭＡＣエンティティのＣ−ＲＮＴＩに対して受信されたアップリンク許可ではなかった場合か、または、対応するＨＡＲＱプロセスに対してＨＡＲＱ＿ＦＥＥＤＢＡＣＫがＡＣＫに設定されている場合、ＭＡＣエンティティは、このＴＴＩについて、構成されたアップリンク許可および関連付けられたＨＡＲＱ情報をＨＡＲＱエンティティに送達し得る。
【０１７９】
一例では、ＭＡＣエンティティのＡＵＬ  Ｃ−ＲＮＴＩに対してＰＤＣＣＨで伝送されるＮＤＩを、０に設定することができる。
【０１８０】
一例において、構成されたアップリンク許可について、ＵＬ  ＨＡＲＱ動作が自律的である場合、サービングセル上での伝送のためのＴＴＩと関連付けられたＨＡＲＱプロセスＩＤを、例えば、ＡＵＬ−ＨＡＲＱプロセスの上位層による自律的ＵＬ  ＨＡＲＱ動作のために構成されたＨＡＲＱプロセスＩＤから、ＵＥ実装によって選択することができる。
【０１８１】
一例では、自律ＨＡＲＱについて、ＨＡＲＱプロセスは、現在バッファにあるＭＡＣ  ＰＤＵのＨＡＲＱフィードバックを示し得る状態変数、例えばＨＡＲＱ＿ＦＥＥＤＢＡＣＫ、および／またはタイマが実行中であるときの同じＨＡＲＱプロセスに対する新しい伝送または再伝送を禁止し得るタイマａｕｌ−ｒｅｔｒａｎｓｍｉｓｓｉｏｎＴｉｍｅｒを維持することができる。
【０１８２】
一例では、ＴＢについてＨＡＲＱフィードバックが受信されると、ＨＡＲＱプロセスは、ＨＡＲＱ＿ＦＥＥＤＢＡＣＫを受信された値に設定することができ、実行中の場合のａｕｌ−ｒｅｔｒａｎｓｍｉｓｓｉｏｎＴｉｍｅｒを停止することができる。
【０１８３】
一例では、ＴＢについてＰＵＳＣＨ伝送が実行されると、かつアップリンク許可がＭＡＣエンティティのＡＵＬ  Ｃ−ＲＮＴＩに対して構成された許可である場合、ＨＡＲＱプロセスは、ａｕｌ−ｒｅｔｒａｎｓｍｉｓｓｉｏｎＴｉｍｅｒを開始する。
【０１８４】
一例では、ＨＡＲＱエンティティが新しい伝送を要求した場合、ＵＬ  ＨＡＲＱ動作が自律非同期である場合は、ＨＡＲＱプロセスは、ＨＡＲＱ＿ＦＥＥＤＢＡＣＫをＮＡＣＫに設定することができ、アップリンク許可がＡＵＬ  Ｃ−ＲＮＴＩに宛てられた場合は、ＣＵＲＲＥＮＴ＿ＩＲＶを０に設定することができる。
【０１８５】
一例では、ＴＴＩについて非周期的なＣＳＩが要求された場合、ＨＡＲＱエンティティに示された許可がＭＡＣエンティティのＡＵＬ  Ｃ−ＲＮＴＩが作動させた構成されたアップリンク許可である場合は、ＭＡＣエンティティはＨＡＲＱエンティティに対してＭＡＣ  ＰＤＵを生成しないことが可能である。
【０１８６】
一例において、ＵＥが、ＬＡＡ  ＳＣｅｌｌ上でのＵＬ伝送のためのスケジューリングセル上で、ＡＵＬ−ＤＦＩを搬送するＡＵＬ  Ｃ−ＲＮＴＩによってＣＲＣがスクランブルされたＤＣＩ（例えば、フォーマット０Ａ／４Ａ）の伝送を検出した場合、ＵＥは、次のプロシージャ、すなわち、自律アップリンク伝送用に構成されたＨＡＲＱプロセスの場合、対応するＨＡＲＱ−ＡＣＫフィードバックを上位層に送達することができる、というプロシージャに従って自律アップリンクフィードバック情報を使用することができる。自律アップリンク伝送用に構成されていないＨＡＲＱプロセスの場合、対応するＨＡＲＱ−ＡＣＫフィードバックを、上位層に送達しないことが可能であり、サブフレーム／スロット／ＴＴＩ  ｎでのアップリンク伝送について、ＵＥは、最も早くてサブフレームｎ＋４でＡＵＬ−ＤＦＩ内のＨＡＲＱ−ＡＣＫフィードバックを予想することができ、ＵＥが、ＨＡＲＱプロセスに対するＡＣＫを示すＡＵＬ−ＤＦＩをサブフレームで受信した場合、ＵＥがそのＨＡＲＱプロセスと関連付けられた別のアップリンク伝送を伝送してから４ミリ秒後の前に、同じＨＡＲＱプロセスに対するＡＣＫを示すＡＵＬ−ＤＦＩをＵＥが受信することを予想しないことが可能である。
【０１８７】
一例では、以下のすべての条件、すなわち、ＰＤＣＣＨ／ＥＰＤＣＣＨペイロードに対して取得されたＣＲＣパリティビットが、ＡＵＬ  Ｃ−ＲＮＴＩでスクランブルされており、「ＡＵＬ区別用のフラグ」が、ＡＵＬ伝送を作動させる／解放することを示す、という条件が達成されている場合、ＵＥは、自律アップリンク割り当てＰＤＣＣＨ／ＥＰＤＣＣＨを検証することができる。一例では、作動ＤＣＩ内の１つ以上のフィールドは、検証用の事前構成された値であり得る。
【０１８８】
一例では、サービングセルを、１つまたは複数のＢＷＰを用いて構成することができる。一例では、サービングセルあたりのＢＷＰの最大数は、第１の数であり得る。
【０１８９】
一例では、サービングセルのＢＷＰ切り替えを使用して、同時に、非アクティブＢＷＰを作動させ、アクティブＢＷＰを停止させることができる。一例では、ＢＷＰ切り替えを、ランダムアクセスプロシージャの開始時に、ダウンリンク割り当てまたはアップリンク許可を示すＰＤＣＣＨによって、ｂｗｐ−ＩｎａｃｔｉｖｉｔｙＴｉｍｅｒによって、ＲＲＣシグナリングによって、またはＭＡＣエンティティ自体によって、制御することができる。一例では、ＳｐＣｅｌｌの追加またはＳＣｅｌｌの作動時に／ＳｐＣｅｌｌの追加またはＳＣｅｌｌの作動に応答して、ｆｉｒｓｔＡｃｔｉｖｅＤｏｗｎｌｉｎｋＢＷＰ−ＩｄおよびｆｉｒｓｔＡｃｔｉｖｅＵｐｌｉｎｋＢＷＰ−Ｉｄによってそれぞれ示されるＤＬ  ＢＷＰおよびＵＬ  ＢＷＰは、ダウンリンク割り当てまたはアップリンク許可を示すＰＤＣＣＨを受信せずにアクティブになり得る。サービングセルのアクティブＢＷＰを、ＲＲＣまたはＰＤＣＣＨのいずれかで示すことができる。ペアになっていないスペクトルに対して、ＤＬ  ＢＷＰをＵＬ  ＢＷＰとペアにすることができ、ＢＷＰ切り替えは、ＵＬとＤＬとの両方に共通であり得る。
【０１９０】
一例では、ＢＷＰを用いて構成された作動させたサービングセルについて、ＢＷＰを作動させた場合、ＭＡＣエンティティは、ＢＷＰ上のＵＬ−ＳＣＨ上で伝送することができ、ＢＷＰ上のＲＡＣＨ上で伝送することができ、ＢＷＰ上でＰＤＣＣＨを監視することができ、ＢＷＰ上でＰＵＣＣＨを伝送することができ、ＢＷＰ上でＳＲＳを伝送することができ、ＢＷＰ上でＤＬ−ＳＣＨを受信することができ、および存在する場合に記憶された構成に従って、かつシンボルを開始するために、アクティブＢＷＰ上の構成された許可タイプ１の中断された構成されたアップリンク許可を（再）初期化することができる。
【０１９１】
一例では、ＢＷＰを用いて構成された作動させたサービングセルについて、ＢＷＰを停止させた場合、ＭＡＣエンティティは、ＢＷＰ上のＵＬ−ＳＣＨ上で伝送しないことが可能であり、ＢＷＰ上のＲＡＣＨ上で伝送しないことが可能であり、ＢＷＰ上でＰＤＣＣＨを監視しないことが可能であり、ＢＷＰ上でＰＵＣＣＨを伝送しないことが可能であり、ＢＷＰについてのＣＳＩを報告しないことが可能であり、ＢＷＰ上でＳＲＳを伝送しないことが可能であり、ＢＷＰ上でＤＬ−ＳＣＨを受信しないことが可能であり、ＢＷＰ上の構成された許可タイプ２の構成されたダウンリンク割り当ておよび構成されたアップリンク許可をクリアすることが可能であり、および非アクティブＢＷＰ上の構成された許可タイプ１の任意の構成されたアップリンク許可を中断することができる。
【０１９２】
一例では、サービングセル上でのランダムアクセスプロシージャの開始時に／開始に応答して、アクティブＵＬ  ＢＷＰのためにＰＲＡＣＨ機会が構成されていない場合、ＭＡＣエンティティは、アクティブＵＬ  ＢＷＰをｉｎｉｔｉａｌＵｐｌｉｎｋＢＷＰによって示されるＢＷＰに切り替えることができ、サービングセルがＳｐＣｅｌｌである場合、ＭＡＣエンティティは、アクティブＤＬ  ＢＷＰをｉｎｉｔｉａｌＤｏｗｎｌｉｎｋＢＷＰによって示されるＢＷＰに切り替えることができる。ＭＡＣエンティティは、ＳｐＣｅｌｌのアクティブＤＬ  ＢＷＰおよびこのサービングセルのアクティブＵＬ  ＢＷＰ上で、ランダムアクセスプロシージャを実行することができる。
【０１９３】
一例では、サービングセル上でのランダムアクセスプロシージャの開始時／開始に応答して、アクティブＵＬ  ＢＷＰのためにＰＲＡＣＨ機会が構成される場合であって、かつサービングセルがＳｐＣｅｌｌである場合であって、かつアクティブＤＬ  ＢＷＰがアクティブＵＬ  ＢＷＰと同じｂｗｐ−Ｉｄを有していない場合、ＭＡＣエンティティは、アクティブＤＬ  ＢＷＰを、アクティブＵＬ  ＢＷＰと同じｂｗｐ−Ｉｄを有するＤＬ  ＢＷＰに切り替えることができる。ＭＡＣエンティティは、ＳｐＣｅｌｌのアクティブＤＬ  ＢＷＰおよびこのサービングセルのアクティブＵＬ  ＢＷＰ上で、ランダムアクセスプロシージャを実行することができる。
【０１９４】
一例では、ＭＡＣエンティティがサービングセルのＢＷＰ切り替えのためのＰＤＣＣＨを受信した場合、このサービングセルと関連付けられた進行中のランダムアクセスプロシージャがない場合か、またはこのサービングセルと関連付けられたランダムアクセスプロシージャが、Ｃ−ＲＮＴＩに宛てられたこのＰＤＣＣＨの受信時に正常に完了した場合、ＭＡＣエンティティは、ＰＤＣＣＨによって示されるＢＷＰへのＢＷＰ切り替えを実行することができる。
【０１９５】
一例では、サービングセルと関連付けられたランダムアクセスプロシージャがＭＡＣエンティティで進行中である間に、ＭＡＣエンティティがサービングセルのＢＷＰ切り替えのためのＰＤＣＣＨを受信した場合、ＵＥがＰＤＣＣＨによって示されるＢＷＰへのＢＷＰ切り替えを実行し得る場合である正常なランダムアクセスプロシージャ完了のためにＣ−ＲＮＴＩに宛てられたＢＷＰ切り替えのためのＰＤＣＣＨ受信を除き、ＢＷＰを切り替えるか、またはＢＷＰ切り替えのためのＰＤＣＣＨを無視するかは、ＵＥの実装次第であり得る。一例では、競合解決の成功以外のＢＷＰ切り替えのためのＰＤＣＣＨの受信時に／受信に応答して、ＭＡＣエンティティがＢＷＰ切り替えを実行することを決定した場合、ＭＡＣエンティティは、進行中のランダムアクセスプロシージャを停止することができ、および新しい作動させたＢＷＰ上でランダムアクセスプロシージャを開始することができ、ＭＡＣがＢＷＰ切り替えのためのＰＤＣＣＨを無視することを決定した場合、ＭＡＣエンティティは、アクティブＢＷＰ上の進行中のランダムアクセスプロシージャを継続することができる。
【０１９６】
一例では、サービングセルの帯域幅部分（ＢＷＰ）での動作のために構成されたＵＥを、サービングセルの上位層によって、パラメータ（例えば、ＢＷＰ−Ｄｏｗｎｌｉｎｋ）によるＤＬ帯域幅でのＵＥ（ＤＬ  ＢＷＰセット）による受信のための、最大でＸ個（例えば、４つ）の帯域幅部分（ＢＷＰ）のセットと、サービングセルのためのパラメータ（例えば、ＢＷＰ−Ｕｐｌｉｎｋ）によるＵＬ帯域幅でのＵＥ（ＵＬ  ＢＷＰセット）による伝送のための、最大でＹ個（例えば、４つ）のＢＷＰのセットと、構成することができる。
【０１９７】
初期アクティブＤＬ  ＢＷＰを、Ｔｙｐｅ０−ＰＤＣＣＨ共通探索空間のための制御リソースセットについての、連続するＰＲＢの位置および数、サブキャリア間隔、およびサイクリックプレフィックスによって、定義することができる。プライマリセル上またはセカンダリセル上での動作のために、ＵＥに、上位層パラメータｉｎｉｔｉａｌｕｐｌｉｎｋＢＷＰによって、初期アクティブＵＬ  ＢＷＰを提供することができる。ＵＥが補助キャリアを用いて構成される場合、ＵＥに、ｓｕｐｐｌｅｍｅｎｔａｒｙＵｐｌｉｎｋの上位層パラメータ（例えば、ｉｎｉｔｉａｌＵｐｌｉｎｋＢＷＰ）によって補助キャリア上で初期ＵＬ  ＢＷＰを提供することができる。
【０１９８】
一例では、ＵＥが専用のＢＷＰ構成を有する場合、ＵＥに、上位層パラメータ（例えば、ｆｉｒｓｔＡｃｔｉｖｅＤｏｗｎｌｉｎｋＢＷＰ−Ｉｄ）によって受信用の第１のアクティブＤＬ  ＢＷＰを、および上位層パラメータ（例えば、ｆｉｒｓｔＡｃｔｉｖｅＵｐｌｉｎｋＢＷＰ−Ｉｄ）によって、および上位層のパラメータ（例えば、ファーストアクティブアップリンクＢＷＰ−Ｉｄ）によってプライマリセル上での伝送用の第１のアクティブＵＬ  ＢＷＰを、提供することができる。
【０１９９】
一例では、それぞれＤＬ  ＢＷＰまたはＵＬ  ＢＷＰのセット内の各ＤＬ  ＢＷＰまたはＵＬ  ＢＷＰについて、ＵＥを、サービングセル用の次のパラメータ、すなわち、上位層パラメータによって提供されるサブキャリア間隔（例えば、ｓｕｂｃａｒｒｉｅｒＳｐａｃｉｎｇ）と、上位層パラメータによって提供されるサイクリックプレフィックス（例えば、ｃｙｃｌｉｃＰｒｅｆｉｘ）と、
【数１】
2021525977.tif 000007
を設定するＲＩＶとして解釈される上位層パラメータ（例えば、ｌｏｃａｔｉｏｎＡｎｄＢａｎｄｗｉｄｔｈ）によって示される、第１のＰＲＢおよび連続するＰＲＢの数であって、第１のＰＲＢは、上位層パラメータ（例えば、ｏｆｆｓｅｔＴｏＣａｒｒｉｅｒおよびｓｕｂｃａｒｒｉｅｒＳｐａｃｉｎｇ）によって示されるＰＲＢに対するＰＲＢオフセットである、第１のＰＲＢおよび連続するＰＲＢの数と、それぞれの上位層パラメータ（例えば、ｂｗｐ−Ｉｄ）によるＤＬ  ＢＷＰまたはＵＬ  ＢＷＰのセット内のインデックスと、上位層パラメータ（例えば、ｂｗｐ−Ｃｏｍｍｏｎおよびｂｗｐ−Ｄｅｄｉｃａｔｅｄ）による、ＢＷＰ共通のセットおよびＢＷＰ専用パラメータのセットと、を用いて構成することができる。
【０２００】
一例では、ペアになっていないスペクトル動作に対して、ＤＬ  ＢＷＰインデックスとＵＬ  ＢＷＰインデックスとが等しい場合、ＤＬ  ＢＷＰの上位層パラメータ（例えば、ｂｗｐ−Ｉｄ）によって提供されるインデックスを有する構成されたＤＬ  ＢＷＰのセットからのＤＬ  ＢＷＰが、ＵＬ  ＢＷＰの上位層パラメータ（例えば、ｂｗｐ−Ｉｄ）によって提供されるインデックスを有する構成されたＵＬ  ＢＷＰのセットからのＵＬ  ＢＷＰに、リンクされる。一例では、ペアになっていないスペクトル動作に対して、ＤＬ  ＢＷＰのｂｗｐ−ＩｄがＵＬ  ＢＷＰのｂｗｐ−Ｉｄに等しい場合、ＵＥは、ＤＬ  ＢＷＰの中心周波数がＵＬ  ＢＷＰの中心周波数とは異なる構成を受信することを予想しないことが可能である。
【０２０１】
一例では、プライマリセル上のＤＬ  ＢＷＰのセット内の各ＤＬ  ＢＷＰについて、ＵＥを、あらゆるタイプの共通探索空間およびＵＥ固有の探索空間のための制御リソースセット構成することができる。一例では、アクティブＤＬ  ＢＷＰにおいてＰＣｅｌｌ上またはＰＳＣｅｌｌ上の共通探索空間を用いずにＵＥが構成されることを予想しないことが可能である。
【０２０２】
一例では、ＵＬ  ＢＷＰのセット内の各ＵＬ  ＢＷＰについて、ＵＥを、ＰＵＣＣＨ伝送のためのリソースセット構成することができる。
【０２０３】
一例では、ＵＥは、ＤＬ  ＢＷＰに対する構成されたサブキャリア間隔およびＣＰ長に従って、ＤＬ  ＢＷＰにおいてＰＤＣＣＨおよびＰＤＳＣＨを受信することができる。ＵＥは、ＵＬ  ＢＷＰに対する構成されたサブキャリア間隔およびＣＰ長に従って、ＵＬ  ＢＷＰにおいてＰＵＣＣＨおよびＰＵＳＣＨを伝送することができる。
【０２０４】
一例では、帯域幅部分インジケータフィールドがＤＣＩフォーマット１＿１で構成される場合、帯域幅部分インジケータフィールド値は、ＤＬ受信用の構成されたＤＬ  ＢＷＰセットからのアクティブＤＬ  ＢＷＰを示すことができる。一例では、帯域幅部分インジケータフィールドがＤＣＩフォーマット０＿１で構成される場合、帯域幅部分インジケータフィールド値は、ＵＬ伝送用の構成されたＵＬ  ＢＷＰセットからのアクティブＵＬ  ＢＷＰを示すことができる。
【０２０５】
帯域幅部分インジケータフィールドがＤＣＩフォーマット０＿１またはＤＣＩフォーマット１＿１で構成され、かつ受信されたＤＣＩフォーマット０＿１またはＤＣＩフォーマット１＿１における各情報フィールドに対して、アクティブＵＬ  ＢＷＰまたはＤＬ  ＢＷＰとは異なるＵＬ  ＢＷＰまたはＤＬ  ＢＷＰをそれぞれ示す場合、一例では、情報フィールドのサイズが、帯域幅部分インジケータによってそれぞれ示されるＵＬ  ＢＷＰまたはＤＬ  ＢＷＰに対するＤＣＩフォーマット０＿１またはＤＣＩフォーマット１＿１の解釈に必要なサイズよりも小さい場合、ＵＥは、ＤＣＩフォーマット０＿１またはＤＣＩフォーマット１＿１の情報フィールドをそれぞれ解釈する前に、ＵＬ  ＢＷＰまたはＤＬ  ＢＷＰの情報フィールドの解釈に必要なサイズになるまで、情報フィールドにゼロをプリペンドすることができる。一例では、情報フィールドのサイズが、帯域幅部分インジケータによってそれぞれ示されるＵＬ  ＢＷＰまたはＤＬ  ＢＷＰのＤＣＩフォーマット０＿１またはＤＣＩフォーマット１＿１の解釈に必要なサイズよりも大きい場合、ＵＥは、ＤＣＩフォーマット０＿１またはＤＣＩフォーマット１＿１情報フィールドをそれぞれ解釈する前に、帯域幅部分インジケータによって示されるＵＬ  ＢＷＰまたはＤＬ  ＢＷＰに必要なビットの数字に等しいＤＣＩフォーマット０＿１またはＤＣＩフォーマット１＿１の最下位ビットの数字を使用することができる。一例では、ＵＥは、アクティブＵＬ  ＢＷＰまたはＤＬ  ＢＷＰを、それぞれ、帯域幅部分インジケータによってＤＣＩフォーマット０＿１またはＤＣＩフォーマット１＿１で示されるＵＬ  ＢＷＰまたはＤＬ  ＢＷＰに設定することができる。
【０２０６】
一例において、対応するＰＤＣＣＨがスロットの最初のＸ個（例えば、３個）のシンボル内で受信された場合、ＵＥは、アクティブＵＬ  ＢＷＰ変更を示すＤＣＩフォーマット０＿１、またはアクティブＤＬ  ＢＷＰ変更を示すＤＣＩフォーマット１＿１を検出することを予想することができる。
【０２０７】
一例では、プライマリセルについて、ＵＥに、上位層パラメータ（例えば、ｄｅｆａｕｌｔＤｏｗｎｌｉｎｋＢＷＰ−Ｉｄ）によって、構成されたＤＬ  ＢＷＰの中のデフォルトのＤＬ  ＢＷＰを提供することができる。一例では、上位層パラメータｄｅｆａｕｌｔＤｏｗｎｌｉｎｋＢＷＰ−ＩｄによってＵＥにデフォルトのＤＬ  ＢＷＰが提供されない場合、デフォルトのＤＬ  ＢＷＰは、初期アクティブＤＬ  ＢＷＰであり得る。
【０２０８】
一例では、ＵＥが、構成されたＤＬ  ＢＷＰの中のデフォルトのＤＬ  ＢＷＰを示す上位層パラメータｄｅｆａｕｌｔＤｏｗｎｌｉｎｋＢＷＰ−Ｉｄを用いてセカンダリセル用に構成され、かつＵＥが、タイマ値を示す上位層パラメータｂｗｐ−ＩｎａｃｔｉｖｉｔｙＴｉｍｅｒを用いて構成される場合、セカンダリセル上でのＵＥプロシージャは、セカンダリセル用のタイマ値、およびセカンダリセル用のデフォルトのＤＬ  ＢＷＰを使用するプライマリセル上のものと同じであり得る。
【０２０９】
一例では、ＵＥが、プライマリセル用のタイマ値である上位層パラメータｂｗｐ−ＩｎａｃｔｉｖｉｔｙＴｉｍｅｒによって構成され、かつタイマが実行されている場合、ＵＥが、ペアになっているスペクトル動作に対するプライマリセル上でのＰＤＳＣＨ受信用のＤＣＩフォーマットを検出しない場合か、またはＵＥが、間隔中に、ペアになっていないスペクトル動作に対するプライマリセル上でのＰＤＳＣＨ受信用のＤＣＩフォーマットもＰＵＳＣＨ伝送用のＤＣＩフォーマットも検出しない場合、周波数範囲１に対しては１ミリ秒の間隔ごと、または周波数範囲２に対しては０．５ミリ秒ごとに、タイマを増分することができる。
【０２１０】
一例では、ＵＥが、セカンダリセル用のタイマ値である上位層パラメータＢＷＰ−ＩｎａｃｔｉｖｉｔｙＴｉｍｅｒによって構成され、かつタイマが実行されている場合、ＵＥが、ペアになっているスペクトル動作に対するセカンダリセル上でのＰＤＳＣＨ受信用のＤＣＩフォーマットを検出しない場合か、またはＵＥが、間隔中に、ペアになっていないスペクトル動作に対するセカンダリセル上でのＰＤＳＣＨ受信用のＤＣＩフォーマットもＰＵＳＣＨ伝送用のＤＣＩフォーマットも検出しない場合、ＵＥは、周波数範囲１に対しては１ミリ秒の間隔ごと、または周波数範囲２に対しては０．５ミリ秒ごとに、タイマを増分することができる。一例では、タイマが満了すると、ＵＥは、セカンダリセルを停止させることができる。
【０２１１】
一例では、ＵＥが、セカンダリセルまたは補助キャリア上に、上位層パラメータｆｉｒｓｔＡｃｔｉｖｅＤｏｗｎｌｉｎｋＢＷＰ−Ｉｄの第１のアクティブＤＬ  ＢＷＰによって、および上位層パラメータｆｉｒｓｔＡｃｔｉｖｅＵｐｌｉｎｋＢＷＰ−Ｉｄの第１のアクティブＵＬ  ＢＷＰによって構成される場合、ＵＥは、セカンダリセル上の示されたＤＬ  ＢＷＰおよび示されたＵＬ  ＢＷＰを、セカンダリセルまたは補助キャリア上のそれぞれの第１のアクティブＤＬ  ＢＷＰおよび第１のアクティブＵＬ  ＢＷＰとして使用する。
【０２１２】
一例では、ペアになっているスペクトル動作に対して、ＤＣＩフォーマット１＿０またはＤＣＩフォーマット１＿１の検出の時間と、ＰＵＣＣＨ上の対応するＨＡＲＱ−ＡＣＫ情報伝送の時間と、の間にＵＥのＰＣｅｌｌ上のアクティブＵＬ  ＢＷＰをＵＥが変更した場合、ＵＥは、ＤＣＩフォーマット１＿０またはＤＣＩフォーマット１＿１によって示されるＰＵＣＣＨリソース上でＨＡＲＱ−ＡＣＫ情報を伝送することを予想しない。
【０２１３】
一例では、ＵＥ用のアクティブＤＬ  ＢＷＰ内にない帯域幅にわたってＵＥがＲＲＭを実行するとき、ＵＥは、ＰＤＣＣＨを監視することを予想しないことが可能である。
【０２１４】
一例では、ＢＷＰ  ＩＥを使用して、帯域幅部分を構成することができる。一例では、各サービングセルについて、ネットワークは、少なくともダウンリンク帯域幅部分と、１つ（サービングセルがアップリンクを用いて構成される場合）または２つ（補助アップリンク（ＳＵＬ）を使用する場合）のアップリンク帯域幅部分と、からなる少なくとも初期帯域幅部分を構成することができる。さらに、ネットワークは、サービングセル用の追加のアップリンクおよびダウンリンク帯域幅部分を構成することができる。
【０２１５】
一例では、帯域幅部分構成を、アップリンクパラメータとダウンリンクのパラメータとに、および共通パラメータと専用パラメータとに、分割することができる。共通パラメータ（ＢＷＰ−ＵｐｌｉｎｋＣｏｍｍｏｎおよびＢＷＰ−ＤｏｗｎｌｉｎｋＣｏｍｍｏｎでの）は「セル固有」であり得、ネットワークは、他のＵＥの対応するパラメータとの必要な調整を保証する。ＰＣｅｌｌの初期帯域幅部分の共通パラメータを、システム情報を介して提供することができる。一例では、ネットワークは、専用シグナリングを介して共通パラメータを提供することができる。
【０２１６】
一例では、サイクリックプレフィックスは、この帯域幅の部分に拡張サイクリックプレフィックスを使用するかどうかを示すことができる。設定されない場合、ＵＥは、通常のサイクリックプレフィックスを使用することができる。通常のＣＰを、すべてのヌメロロジおよびスロットフォーマットに対してサポートすることができる。拡張ＣＰを、６０ｋＨｚのサブキャリア間隔に対してのみサポートすることができる。一例では、ｌｏｃａｔｉｏｎＡｎｄＢａｎｄｄｗｉｄｔｈが、この帯域幅部分の周波数領域の位置および帯域幅を示すことができる。フィールドの値を、リソースインジケータ値（ＲＩＶ）として解釈することができる。第１のＰＲＢは、このＢＷＰのｓｕｂｃａｒｒｉｅｒＳｐａｃｉｎｇと、このサブキャリア間隔に対応するｏｆｆｓｅｔＴｏＣａｒｒｉｅｒ（ＦｒｅｑｕｅｎｃｙＩｎｆｏＤＬ内に包含されたＳＣＳ−ＳｐｅｃｉｆｉｃＣａｒｒｉｅｒで構成される）によって決定されるＰＲＢであり得る。ＴＤＤの場合、ＢＷＰペア（同じｂｗｐ−Ｉｄを有するＵＬ  ＢＷＰおよびＤＬ  ＢＷＰ）は、同じ中心周波数を有することができる。一例では、ｓｕｂｃａｒｒｉｅｒＳｐａｃｉｎｇは、他の場所で明示的に構成されていない限り、すべてのチャネルおよび基準信号に対してこのＢＷＰで使用されるサブキャリア間隔を示すことができる。一例では、値ｋＨｚ１５は、μ＝０に対応し、ｋＨｚ３０は、μ＝１に対応する、などである。一例では、値１５、３０、または６０ｋＨｚを使用することができる。一例では、ｂｗｐ−Ｉｄは、この帯域幅部分に対する識別子を示すことができる。ＲＲＣ構成の他の部分は、ＢＷＰ−Ｉｄを使用して、それら自体を特定の帯域幅部分と関連付けることができる。ＢＷＰ  ＩＤ＝０を、初期ＢＷＰと関連付けることが可能であり、それゆえ、ここでは（他の帯域幅部分では）使用しないことが可能である。ＮＷは、ＤＣＩフィールドを使用してＵＬ  ＢＷＰまたはＤＬ  ＢＷＰを切り替えるように、ＵＥをトリガすることができる。そのＤＣＩフィールドにおける４つのコードポイントは、次の、最大３つの構成されたＢＷＰ（初期ＢＷＰに加えて）に対して、ＤＣＩコードポイントがＢＷＰ  ＩＤ（初期＝０、第１の専用＝１、．．．）と同等であり得る、ＲＲＣ構成のＢＷＰ−ＩＤにマッピングすることができる。ＮＷが４つの専用帯域幅部分を構成する場合、４つの専用帯域幅部分を、ＤＣＩコードポイント０〜３によって識別することができる。この場合、ＤＣＩフィールドを使用して初期ＢＷＰに切り替えることは可能でない。一例では、ｂｗｐ−Ｉｄは、この帯域幅部分に対する識別子を示すことができる。ＲＲＣ構成の他の部分は、ＢＷＰ−Ｉｄを使用して、それら自体を特定の帯域幅部分と関連付けることができる。ＢＷＰ  ＩＤ＝０を、初期ＢＷＰと関連付けることが可能であり、それゆえ、ここでは（他の帯域幅部分では）使用しないことが可能である。ＮＷは、ＤＣＩフィールドを使用してＵＬ  ＢＷＰまたはＤＬ  ＢＷＰを切り替えるように、ＵＥをトリガすることができる。そのＤＣＩフィールドにおける４つのコードポイントは、次の、最大３つの構成されたＢＷＰ（初期ＢＷＰに加えて）に対して、ＤＣＩコードポイントがＢＷＰ  ＩＤ（初期＝０、第１の専用＝１、．．．）と同等であり得る、ＲＲＣ構成のＢＷＰ−ＩＤにマッピングする。ＮＷが４つの専用帯域幅部分を構成する場合、４つの専用帯域幅部分を、ＤＣＩコードポイント０〜３によって識別することができる。この場合、ＤＣＩフィールドを使用して初期ＢＷＰに切り替えることは可能でない場合がある。一例では、ｒａｃｈ−ＣｏｎｆｉｇＣｏｍｍｏｎは、競合ベースおよび競合なしのランダムアクセス、ならびに競合ベースのビーム障害回復のためにＵＥが使用し得るセル固有のランダムアクセスパラメータの構成を示すことができる。一例では、ＮＷは、リンクされたＤＬ  ＢＷＰが、ＵＥがサービングセルと関連付けられたＳＳＢを取得することを可能にする場合、ＵＬ  ＢＷＰに対してのみＳＳＢベースのＲＡ（それゆえＲＡＣＨ−ＣｏｎｆｉｇＣｏｍｍｏｎ）を構成することができる。一例では、ＰＵＣＣＨ構成は、サービングセルの通常のＵＬまたはＳＵＬの１つのＢＷＰに対するＰＵＣＣＨ構成を示すことができる。ＵＥがＳＵＬを用いて構成される場合、ネットワークは、アップリンク（ＵＬまたはＳＵＬ）のうちの１つのＢＷＰ上でのみＰＵＣＣＨを構成することができる。
【０２１７】
一例では、情報要素（例えば、ＬＢＴ−Ｃｏｎｆｉｇ）は、無線デバイスでのリスンビフォアトーク動作用の１つ以上のパラメータを示すことができる。一例では、ｍａｘＥｎｅｒｇｙＤｅｔｅｃｔｉｏｎＴｈｒｅｓｈｏｌｄは、絶対最大エネルギー検出閾値を示すことができる。一例では、ｍａｘＥｎｅｒｇｙＤｅｔｅｃｔｉｏｎＴｈｒｅｓｈｏｌｄの単位は、ｄＢｍであり得る。例えば、値−８５は、−８５ｄＢｍに対応することが可能であり、値−８４は、−８４ｄＢｍに対応することが可能である、などである（例えば、１ｄＢｍのステップで）。フィールドが構成されていない場合、ＵＥは、デフォルトの最大エネルギー検出閾値を使用することとなる。一例では、ｅｎｅｒｇｙＤｅｔｅｃｔｉｏｎＴｈｒｅｓｈｏｌｄＯｆｆｓｅｔは、デフォルトの最大エネルギー検出閾値に対するオフセットを示すことができる。ｅｎｅｒｇｙＤｅｔｅｃｔｉｏｎＴｈｒｅｓｈｏｌｄＯｆｆｓｅｔの単位は、ｄＢであり得る。例えば、値−１３は、−１３ｄＢに対応することが可能であり、値−１２は、−１２ｄＢに対応することが可能である、などである（例えば、１ｄＢｍのステップで）。一例では、情報要素（例えば、ｌａａ−ＳＣｅｌｌＳｕｂｆｒａｍｅＣｏｎｆｉｇ）は、免許ＳＣｅｌｌサブフレーム構成を示すビットマップを示すことができる。例えば、１は、対応するサブフレームがＭＢＳＦＮサブフレームとして割り当てられることを表記している。ビットマップを、次の、ビットマップの最初／左端のビットから開始して、割り当ては、サブフレーム＃１、＃２、＃３、＃４、＃６、＃７、＃８、および＃９に適用されるように解釈することができる。一例では、セル／帯域幅部分を、スケジューリングセルＩＤおよびＣＩＦ値を示し得る情報要素（例えば、ＣｒｏｓｓＣａｒｒｉｅｒＳｃｈｅｄｕｌｉｎｇＣｏｎｆｉｇＬＡＡ）を用いて構成することができる。一例では、情報要素ｓｃｈｅｄｕｌｉｎｇＣｅｌｌＩｄフィールドが、該当する場合、関連するＳＣｅｌｌに対していずれのセルがダウンリンク割り当ておよびアップリンク許可をシグナリングするかを示すことができる。ＵＥがＤＣを用いて構成される場合、スケジューリングセルは、スケジュールされたセルと同じセルグループ（例えば、ＭＣＧまたはＳＣＧ）の一部であり得る。ＵＥがｃｒｏｓｓＣａｒｒｉｅｒＳｃｈｅｄｕｌｉｎｇＣｏｎｆｉｇＬＡＡ−ＵＬを用いて構成される場合、ｃｒｏｓｓＣａｒｒｉｅｒＳｃｈｅｄｕｌｉｎｇＣｏｎｆｉｇＬＡＡ−ＵＬにおいて示されたｓｃｈｅｄｕｌｉｎｇＣｅｌｌＩｄは、いずれのセルがアップリンク許可をシグナリングするかを示すことができる。一例では、情報要素（例えば、ｃｉｆＩｎＳｃｈｅｄｕｌｉｎｇＣｅｌｌ）が、セルを示すためにスケジューリングセルにおいて使用されるＣＩＦ値を示すことができる。
【０２１８】
一例では、ＵＥとＵＥ用のＵＬ伝送（複数可）をスケジュールする基地局とは、免許不要Ｓｃｅｌｌ（複数可）伝送（複数可）が実行されるチャネル（複数可）にＵＥがアクセスするためのチャネルアクセスプロシージャを実行することができる。
【０２１９】
一例では、ＵＥは、複数のチャネルアクセスプロシージャのうちの１つに従って、免許不要Ｓｃｅｌｌ（複数可）ＵＬ伝送（複数可）が実行されるキャリアにアクセスすることができる。一例では、複数のチャネルアクセスプロシージャは、第１のタイプまたは第２のタイプのＵＬチャネルアクセスプロシージャを含むことができる。
【０２２０】
一例では、ＰＵＳＣＨ伝送をスケジューリングするＵＬ許可が、第１のタイプのチャネルアクセスプロシージャを示す場合、ＵＥは、ＰＵＳＣＨ伝送を含む伝送を伝送するために第１のタイプのチャネルアクセスプロシージャを使用することができる。
【０２２１】
一例では、ＵＥは、自律ＵＬリソース上でＰＵＳＣＨ伝送を含む伝送を伝送するために第１のタイプのチャネルアクセスプロシージャを使用することができる。
【０２２２】
一例では、ＰＵＳＣＨ伝送をスケジューリングするＵＬ許可が、第２のタイプのチャネルアクセスプロシージャを示す場合、ＵＥは、ＰＵＳＣＨ伝送を含む伝送を伝送するために第２のタイプのチャネルアクセスプロシージャを使用することができる。
【０２２３】
一例では、図１７に示すように、第１のＰＵＳＣＨの伝送のためのチャネルアクセスプロシージャは、第１のタイプのチャネルアクセスに基づくことができる。第１のタイプのチャネルアクセスは、第１の数の持続時間（例えば、ＣＣＡスロット）の間にチャネルを検知することに基づくことができる。第１の持続時間は、第１の固定値を有することができる。第１の数は、優先度クラスに基づく間隔から引き出された乱数に基づくことができる。一例では、第２のＰＵＳＣＨの伝送のためのチャネルアクセスプロシージャは、第２のタイプのチャネルアクセスに基づくことができる。第２のタイプのチャネルアクセスプロシージャは、第２の固定された持続時間に基づいてチャネルを検知することに基づくことができる。
【０２２４】
一例では、ＵＥは、ＰＵＳＣＨ伝送を含まないＳＲＳ伝送を伝送するために第１のタイプのチャネルアクセスプロシージャを使用することができる。一例では、ＵＬチャネルアクセス優先度クラスｐ＝１を、ＰＵＳＣＨを含まないＳＲＳ伝送に使用することができる。
【０２２５】
一例では、ＵＥが、サブフレーム／スロット／ミニスロット／ＴＴＩ  ｎでＰＵＳＣＨおよびＳＲＳを伝送するようにスケジュールされる場合、およびＵＥが、サブフレーム／スロット／ミニスロット／ＴＴＩ  ｎでＰＵＳＣＨ伝送のためのチャネルにアクセスすることができない場合、ＵＥは、ＳＲＳ伝送用に指定されたアップリンクチャネルアクセスプロシージャに従って、サブフレーム／スロット／ミニスロット／ＴＴＩ  ｎでＳＲＳ伝送を行うことを試行することができる。
【０２２６】
一例では、チャネルアクセス優先度クラスとチャネルアクセス優先度クラスの関連付けられたパラメータとが、図１６に示されている。一例では、ｐ＝３、４に対して、上位層パラメータ（例えば、ａｂｓｅｎｃｅＯｆＡｎｙＯｔｈｅｒＴｅｃｈｎｏｌｏｇｙ）がＴＲＵＥを示す場合、Ｔｕｌｍ  ｃｏｔ，ｐは１０ミリ秒であることが可能であり、そうでない場合、Ｔｕｌｍ  ｃｏｔ，ｐは６ミリ秒であることが可能である。
【０２２７】
一例では、Ｔｕｌｍ  ｃｏｔ，ｐが６ミリ秒である場合、１つ以上のギャップを挿入することによって、Ｔｕｌｍ  ｃｏｔ，ｐを８ミリ秒に増やすことができる。ギャップの最小持続時間は、１００マイクロ秒であることが可能である。任意のこのようなギャップを含める前の最大持続時間は、６ミリ秒であることが可能である。
【０２２８】
一例では、第１のフィールド（例えば、ＵＬ持続時間およびオフセットフィールド）がサブフレーム／スロット／ミニスロット／ＴＴＩ  ｎ間のＵＬオフセットｌおよびＵＬ持続時間ｄを構成する場合、スケジュールされたＵＥは、サブフレーム／スロット／ミニスロット／ＴＴＩ  ｎ＋ｌ＋ｉでの伝送には、ＵＥ伝送の終了がサブフレーム／スロット／ミニスロット／ＴＴＩ  ｎ＋ｌ＋ｄ−１で発生する場合にこれらのサブフレーム／スロット／ミニスロット／ＴＴＩ間のＵＬ許可でシグナリングされたチャネルアクセスタイプにかかわらず、第２のタイプチャネルアクセスを使用することができ、ここで、ｉ＝０，１，．．．ｄ−１である。
【０２２９】
一例では、１つ以上の第１のフィールド（例えば、ＵＬ持続時間およびオフセットフィールド）が、サブフレーム／スロット／ミニスロット／ＴＴＩ  ｎ間のＵＬオフセットｌおよびＵＬ持続時間ｄを構成し、かつ１つ以上の第２のフィールド（例えば、ＡＵＬフィールドについてのＣＯＴ共有表示）が真に設定されている場合、自律ＵＬを用いて構成されたＵＥは、サブフレーム／スロット／ミニスロット／ＴＴＩ  ｎ＋ｌ＋ｉでの任意の優先度クラスに対応する自律ＵＬ伝送には、ＵＥ自律ＵＬ伝送の終了がサブフレーム／スロット／ミニスロット／ＴＴＩ  ｎ＋ｌ＋ｄ−１内またはその前に発生し、かつｎ＋ｌとｎ＋ｌ＋ｄ−１との間の自律ＵＬ伝送が連続し得る場合、第２のタイプチャネルアクセスを使用することができ、ここで、ｉ＝０，１，．．．ｄ−１である。
【０２３０】
一例では、１つ以上の第１のフィールド（例えば、ＵＬ持続時間およびオフセットフィールド）がサブフレーム／スロット／ミニスロット／ＴＴＩ  ｎ間のＵＬオフセットｌおよびＵＬ持続時間ｄを構成し、かつ１つ以上の第２のフィールド（例えば、ＡＵＬフィールドについてのＣＯＴ共有表示）が偽に設定されている場合、自律ＵＬを用いて構成されたＵＥは、サブフレーム／スロット／ミニスロット／ＴＴＩ  ｎ＋ｌ＋ｉで自律ＵＬを伝送しないことが可能であり、ここで、ｉ＝０，１，．．．ｄ−１である。
【０２３１】
一例では、ＵＥが、１つ以上のＰＤＣＣＨ  ＤＣＩフォーマットを使用してサブフレーム／スロット／ミニスロット／ＴＴＩｎ０，ｎ１，．．．，ｎｗ−１のセットでＰＵＳＣＨを含む伝送を伝送するようにスケジュールされた場合であって、かつＵＥが、サブフレーム／スロット／ミニスロット／ＴＴＩ  ｎｋでの伝送のためにチャネルにアクセスすることができない場合、ＵＥは、ＤＣＩに示されたチャネルアクセスタイプに従ってサブフレーム／スロット／ミニスロット／ＴＴＩ  ｎｋ＋１での伝送を試行することができ、ここで、ｋ∈｛０，１，．．．ｗ−２｝であり、ｗは、ＤＣＩに示されたスケジュールされたサブフレーム／スロット／ミニスロット／ＴＴＩの数である。
【０２３２】
一例では、ＵＥが、１つ以上のＰＤＣＣＨ  ＤＣＩフォーマットを使用してサブフレーム／スロット／ミニスロット／ＴＴＩ  ｎ０、ｎ１、．．．、ｎｗ−１のセットで、ＰＵＳＣＨを含むギャップを用いずに伝送を伝送するようにスケジュールされており、ＵＥが、第１のタイプまたは第２のタイプのＵＬチャネルアクセスプロシージャのうちの１つに従ってキャリアにアクセスした後、サブフレーム／スロット／ミニスロット／ＴＴＩ  ｎｋでの伝送を実行する場合、ＵＥは、ｎｋ後のサブフレーム／スロット／ミニスロット／ＴＴＩでの伝送を継続することができ、ここで、ｋ∈｛０，１，．．．ｗ−１｝である。
【０２３３】
一例では、サブフレーム／スロット／ミニスロット／ＴＴＩ  ｎ＋１でのＵＥ伝送の開始が、サブフレーム／スロット／ミニスロット／ＴＴＩ  ｎでのＵＥ伝送の終了の直後に続く場合、ＵＥは、それらのサブフレーム／スロット／ミニスロット／ＴＴＩでの伝送用の異なるチャネルアクセスタイプを用いて示されることを予想しないことが可能である。
【０２３４】
一例では、ＵＥが、１つ以上のＰＤＣＣＨ  ＤＣＩフォーマットおよび第１のタイプのチャネルアクセスプロシージャを使用してサブフレーム／スロット／ミニスロット／ＴＴＩ  ｎ０，ｎ１，．．．，ｎｗ−１のセットで、第１のモードＰＵＳＣＨを含む伝送を伝送するようにスケジュールされた場合であって、かつＵＥが、ＤＣＩに示されたＰＵＳＣＨ開始位置に従ってサブフレーム／スロット／ミニスロット／ＴＴＩ  ｎｋでの伝送のためにチャネルにアクセスすることができない場合、ＵＥは、ＯＦＤＭシンボルのオフセットｏｉを用いて、およびＤＣＩに示されたチャネルアクセスタイプに従って、サブフレーム／スロット／ミニスロット／ＴＴＩ  ｎｋでの伝送を行うことを試行することができ、ここで、ｋ∈｛０，１，．．．ｗ−１｝およびｉ∈｛０，７｝であり、ｉ＝０について、ＤＣＩに示されたＰＵＳＣＨ開始位置で試行が行われ、ｗは、ＤＣＩに示されたスケジュールされたサブフレーム／スロット／ミニスロット／ＴＴＩの数である。一例では、ＵＥが伝送のために行うべき試行の数に制限がないことが可能である。
【０２３５】
一例では、ＵＥが、１つ以上のＰＤＣＣＨ  ＤＣＩおよび第２のタイプのチャネルアクセスプロシージャを使用してサブフレーム／スロット／ミニスロット／ＴＴＩ  ｎ０，ｎ１，．．．，ｎｗ−１のセットで、第１のモードＰＵＳＣＨを含む伝送を伝送するようにスケジュールされた場合であって、かつＵＥが、ＤＣＩに示されたＰＵＳＣＨ開始位置に従ってサブフレーム／スロット／ミニスロット／ＴＴＩ  ｎｋでの伝送のためにチャネルにアクセスすることができない場合、ＵＥは、ＯＦＤＭシンボルのオフセットｏｉを用いて、およびＤＣＩに示されたチャネルアクセスタイプに従って、サブフレーム／スロット／ミニスロット／ＴＴＩ  ｎｋでの伝送を行うことを試行することができ、ここで、ｋ∈｛０，１，．．．ｗ−１｝およびｉ∈｛０，７｝であり、ｉ＝０について、ＤＣＩに示されたＰＵＳＣＨ開始位置で試行が行われ、ｗは、ＤＣＩに示されたスケジュールされたサブフレーム／スロット／ミニスロット／ＴＴＩの番号である。一例では、ＵＥが伝送のために行い得る試行の数を、ｗ＋１に制限することができ、ここで、ｗは、ＤＣＩに示されたスケジュールされたサブフレーム／スロット／ミニスロット／ＴＴＩの数である。
【０２３６】
一例では、ＵＥが、１つ以上のＰＤＣＣＨ  ＤＣＩフォーマットを使用してサブフレーム／スロット／ミニスロット／ＴＴＩ  ｎ０，ｎ１，．．．，ｎｗ−１でギャップを用いずに伝送するようにスケジュールされた場合であって、かつＵＥが、サブフレーム／スロット／ミニスロット／ＴＴＩ  ｎｋ１，ｋ１∈｛０，１，．．．ｗ−２｝の間またはその前に伝送を停止した場合であって、かつＵＥが伝送を停止した後、チャネルがＵＥによって継続的にアイドルであると検知された場合、ＵＥは、第２のタイプのチャネルアクセスプロシージャを使用して、後のサブフレーム／スロット／ミニスロット／ＴＴＩ  ｎｋ２、ｋ２∈｛１，…ｗ−１｝で伝送することができる。ＵＥが伝送を停止した後、ＵＥによって検知されたチャネルが継続的にアイドルでない場合、ＵＥは、サブフレーム／スロット／ミニスロット／ＴＴＩ  ｎｋ２に対応するＤＣＩに示されたＵＬチャネルアクセス優先度クラスを用いる第１のタイプのチャネルアクセスプロシージャを使用して、後のサブフレーム／スロット／ミニスロット／ＴＴＩ  ｎｋ２，ｋ２∈｛１，．．．ｗ−１｝で伝送することができる。
【０２３７】
一例では、ＵＥが、ＵＬ許可を受信し、かつＤＣＩが、第１のタイプのチャネルアクセスプロシージャを使用してサブフレーム／スロット／ミニスロット／ＴＴＩ  ｎで開始するＰＵＳＣＨ伝送を示す場合であって、かつＵＥが、サブフレーム／スロット／ミニスロット／ＴＴＩ  ｎの前に進行中の第１のタイプのチャネルアクセスプロシージャを有する場合、進行中の第１のタイプのチャネルアクセスプロシージャに使用されているＵＬチャネルアクセス優先度クラス値ｐ１が、ＤＣＩに示されたＵＬチャネルアクセス優先度クラス値ｐ２と同じであるかそれよりも大きい場合、ＵＥは、進行中の第１のタイプのチャネルアクセスプロシージャを使用することによってキャリアにアクセスすることによって、ＵＬ許可に応答してＰＵＳＣＨ伝送を伝送することができる。
【０２３８】
一例では、ＵＥが、ＵＬ許可を受信し、かつＤＣＩが、第１のタイプのチャネルアクセスプロシージャを使用してサブフレーム／スロット／ミニスロット／ＴＴＩ  ｎで開始するＰＵＳＣＨ伝送を示す場合であって、かつＵＥが、サブフレーム／スロット／ミニスロット／ＴＴＩ  ｎの前に進行中の第１のタイプのチャネルアクセスプロシージャを有する場合、進行中の第１のタイプチャネルアクセスプロシージャに使用されているＵＬチャネルアクセス優先度クラス値ｐ１が、ＤＣＩに示されたＵＬチャネルアクセス優先度クラス値ｐ２よりも小さい場合、ＵＥは、進行中のチャネルアクセスプロシージャを終了することができる。
【０２３９】
一例では、ＵＥが、サブフレーム／スロット／ミニスロット／ＴＴＩ  ｎでキャリアＣのセット上で伝送するようにスケジュールされた場合であって、かつキャリアＣのセット上でのＰＵＳＣＨ伝送をスケジューリングするＵＬ許可が第１のタイプのチャネルアクセスプロシージャを示す場合であって、かつキャリアＣのセット内のすべてのキャリアに対して同じＰＵＳＣＨ開始位置が示された場合か、またはＵＥが、第１のタイプのチャネルアクセスプロシージャを用いてサブフレーム／スロット／ミニスロット／ＴＴＩ  ｎでキャリアＣのセット上での自律アップリンク伝送を実行する場合であって、かつキャリアＣのセット内のすべてのキャリアに対して同じ
【数２】
2021525977.tif 000008
が使用される場合、ＵＥは、キャリアＣｊ∈Ｃ、ｉ≠ｊ、上でのＵＥ伝送の直前にキャリアｃｉ上で第２のタイプのチャネルアクセスプロシージャが実行される場合であって、かつＵＥが、第１のタイプのチャネルアクセスプロシージャを使用してキャリアＣｊにアクセスした場合、第２のタイプのチャネルアクセスプロシージャを使用して、キャリアＣｉ∈Ｃ上で伝送することができ、ここで、キャリアＣｊは、キャリアＣのセット内の任意のキャリアで第１のタイプのチャネルアクセスプロシージャを実行する前にキャリアＣのセットからＵＥによって均一にランダムに選択される。
【０２４０】
一例では、ＵＥが、キャリアｃｊ、ｉ≠ｊ、上で受信されたＵＬ許可によってキャリアｃｉ上で伝送するようにスケジュールされた場合であって、かつＵＥが、キャリアｃｉ上で自律ＵＬを使用して伝送中である場合、ＵＥは、受信されたＵＬ許可に従うＵＬ伝送の少なくとも１つのサブフレーム／スロット／ミニスロット／ＴＴＩ前に、自律ＵＬを使用した進行中のＰＵＳＣＨを終了することができる。
【０２４１】
一例では、ＵＥが、キャリアで受信されたＵＬ許可によって、第１のタイプのチャネルアクセスプロシージャを使用して同じキャリアでサブフレーム／スロット／ミニスロット／ＴＴＩ  ｎから開始するＰＵＳＣＨ伝送（複数可）を伝送するようにスケジュールされた場合であって、かつ少なくとも最初にスケジュールされたサブフレーム／スロット／ミニスロット／ＴＴＩが
【数３】
2021525977.tif 000009
個のリソースブロックを占有し、かつ示された「ＰＵＳＣＨ開始位置がＯＦＤＭシンボルゼロである場合であって、かつＵＥが、同じキャリアで第１のタイプのチャネルアクセスプロシージャを使用してサブフレーム／スロット／ミニスロット／ＴＴＩ  ｎの前に自律ＵＬ伝送を開始する場合、ＵＥは、実行されたチャネルアクセスプロシージャの優先度クラス値が、ＵＬ許可で示された優先度クラス値以上であり、かつサブフレーム／スロット／ミニスロット／ＴＴＩ  ｎに先行するサブフレーム／スロット／ミニスロット／ＴＴＩの自律ＵＬ伝送が、上位層パラメータＡｕｌＥｎｄｉｎｇＰｏｓｉｔｉｏｎにかかわらずサブフレーム／スロット／ミニスロット／ＴＴＩの最後のＯＦＤＭシンボルで終了し得る場合、ギャップを用いないサブフレーム／スロット／ミニスロット／ＴＴＩ  ｎからの受信したＵＬ許可に従って、ＵＬ伝送（複数可）を伝送することができる。自律ＵＬ伝送（複数可）とスケジュールされたＵＬ伝送（複数可）との長さの合計は、自律アップリンクチャネルアクセスプロシージャを実行するために使用される優先度クラス値に対応する最大チャネル占有時間を超えないことが可能である。それ以外の場合、ＵＥは、同じキャリアでの受信されたＵＬ許可に従うＵＬ伝送の開始の前に、少なくとも１つのサブフレーム／スロット／ミニスロット／ＴＴＩで、進行中の自律ＵＬ伝送を終了することができる。
【０２４２】
一例では、基地局は、基地局がチャネルアクセスプロシージャに従ってキャリアで伝送したときか、または基地局がチャネルアクセスプロシージャに従ってキャリアで送信したときに基地局が「ＵＬ持続時間およびオフセット」フィールドを使用して、ＵＥがサブフレーム／スロット／ミニスロット／ＴＴＩ  ｎにおけるキャリアでのＰＵＳＣＨを含む伝送（複数可）のための第２のタイプのチャネルアクセスプロシージャを示し得るときか、または基地局がチャネルアクセスプロシージャに従ってキャリアで伝送して、最大の優先度クラス値を使用してチャネルを取得して、かつ基地局伝送がＰＤＳＣＨを含むときに基地局が「ＵＬ持続時間およびオフセット」フィールドおよび「ＡＵＬに対するＣＯＴ共有表示」フィールドを使用して、自律ＵＬを用いて構成されたＵＥが、サブフレーム／スロット／ミニスロット／ＴＴＩ  ｎにおけるキャリアでのＰＵＳＣＨを含む伝送（複数可）のための第２のタイプのチャネルアクセスプロシージャを実行し得ることを示し得るときか、または基地局が、サブフレーム／スロット／ミニスロット／ＴＴＩ  ｎが、ｔ０で開始し、ｔ０＋ＴＣＯで終了する時間間隔内で発生する場合、Ｔｓｈｏｒｔ＿ｕｌ＝２５ｕｓの持続時間を用いるそのキャリアでの基地局による伝送の後に続くサブフレーム／スロット／ミニスロット／ＴＴＩ  ｎにおけるキャリアでのＰＵＳＣＨを含む伝送をスケジュールすることができるとき、もしくはとき、サブフレーム／スロット／ミニスロット／ＴＴＩ  ｎにおけるキャリアでのＰＵＳＣＨを含む伝送（複数可）をスケジュールするＵＬ許可のＤＣＩで第２のタイプのチャネルアクセスプロシージャを示すことができ、ここで、ＴＣＯ＝Ｔｍ  ｃｏｔ、ｐ＋Ｔｇであり、ここで、ｔ０は、基地局が伝送を開始した時刻であり得、Ｔｍ  ｃｏｔ、ｐ値は、基地局によって決定され得、Ｔｇは、基地局のＤＬ伝送と基地局によるＵＬ伝送との間と、ｔ０から開始する基地局によってスケジュールされた２つのＵＬ伝送の間と、に発生する、２５ｕｓよりも大きい持続時間のすべてのギャップの合計の持続時間であり得る。
【０２４３】
一例では、基地局は、連続するサブフレーム／スロット／ミニスロット／ＴＴＩでｔ０とｔ０＋ＴＣＯとの間のＵＬ伝送を、それらＵＬ伝送が連続してスケジュールできる場合、スケジュールすることができる。
【０２４４】
一例では、キャリアでのＵＬ伝送であって、Ｔｓｈｏｒｔ＿ｕｌ＝２５ｕｓの持続時間内にそのキャリアでの基地局による伝送の後に続くＵＬ伝送について、ＵＥは、ＵＬ伝送に第２のタイプのチャネルアクセスプロシージャを使用することができる。
【０２４５】
一例では、基地局が、ＤＣＩでＵＥのための第２のタイプのチャネルアクセスプロシージャを示す場合、基地局は、ＤＣＩでチャネルへのアクセス権を取得するために使用されるチャネルアクセス優先度クラスを示すことができる。
【０２４６】
一例では、ＵＥは、遅延持続時間Ｔｄのスロット持続時間中にチャネルがアイドルであると最初に検知した後、かつカウンタＮがステップ４でゼロになった後、第１のタイプのチャネルアクセスプロシージャを使用して伝送を伝送することができる。一例では、カウンタＮを、プロシージャに従って追加のスロット持続時間（複数可）の間チャネルを検知することによって調整することができる。
【０２４７】
一例では、ＵＥが、免許不要Ｓｃｅｌｌ（複数可）伝送（複数可）が実行されるキャリアでのＰＵＳＣＨまたはＳＲＳを含む伝送を伝送しなかった場合、ＵＥは、ＵＥがＰＵＳＣＨまたはＳＲＳを含む伝送を伝送する準備ができたときに少なくともスロット持続時間Ｔｓｌでアイドル状態であると検知された場合であって、かつチャネルが、ＰＵＳＣＨまたはＳＲＳを含む伝送の直前の遅延持続時間Ｔｄのすべての持続時間中にアイドルであると検知された場合、キャリアでのＰＵＳＣＨまたはＳＲＳを含む伝送を伝送することができる。ＵＥが伝送する準備ができた後にＵＥが最初にチャネルを検知するまで、チャネルがスロット持続時間Ｔｓｌでアイドルであると検知されなかった場合か、またはＰＵＳＣＨまたはＳＲＳを含む意図された伝送の直前の遅延持続時間Ｔｄのスロット持続時間のうちのいずれの間もチャネルがアイドルであると検知されなかった場合、ＵＥは、遅延持続時間Ｔｄのスロット持続時間中にチャネルがアイドルであると検知した後、ステップ１に進むことができる。
【０２４８】
一例では、遅延持続時間Ｔｄは、ｍｐ連続スロット持続時間が直後に続く持続時間Ｔｆ＝１６ｕｓからなり、ここで、各スロット持続時間はＴｓｌ＝９ｕｓであり、Ｔｆは、Ｔｆの開始時にアイドルスロット持続時間Ｔｓｌを含むことができる。
【０２４９】
一例では、ＵＥがスロット持続時間中にチャネルを検知し、かつスロット持続時間内に少なくとも４ｕｓ間ＵＥによって検出された電力がエネルギー検出閾値ＸＴｈｒｅｓｈ未満である場合、スロット持続時間Ｔｓｌを、アイドルであると見なすことができる。それ以外の場合、スロット持続時間Ｔｓｌは、ビジーであると見なすことができる。
【０２５０】
一例では、ＣＷｍｉｎ，ｐ≦ＣＷｐ≦ＣＷｍａｘ，ｐは、コンテンションウィンドウであり得る。一例では、ＣＷｍｉｎ，ｐおよびＣＷｍａｘ，ｐを、チャネルアクセスプロシージャの前に選択することができる。一例では、図１６に示すように、ｍｐ、ＣＷｍｉｎ，ｐ、およびＣＷｍａｘ，ｐは、ＵＥにシグナリングされたチャネルアクセス優先度クラスに基づくことができる。
【０２５１】
一例では、ＵＬ  ＵＥが、ＰＵＳＣＨを含む伝送のために第２のタイプのチャネルアクセスプロシージャを使用する場合、ＵＥは、少なくとも検知間隔Ｔｓｈｏｒｔ＿ｕｌ＝２５ｕｓの間、チャネルがアイドルであると検知した直後に、ＰＵＳＣＨを含む伝送を伝送することができる。一例では、Ｔｓｈｏｒｔ＿ｕｌは、１つのスロット持続時間Ｔｓｌ＝９ｕｓが直後に続く持続時間Ｔｆ＝１６ｕｓからなり、Ｔｆは、Ｔｆの開始時にアイドルスロット持続時間Ｔｓｌを含むことができる。チャネルがＴｓｈｏｒｔ＿ｕｌのスロット持続時間の間アイドルであると検知された場合、チャネルを、Ｔｓｈｏｒｔ＿ｕｌの間アイドルであると見なすことができる。
【０２５２】
一例では、ＵＥが、キャリアで、チャネルアクセス優先度クラスｐと関連付けられた第１のタイプのチャネルアクセスプロシージャを使用して伝送を伝送する場合、ＵＥは、コンテンションウィンドウ値ＣＷｐを維持することができ、チャネルアクセスプロシージャの前にそれらの伝送のためにＣＷｐを調整することができる。
【０２５３】
一例では、ＵＥが、ＵＬ許可またはＡＵＬ−ＤＦＩを受信した場合、優先度クラスのコンテンションウィンドウサイズを、次の、
【０２５４】
ＨＡＲＱ＿ＩＤ＿ｒｅｆと関連付けられた少なくとも１つのＨＡＲＱプロセスのＮＤＩ値が切り替えられた場合か、またはｎｒｅｆ＋３の後の最も早いＡＵＬ−ＤＦＩで受信されたＨＡＲＱ＿ＩＤ＿ｒｅｆと関連付けられたＨＡＲＱプロセスのうちの少なくとも１つに対するＨＡＲＱ−ＡＣＫ値（複数可）がＡＣＫを示す場合、あらゆる優先度クラスｐ∈｛１，２，３，４｝に対して、ＣＷｐ＝ＣＷｍｉｎ，ｐに設定される、ように調整することができる。それ以外の場合、ＣＷｐは、あらゆる優先度クラスｐ∈｛１，２，３，４｝に対して次に高い許容値に増加することができる。
【０２５５】
一例では、第１のタイプチャネルアクセスプロシージャを使用する１つ以上の以前の伝送｛Ｔ０，．．．，Ｔｎ｝が存在して、その以前の伝送（複数可）の開始サブフレーム（複数可）／スロット（複数可）／ミニスロット（複数可）／ＴＴＩ（複数可）からＮ以上のサブフレーム／スロット／ミニスロット／ＴＴＩが経過し、かつＵＬ許可もＡＵＬ−ＤＦＩも受信されなかった場合、Ｘ＞０の場合にＮ＝ｍａｘ（コンテンションウィンドウサイズ調整時間Ｘ、Ｔｉバースト長＋１）でそれ以外の場合にＮ＝０として、各伝送Ｔｉについて、ＣＷｐは、次の、
【０２５６】
あらゆる優先度クラスｐ∈｛１，２，３，４｝に対するＣＷｐを、次に高い許容値に増加させる、ように調整され、ＣＷｐは、１回調整される。それ以外の場合、ＵＥが、第１のタイプのチャネルアクセスプロシージャを使用して以前のＵＬ伝送バーストの開始からＮサブフレーム／スロット／ミニスロット／ＴＴＩが経過する前に第１のタイプのチャネルアクセスプロシージャを使用して伝送を伝送し、かつＵＬ許可もＡＵＬ−ＤＦＩも受信されない場合、ＣＷｐは変更されない。
【０２５７】
一例では、ＵＥが、ＵＬ許可を受信するか、またはＡＵＬ−ＤＦＩが、第１のタイプチャネルアクセスプロシージャを使用して１つ以上の以前の伝送｛Ｔ０，．．．，Ｔｎ｝に対するフィードバックを示し、その以前の伝送（複数可）の開始サブフレーム（複数可）／スロット（複数可）／ミニスロット（複数可）／ＴＴＩ（複数可）から、Ｎ以上のサブフレーム／スロット／ミニスロット／ＴＴＩが経過し、かつＵＬ認可もＡＵＬ−ＤＦＩも受信されなかった場合、Ｘ＞０の場合にＮ＝ｍａｘ（コンテンションウィンドウサイズ調整時間Ｘ、Ｔｉバースト長＋１）でそれ以外の場合にＮ＝０として、ＵＥは、ＣＷｐを、次の、ＵＥが第１のタイプのチャネルアクセスプロシージャを使用してＣＷｐを、ｎＴ０で伝送するために使用される値に戻し、ＵＥがＣＷｐを伝送の順序｛Ｔ０，．．．，Ｔｎ｝で順次更新するように、再計算することができる。ＨＡＲＱ＿ＩＤ＿ｒｅｆ’と関連付けられた少なくとも１つのＨＡＲＱプロセスのＮＤＩ値が切り替えられた場合か、またはｎＴｉ＋３の後の最も早いＡＵＬ−ＤＦＩで受信されたＨＡＲＱ＿ＩＤ＿ｒｅｆ’と関連付けられたＨＡＲＱプロセスのうちの少なくとも１つに対するＨＡＲＱ−ＡＣＫ値（複数可）がＡＣＫを示す場合。あらゆる優先度クラスｐ∈｛１，２，３，４｝に対して、ＣＷｐ＝ＣＷｍｉｎ，ｐに設定される。それ以外の場合、あらゆる優先度クラスｐ∈｛１，２，３，４｝に対して、ＣＷｐを次に高い許容値に増加させる。
【０２５８】
ＵＥが、第１のタイプのチャネルアクセスプロシージャを使用して以前のＵＬ伝送バーストの開始からＮサブフレーム／スロット／ミニスロット／ＴＴＩが経過する前に第１のタイプのチャネルアクセスプロシージャを使用して伝送を伝送し、かつＵＬ許可もＡＵＬ−ＤＦＩも受信されない場合、ＣＷｐを変更しないことが可能である。
【０２５９】
一例では、ＨＡＲＱ＿ＩＤ＿ｒｅｆは、基準サブフレーム／スロット／ミニスロット／ＴＴＩ  ｎｒｅｆにおけるＵＬ−ＳＣＨのＨＡＲＱプロセスＩＤであり得る。基準サブフレーム／スロット／ミニスロット／ＴＴＩ  ｎｒｅｆを、次の、ＵＥが、サブフレーム／スロット／ミニスロット／ＴＴＩ  ｎｇでＵＬ許可またはＡＵＬ−ＤＦＩを受信した場合、サブフレーム／スロット／ミニスロット／ＴＴＩ  ｎｗは、ＵＥが第１のタイプのチャネルアクセスプロシージャを使用してＵＬ−ＳＣＨを伝送したサブフレーム／スロット／ミニスロット／ＴＴＩ  ｎｇ−３前の最新のサブフレーム／スロット／ミニスロット／ＴＴＩであり得るように決定することができる。一例では、ＵＥが、サブフレーム／スロット／ミニスロット／ＴＴＩ  ｎ０で開始するギャップを用いずに、サブフレーム／スロット／ミニスロット／ＴＴＩ  ｎ０，ｎ１，．．．，ｎｗで、ＵＬ−ＳＣＨを含む伝送を伝送し、かつサブフレーム／スロット／ミニスロット／ＴＴＩ  ｎ０におけるＵＬ−ＳＣＨは、サブフレーム／スロット／ミニスロット／ＴＴＩの第２のスロットで開始するＰＵＳＣＨモード１ではない場合、基準サブフレーム／スロット／ミニスロット／ＴＴＩ  ｎｒｅｆは、サブフレーム／スロット／ミニスロット／ＴＴＩ  ｎ０であり得る。一例では、ＵＥが、サブフレーム／スロット／ミニスロット／ＴＴＩ  ｎ０の第２のスロットで開始するギャップを用いずに、かつサブフレーム／スロット／ミニスロット／ＴＴＩ  ｎ０，ｎ１，．．．，ｎｗおよびで、第１のＰＵＳＣＨモードを含む伝送を伝送する場合、基準サブフレーム／スロット／ミニスロット／ＴＴＩ  ｎｒｅｆは、サブフレーム／スロット／ミニスロット／ＴＴＩ  ｎ０およびｎ１であり、それ以外の場合、基準サブフレーム／スロット／ミニスロット／ＴＴＩ  ｎｒｅｆは、サブフレーム／スロット／ミニスロット／ＴＴＩ  ｎｗであり得る。
【０２６０】
一例では、ＨＡＲＱ＿ＩＤ＿ｒｅｆ’は、基準サブフレーム／スロット／ミニスロット／ＴＴＩ  ｎＴｉにおけるＵＬ−ＳＣＨのＨＡＲＱプロセスＩＤであり得る。基準サブフレーム／スロット／ミニスロット／ＴＴＩ  ｎＴｉを、第１のタイプのチャネルアクセスプロシージャを使用する伝送Ｔｉであって、そのうちのＮサブフレーム／スロット／ミニスロット／ＴＴＩが経過し、かつＵＬ認可もＡＵＬ−ＤＦＩも受信されなかった伝送の、開始サブフレーム／スロット／ミニスロット／ＴＴＩとして決定することができる。
【０２６１】
一例では、第１のＤＣＩフォーマットを有するＡＵＬ−ＤＦＩがＡＵＬ伝送を用いて作動させたＵＥに示され、かつ第２の伝送モードが許可ベースのアップリンク伝送のためにＵＥ用に構成された場合、空間ＨＡＲＱ−ＡＣＫバンドリングを、自律ＵＬ伝送用に構成されていないＨＡＲＱプロセスについての複数のコードワードにわたる論理ＯＲ演算によって実行することができる。
【０２６２】
一例では、ＣＷｐが、進行中のチャネルアクセスプロシージャ中に変化する場合、ＵＥは、カウンタＮｉｎｉｔを引き出し、それを進行中のチャネルアクセスプロシージャに適用することができる。
【０２６３】
一例では、ＵＥが、第１のタイプのチャネルアクセスプロシージャを使用して、サブフレーム／スロット／ミニスロット／ＴＴＩ  ｎ０、ｎ１，．．．，ｎｗ−１のセットで、ＰＵＳＣＨを含むギャップを用いずに伝送を伝送するようにスケジュールされている場合であって、かつＵＥが、サブフレーム／スロット／ミニスロット／ＴＴＩのセットで、ＰＵＳＣＨを含むいかなる伝送をも伝送することができない場合、ＵＥは、あらゆる優先度クラスｐ∈｛１，２，３，４｝に対してＣＷｐの値を不変に保持することができる。
【０２６４】
一例では、最後にスケジュールされた伝送に対する基準サブフレーム／スロット／ミニスロット／ＴＴＩもｎｒｅｆである場合、ＵＥは、あらゆる優先度クラスｐ∈｛１，２，３，４｝に対して、ＣＷｐの値を、第１のタイプのチャネルアクセスプロシージャを使用する、ＰＵＳＣＨを含む最後にスケジュールされた伝送に対するものと同じに保持することができる。
【０２６５】
一例では、ＣＷｐ＝ＣＷｍａｘ，ｐの場合、ＣＷｐを調整するための次に高い許容値は、ＣＷｍａｘ，ｐである。
【０２６６】
一例では、ＣＷｐ＝ＣＷｍａｘ，ｐが、Ｎｉｎｉｔの生成にＫ回連続して使用される場合、ＣＷｐ＝ＣＷｍａｘ，ｐである優先度クラスｐが、Ｎｉｎｉｔの生成にＫ回連続して使用されるという理由で、ＣＷｐをＣＷｍｉｎ，ｐにリセットすることができる。一例では、Ｋを、優先度クラスｐ∈｛１，２，３，４｝に対する値のセット｛１，２，…，８｝からＵＥによって選択することができる。
【０２６７】
一例では、ＬＡＡ  Ｓｃｅｌｌ（複数可）伝送（複数可）が実行されるキャリアにアクセスするＵＥは、エネルギー検出閾値（ＸＴｈｒｅｓｈ）を最大エネルギー検出閾値ＸＴｈｒｅｓｈ＿ｍａｘ以下に設定することができる。
【０２６８】
一例では、ＵＥが、上位層パラメータｍａｘＥｎｅｒｇｙＤｅｔｅｃｔｉｏｎＴｈｒｅｓｈｏｌｄを用いて構成される場合、ＸＴｈｒｅｓｈ＿ｍａｘを、上位層パラメータによってシグナリングされた値に等しく設定することができる。それ以外の場合、ＵＥは、エネルギー検出閾値を決定するための第１のプロシージャに従って、Ｘ’Ｔｈｒｅｓｈ＿ｍａｘを決定することができる。一例では、ＵＥが、上位層のパラメータｅｎｅｒｇｙＤｅｔｅｃｔｉｏｎＴｈｒｅｓｈｏｌｄＯｆｆｓｅｔを用いて構成される場合、上位層のパラメータによってシグナリングされたオフセット値に従ってＸ’Ｔｈｒｅｓｈ＿ｍａｘを調整することにより、ＸＴｈｒｅｓｈ＿ｍａｘを設定することができる。それ以外の場合、ＵＥは、ＸＴｈｒｅｓｈ＿ｍａｘ＝Ｘ’Ｔｈｒｅｓｈ＿ｍａｘを設定することができる。
【０２６９】
一例では、エネルギー検出閾値を決定するための第１のプロシージャは、次の、上位層パラメータａｂｓｅｎｃｅＯｆＡｎｙＯｔｈｅｒＴｅｃｈｎｏｌｏｇｙがＴＲＵＥを示す場合、
【数４】
2021525977.tif 000010
の通りであることが可能であり、ここで、Ｘｒは、規制要件によって定義される最大エネルギー検出閾値であり、このような要件が定義されている場合はｄＢｍであり、それ以外の場合はＸｒ＝Ｔｍａｘである。それ以外の場合、
【数５】
2021525977.tif 000011
ここで、ＴＡ＝１０ｄＢ、ＰＨ＝２３ｄＢｍであり、ＰＴＸは、ＰＣＭＡＸ＿Ｈ，ｃの値に設定されるものであり得、ＴｄＢｍ  ｌｏｇ１（３．１６２２８・１０−８（ｍＷ／ＭＨｚ）・ＢＷＭＨｚ（ＭＨｚ））ｍａｘ、ＢＷＭＨｚは、ＭＨｚでのシングルキャリア帯域幅であり得る。
【０２７０】
第５世代（５Ｇ）の新無線（ＮＲ）は、セルの１つ以上の帯域幅部分の設定をサポートすることができる。一例では、ＮＲキャリア／セルあたりのチャネル帯域幅は、サブ６ＧＨｚの場合は最大１００ＭＨｚであり、６ＧＨｚを上回る場合は最大４００ＭＨｚであり得る。免許不要ペクトル上でのＮＲ（ＮＲ−Ｕ）は、広帯域幅（例えば、数百ＭＨｚの帯域幅）を用いる伝送をサポートすることができる。デバイスが広帯域幅にわたるチャネルを検出すると、特に高負荷条件時に、クリアチャネルを検知する可能性が低くなる（例えば、より狭い帯域幅のチャネルを検出する場合と比較して）。ＮＲ−Ｕは、動的帯域幅（例えば、１０ＭＨｚ〜４００ＭＨｚ以上の範囲）を用いる伝送をサポートすることができる。一例では、帯域幅が第１の値（例えば、２０ＭＨｚ、４０ＭＨｚなど）よりも大きい場合、キャリアを広帯域キャリアと見なすことができる。一例では、帯域幅が第１の値（例えば、２０ＭＨｚ、４０ＭＨｚなど）よりも大きい場合、帯域幅部分を広帯域の帯域幅部分と見なすことができる。基地局は、ＲＲＣメッセージを伝送して、１つ以上のセルを構成することができる。一例では、セルは、複数のサブバンドを含むことができる。一例では、セルは、１つ以上のＢＷＰを含むことができる。ＢＷＰは、複数のサブバンドを含むことができる。セルは、ダウンリンクおよびアップリンクの制御チャネルおよびデータチャネルを含む。サブバンドは、セル／キャリアの複数の連続するリソースブロックを含む。
【０２７１】
例えば、キャリアアグリゲーション（ＣＡ）、広帯域キャリア伝送、それらの組み合わせなどのような、無線デバイスが広帯域伝送を実行するための様々なメカニズムを使用することができる。既存のＣＡ伝送（ＬＴＥベースのＬＡＡと同様）で、デバイスは、ＣＣまたはセルのチャネルがクリアであるときに無線デバイスがコンポーネントキャリア（ＣＣ）でまたはセル上で伝送するように、コンポーネントキャリアまたはセルごとにＬＢＴプロシージャを実行することができる。一例では、無線デバイスが、広帯域キャリアを用いて構成される場合、無線デバイスは、サブバンドごとにＬＢＴプロシージャを実行し、少なくとも１つの物理チャネルを介してクリアなサブバンドからリソースをアグリゲートすることができる。一例では、広帯域キャリア伝送では、デバイスは、広帯域にわたってＬＢＴプロシージャを実行し、広帯域キャリアがクリアであるときに、少なくとも１つの物理チャネルを介して広帯域キャリアにわたって伝送することができる。一例では、異なるＵＥは、ＵＥのＬＢＴ結果に応じて、異なる帯域幅サイズで通信し、異なる数のＲＢまたはサブバンドを用いて伝送することができる。異なるカテゴリ（例えば、ＬＢＴ  ＣＡＴ２プロシージャおよびＬＢＴ  ＣＡＴ４プロシージャ）に対する複数のＬＢＴタイプがある。例えば、ＬＢＴ  ＣＡＴ２プロシージャを、短期間（例えば、２５マイクロ秒）の間に実行することができ、ＬＢＴ  ＣＡＴ４プロシージャを、カウンタ動作期間および／またはタイマウィンドウを含むより長い期間にわたって実行することができる。
【０２７２】
一例では、基地局は、（例えば、免許不要キャリアのためのキャリアアグリゲーション（ＣＡ）メカニズム（複数可）を使用して）広帯域キャリアを含む複数の免許不要コンポーネントキャリアを構成することができる。例示的な既存の実装形態では、ＵＥは、１つ以上のキャリア／セルの広帯域幅（例えば、広帯域キャリア／セル）にわたってＬＢＴプロシージャを実行することができる。このプロセスは、実装するのが簡単であり得、ＬＢＴプロシージャが成功した場合、少なくとも広帯域キャリアを利用することができる。広帯域幅を有するキャリアに対してＬＢＴを実行することは、ＬＢＴの失敗確率の増大をもたらし得るため、このアプローチは非効率的であり得る。例えば、広帯域キャリア／セルまたはＢＷＰの広帯域ＬＢＴプロシージャは、広帯域キャリア／セルまたはＢＷＰの特定のサブバンド（複数可）にわたる伝送に干渉することに起因して失敗し得る。例えば、２０ＭＨｚ帯域幅を用いるＬＴＥ−ＬＡＡまたはＷｉ−Ｆｉ伝送は、４０ＭＨｚ帯域幅を用いる広帯域キャリアに干渉し得る。例示的な既存の実装形態では、無線デバイスは、広帯域キャリア／セルまたは広帯域ＢＷＰの異なるサブバンドにわたるバックオフ（例えば、ＬＢＴ  ＣＡＴ４、長いＬＢＴ）を用いるＬＢＴプロシージャを実行することができる。これは、クリアなチャネルを示す可能性を低下させ得、ＵＥの処理要件とＬＢＴプロシージャのバッテリ電力消費とを増加させ得る。例示的な既存の実装形態では、無線デバイスは、広帯域キャリア／セルまたは帯域幅部分の異なるサブバンドにわたって短いＬＢＴプロシージャ（例えば、ＬＢＴ  ＣＡＴ２）を実行することができる。これは、チャネルがクリアでないときにクリアチャネルを示す可能性を増加させ得、誤ったＬＢＴ結果の助長をもたらし得る。
【０２７３】
キャリア／セルまたはＢＷＰが複数のサブバンドを含む場合、サブバンドベースのＬＢＴプロシージャの既存の実装形態は、バッテリの消費電力の増加、過度のＬＢＴ障害、または誤ったＬＢＴ結果をもたらし得る。ＬＢＴプロセス中に、キャリア／セル／ＢＷＰのサブバンドサイズ、またはキャリア／セル／ＢＷＰのサブバンドのグループ化を動的に調整することによって、ＬＢＴプロセスを強化するためのいくつかの実装があった。既存の実装は、ＬＢＴプロセスおよび電力消費を向上させる効率性がなく、長い処理時間がかかり得る。
【０２７４】
広帯域キャリア／セルまたはＢＷＰが複数のサブバンドを含む場合、効率的なチャネルアクセスメカニズム（ＬＢＴプロシージャ）の必要性がある。キャリアアグリゲーションを使用して複数の広帯域キャリア／セル（複数のサブバンドを含む）がアグリゲートされる場合、効率的なチャネルアクセスメカニズム（ＬＢＴプロシージャ）の必要性がある。少なくとも１つの広帯域キャリア／セル／ＢＷＰが免許不要帯域で構成される場合、効率的なチャネルアクセスメカニズムの必要性がある。広帯域キャリア／セル／ＢＷＰは、複数のサブバンドを含むことができる。例示的な実施形態は、キャリア／セル／ＢＷＰの異なるサブバンド上で異なるタイプのＬＢＴを実装することによって、強化されたチャネルアクセスメカニズムを提供する。複数のサブバンドを含むキャリア／セル／ＢＷＰのチャネルがクリアであるかどうかを判定するための様々なタイプのＬＢＴの実装形態は、ＬＢＴプロセスの高速化、バッテリ電力消費の低下、およびＬＢＴ結果の確実さをもたらし得る。例示的な実施形態は、キャリア／セル／ＢＷＰの異なるサブバンドに対する第１のタイプのＬＢＴと第２のタイプのＬＢＴとの両方に基づいて、キャリア／セル／ＢＷＰのチャネルのＬＢＴプロセスの結果を決定する。第１のタイプのＬＢＴは、バックオフを用いるＬＢＴ（例えば、ＬＢＴ  ＣＡＴ４）であり、第２のタイプのＬＢＴは、ワンショットＬＢＴ（例えば、ＬＢＴ  ＣＡＴ２）である。例示的な実施形態は、広帯域免許不要キャリアでの伝送と、複数の広帯域免許不要キャリアを用いるキャリアアグリゲーションと、のための強化されたチャネルアクセスメカニズムを提供する。
【０２７５】
例示的な実施形態では、図１９は、リソースブロック（ＲＢ）、サブバンド（複数可）、ＢＷＰ（複数可）、およびセル（複数可）の間の関係を示すことができる。サブバンドは、Ｍ個のリソースブロック（複数可）（ＲＢ）を含むことができる。ＢＷＰは、Ｎ個のサブバンドを含むことができる。セルは、Ｋ個のＢＷＰを含むことができる。セルは、Ｌ個のサブバンドを含むことができる。Ｍ、Ｎ、Ｋ、Ｌは、ゼロよりも大きい正の整数であり得る。一例では、Ｎ＝１のとき、サブバンドは、ＢＷＰであり得る。例示的な一実施形態が、図２０Ａおよび図２０Ｂに示されている。図２０Ａに示すように、セルは、複数のサブバンドを含むことができ、異なるセルは、異なるまたは同じ数のサブバンドを含むことができる。サブバンドは、バンドの１つ以上のＲＢを含むことができる。サブバンド帯域幅は、例えば、２０ＭＨｚであり得る。例示的な一実施形態では、セル０は、Ｌ０個のサブバンドを含むことができ、ここで、Ｌ０は、ゼロよりも大きい正の整数であり得る。セル１は、Ｌ１個のサブバンドを含むことができ、ここで、Ｌ１は、ゼロよりも大きい正の整数であり得る。セルｎは、Ｌｎ個のサブバンドを含むことができ、ここで、Ｌｎは、ゼロよりも大きい正の整数であり得る。
【０２７６】
一例では、図２０Ｂに示すように、無線デバイスは、ｇＮＢからＲＲＣメッセージ（複数可）を受信することができる。ＲＲＣメッセージ（複数可）は、複数のセルの構成パラメータ（キャリアアグリゲーション構成）を含むことができる。ＲＲＣメッセージ（複数可）は、リスンビフォアトーク（ＬＢＴ）構成パラメータを含むことができる。ＲＲＣメッセージ（複数可）は、帯域幅部分（ＢＷＰ）構成パラメータを含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を示すことができる。帯域幅部分（ＢＷＰ）構成パラメータは、ＢＷＰ識別、ダウンリンクおよびアップリンクのチャネル構成、および／または無線リンク監視構成を含むことができる。無線デバイスは、図１８に示すように、ｇＮＢから、アップリンク（ＵＬ）許可および／またはダウンリンク（ＤＬ）許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０２７７】
一例では、図２０Ｂに示すように、無線デバイスは、構成されたセル（複数可）から１つのセルを選択することができる。選択は、ランダムな選択（例えば、均一な分布を有する）であり得る。選択は、限られた持続時間中、例えば１秒以上の間に、１回以下の頻度であり得る。無線デバイスは、選択されたセルから１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０２７８】
一例では、図２０Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、選択されたサブバンドのチャネルを保持することができる。無線デバイスは、（例えば、時間ｎ＋ｋ＋ｍ〜時間ｎ＋ｋ＋ｍ＋ｈに）構成されたセル（複数可）の他のサブバンド上で第２のタイプのリスンビフォアトーク（ＬＢＴ）を実行することができる。一例では、無線デバイスは、構成されたセル（複数可）の他のサブバンドの各々上で第２のタイプのＬＢＴを実行することができる。一例では、第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセル（複数可）の他のサブバンド上で成功すると、無線デバイスは、選択されたサブバンドおよび成功したＬＢＴと関連付けられた他のサブバンド上で、（例えば、時間ｎ＋ｋ＋ｍ＋ｈから）データを伝送することができる。第２のタイプのリスンビフォアトーク（ＬＢＴ）が、時間ｎ＋ｋ＋ｍ＋ｈに、構成されたセル（複数可）の他のサブバンドのうちの１つ以上上で失敗すると、無線デバイスは、時間ｎ＋ｋ＋ｍ＋ｈから、クリアチャネル（例えば、第１のタイプのＬＢＴおよび／または第２のタイプのＬＢＴによって示される）を用いて、サブバンド上でデータ伝送を実行することができる。
【０２７９】
一例では、図２０Ｂに示すように、第１のタイプのリスンビフォアトーク（ＬＢＴ）が、選択されたサブバンド上で失敗し、かつ選択されたサブバンド上で時間ｎ＋ｋ＋ｍにチャネルがビジーであることを示すと、無線デバイスは、選択されたサブバンド上で第１のタイプのリスンビフォアトーク（ＬＢＴ）を実行することができる。一例では、第１のタイプのリスンビフォアトーク（ＬＢＴ）が、選択されたサブバンド上で失敗し、かつ選択されたサブバンド上で時間ｎ＋ｋ＋ｍにチャネルがビジーであることを示すと、無線デバイスは、別の選択された（例えば、選択されたセルのサブバンドから無線デバイスによってランダムに選択された）サブバンド上で第１のタイプのリスンビフォアトーク（ＬＢＴ）を実行することができる。第１のタイプのリスンビフォアトーク（ＬＢＴ）が、選択されたサブバンドで成功し、かつ選択されたサブバンド上のチャネルがアイドルであることを示した後、無線デバイスは、構成されたセル（複数可）の他のサブバンド上で第２のタイプのリスンビフォアトーク（ＬＢＴ）を実行することができる。一例では、第１のタイプのリスンビフォアトーク（ＬＢＴ）が、選択されたサブバンド上で成功し、かつ選択されたサブバンド上のチャネルがアイドルであることを示した後、無線デバイスは、構成されたセル（複数可）の他のサブバンドの各々上で第２のタイプのＬＢＴを実行することができる。一例では、選択されたサブバンド上での第１のタイプのリスンビフォアトーク（ＬＢＴ）が、構成された最大ＬＢＴ時間閾値を超えて継続的に失敗し、かつ選択されたサブバンド上でチャネルがビジーであることを示すと、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間および／またはカウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０２８０】
無線デバイスは、ＬＢＴプロシージャが（例えば、構成されたセル（複数可）の、選択されたサブバンド上、および他のサブバンドのうちの１つ以上上の）クリアチャネルを示すと、複数のセル（複数可）のうちの１つ以上のセルを介して１つ以上のトランスポートブロックをｇＮＢに伝送することができる。一例では、第２のタイプのリスンビフォアトーク（ＬＢＴ）が、構成されたセル（複数可）の他のサブバンドのうちの１つ以上上で失敗すると、無線デバイスは、クリアチャネル（例えば、第１のタイプのＬＢＴが成功した選択されたサブバンド、および／または第２のタイプのＬＢＴが成功した構成されたセル（複数可）の他のサブバンドのうちの１つ以上のサブバンド）を有するサブバンド上でデータ伝送を実行することができる。一例では、ＬＢＴは、第１のセルの１つ以上のサブバンド上のクリアチャネルを示すことができ、第１のセルの１つ以上の他のサブバンド上のビジーチャネルを示すことができる。無線デバイスは、クリアチャネルを有する１つ以上のサブバンド上で１つ以上のトランスポートブロックを伝送することができる。無線デバイスは、ビジーチャネルを有する１つ以上の他のサブバンド上で１つ以上のトランスポートブロックを伝送しないことが可能である。無線デバイスは、１つ以上のトランスポートブロックの複数のバージョン、例えば、第１の数のサブバンドを介した伝送のための第１の１つ以上のトランスポートブロックと、第２の数のサブバンドを介した伝送のための第２の１つ以上のトランスポートブロックと、を構築することができる。無線デバイスは、データパンクチャリングまたはレートマッチングを実行して、第２の数のサブバンドを介して１つ以上のトランスポートブロックを構築することができる（例えば、第２の数は第１の数よりも小さい）。
【０２８１】
一例では、無線デバイスは、第１の数のサブバンド上で１つ以上の第１の数のトランスポートブロックを伝送することができる。無線デバイスは、第２の数のサブバンド上で１つ以上の第２の数のトランスポートブロックを伝送することができる。一例では、無線デバイスは、ＬＢＴが実行されるサブバンド上でＬＢＴが成功したことに応答して、セルを介して伝送することができる。一例において、サブバンドのうちの１つのＬＢＴが失敗した場合、無線デバイスは伝送しないことが可能である。
【０２８２】
一例では、無線デバイスは、複数の免許不要セルの構成パラメータを含む少なくとも１つのメッセージを受信することができる。構成パラメータは、複数のセルの１つ以上のパラメータを含むことができる。複数の免許不要セルの各セルは、１つ以上のサブバンド、および１つ以上のリスンビフォアトークパラメータを含むことができる。一例では、無線デバイスは、複数のセルのうちの複数の第１のセル上でのアップリンク伝送を示す少なくとも１つのダウンリンク制御情報を受信することができる。複数の第１のセル上でのアップリンク伝送は、同じ開始時間を有することができる。一例では、無線デバイスは、複数の第１のセルのうちの第１のセルを選択することができる。一例では、無線デバイスは、第１のセルの第１のサブバンドを選択することができる。一例では、無線デバイスは、第１のサブバンド上で第１のタイプのリスンビフォアトークを実行することができる。一例では、無線デバイスは、第１のタイプのリスンビフォアトークが第１のサブバンド上のクリアチャネルを示し得ると判定することができる。一例では、無線デバイスは、第１のセルの１つ以上の他のサブバンド上、および第１のセルを除く複数の第１のセルのうちの他のセルの１つ以上のサブバンド上で、第２のタイプのリスンビフォアトークを実行することができる。一例では、無線デバイスは、第１のタイプのリスンビフォアトークがクリアチャネルを示し、かつ第２のタイプのリスンビフォアトークがクリアチャネルを示すことに応答して、複数の第１のセル上でアップリンク伝送を伝送することができる。一例では、サブバンドは、複数の連続するリソースブロック（ＲＢ）または非連続のリソースブロック（ＲＢ）を含むことができる。一例では、第１のタイプのリスンビフォアトークは、バックオフパラメータおよび第１のリスンビフォアトーク持続時間に基づくことができ、第２のタイプのリスンビフォアトークは、ワンショットリスンビフォアトーク持続時間に基づくことができ、第１のリスンビフォアトーク持続時間は、ワンショットリスンビフォアトーク持続時間よりも長いことが可能である。一例では、リスンビフォアトークパラメータは、最大エネルギー検出閾値またはエネルギー検出閾値オフセットを示すことができる。一例では、複数の第１のセルのうちの第１のセルを選択することは、第１のセルを、均一な分布で、ランダムに選択することを含むことができる。一例では、複数の第１のセルのうちの第１のセルを選択することは、限られた持続時間中に１回以下の頻度で第１のセルを選択することを含むことができる。一例では、第１のセルの第１のサブバンドを選択することは、第１のサブバンドを、均一な分布で、ランダムに選択することを含むことができる。一例では、第１のセルの第１のサブバンドを選択することは、限られた持続時間中に１回以下の頻度で第１のサブバンドを選択することを含むことができる。一例では、第１のセルの１つ以上の他のサブバンド上で第２のタイプのリスンビフォアトークを実行することは、第１のセルの１つ以上の他のサブバンド上で同じ限られた持続時間を用いて第２のタイプのリスンビフォアトークを実行することを含むことができる。一例では、第１のセルの１つ以上の他のサブバンド上で第２のタイプのリスンビフォアトークを実行することは、異なる限られた持続時間を用いて複数のサブバンド上で第２のタイプのリスンビフォアトークを実行することを含むことができる。一例では、第１のセルを除く複数の第１のセルのうちの他のセルの１つ以上のサブバンド上で第２のタイプのリスンビフォアトークを実行することは、同じ限られた持続時間を用いて第２のタイプのリスンビフォアトークを実行することを含むことができる。一例では、第１のセルを除く複数の第１のセルのうちの他のセルの１つ以上のサブバンド上で第２のタイプのリスンビフォアトークを実行することは、異なる限られた持続時間を用いて複数のサブバンド上で第２のタイプのリスンビフォアトークを実行することを含むことができる。一例では、リスンビフォアトークがクリアチャネルを示すと複数の第１のセル上でアップリンク伝送を伝送することは、ＰＵＳＣＨ、ＰＵＣＣＨ、ＰＲＡＣＨを介してデータを伝送すること、またはＳＲＳ信号を伝送することを含むことができる。一例では、サブバンドは、第１の帯域幅を有することができる。一例では、第１のセル上でのアップリンク伝送は、第１のセルの第１の帯域幅部分を介することができる。一例では、少なくとも１つのダウンリンク制御情報は、複数の第１のセルの複数の第１の帯域幅部分を示すことができる。一例では、複数の第１のセルのうちの第１のセルの帯域幅部分は、複数の第１のサブバンドを含むことができる。一例では、少なくとも１つのダウンリンク制御情報は、１つ以上の第２のリスンビフォアトークパラメータを示すことができる。一例では、構成パラメータは、複数のセルの複数の帯域幅部分の１つ以上の第２のパラメータを示す。
【０２８３】
例示的な一実施形態が、図２１Ａおよび図２１Ｂに示されている。一例では、図２１Ａに示すように、セルは、複数のサブバンドを含むことができ、異なるセルは、異なるまたは同じ数のサブバンドを含むことができる。サブバンドは、バンドの１つ以上のリソースブロックからなり、例えば、サブバンド帯域幅は、２０ＭＨｚであり得る。例えば、セル０は、Ｌ０個のサブバンドを含むことができ、ここで、Ｌ０がゼロよりも大きい正の整数であり得、Ｌ１個のサブバンドを含むことができ、ここで、セル１は、Ｌ１がゼロよりも大きい正の整数であり得る。セルｎは、Ｌｎ個のサブバンドを含むことができ、ここで、Ｌｎは、ゼロよりも大きい正の整数であり得る。一例では、図１９は、リソースブロック（複数可）（ＲＢ）、サブバンド（複数可）、ＢＷＰ（複数可）、およびセル（複数可）の間の関係を示すことができる。サブバンドは、Ｍ個のＲＢを含むことができる。ＢＷＰは、Ｎ個のサブバンドを含むことができる。セルは、Ｋ個のＢＷＰを含むことができる。セルは、Ｌ個のサブバンドを含むことができる。Ｍ、Ｎ、Ｋ、Ｌは、ゼロよりも大きい正の整数であり得る。一例では、Ｎ＝１のとき、サブバンドは、ＢＷＰであり得る。
【０２８４】
一例では、図２１Ｂに示すように、無線デバイスは、ｇＮＢからＲＲＣメッセージ（複数可）を受信することができる。メッセージ（複数可）は、複数のセルの構成パラメータ（キャリアアグリゲーション構成）、リスンビフォアトーク（ＬＢＴ）構成パラメータ、および帯域幅部分（ＢＷＰ）構成パラメータを含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。無線デバイスは、図１８に示すように、ｇＮＢから、ＵＬ許可および／またはＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０２８５】
一例では、図２１Ｂに示すように、無線デバイスは、構成されたセル（複数可）のサブバンドから１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０２８６】
一例では、図２１Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、選択されたサブバンドのチャネルを保持することができる。無線デバイスは、（例えば、時間ｎ＋ｋ＋ｍ〜時間ｎ＋ｋ＋ｍ＋ｈに）構成されたセル（複数可）の他のサブバンド上で第２のタイプのリスンビフォアトーク（ＬＢＴ）を実行することができる。一例では、無線デバイスは、構成されたセル（複数可）の他のサブバンドの各々上で第２のタイプのＬＢＴを実行することができる。一例では、第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセル（複数可）の他のサブバンド上で成功すると、無線デバイスは、選択されたサブバンドおよび成功したＬＢＴに関連付けられた他のサブバンド上で、（例えば、時間ｎ＋ｋ＋ｍ＋ｈから）データを伝送することができる。第２のタイプのリスンビフォアトーク（ＬＢＴ）が、（例えば、時間ｎ＋ｋ＋ｍ＋ｈに）構成されたセル（複数可）の他のサブバンドのうちの１つ以上上で失敗すると、無線デバイスは、例えば時間ｎ＋ｋ＋ｍ＋ｈから、クリアチャネル（例えば、第１のタイプのＬＢＴおよび／または第２のタイプのＬＢＴによって示される）を用いて、サブバンド上でデータ伝送を実行することができる。
【０２８７】
一例では、図２１Ｂに示すように、第１のタイプのリスンビフォアトーク（ＬＢＴ）が、（例えば、時間ｎ＋ｋ＋ｍに）選択されたサブバンド上で失敗し、かつチャネルがビジーであることを示すと、無線デバイスは、選択されたサブバンド上で第１のタイプのリスンビフォアトーク（ＬＢＴ）を実行することができる。一例では、第１のタイプのリスンビフォアトーク（ＬＢＴ）が、（例えば時間ｎ＋ｋ＋ｍに）選択されたサブバンド上で失敗し、かつチャネルがビジーであることを示すと、無線デバイスは、別の選択されたサブバンド上で第１のタイプのリスンビフォアトーク（ＬＢＴ）を実行することができる。第１のタイプのリスンビフォアトーク（ＬＢＴ）が、選択されたサブバンドで成功し、かつチャネルがアイドルであることを示した後、無線デバイスは、構成されたセル（複数可）の他のサブバンド上で第２のタイプのリスンビフォアトーク（ＬＢＴ）を実行することができる。一例では、第１のタイプのリスンビフォアトーク（ＬＢＴ）が、選択されたサブバンド上で成功し、かつチャネルがアイドルであることを示した後、無線デバイスは、構成されたセル（複数可）の他のサブバンドの各々上で第２のタイプのＬＢＴを実行することができる。一例では、選択されたサブバンド上での第１のタイプのリスンビフォアトーク（ＬＢＴ）が、構成された最大ＬＢＴ時間閾値を超えて継続的に失敗し、かつチャネルがビジーであることを示すと、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間および／またはカウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０２８８】
無線デバイスは、ＬＢＴプロシージャ（複数可）が（例えば、１つ以上のセルの、選択されたサブバンド上、および他のサブバンドのうちの１つ以上上の）クリアチャネルを示すと、複数のセルのうちの１つ以上のセルを介して１つ以上のトランスポートブロックをｇＮＢに伝送することができる。一例では、第２のタイプのリスンビフォアトーク（ＬＢＴ）が、構成されたセル（複数可）の他のサブバンドのうちの１つ以上上で失敗すると、無線デバイスは、クリアチャネル（例えば、第１のタイプのＬＢＴが成功した選択されたサブバンド、および／または第２のタイプのＬＢＴが成功した構成されたセル（複数可）の他のサブバンドのうちの１つ以上のサブバンド）を有するサブバンド上でデータ伝送を実行することができる。一例では、ＬＢＴは、構成されたセル（複数可）の１つ以上のサブバンド上のクリアチャネルを示すことができ、構成されたセル（複数可）の１つ以上の他のサブバンド上のビジーチャネルを示すことができる。一例では、無線デバイスは、クリアチャネルを有する１つ以上のサブバンド上で伝送することができる。無線デバイスは、ビジーチャネルを有する１つ以上の他のサブバンド上で伝送しないことが可能である。無線デバイスは、１つ以上のトランスポートブロックの複数のバージョン、例えば、第１の数のサブバンドを介した伝送のための第１の１つ以上のトランスポートブロックと、第２の数のサブバンドを介した伝送のための第２の１つ以上のトランスポートブロックと、を構築することができる。無線デバイスは、データパンクチャリングまたはレートマッチングを実行して、第２の数のサブバンドを介して１つ以上のトランスポートブロックを構築することができる（例えば、第２の数は第１の数よりも小さい）。
【０２８９】
一例では、無線デバイスは、第１の数のサブバンド上で１つ以上の第１の数のトランスポートブロックを伝送することができる。無線デバイスは、第２の数のサブバンド上で１つ以上の第２の数のトランスポートブロックを伝送することができる。一例では、無線デバイスは、ＬＢＴが実行されるサブバンド上でＬＢＴが成功したことに応答して、セルを介して伝送することができる。サブバンドのうちの１つの１つまたはＬＢＴが失敗した場合、無線デバイスは、伝送しないことが可能である。
【０２９０】
一例では、無線デバイスは、複数の免許不要セルの構成パラメータを含む少なくとも１つのメッセージを受信することができる。構成パラメータは、複数の免許不要セルの１つ以上のパラメータを含むことができる。複数のセルの各セルは、１つ以上のサブバンド、および１つ以上のリスンビフォアトークパラメータを含むことができる。一例では、無線デバイスは、複数のセルのうちの複数の第１のセル上でのアップリンク伝送を示す少なくとも１つのダウンリンク制御情報を受信することができる。複数の第１のセル上でのアップリンク伝送は、同じ開始時間を有することができる。一例では、無線デバイスは、複数の第１のセルのうちの第１のセルの第１のサブバンドを選択することができる。一例では、無線デバイスは、第１のサブバンド上で第１のタイプのリスンビフォアトークを実行することができる。一例では、無線デバイスは、第１のタイプのリスンビフォアトークが第１のサブバンド上のクリアチャネルを示し得ると判定することができる。一例では、無線デバイスは、第１のセルの１つ以上の他のサブバンド上、および第１のセルを除く複数の第１のセルのうちの他のセルの１つ以上のサブバンド上で、第２のタイプのリスンビフォアトークを実行することができる。一例では、無線デバイスは、第１のタイプのリスンビフォアトークがクリアチャネルを示し、かつ第２のタイプのリスンビフォアトークがクリアチャネルを示すことに応答して、複数の第１のセル上でアップリンク伝送を伝送することができる。一例では、サブバンドは、複数の連続する物理リソースブロック（ＰＲＢ）または非連続の物理リソースブロック（ＰＲＢ）を含むことができる。一例では、第１のタイプのリスンビフォアトークは、バックオフパラメータおよび第１のリスンビフォアトーク持続時間に基づくことができ、第２のタイプのリスンビフォアトークは、ワンショットリスンビフォアトーク持続時間に基づくことができ、第１のリスンビフォアトーク持続時間は、ワンショットリスンビフォアトーク持続時間よりも長いことが可能である。一例では、リスンビフォアトークパラメータは、最大エネルギー検出閾値またはエネルギー検出閾値オフセットを示すことができる。一例では、第１のセルの第１のサブバンドを選択することは、第１のサブバンドを、均一な分布で、ランダムに選択することを含むことができる。一例では、第１のセルの第１のサブバンドを選択することは、限られた持続時間中に１回以下の頻度で第１のサブバンドを選択することを含むことができる。一例では、第１のセルの１つ以上の他のサブバンド上で第２のタイプのリスンビフォアトークを実行することは、第１のセルの１つ以上の他のサブバンド上で同じ限られた持続時間を用いて第２のタイプのリスンビフォアトークを実行することを含むことができる。一例では、第１のセルの１つ以上の他のサブバンド上で第２のタイプのリスンビフォアトークを実行することは、異なる限られた持続時間を用いて複数のサブバンド上で第２のタイプのリスンビフォアトークを実行することを含むことができる。一例では、第１のセルを除く複数の第１のセルのうちの他のセルの１つ以上のサブバンド上で第２のタイプのリスンビフォアトークを実行することは、同じ限られた持続時間を用いて第２のタイプのリスンビフォアトークを実行することを含むことができる。一例では、第１のセルを除く複数の第１のセルのうちの他のセルの１つ以上のサブバンド上で第２のタイプのリスンビフォアトークを実行することは、異なる限られた持続時間を用いて複数のサブバンド上で第２のタイプのリスンビフォアトークを実行することを含むことができる。一例では、リスンビフォアトークがクリアチャネルを示すと複数の第１のセル上でアップリンク伝送を伝送することは、ＰＵＳＣＨ、ＰＵＣＣＨ、ＰＲＡＣＨを介してデータを伝送すること、またはＳＲＳ信号を伝送することを含むことができる。一例では、サブバンドは、第１の帯域幅を有することができる。一例では、第１のセル上でのアップリンク伝送は、第１のセルの第１の帯域幅部分を介することができる。一例では、少なくとも１つのダウンリンク制御情報は、複数の第１のセルの複数の第１の帯域幅部分を示すことができる。一例では、複数の第１のセルのうちの第１のセルの帯域幅部分は、複数の第１のサブバンドを含むことができる。一例では、少なくとも１つのダウンリンク制御情報は、１つ以上の第２のリスンビフォアトークパラメータを示すことができる。一例では、構成パラメータは、複数のセルの複数の帯域幅部分の１つ以上の第２のパラメータを示す。
【０２９１】
例示的な一実施形態が、図２２Ａおよび図２２Ｂに示されている。一例では、セルは、複数のサブバンドを含むことができる。セルは、複数のサブバンドブロック（ＳＢＢ）を含むことができる。図２２Ａに示すように、サブバンドブロック（ＳＢＢ）は、複数のサブバンドを含むことができる。サブバンドは、バンドの１つ以上のリソースブロック（ＲＢ）からなり得、例えば、サブバンド帯域幅は、２０ＭＨｚであり得る。例えば、セルは、Ｌ個のサブバンドを含むことができる。Ｌは、ゼロよりも大きい正の整数であり得る。セルは、Ｋ個のサブバンドブロック（ＳＢＢ）を含むことができる。Ｋは、０よりも大きい正の整数であり得る。サブバンドブロックは、Ｎ個のサブバンドを含むことができる。Ｎは、ゼロよりも大きい正の整数であり得る。サブバンドブロック（ＳＢＢ）は、帯域幅部分（ＢＷＰ）であり得る。Ｎ＝１のとき、サブバンドは、サブバンドブロックであり得る。サブバンドブロック（ＳＢＢ）が帯域幅部分（ＢＷＰ）である場合、セルは、Ｋ個の帯域幅部分（ＢＷＰ）を含むことができる。Ｋは、０よりも大きい正の整数であり得る。
【０２９２】
一例では、図２２Ｂに示すように、無線デバイスは、ｇＮＢからＲＲＣメッセージ（複数可）を受信することができる。メッセージ（複数可）は、複数のセルの構成パラメータ（キャリアアグリゲーション構成）、リスンビフォアトーク（ＬＢＴ）構成パラメータ、帯域幅部分（ＢＷＰ）構成パラメータ、および／またはサブバンドブロック（ＳＢＢ）構成を含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。サブバンドブロック（ＳＢＢ）構成パラメータは、ＳＢＢ識別、ＳＢＢ内のサブバンドの数、および関連付けられたサブバンドインデックスを含むことができる。無線デバイスは、図１８に示すように、ｇＮＢから、ＵＬ許可および／またはＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０２９３】
一例では、図２２Ｂに示すように、無線デバイスは、構成されたセル（複数可）から１つのサブバンドブロック（ＳＢＢ）を選択することができる。選択は、ランダムな選択（例えば、均一な分布を有する）に基づくことができる。選択は、限られた持続時間中、例えば１秒以上の間に、１回以下の頻度であり得る。無線デバイスは、選択されたサブバンドブロック（ＳＢＢ）から１つのサブバンドを選択することができる。例えば、セルに対して１つのＳＢＢがアクティブ化される（または構成される）ると、無線デバイスは、セルの１つのＳＢＢから１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０２９４】
一例では、図２２Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、選択されたサブバンドのチャネルを保持することができる。無線デバイスは、（例えば、時間ｎ＋ｋ＋ｍ〜時間ｎ＋ｋ＋ｍ＋ｈに）構成されたセル（複数可）の他のサブバンド上で第２のタイプのリスンビフォアトーク（ＬＢＴ）を実行することができる。一例では、無線デバイスは、構成されたセル（複数可）のＳＢＢ（複数可）の他のサブバンドの各々上で第２のタイプのＬＢＴを実行することができる。一例では、第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセル（複数可）の他のサブバンド上で成功すると、無線デバイスは、選択されたサブバンドおよび成功したＬＢＴと関連付けられた他のサブバンド上で、（例えば、時間ｎ＋ｋ＋ｍ＋ｈから）データを伝送することができる。第２のタイプのリスンビフォアトーク（ＬＢＴ）が、（例えば、時間ｎ＋ｋ＋ｍ＋ｈに）構成されたセル（複数可）の他のサブバンドのうちの１つ以上上で失敗すると、無線デバイスは、例えば時間ｎ＋ｋ＋ｍ＋ｈから、クリアチャネル（例えば、第１のタイプのＬＢＴおよび／または第２のタイプのＬＢＴによって示される）を用いて、サブバンド上でデータ伝送を実行することができる。
【０２９５】
一例では、図２２Ｂに示すように、第１のタイプのリスンビフォアトーク（ＬＢＴ）が、（例えば、時間ｎ＋ｋ＋ｍに）選択されたサブバンド上で失敗し、かつチャネルがビジーであることを示すと、無線デバイスは、選択されたサブバンド上で第１のタイプのリスンビフォアトーク（ＬＢＴ）を実行することができる。一例では、第１のタイプのリスンビフォアトーク（ＬＢＴ）が、（例えば時間ｎ＋ｋ＋ｍに）選択されたサブバンド上で失敗し、かつチャネルがビジーであることを示すと、無線デバイスは、別の選択されたサブバンド上で第１のタイプのリスンビフォアトーク（ＬＢＴ）を実行することができる。第１のタイプのリスンビフォアトーク（ＬＢＴ）が、選択されたサブバンドで成功し、かつチャネルがアイドルであることを示した後、無線デバイスは、構成されたセル（複数可）の他のサブバンド上で第２のタイプのリスンビフォアトーク（ＬＢＴ）を実行することができる。一例では、第１のタイプのリスンビフォアトーク（ＬＢＴ）が、選択されたサブバンド上で成功し、かつチャネルがアイドルであることを示した後、無線デバイスは、構成されたセル（複数可）のＳＢＢ（複数可）の他のサブバンドの各々上で第２のタイプのＬＢＴを実行することができる。一例では、選択されたサブバンド上での第１のタイプのリスンビフォアトーク（ＬＢＴ）が、構成された最大ＬＢＴ時間閾値を超えて継続的に失敗し、かつチャネルがビジーであることを示すと、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間および／またはカウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０２９６】
無線デバイスは、ＬＢＴプロシージャが（例えば、構成されたセル（複数可）のＳＢＢ（複数可）の、選択されたサブバンド上、および他のサブバンドのうちの１つ以上上の）クリアチャネルを示すと、１つ以上のセルを介して１つ以上のトランスポートブロックをｇＮＢに伝送することができる。一例では、第２のタイプのリスンビフォアトーク（ＬＢＴ）が、構成されたセル（複数可）の他のサブバンドのうちの１つ以上上で失敗すると、無線デバイスは、（例えば、構成されたセル（複数可）のＳＢＢ（複数可）の、選択されたサブバンド上、および他のサブバンドのうちの１つ以上上の）クリアチャネルを有するサブバンド上でデータ伝送を実行することができる。一例では、ＬＢＴは、セルの１つ以上のサブバンド上のクリアチャネルを示すことができ、セルの１つ以上の他のサブバンド上のビジーチャネルを示すことができる。一例では、無線デバイスは、クリアチャネルを有する１つ以上のサブバンド上で伝送することができる。無線デバイスは、ビジーチャネルを有する１つ以上の他のサブバンド上で伝送しないことが可能である。無線デバイスは、１つ以上のトランスポートブロックの複数のバージョン、例えば、第１の数のサブバンドを介した伝送のための第１の１つ以上のトランスポートブロックと、第２の数のサブバンドを介した伝送のための第２の１つ以上のトランスポートブロックと、を構築することができる。無線デバイスは、データパンクチャリングまたはレートマッチングを実行して、第２の数のサブバンドを介して１つ以上のトランスポートブロックを構築することができる（例えば、第２の数は第１の数よりも小さい）。
【０２９７】
一例では、無線デバイスは、第１の数のサブバンド上で１つ以上の第１の数のトランスポートブロックを伝送することができる。無線デバイスは、第２の数のサブバンド上で１つ以上の第２の数のトランスポートブロックを伝送することができる。一例では、無線デバイスは、ＬＢＴが実行されるサブバンド上でＬＢＴが成功したことに応答して、セルを介してトランスポートブロックを伝送することができる。無線デバイスは、サブバンドのうちの１つのＬＢＴが失敗した場合、セルを介してトランスポートブロックを伝送しないことが可能である。
【０２９８】
一例では、無線デバイスは、複数の免許不要セルの構成パラメータを含む少なくとも１つのメッセージを受信することができる。構成パラメータは、複数のセルの１つ以上のパラメータを含むことができる。複数の免許不要セルの各セルは、１つ以上のサブバンド、１つ以上のサブバンドブロック（ＳＢＢ）、および１つ以上のリスンビフォアトークパラメータを含むことができる。一例では、無線デバイスは、複数のセルのうちの複数の第１のセル上でのアップリンク伝送を示す少なくとも１つのダウンリンク制御情報を受信することができる。複数の第１のセル上でのアップリンク伝送は、同じ開始時間を有することができる。一例では、無線デバイスは、複数の第１のセルの第１のサブバンドブロック（ＳＢＢ）を選択することができる。一例では、無線デバイスは、第１のサブバンドブロック（ＳＢＢ）の第１のサブバンドを選択することができる。一例では、無線デバイスは、第１のサブバンド上で第１のタイプのリスンビフォアトークを実行することができる。一例では、無線デバイスは、第１のタイプのリスンビフォアトークが第１のサブバンド上のクリアチャネルを示し得ると判定することができる。一例では、無線デバイスは、複数の第１のセル内の、第１のサブバンドブロック（ＳＢＢ）の１つ以上の他のサブバンド、および他のサブバンドブロック（ＳＢＢ）の１つ以上のサブバンド上で、第２のタイプのリスンビフォアトークを実行することができる。一例では、無線デバイスは、第１のタイプのリスンビフォアトークがクリアチャネルを示し、かつ第２のタイプのリスンビフォアトークがクリアチャネルを示すことに応答して、複数の第１のセル上でアップリンク伝送を伝送することができる。一例では、サブバンドは、複数の連続するリソースブロックまたは非連続のリソースブロックを含むことができる。一例では、第１のタイプのリスンビフォアトークは、バックオフパラメータおよび第１のリスンビフォアトーク持続時間に基づくことができ、第２のタイプのリスンビフォアトークは、ワンショットリスンビフォアトーク持続時間に基づくことができ、第１のリスンビフォアトーク持続時間は、ワンショットリスンビフォアトーク持続時間よりも長いことが可能である。一例では、リスンビフォアトークパラメータは、最大エネルギー検出閾値および／またはエネルギー検出閾値オフセットを示すことができる。一例では、複数の第１のセルの第１のサブバンドブロック（ＳＢＢ）を選択することは、第１のサブバンドブロック（ＳＢＢ）を、均一な分布で、ランダムに選択することを含むことができる。一例では、複数の第１のセルの第１のサブバンドブロック（ＳＢＢ）を選択することは、限られた持続時間中に１回以下の頻度で第１のサブバンドブロック（ＳＢＢ）を選択することを含むことができる。一例では、第１のサブバンドブロック（ＳＢＢ）の第１のサブバンドを選択することは、第１のサブバンドを、均一な分布で、ランダムに選択することを含むことができる。一例では、第１のサブバンドブロック（ＳＢＢ）の第１のサブバンドを選択することは、限られた持続時間中に１回以下の頻度で第１のサブバンドを選択することを含むことができる。一例では、第１のサブバンドブロック（ＳＢＢ）の１つ以上の他のサブバンド上で第２のタイプのリスンビフォアトークを実行することは、第１のサブバンドブロック（ＳＢＢ）の１つ以上の他のサブバンド上で同じ限られた持続時間を用いて第２のタイプのリスンビフォアトークを実行することを含むことができる。一例では、第１のサブバンドブロック（ＳＢＢ）の１つ以上の他のサブバンド上で第２のタイプのリスンビフォアトークを実行することは、異なる限られた持続時間を用いて第１のサブバンドブロック（ＳＢＢ）の複数のサブバンド上で第２のタイプのリスンビフォアトークを実行することを含むことができる。一例では、第１のサブバンドブロック（ＳＢＢ）を除く複数の第１のセルの他のサブバンドブロック（ＳＢＢ）の１つ以上のサブバンド上で第２のタイプのリスンビフォアトークを実行することは、同じ限られた持続時間を用いて第２のタイプのリスンビフォアトークを実行することを含むことができる。一例では、第１のサブバンドブロック（ＳＢＢ）を除く複数の第１のセルの他のサブバンドブロック（ＳＢＢ）の２つ以上のサブバンド上で第２のタイプのリスンビフォアトークを実行することは、異なる限られた持続時間を用いて第２のタイプのリスンビフォアトークを実行することを含むことができる。一例では、リスンビフォアトークがクリアチャネルを示すと複数の第１のセル上でアップリンク伝送を伝送することは、ＰＵＳＣＨ、ＰＵＣＣＨ、ＰＲＡＣＨを介してデータを伝送すること、またはＳＲＳ信号を伝送することを含むことができる。一例では、サブバンドは、第１の帯域幅を有することができる。一例では、第１のサブバンドブロック（ＳＢＢ）上のアップリンク伝送は、第１のサブバンドブロック（ＳＢＢ）の第１の帯域幅部分を介することができる。一例では、少なくとも１つのダウンリンク制御情報は、複数の第１のセルの複数の第１の帯域幅部分を示すことができる。一例では、複数の第１のセル内の第１のサブバンドブロック（ＳＢＢ）の帯域幅部分は、複数の第１のサブバンドを含むことができる。一例では、第１のサブバンドブロック（ＳＢＢ）は、帯域幅部分であり得る。一例では、少なくとも１つのダウンリンク制御情報は、１つ以上の第２のリスンビフォアトークパラメータを示すことができる。一例では、構成パラメータは、複数のセルの複数の帯域幅部分の１つ以上の第２のパラメータを示す。
【０２９９】
例示的な一実施形態が、図２３Ａおよび図２３Ｂに示されている。一例では、セルは、複数のサブバンドを含むことができる。セルは、複数のサブバンドブロック（ＳＢＢ）を含むことができる。サブバンドブロック（ＳＢＢ）は、図２３Ａに示すように、複数のサブバンドを含むことができる。サブバンドは、バンドの１つ以上のリソースブロック（ＲＢ）からなり得、例えば、サブバンド帯域幅は、２０ＭＨｚであり得る。例えば、セルは、Ｌ個のサブバンドを含むことができる。Ｌは、ゼロよりも大きい正の整数であり得る。セルは、Ｋ個のサブバンドブロック（ＳＢＢ）を含むことができる。Ｋは、０よりも大きい正の整数であり得る。サブバンドブロック（ＳＢＢ）は、Ｎ個のサブバンドを含むことができる。Ｎは、ゼロよりも大きい正の整数であり得る。サブバンドブロック（ＳＢＢ）は、帯域幅部分（ＢＷＰ）であり得る。Ｎ＝１のとき、サブバンドは、サブバンドブロックであり得る。サブバンドブロック（ＳＢＢ）が帯域幅部分（ＢＷＰ）であり得る場合、セルは、Ｋ個の帯域幅部分（ＢＷＰ）を含むことができる。Ｋは、０よりも大きい正の整数であり得る。
【０３００】
一例では、図２３Ｂに示すように、無線デバイスは、ｇＮＢからＲＲＣメッセージ（複数可）を受信することができる。メッセージ（複数可）は、複数のセルの構成パラメータ（キャリアアグリゲーション構成）、リスンビフォアトーク（ＬＢＴ）構成パラメータ、帯域幅部分（ＢＷＰ）構成パラメータ、および／またはサブバンドブロック（ＳＢＢ）構成を含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。サブバンドブロック（ＳＢＢ）構成パラメータは、ＳＢＢ識別、ＳＢＢ内のサブバンドの数、および関連付けられたサブバンドインデックスを含むことができる。無線デバイスは、図１８に示すように、ｇＮＢから、ＵＬ許可およびＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０３０１】
一例では、図２３Ｂに示すように、無線デバイスは、構成されたセル（複数可）の構成された（またはＭＡＣ  ＣＥまたはＤＣＩによって作動させた）サブバンドブロック（ＳＢＢ）から１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０３０２】
一例では、図２３Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、選択されたサブバンドのチャネルを保持することができる。無線デバイスは、（例えば、時間ｎ＋ｋ＋ｍ〜時間ｎ＋ｋ＋ｍ＋ｈに）構成されたセル（複数可）の他のサブバンド上で第２のタイプのリスンビフォアトーク（ＬＢＴ）を実行することができる。一例では、無線デバイスは、構成されたセル（複数可）のＳＢＢ（複数可）の他のサブバンドの各々上で第２のタイプのＬＢＴを実行することができる。一例では、第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いまたはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセル（複数可）の他のサブバンド上で成功すると、無線デバイスは、選択されたサブバンドおよび成功したＬＢＴと関連付けられた他のサブバンド上で、（例えば、時間ｎ＋ｋ＋ｍ＋ｈから）データを伝送することができる。第２のタイプのリスンビフォアトーク（ＬＢＴ）が、時間ｎ＋ｋ＋ｍ＋ｈに、構成されたセル（複数可）の他のサブバンドのうちの１つ以上上で失敗すると、無線デバイスは、時間ｎ＋ｋ＋ｍ＋ｈから、クリアチャネル（例えば、第１のタイプのＬＢＴおよび／または第２のタイプのＬＢＴによって示される）を用いて、サブバンド上でデータ伝送を実行することができる。
【０３０３】
一例では、図２３Ｂに示すように、第１のタイプのリスンビフォアトーク（ＬＢＴ）が、（例えば、時間ｎ＋ｋ＋ｍに）選択されたサブバンド上で失敗し、かつチャネルがビジーであることを示すと、無線デバイスは、選択されたサブバンド上で第１のタイプのリスンビフォアトーク（ＬＢＴ）を実行することができる。一例では、第１のタイプのリスンビフォアトーク（ＬＢＴ）が、（例えば時間ｎ＋ｋ＋ｍに）選択されたサブバンド上で失敗し、かつチャネルがビジーであることを示すと、無線デバイスは、別の選択されたサブバンド上で第１のタイプのリスンビフォアトーク（ＬＢＴ）を実行することができる。第１のタイプのリスンビフォアトーク（ＬＢＴ）が、選択されたサブバンドで成功し、かつチャネルがアイドルであることを示した後、無線デバイスは、構成されたセル（複数可）の他のサブバンド上で第２のタイプのリスンビフォアトーク（ＬＢＴ）を実行することができる。一例では、第１のタイプのリスンビフォアトーク（ＬＢＴ）が、選択されたサブバンド上で成功し、かつチャネルがアイドルであることを示した後、無線デバイスは、構成されたセル（複数可）のＳＢＢ（複数可）の他のサブバンドの各々上で第２のタイプのＬＢＴを実行することができる。一例では、選択されたサブバンド上での第１のタイプのリスンビフォアトーク（ＬＢＴ）が、構成された最大ＬＢＴ時間閾値を超えて継続的に失敗し、かつチャネルがビジーであることを示すと、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間／カウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０３０４】
無線デバイスは、ＬＢＴプロシージャが（例えば、１つ以上のセルの、選択されたサブバンド上、および他のサブバンドのうちの１つ以上上の）クリアチャネルを示すと、１つ以上のセルを介して１つ以上のトランスポートブロックをｇＮＢに伝送することができる。一例では、第２のタイプのリスンビフォアトーク（ＬＢＴ）が、構成されたセル（複数可）の他のサブバンドのうちの１つ以上上で失敗すると、無線デバイスは、（例えば、構成されたセル（複数可）の、選択されたサブバンド上、および他のサブバンドのうちの１つ以上上の）クリアチャネルを有するサブバンド上でデータ伝送を実行することができる。一例では、ＬＢＴは、セルの１つ以上のサブバンド上のクリアチャネルを示すことができ、セルの１つ以上の他のサブバンド上のビジーチャネルを示すことができる。一例では、無線デバイスは、クリアチャネルを有する１つ以上のサブバンド上で伝送することができる。無線デバイスは、ビジーチャネルを有する１つ以上の他のサブバンド上で伝送しないことが可能である。無線デバイスは、１つ以上のトランスポートブロックの複数のバージョン、例えば、第１の数のサブバンドを介した伝送のための第１の１つ以上のトランスポートブロックと、第２の数のサブバンドを介した伝送のための第２の１つ以上のトランスポートブロックと、を構築することができる。無線デバイスは、データパンクチャリングまたはレートマッチングを実行して、第２の数のサブバンドを介して１つ以上のトランスポートブロックを構築することができる（例えば、第２の数は第１の数よりも小さい）。
【０３０５】
一例では、無線デバイスは、第１の数のサブバンド上で１つ以上の第１の数のトランスポートブロックを伝送することができる。無線デバイスは、第２の数のサブバンド上で１つ以上の第２の数のトランスポートブロックを伝送することができる。一例では、無線デバイスは、ＬＢＴが実行されるサブバンド上でＬＢＴが成功したことに応答して、セルを介して伝送することができる。サブバンドのうちの１つのＬＢＴが失敗した場合、無線デバイスは、伝送しないことが可能である。
【０３０６】
一例では、無線デバイスは、複数の免許不要セルの構成パラメータを含む少なくとも１つのメッセージを受信することができる。構成パラメータは、複数のセルの１つ以上のパラメータを含むことができる。複数の免許不要セルの各セルは、１つ以上のサブバンド、１つ以上のサブバンドブロック（ＳＢＢ）、および１つ以上のリスンビフォアトークパラメータを含むことができる。一例では、無線デバイスは、複数のセルのうちの複数の第１のセル上でのアップリンク伝送を示す少なくとも１つのダウンリンク制御情報を受信することができる。複数の第１のセル上でのアップリンク伝送は、同じ開始時間を有することができる。一例では、無線デバイスは、構成されたサブバンドブロック（ＳＢＢ）の第１のサブバンドを選択することができる。一例では、無線デバイスは、第１のサブバンド上で第１のタイプのリスンビフォアトークを実行することができる。一例では、無線デバイスは、第１のタイプのリスンビフォアトークが第１のサブバンド上のクリアチャネルを示し得ると判定することができる。一例では、無線デバイスは、複数の第１のセル内の構成されたサブバンドブロック（ＳＢＢ）の１つ以上のサブバンド上で第２のタイプのリスンビフォアトークを実行することができる。一例では、無線デバイスは、第１のタイプのリスンビフォアトークがクリアチャネルを示し、かつ第２のタイプのリスンビフォアトークがクリアチャネルを示すことに応答して、複数の第１のセル上でアップリンク伝送を伝送することができる。一例では、サブバンドは、複数の連続するリソースブロック（ＲＢ）または非連続のリソースブロック（ＲＢ）を含むことができる。一例では、第１のタイプのリスンビフォアトークは、バックオフパラメータおよび第１のリスンビフォアトーク持続時間に基づくことができ、第２のタイプのリスンビフォアトークは、ワンショットリスンビフォアトーク持続時間に基づくことができ、第１のリスンビフォアトーク持続時間は、ワンショットリスンビフォアトーク持続時間よりも長いことが可能である。一例では、リスンビフォアトークパラメータは、最大エネルギー検出閾値またはエネルギー検出閾値オフセットを示すことができる。一例では、構成されたサブバンドブロック（ＳＢＢ）の第１のサブバンドを選択することは、第１のサブバンドを、均一な分布で、ランダムに選択することを含むことができる。一例では、構成されたサブバンドブロック（ＳＢＢ）の第１のサブバンドを選択することは、限られた持続時間中に１回以下の頻度で第１のサブバンドを選択することを含むことができる。一例では、構成されたサブバンドブロック（ＳＢＢ）の１つ以上の他のサブバンド上で第２のタイプのリスンビフォアトークを実行することは、構成されたサブバンドブロック（ＳＢＢ）の１つ以上の他のサブバンド上で同じ限られた持続時間を用いて第２のタイプのリスンビフォアトークを実行することを含むことができる。一例では、構成されたサブバンドブロック（ＳＢＢ）の１つ以上の他のサブバンド上で第２のタイプのリスンビフォアトークを実行することは、異なる限られた持続時間を用いて、構成されたサブバンドブロック（ＳＢＢ）の他のサブバンド上で第２のタイプのリスンビフォアトークを実行することを含むことができる。一例では、リスンビフォアトークがクリアチャネルを示すと複数の第１のセル上でアップリンク伝送を伝送することは、ＰＵＳＣＨ、ＰＵＣＣＨ、ＰＲＡＣＨを介してデータを伝送すること、またはＳＲＳ信号を伝送することを含むことができる。一例では、サブバンドは、第１の帯域幅を有することができる。一例では、構成されたサブバンドブロック（ＳＢＢ）上のアップリンク伝送は、構成されたサブバンドブロック（ＳＢＢ）の第１の帯域幅部分を介することができる。一例では、少なくとも１つのダウンリンク制御情報は、複数の第１のセルの複数の第１の帯域幅部分を示すことができる。一例では、複数の第１のセル内の第１のサブバンドブロック（ＳＢＢ）の帯域幅部分は、複数の第１のサブバンドを含むことができる。一例では、第１のサブバンドブロック（ＳＢＢ）は、帯域幅部分であり得る。一例では、少なくとも１つのダウンリンク制御情報は、１つ以上の第２のリスンビフォアトークパラメータを示すことができる。一例では、構成パラメータは、複数のセルの複数の帯域幅部分の１つ以上の第２のパラメータを示す。
【０３０７】
例示的な一実施形態が、図２４Ａおよび図２４Ｂに示されている。一例では、セルは、複数のサブバンドを含むことができる。セルは、複数のサブバンドブロック（ＳＢＢ）を含むことができる。サブバンドブロック（ＳＢＢ）は、図２４Ａに示すように、複数のサブバンドを含むことができる。サブバンドは、バンドの１つ以上のリソースブロック（ＲＢ）からなり得、例えば、サブバンド帯域幅は、２０ＭＨｚであり得る。例えば、セルは、Ｌ個のサブバンドを含むことができる。Ｌは、ゼロよりも大きい正の整数であり得る。セルは、Ｋ個のサブバンドブロック（ＳＢＢ）を含むことができる。Ｋは、０よりも大きい正の整数であり得る。サブバンドブロック（ＳＢＢ）は、Ｎ個のサブバンドを含むことができる。Ｎは、ゼロよりも大きい正の整数であり得る。サブバンドブロック（ＳＢＢ）は、帯域幅部分（ＢＷＰ）であり得る。Ｎ＝１のとき、サブバンドは、サブバンドブロックであり得る。サブバンドブロック（ＳＢＢ）が帯域幅部分（ＢＷＰ）であり得る場合、セルは、Ｋ個の帯域幅部分（ＢＷＰ）を含むことができる。Ｋは、０よりも大きい正の整数であり得る。
【０３０８】
一例では、図２４Ｂに示すように、無線デバイスは、ｇＮＢからＲＲＣメッセージ（複数可）を受信することができる。ＲＲＣメッセージ（複数可）は、複数のセルの構成パラメータ（キャリアアグリゲーション構成）、リスンビフォアトーク（ＬＢＴ）構成パラメータ、帯域幅部分（ＢＷＰ）構成パラメータ、および／またはサブバンドブロック（ＳＢＢ）構成を含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。サブバンドブロック（ＳＢＢ）構成パラメータは、ＳＢＢ識別、ＳＢＢ内のサブバンドの数、および関連付けられたサブバンドインデックスを含むことができる。無線デバイスは、図１８に示すように、ｇＮＢから、ＵＬ許可およびＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０３０９】
一例では、図２４Ｂに示すように、無線デバイスは、セル（複数可）の各構成された（またはＭＡＣ  ＣＥまたはＤＣＩによって作動させた）サブバンドブロック（ＳＢＢ）から１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。一例では、無線デバイスは、（例えば、時間ｎ＋ｋ〜時間ｎ＋ｋ＋ｍに）選択されたサブバンドの各々上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０３１０】
一例では、図２４Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、成功したＬＢＴと関連付けられた選択されたサブバンドのチャネルを保持することができる。無線デバイスは、（例えば、時間ｎ＋ｋ＋ｍ〜時間ｎ＋ｋ＋ｍ＋ｈに）構成されたセル（複数可）の他のサブバンド上で第２のタイプのリスンビフォアトーク（ＬＢＴ）を実行することができる。一例では、無線デバイスは、構成されたセル（複数可）の他のサブバンドの各々上で第２のタイプのＬＢＴを実行することができる。一例では、第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセル（複数可）の他のサブバンド上で成功すると、無線デバイスは、選択されたサブバンドおよび成功したＬＢＴと関連付けられた他のサブバンド上で、（例えば、時間ｎ＋ｋ＋ｍ＋ｈから）データを伝送することができる。第２のタイプのリスンビフォアトーク（ＬＢＴ）が、（例えば、時間ｎ＋ｋ＋ｍ＋ｈに）構成されたセル（複数可）の他のサブバンドのうちの１つ以上上で失敗すると、無線デバイスは、例えば時間ｎ＋ｋ＋ｍ＋ｈから、（例えば、構成されたセル（複数可）の、選択されたサブバンド上、および他のサブバンドのうちの１つ以上上の）クリアチャネルを用いて、サブバンド上でデータ伝送を実行することができる。
【０３１１】
一例では、図２４Ｂに示すように、第１のタイプのリスンビフォアトーク（ＬＢＴ）が、（例えば、時間ｎ＋ｋ＋ｍに）選択されたサブバンドのうちの１つ以上上で失敗し、かつチャネルがビジーであることを示すと、無線デバイスは、１つ以上の選択されたサブバンド上で第１のタイプのリスンビフォアトーク（ＬＢＴ）を実行することができる。一例では、第１のタイプのリスンビフォアトーク（ＬＢＴ）が、（例えば時間ｎ＋ｋ＋ｍに）選択されたサブバンドのうちの１つ以上上で失敗し、かつチャネルがビジーであることを示すと、無線デバイスは、関係付けられたサブバンドブロック（ＳＢＢ）の別の選択されたサブバンド上で第１のタイプのリスンビフォアトーク（ＬＢＴ）を実行することができる。第１のタイプのリスンビフォアトーク（ＬＢＴ）が、選択されたサブバンドで成功し、かつチャネルがアイドルであることを示した後、無線デバイスは、構成されたセル（複数可）の他のサブバンド上で第２のタイプのリスンビフォアトーク（ＬＢＴ）を実行することができる。一例では、第１のタイプのリスンビフォアトーク（ＬＢＴ）が、選択されたサブバンド上で成功し、かつチャネルがアイドルであることを示した後、無線デバイスは、構成されたセル（複数可）の他のサブバンドの各々上で第２のタイプのＬＢＴを実行することができる。一例では、選択されたサブバンド上での第１のタイプのリスンビフォアトーク（ＬＢＴ）が、構成された最大ＬＢＴ時間閾値を超えて継続的に失敗し、かつチャネルがビジーであることを示すと、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間および／またはカウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０３１２】
無線デバイスは、ＬＢＴプロシージャが（例えば、構成されたセル（複数可）の、選択されたサブバンドのうちの１つ以上上、および他のサブバンドのうちの１つ以上上の）クリアチャネルを示すと、１つ以上のセルを介して１つ以上のトランスポートブロックをｇＮＢに伝送することができる。一例では、第２のタイプのリスンビフォアトーク（ＬＢＴ）が、構成されたセル（複数可）の他のサブバンドのうちの１つ以上上で失敗すると、無線デバイスは、（例えば、成功したＬＢＴと関連付けられた構成されたセル（複数可）の、選択されたサブバンド上、および他のサブバンドのうちの１つ以上上の）クリアチャネルを有するサブバンド上でデータ伝送を実行することができる。一例では、ＬＢＴは、構成されたセル（複数可）の１つ以上のサブバンド上のクリアチャネルを示すことができ、構成されたセル（複数可）の１つ以上の他のサブバンド上のビジーチャネルを示すことができる。一例では、無線デバイスは、クリアチャネルを有する１つ以上のサブバンド上で伝送することができる。無線デバイスは、ビジーチャネルを有する１つ以上の他のサブバンド上で伝送しないことが可能である。無線デバイスは、１つ以上のトランスポートブロックの複数のバージョン、例えば、第１の数のサブバンドを介した伝送のための第１の１つ以上のトランスポートブロックと、第２の数のサブバンドを介した伝送のための第２の１つ以上のトランスポートブロックと、を構築することができる。無線デバイスは、データパンクチャリングまたはレートマッチングを実行して、第２の数のサブバンドを介して１つ以上のトランスポートブロックを構築することができる（例えば、第２の数は第１の数よりも小さい）。
【０３１３】
一例では、無線デバイスは、第１の数のサブバンド上で１つ以上の第１の数のトランスポートブロックを伝送することができる。無線デバイスは、第２の数のサブバンド上で１つ以上の第２の数のトランスポートブロックを伝送することができる。一例では、無線デバイスは、ＬＢＴが実行されるサブバンド上でＬＢＴが成功したことに応答して、セルを介して伝送することができる。サブバンドのうちの１つのＬＢＴが失敗した場合、無線デバイスは、伝送しないことが可能である。
【０３１４】
一例では、無線デバイスは、複数の免許不要セルの構成パラメータを含む少なくとも１つのメッセージを受信することができる。構成パラメータは、複数のセルの１つ以上のパラメータを含むことができる。複数の免許不要セルの各セルは、１つ以上のサブバンド、１つ以上のサブバンドブロック（ＳＢＢ）、および／または１つ以上のリスンビフォアトークパラメータを含むことができる。一例では、無線デバイスは、複数のセルのうちの複数の第１のセル上でのアップリンク伝送を示す少なくとも１つのダウンリンク制御情報を受信することができる。複数の第１のセル上でのアップリンク伝送は、同じ開始時間を有することができる。一例では、無線デバイスは、セルの構成されたサブバンドブロック（ＳＢＢ）の第１のサブバンドを選択することができる。一例では、無線デバイスは、第１のサブバンド上で第１のタイプのリスンビフォアトークを実行することができる。一例では、無線デバイスは、第１のタイプのリスンビフォアトークが第１のサブバンド上のクリアチャネルを示し得ると判定することができる。一例では、無線デバイスは、複数の第１のセル内の構成されたサブバンドブロック（ＳＢＢ）の１つ以上のサブバンド上で第２のタイプのリスンビフォアトークを実行することができる。一例では、無線デバイスは、第１のタイプのリスンビフォアトークがクリアチャネルを示し、かつ第２のタイプのリスンビフォアトークがクリアチャネルを示すことに応答して、複数の第１のセル上でアップリンク伝送を伝送することができる。一例では、サブバンドは、複数の連続するリソースブロック（ＲＢ）または非連続のリソースブロック（ＲＢ）を含むことができる。一例では、第１のタイプのリスンビフォアトークは、バックオフパラメータおよび第１のリスンビフォアトーク持続時間に基づくことができ、第２のタイプのリスンビフォアトークは、ワンショットリスンビフォアトーク持続時間に基づくことができ、第１のリスンビフォアトーク持続時間は、ワンショットリスンビフォアトーク持続時間よりも長いことが可能である。一例では、リスンビフォアトークパラメータは、最大エネルギー検出閾値またはエネルギー検出閾値オフセットを示すことができる。一例では、構成されたサブバンドブロック（ＳＢＢ）の第１のサブバンドを選択することは、第１のサブバンドを、均一な分布で、ランダムに選択することを含むことができる。一例では、構成されたサブバンドブロック（ＳＢＢ）の第１のサブバンドを選択することは、限られた持続時間中に１回以下の頻度で第１のサブバンドを選択することを含むことができる。一例では、構成されたサブバンドブロック（ＳＢＢ）の１つ以上の他のサブバンド上で第２のタイプのリスンビフォアトークを実行することは、構成されたサブバンドブロック（ＳＢＢ）の１つ以上の他のサブバンド上で同じ限られた持続時間を用いて第２のタイプのリスンビフォアトークを実行することを含むことができる。一例では、構成されたサブバンドブロック（ＳＢＢ）の１つ以上の他のサブバンド上で第２のタイプのリスンビフォアトークを実行することは、異なる限られた持続時間を用いて構成されたサブバンドブロック（ＳＢＢ）の他のサブバンド上で第２のタイプのリスンビフォアトークを実行することを含むことができる。一例では、リスンビフォアトークがクリアチャネルを示すと複数の第１のセル上でアップリンク伝送を伝送することは、ＰＵＳＣＨ、ＰＵＣＣＨ、ＰＲＡＣＨを介してデータを伝送すること、またはＳＲＳ信号を伝送することを含むことができる。一例では、サブバンドは、第１の帯域幅を有することができる。一例では、構成されたサブバンドブロック（ＳＢＢ）上のアップリンク伝送は、構成されたサブバンドブロック（ＳＢＢ）の第１の帯域幅部分を介することができる。一例では、少なくとも１つのダウンリンク制御情報は、複数の第１のセルの複数の第１の帯域幅部分を示すことができる。一例では、複数の第１のセル内の構成されたサブバンドブロック（ＳＢＢ）の帯域幅部分は、複数の第１のサブバンドを含むことができる。一例では、サブバンドブロック（ＳＢＢ）は、帯域幅部分であり得る。一例では、少なくとも１つのダウンリンク制御情報は、１つ以上の第２のリスンビフォアトークパラメータを示すことができる。一例では、構成パラメータは、複数のセルの複数の帯域幅部分の１つ以上の第２のパラメータを示す。
【０３１５】
例示的な一実施形態が、図２５Ａおよび図２５Ｂに示されている。一例では、セルは、複数のサブバンドを含むことができる。セルは、複数のサブバンドブロック（ＳＢＢ）を含むことができる。サブバンドブロック（ＳＢＢ）は、図２５Ａに示すように、複数のサブバンドを含むことができる。サブバンドは、バンドの１つ以上のリソースブロック（ＲＢ）を含むことができ、例えば、サブバンド帯域幅は、２０ＭＨｚであり得る。例えば、セルは、Ｌ個のサブバンドを含むことができる。Ｌは、ゼロよりも大きい正の整数であり得る。セルは、Ｋ個のサブバンドブロック（ＳＢＢ）を含むことができる。Ｋは、０よりも大きい正の整数であり得る。サブバンドブロック（ＳＢＢ）は、Ｎ個のサブバンドを含むことができる。Ｎは、ゼロよりも大きい正の整数であり得る。サブバンドブロック（ＳＢＢ）は、帯域幅部分（ＢＷＰ）であり得る。Ｎ＝１のとき、サブバンドは、サブバンドブロック（ＳＢＢ）であり得る。サブバンドブロック（ＳＢＢ）が帯域幅部分（ＢＷＰ）であり得る場合、セルは、Ｋ個の帯域幅部分（ＢＷＰ）を含むことができる。Ｋは、０よりも大きい正の整数であり得る。
【０３１６】
一例では、図２５Ｂに示すように、無線デバイスは、ｇＮＢからＲＲＣメッセージ（複数可）を受信することができる。メッセージ（複数可）は、複数のセルの構成パラメータ（キャリアアグリゲーション構成）、リスンビフォアトーク（ＬＢＴ）構成パラメータ、帯域幅部分（ＢＷＰ）構成パラメータ、および／またはサブバンドブロック（ＳＢＢ）構成を含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。サブバンドブロック（ＳＢＢ）構成パラメータは、ＳＢＢ識別、ＳＢＢ内のサブバンドの数、および関連付けられたサブバンドインデックスを含むことができる。無線デバイスは、図１８に示すように、ｇＮＢから、ＵＬ許可およびＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０３１７】
一例では、図２５Ｂに示すように、無線デバイスは、構成されたセル（複数可）から１つのサブバンドブロック（ＳＢＢ）を選択することができる。選択は、ランダムな選択（例えば、均一な分布を有する）であり得る。選択は、限られた持続時間中、例えば１秒以上の間に、１回以下の頻度であり得る。無線デバイスは、選択されたサブバンドブロック（ＳＢＢ）から１つのサブバンドを選択することができる。選択は、ランダムな選択（例えば、均一な分布を有する）であり得る。選択は、限られた持続時間中、例えば１秒以上の間に、１回以下の頻度であり得る。無線デバイスは、（例えば、時間ｎ＋ｋ〜時間ｎ＋ｋ＋ｍに）選択されたサブバンド上で第１のタイプのリスンビフォアトーク（ＬＢＴ）を実行することができる。第１のタイプのリスンビフォアトーク（ＬＢＴ）は、バックオフを用いるリスンビフォアトーク、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。
【０３１８】
一例では、図２５Ｂに示すように、（例えば、時間ｎ＋ｋ＋ｍに）第１のタイプのリスンビフォアトーク（ＬＢＴ）が、選択されたサブバンド上で成功し、かつチャネルがアイドルであることを示すと、無線デバイスは、選択されたサブバンドのチャネルを保持することができ、構成されたセルの他のサブバンドブロック（ＳＢＢ）上で（例えば、時間ｎ＋ｋ＋ｍ〜ｎ＋ｋ＋ｍ＋ｈに）ＳＢＢ帯域幅を用いて第２のタイプのリスンビフォアトーク（ＬＢＴ）を実行することができる。第２のタイプのリスンビフォアトーク（ＬＢＴ）は、バックオフを用いないリスンビフォアトーク、例えば、リスンビフォアトークカテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。第２のタイプのリスンビフォアトーク（ＬＢＴ）が、（例えば、時間ｎ＋ｋ＋ｍ＋ｈに）構成されたセルの他のサブバンドブロック（ＳＢＢ）上で成功すると、無線デバイスは、成功したＬＢＴと関連付けられたサブバンドブロック（ＳＢＢ）のチャネルを保持することができる。ＳＢＢ帯域幅を用いる第２のタイプのリスンビフォアトーク（ＬＢＴ）が、（例えば、時間ｎ＋ｋ＋ｍ＋ｈに）構成されたセルの他のサブバンドブロック（ＳＢＢ）上で失敗すると、無線デバイスは、失敗したＬＢＴと関連付けられたサブバンドブロック（ＳＢＢ）上で（例えば、時間ｎ＋ｋ＋ｍ＋ｈ〜ｎ＋ｋ＋ｍ＋２ｈに）サブバンド帯域幅を用いて第２のリスンビフォアトーク（ＬＢＴ）を実行することができる。無線デバイスは、選択されたサブバンドブロック（ＳＢＢ）の他のサブバンド上のサブバンド帯域幅を用いて（例えば、時間ｎ＋ｋ＋ｍ＋ｈ〜ｎ＋ｋ＋ｍ＋２ｈに）第２のタイプのＬＢＴを実行することができる。ＳＢＢ帯域幅またはサブバンド帯域幅を用いるリスンビフォアトーク（ＬＢＴ）が成功すると、無線デバイスは、成功したＬＢＴと関連付けられた選択された、サブバンド上および他のサブバンド上またはＳＢＢ上で、（例えば、時間ｎ＋ｋ＋ｍ＋２ｈから）１つ以上のセルを介してデータ伝送を実行することができる。第２のタイプのリスンビフォアトーク（ＬＢＴ）が、構成されたセルの他のサブバンド上で失敗すると、無線デバイスは、（例えば、時間ｎ＋ｋ＋ｍ＋２ｈから）選択されたサブバンドブロック（ＳＢＢ）の選択されたサブバンド上でデータ伝送を実行することができる。
【０３１９】
一例では、図２５Ｂに示すように、第１のタイプのリスンビフォアトーク（ＬＢＴ）が、（例えば、時間ｎ＋ｋ＋ｍに）選択されたサブバンド上で失敗し、かつチャネルがビジーであることを示すと、無線デバイスは、選択されたサブバンド上で第１のタイプのリスンビフォアトーク（ＬＢＴ）を実行することができる。一例では、第１のタイプのリスンビフォアトーク（ＬＢＴ）が、（例えば時間ｎ＋ｋ＋ｍに）選択されたサブバンド上で失敗し、かつチャネルがビジーであることを示すと、無線デバイスは、別の選択されたサブバンド上で第１のタイプのリスンビフォアトーク（ＬＢＴ）を実行することができる。第１のタイプのリスンビフォアトーク（ＬＢＴ）が、選択されたサブバンド上で成功し、かつチャネルがアイドルであることを示した後、無線デバイスは、構成されたセルの他のサブバンドブロック（ＳＢＢ）上のＳＢＢ帯域幅を用いて第２のタイプのリスンビフォアトーク（ＬＢＴ）を実行することができる。選択されたサブバンド上での第１のタイプのリスンビフォアトーク（ＬＢＴ）が、構成された最大ＬＢＴ時間閾値を超えて継続的に失敗し、かつチャネルがビジーであることを示し得ると、無線デバイスは、ＬＢＴプロシージャおよびチャネルアクセスを停止することができる。ｇＮＢは、１つ以上のＲＲＣメッセージを無線デバイスに伝送することができる。１つ以上のＲＲＣメッセージは、最大ＬＢＴ時間／カウンタ閾値を示すパラメータを含むことができる。一例では、ｎ、ｋ、ｍ、およびｈは、（ゼロよりも大きい）正の整数のＴ（例えば、新無線の基本時間単位）倍であり得る。
【０３２０】
例示的な一実施形態が、図２６Ａおよび図２６Ｂに示されている。一例では、セルは、複数のサブバンドを含むことができる。セルは、複数のサブバンドブロック（ＳＢＢ）を含むことができる。サブバンドブロック（ＳＢＢ）は、図２６Ａに示すように、複数のサブバンドを含むことができる。サブバンドは、バンドの１つ以上のリソースブロック（ＲＢ）からなり得、例えば、サブバンド帯域幅は、２０ＭＨｚであり得る。例えば、セルは、Ｌ個のサブバンドを含むことができる。Ｌは、ゼロよりも大きい正の整数であり得る。セルは、Ｋ個のサブバンドブロック（ＳＢＢ）を含むことができる。Ｋは、０よりも大きい正の整数であり得る。サブバンドブロック（ＳＢＢ）は、Ｎ個のサブバンドを含むことができる。Ｎは、ゼロよりも大きい正の整数であり得る。サブバンドブロック（ＳＢＢ）は、帯域幅部分（ＢＷＰ）であり得る。Ｎ＝１のとき、サブバンドは、サブバンドブロックであり得る。サブバンドブロック（ＳＢＢ）が帯域幅部分（ＢＷＰ）であり得る場合、セルは、Ｋ個の帯域幅部分（ＢＷＰ）を含むことができる。Ｋは、０よりも大きい正の整数であり得る。
【０３２１】
一例では、図２６Ｂに示すように、無線デバイスは、ｇＮＢからＲＲＣメッセージ（複数可）を受信することができる。メッセージ（複数可）は、複数のセルの構成パラメータ（キャリアアグリゲーション構成）、リスンビフォアトーク（ＬＢＴ）構成パラメータ、帯域幅部分（ＢＷＰ）構成パラメータ、および／またはサブバンドブロック（ＳＢＢ）構成を含むことができる。キャリアアグリゲーション（ＣＡ）の構成は、帯域幅クラス、アクティブセル識別、ダウンリンクおよびアップリンクの物理チャネルおよび信号のパラメータ、および／または電力制御パラメータを含むことができる。リスンビフォアトーク（ＬＢＴ）構成パラメータは、最大エネルギー検出閾値、エネルギー検出閾値オフセット、および／または最大ＬＢＴ時間閾値を含むことができる。帯域幅部分（ＢＷＰ）構成パラメータは、ＢＷＰ識別、ダウンリンクおよびアップリンクチャネル構成、および無線リンク監視構成を含むことができる。サブバンドブロック（ＳＢＢ）構成パラメータは、ＳＢＢ識別、ＳＢＢ内のサブバンドの数、および関連付けられたサブバンドインデックスを含むことができる。無線デバイスは、図１８に示すように、ｇＮＢから、ＵＬ許可およびＤＬ許可（または割り当て）を示すための少なくとも１つのＤＣＩを受信することができる。少なくとも１つのＤＣＩは、１つ以上のセルのサブバンド上での伝送について同じ開始時間を示すことができる。少なくとも１つのＤＣＩは、１つ以上のセルのサブバンド上の１つ以上のリソース割り当て、変調および符号化パラメータ、ＬＢＴパラメータ（例えば、ＬＢＴ優先度および／またはＬＢＴタイプ）、タイミングオフセット、および／または電力制御パラメータを含むことができる。
【０３２２】
一例では、図２６Ｂに示すように、無線デバイスは、（例えば、時間ｎ＋ｋから）セルの、構成されたサブバンドブロック（ＳＢＢ）または動的に示されるサブバンドブロック（ＳＢＢ）上で、サブバンドブロック（ＳＢＢ）帯域幅を用いて、リスンビフォアトーク（ＬＢＴ）を実行することができる。一例では、無線デバイスは、（例えば、時間ｎ＋ｋから）セルの、構成されたサブバンドブロック（ＳＢＢ）または動的に示されるサブバンドブロック（ＳＢＢ）上で、サブバンドブロック（ＳＢＢ）帯域幅を用いて、クリアチャネル評価（ＣＣＡ）を実行することができる。リスンビフォアトーク（ＬＢＴ）は、第１のタイプのリスンビフォアトーク（ＬＢＴ）または第２のリスンビフォアトーク（ＬＢＴ）であり得る。第１のタイプのリスンビフォアトーク（ＬＢＴ）は、バックオフを用いるリスンビフォアトーク（ＬＢＴ）、例えばリスンビフォアトークカテゴリ４（例えば、可変サイズのコンテンションウィンドウを有するランダムバックオフを用いるＬＢＴ）、またはカテゴリ３（例えば、固定サイズのコンテンションウィンドウを有するランダムバックオフを用いるＬＢＴ）であり得る。第２のタイプのリスンビフォアトーク（ＬＢＴ）は、バックオフを用いないリスンビフォアトーク（ＬＢＴ）、例えば、リスンビフォアトーク（ＬＢＴ）カテゴリ２（例えば、ランダムバックオフを用いないＬＢＴ）またはワンショットリスンビフォアトーク（ＬＢＴ）（例えば、限られた持続時間、例えば２５マイクロ秒、１６マイクロ秒、またはより長いもしくはより短い持続時間中の、エネルギー検出）であり得る。一例では、第１のタイプのＬＢＴ持続時間は、ワンショットＬＢＴ持続時間よりも長いことが可能である。
【０３２３】
一例では、図２６Ｂに示すように、サブバンドブロック帯域幅を用いたリスンビフォアトーク（ＬＢＴ）が成功すると、無線デバイスは、（例えば、時間ｎ＋ｋ＋ｍから）サブバンドブロック帯域幅を用いてリスンビフォアトーク（ＬＢＴ）を実行することができる。一例では、サブバンドブロック（ＳＢＢ）帯域幅を用いたリスンビフォアトーク（ＬＢＴ）が成功すると、無線デバイスは、（例えば、時間ｎ＋ｋ＋ｍから）サブバンドブロック（ＳＢＢ）上で、サブバンドブロック（ＳＢＢ）帯域幅を用いてクリアチャネル評価（ＣＣＡ）を実行することができる。サブバンドブロック帯域幅を用いたリスンビフォアトーク（ＬＢＴ）が失敗すると、無線デバイスは、（例えば、時間ｎ＋ｋ＋ｍから）失敗したＬＢＴを用いたサブバンドブロック（ＳＢＢ）上のサブバンド帯域幅を用いて複数のリスンビフォアトーク（ＬＢＴ）を実行することができる。一例では、サブバンドブロック帯域幅を用いたリスンビフォアトーク（ＬＢＴ）が失敗すると、無線デバイスは、（例えば、時間ｎ＋ｋ＋ｍから）サブバンドブロック上のサブバンド帯域幅を用いて複数のクリアチャネル評価（ＣＣＡ）を実行することができる。リスンビフォアトーク（ＬＢＴ）は、第１のタイプのリスンビフォアトーク（ＬＢＴ）または第２のタイプのリスンビフォアトーク（ＬＢＴ）であり得る。（例えば、時間ｎ＋ｋ＋ｈに）サブバンドブロック帯域幅またはサブバンド帯域幅を用いたリスンビフォアトーク（ＬＢＴ）が成功すると、無線デバイスは、成功したリスンビフォアトーク（ＬＢＴ）と関連付けられたサブバンドブロックまたはサブバンド上でデータ伝送を実行することができる。一例では、時間ｎ＋ｋおよびｎ＋ｋ＋ｍは、同じスロット内または異なるスロット内にあり得る。一例では、時間ｎ＋ｋおよびｎ＋ｋ＋ｍは、同じ最大チャネル占有時間（ＭＣＯＴ）内にあり得る。一例では、時間ｎ＋ｋおよびｎ＋ｋ＋ｍは、異なる最大チャネル占有時間（ＭＣＯＴ）内にあり得る。一例では、ｎ、ｋ、ｍ、およびｈは、（ゼロよりも大きい）正の整数のＴ（例えば、新無線の基本時間単位）倍であり得る。一例では、ｈは、ｍ以上である。
【０３２４】
様々な実施形態によれば、例えば、無線デバイス、基地局などのデバイスは、１つ以上のプロセッサおよびメモリを含むことができる。メモリは、１つ以上のプロセッサによって実行されると、デバイスに一連のアクションを実行させる命令を格納し得る。例示的なアクションの実施形態は、添付の図および明細書に示されている。様々な実施形態からの特徴を組み合わせてさらなる実施形態を作り出すことができる。
【０３２５】
図２７は、本開示の例示的な一実施形態の態様に基づくフロー略図である。（２７１０で）セルのサブバンドのうちの第１のサブバンド上での第１のタイプのリスンビフォアトーク（ＬＢＴ）がクリアチャネルを示すこと、および（２７２０で）セルの１つ以上の他のサブバンド上での第２のタイプのＬＢＴがクリアチャネルを示すことに基づいて、２７３０で、セルを介して信号を伝送することができる。
【０３２６】
一実施形態によれば、無線デバイスは、セルのサブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、クリアチャネルを示す第１のタイプのＬＢＴおよび第２のタイプのＬＢＴに基づいて、セルを介して信号を伝送することができる。
【０３２７】
一実施形態によれば、基地局デバイスは、セルのサブバンドのうちの第１のサブバンド上で第１のタイプのリスンビフォアトーク（ＬＢＴ）を実行することができる。基地局は、セルの１つ以上の他のサブバンド上で第２のタイプのＬＢＴを実行することができる。基地局は、第１のタイプのＬＢＴおよび第２のタイプのＬＢＴがクリアチャネルを示すことに基づいて、セルを介してダウンリンク信号を伝送することができる。
【０３２８】
一実施形態によれば、無線デバイスは、セルに対するアップリンク許可を受信することができる。セルは、サブバンドを含むことができる。無線デバイスは、サブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴおよび第２のタイプのＬＢＴがクリアチャネルを示すことに基づいて、セルを介してアップリンク信号を伝送することができる。
【０３２９】
一実施形態によれば、無線デバイスは、セルに対するアップリンク許可を受信することができる。セルは、サブバンドを含むことができる。第１のタイプのリスンビフォアトーク（ＬＢＴ）を、サブバンドのうちの第１のサブバンド上で実行することができる。第２のタイプのＬＢＴを、セルの１つ以上の他のサブバンド上で実行することができる。アップリンク信号を、第１のタイプのＬＢＴおよび第２のタイプのＬＢＴがクリアチャネルを示すことに基づいて、セルを介して伝送することができる。
【０３３０】
一実施形態によれば、無線デバイスは、ダウンリンク制御情報を受信することができる。ダウンリンク制御情報は、アップリンク許可を示すことができる。アップリンク許可は、セルを介したアップリンク信号の伝送のためのものであり得る。セルは、サブバンドを含むことができる。第１のタイプのリスンビフォアトーク（ＬＢＴ）を、セルのサブバンドのうちの第１のサブバンド上で実行することができる。第２のタイプのＬＢＴを、１つ以上の他のサブバンド上で実行することができる。１つ以上の他のサブバンドは、セルの第１のサブバンドとは異なり得る。アップリンク信号を、第１のタイプのＬＢＴおよび第２のタイプのＬＢＴがクリアなチャネルを示すことに基づいて、セルを介して伝送することができる。
【０３３１】
一実施形態によれば、無線デバイスは、ダウンリンク制御情報を受信することができる。ダウンリンク制御情報は、セルを介したアップリンク信号の伝送のためのアップリンク許可を示すことができる。セルは、サブバンドを含むことができる。無線デバイスは、セルのサブバンドから第１のサブバンドを選択することができる。無線デバイスは、第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。１つ以上の他のサブバンドは、第１のサブバンドとは異なり得る。無線デバイスは、第１のタイプのＬＢＴが、セルの第１のサブバンドがクリアであることを示すこと、および第２のタイプのＬＢＴが、セルの１つ以上の他のサブバンドがクリアであることを示すことに基づいて、セルを介してアップリンク信号を伝送することができる。
【０３３２】
一実施形態によれば、無線デバイスは、複数のセルからセルを選択することができる。複数のセルを、無線デバイスのために構成することができる。複数のセルの各々は、１つ以上のそれぞれのサブバンドを含むことができる。複数のセルからセルを選択することは、複数のセルからセルをランダムに選択することを含むことができる。複数のセルからセルをランダムに選択することは、複数のセルからセルを、均一な分布で、ランダムに選択することを含むことができる。複数のセルからセルをランダムに選択することは、複数のセルから、ある持続時間中に１回以下の頻度でセルを選択することを含むことができる。持続時間は、１秒以上を含むことができる。無線デバイスは、複数のセルのうちの、このセルとは異なる他のセルのサブバンド上で第２のタイプのＬＢＴを実行することができる。無線デバイスは、第１のタイプのＬＢＴが、セルの第１のサブバンドがクリアであることを示すこと、および第２のタイプのＬＢＴが、サブバンドのうちの少なくとも１つのサブバンドがクリアであることを示すことに基づいて、複数のセルのうちの他のセルのうちの少なくとも１つを介してアップリンク信号を伝送することができる。
【０３３３】
一実施形態によれば、無線デバイスは、セルのサブバンドから第１のサブバンドをランダムに選択することができる。セルのサブバンドから第１のサブバンドをランダムに選択することは、セルのサブバンドから第１のサブバンドを、均一な分布で、ランダムに選択することを含むことができる。セルのサブバンドから第１のサブバンドをランダムに選択することは、セルのサブバンドから、ある持続時間中に１回以下の頻度で第１のサブバンドを選択することを含むことができる。持続時間は、１秒以上を含むことができる。
【０３３４】
一実施形態によれば、セルの１つ以上の他のサブバンド上で第２のタイプのＬＢＴを実行することは、セルの１つ以上の他のサブバンドの各サブバンド上で第２のタイプのＬＢＴを実行することを含むことができる。第１のタイプのＬＢＴは、ランダムバックオフパラメータおよび／または第１のＬＢＴ持続時間を用いるＬＢＴであり得る。第２のタイプのＬＢＴは、ランダムバックオフを用いないワンショットＬＢＴ持続時間に基づくワンショットＬＢＴであり得る。第１のＬＢＴ持続時間は、ワンショットＬＢＴ持続時間よりも長いことが可能である。セルのサブバンドの各々は、複数の連続する物理リソースブロックを含むことができる。無線デバイスは、ＬＢＴパラメータ構成メッセージを受信することができる。ＬＢＴパラメータ構成メッセージは、最大エネルギー検出閾値またはエネルギー検出閾値オフセットを含むことができる。第１のタイプのＬＢＴおよび第２のタイプのＬＢＴは、同じ最大エネルギー検出閾値または同じエネルギー検出閾値オフセットを使用することができる。
【０３３５】
一実施形態によれば、セルの１つ以上の他のサブバンド上で第２のタイプのＬＢＴを実行することは、セルの１つ以上の他のサブバン上で同じ持続時間を用いて第２のタイプのＬＢＴを実行することを含むことができる。セルを介してアップリンク信号を伝送することは、セルの物理アップリンク共有チャネルを介してトランスポートブロックを伝送することを含むことができる。セルを介してアップリンク信号を伝送することは、セルの帯域幅部分を介してアップリンク信号を伝送することを含むことができる。ダウンリンク制御情報は、セルの帯域幅部分を示すことができる。セルの帯域幅部分は、セルの１つ以上のサブバンドを含むことができる。セルのサブバンドの各々は、同じ帯域幅を含むことができる。セルのサブバンドの各々は、同数の物理リソースブロックを含むことができる。
【０３３６】
一実施形態によれば、ダウンリンク制御情報は、帯域幅部分を示す帯域幅部分インジケータフィールドを含むことができる。ダウンリンク制御情報は、セルの第１のサブバンドおよび１つ以上の他のサブバンドのリソースブロックを示す周波数リソース割り当てフィールドを含むことができる。ダウンリンク制御情報は、セルの第１のサブバンドおよび１つ以上の他のサブバンドの時間領域リソースを示すタイミング情報フィールドを含むことができる。アップリンク信号を伝送することは、第１のサブバンドの無線リソースを介して１つ以上のトランスポートブロックを伝送することを含むことができる。アップリンク信号を伝送することは、セルの１つ以上の他のサブバンドの無線リソースを介して１つ以上のトランスポートブロックを伝送することを含むことができる。無線デバイスは、複数のセルに対する複数のアップリンク許可を受信することができる。複数のアップリンク許可は、アップリンク許可を含むことができる。複数のセルは、セルを含むことができる。
【０３３７】
一実施形態によれば、第１のタイプのＬＢＴを、アップリンク許可の受信に応答して実行することができる。第２のタイプのＬＢＴを、アップリンク許可を受信することに応答して実行することができ、第２のタイプのＬＢＴを、アップリンク許可を受信することに応答して実行することができる。セルは、１つ以上の帯域幅部分を含むことができる。１つ以上の帯域幅部分の帯域幅部分は、サブバンドを含むことができる。アップリンク信号を伝送することは、第１のサブバンドの無線リソースを介して１つ以上のトランスポートブロックを伝送することを含むことができる。アップリンク信号を伝送することは、セルの帯域幅部分の１つ以上の他のサブバンドの無線リソースを介して１つ以上のトランスポートブロックを伝送することを含むことができる。
【０３３８】
一実施形態によれば、無線デバイスは、ＢＷＰのサブバンドのうちの第１のサブバンド上の第１のタイプのリスンビフォアトーク（ＬＢＴ）がクリアチャネルを示すことに基づいて、帯域幅部分（ＢＷＰ）を介して信号を伝送することができる。無線デバイスは、ＢＷＰの１つ以上の他のサブバンド上の第２のタイプのＬＢＴがクリアチャネルを示すことに基づいて、帯域幅部分（ＢＷＰ）を介して信号を伝送することができる。
【０３３９】
一実施形態によれば、無線デバイスは、セルの帯域幅部分（ＢＷＰ）のサブバンドのうちの第１のサブバンド上で第１のタイプのリスンビフォアトーク（ＬＢＴ）を実行することができる。無線デバイスは、ＢＷＰの１つ以上の他のサブバンド上で第２のタイプのＬＢＴを実行することができる。無線デバイスは、第１のタイプのＬＢＴおよび／または第２のタイプのＬＢＴがクリアチャネルを示すことに基づいて、ＢＷＰを介して信号を伝送することができる。
【０３４０】
一実施形態によれば、基地局は、帯域幅部分（ＢＷＰ）のサブバンドのうちの第１のサブバンド上で第１のタイプのリスンビフォアトーク（ＬＢＴ）を実行することができる。基地局は、ＢＷＰの１つ以上の他のサブバンド上で第２のタイプのＬＢＴを実行することができる。基地局は、第１のタイプのＬＢＴおよび／または第２のタイプのＬＢＴがクリアチャネルを示すことに基づいて、ＢＷＰを介してダウンリンク信号を伝送することができる。
【０３４１】
一実施形態によれば、無線デバイスは、セルの帯域幅部分（ＢＷＰ）に対するアップリンク許可を受信することができる。ＢＷＰは、サブバンドを含むことができる。無線デバイスは、ＢＷＰの第１のサブバンド上で第１のタイプのリスンビフォアトーク（ＬＢＴ）を実行することができる。無線デバイスは、ＢＷＰの１つ以上の他のサブバンド上で第２のタイプのＬＢＴを実行することができる。無線デバイスは、第１のタイプのＬＢＴおよび／または第２のタイプのＬＢＴがクリアチャネルを示すことに基づいて、ＢＷＰを介してアップリンク信号を伝送することができる。
【０３４２】
一実施形態によれば、無線デバイスは、ダウンリンク制御情報を受信することができる。ダウンリンク制御情報は、セルの帯域幅部分（ＢＷＰ）を介したアップリンク信号の伝送のためのアップリンク許可を示すことができる。ＢＷＰは、サブバンドを含むことができる。無線デバイスは、ＢＷＰのサブバンドのうちの第１のサブバンド上で第１のタイプのリスンビフォアトーク（ＬＢＴ）を実行することができる。無線デバイスは、ＢＷＰの、第１のサブバンドとは異なる１つ以上の他のサブバンド上で第２のタイプのＬＢＴを実行することができる。無線デバイスは、第１のタイプのＬＢＴおよび／または第２のタイプのＬＢＴがクリアチャネルを示すことに基づいて、ＢＷＰを介してアップリンク信号を伝送することができる。
【０３４３】
一実施形態によれば、無線デバイスは、ダウンリンク制御情報を受信することができる。ダウンリンク制御情報は、セルの帯域幅部分（ＢＷＰ）を介したアップリンク信号の伝送のためのアップリンク許可を示すことができる。ＢＷＰは、複数のサブバンドを含むことができる。無線デバイスは、ＢＷＰの複数のサブバンドから第１のサブバンドを選択することができる。無線デバイスは、第１のサブバンド上で第１のタイプのリスンビフォアトーク（ＬＢＴ）を実行することができる。無線デバイスは、ＢＷＰの１つ以上の他のサブバンド上で第２のタイプのＬＢＴを実行することができる。１つ以上の他のサブバンドは、第１のサブバンドとは異なり得る。無線デバイスは、第１のタイプのＬＢＴが、ＢＷＰの第１のサブバンドがクリアであることを示すこと、および／または第２のタイプのＬＢＴが、ＢＷＰの１つ以上の他のサブバンドがクリアであることを示すことに基づいて、ＢＷＰを介してアップリンク信号を伝送することができる。
【０３４４】
一実施形態によれば、無線デバイスまたは基地局は、サブバンドのうちの第１のサブバンド上での第１のタイプのリスンビフォアトーク（ＬＢＴ）がクリアチャネルを示すこと、および／または第２のサブバンド上での第２のタイプのＬＢＴがクリアチャネルを示すことに基づいて、セルのサブバンドのうちの第２のサブバンドを介して信号を伝送することができる。
【０３４５】
一実施形態によれば、無線デバイスは、セルのサブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴが、第１のサブバンドがクリアであることを示すこと、および／または第２のタイプのＬＢＴが、少なくとも１つのサブバンドがクリアであることを示すことに基づいて、１つ以上の他のサブバンドのうちの少なくとも１つのサブバンドを介してアップリンク信号を伝送することができる。
【０３４６】
一実施形態によれば、無線デバイスは、セルに対するアップリンク許可を受信することができる。セルは、サブバンドを含むことができる。無線デバイスは、セルのサブバンドのうちの第１のサブバンド上で第１のタイプのリスンビフォアトーク（ＬＢＴ）を実行することができる。無線デバイスは、セルの、第１のサブバンドとは異なる１つ以上の他のサブバンド上で第２のタイプのＬＢＴを実行することができる。無線デバイスは、第１のタイプのＬＢＴが、第１のサブバンドがクリアであることを示すこと、および／または第２のタイプのＬＢＴが、少なくとも１つのサブバンドがクリアであることを示すことに基づいて、１つ以上の他のサブバンドのうちの少なくとも１つのサブバンドを介してアップリンク信号を伝送することができる。
【０３４７】
一実施形態によれば、無線デバイスは、ダウンリンク制御情報を受信することができる。ダウンリンク制御情報は、セルを介したアップリンク信号の伝送のためのアップリンク許可を示すことができる。セルは、サブバンドを含むことができる。無線デバイスは、セルのサブバンドから第１のサブバンドを選択することができる。無線デバイスは、第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。１つ以上の他のサブバンドは、第１のサブバンドとは異なり得る。無線デバイスは、アップリンク許可、および／または第１のタイプのＬＢＴがクリアチャネルを示すことに基づいて、セルの第１のサブバンドを介して第１のアップリンク信号を伝送することができる。無線デバイスは、アップリンク許可に基づいて、第１のタイプのＬＢＴが、第１のサブバンドがクリアであることを示すこと、および／または、第２のタイプのＬＢＴが、セルの少なくとも１つの第２のサブバンドがクリアであることを示すことに基づいて、１つ以上の他のサブバンドのうちの少なくとも１つの第２のサブバンドを介して、第２のアップリンク信号を伝送することができる。
【０３４８】
一実施形態によれば、無線デバイスは、アップリンク許可に基づいて、第１のタイプのＬＢＴが、第１のサブバンドがビジーであることを示すこと、または、第２のタイプのＬＢＴが、セルの少なくとも１つの第３のサブバンドがビジーであることを示すことに基づいて、１つ以上の他のサブバンドのうちの少なくとも１つの第３のサブバンドを介して第３のアップリンク信号を伝送しないことが可能である。無線デバイスは、アップリンク許可に基づいて、第２のタイプのＬＢＴが、セルの少なくとも１つの第３のサブバンドがビジーであることを示すことに基づいて、１つ以上の他のサブバンドのうちの少なくとも１つの第３のサブバンドを介して第３のアップリンク信号を伝送しないことが可能である。
【０３４９】
一実施形態によれば、無線デバイスは、複数のセルからセルを選択することができる。複数のセルを、無線デバイスのために構成することができる。複数のセルの各々は、１つ以上のそれぞれのサブバンドを含むことができる。複数のセルからセルを選択することは、複数のセルからセルをランダムに選択することを含むことができる。複数のセルからランダムにセルを選択することは、複数のセルからセルを、均一な分布で、ランダムに選択することを含むことができる。複数のセルからセルをランダムに選択することは、複数のセルから、ある持続時間中に１回以下の頻度でセルを選択することを含むことができる。持続時間は、１秒以上を含むことができる。無線デバイスは、複数のセルのうちの、このセルとは異なる他のセルのサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、サブバンドのうちの少なくとも１つのサブバンドがクリアであることを示すことに基づいて、複数のセルのうちの他のセルのうちの少なくとも１つを介してアップリンク信号を伝送することができる。
【０３５０】
一実施形態によれば、無線デバイスは、セルのサブバンドから第１のサブバンドをランダムに選択することができる。セルのサブバンドから第１のサブバンドをランダムに選択することは、セルのサブバンドから第１のサブバンドを、均一な分布で、ランダムに選択することを含むことができる。セルのサブバンドから第１のサブバンドをランダムに選択することは、セルのサブバンドから、ある持続時間中に１回以下の頻度で第１のサブバンドを選択することをさらに含むことができる。持続時間は、１秒以上を含むことができる。
【０３５１】
一実施形態によれば、セルの１つ以上の他のサブバンド上で第２のタイプのＬＢＴを実行することは、セルの１つ以上の他のサブバンドの各サブバンド上で第２のタイプのＬＢＴを実行することを含むことができる。第１のタイプのＬＢＴは、ランダムバックオフパラメータおよび／または第１のＬＢＴ持続時間を用いるＬＢＴであり得る。第２のタイプのＬＢＴは、ランダムバックオフを用いないワンショットＬＢＴ持続時間に基づくワンショットＬＢＴであり得る。第１のＬＢＴ持続時間は、ワンショットＬＢＴ持続時間よりも長いことが可能である。セルのサブバンドの各々は、複数の連続する物理リソースブロックを含むことができる。
【０３５２】
一実施形態によれば、無線デバイスは、ＬＢＴパラメータ構成メッセージを受信することができる。ＬＢＴパラメータ構成メッセージは、最大エネルギー検出閾値またはエネルギー検出閾値オフセットを含むことができる。第１のタイプのＬＢＴおよび／または第２のタイプのＬＢＴは、同じ最大エネルギー検出閾値または同じエネルギー検出閾値オフセットを使用することができる。セルの１つ以上の他のサブバンド上で第２のタイプのＬＢＴを実行することは、セルの１つ以上の他のサブバンド上で同じ持続時間を用いて第２のタイプのＬＢＴを実行することを含むことができる。第１のアップリンク信号を伝送することは、セルの物理アップリンク共有チャネルを介して１つ以上のトランスポートブロックを伝送することを含むことができる。第２のアップリンク信号を伝送することは、セルの物理アップリンク共有チャネルを介して１つ以上のトランスポートブロックを伝送することを含むことができる。
【０３５３】
一実施形態によれば、第１のアップリンク信号を伝送することは、セルの帯域幅部分を介して第１のアップリンク信号を伝送することを含むことができる。第２のアップリンク信号を伝送することは、セルの帯域幅部分を介して第２のアップリンク信号を伝送することを含むことができる。ダウンリンク制御情報は、セルの帯域幅部分を示すことができる。セルの帯域幅部分は、セルの１つ以上のサブバンドを含むことができる。セルのサブバンドの各々は、同じ帯域幅を含むことができる。セルのサブバンドの各々は、同数の物理リソースブロックを含むことができる。
【０３５４】
一実施形態によれば、ダウンリンク制御情報は、帯域幅部分を示す帯域幅部分インジケータフィールドを含むことができる。ダウンリンク制御情報は、セルの、第１のサブバンドおよび１つ以上の他のサブバンドのリソースブロックを示す周波数リソース割り当てフィールドを含むことができる。ダウンリンク制御情報は、セルの第１のサブバンドおよび／または１つ以上の他のサブバンドの時間領域リソースを示すタイミング情報フィールドを含むことができる。第１のアップリンク信号および／または第２のアップリンク信号を伝送することは、セルの、第１のサブバンドおよび／または１つ以上の他のサブバンドのうちの少なくとも１つの第２のサブバンドの無線リソースを介して１つ以上のトランスポートブロックを伝送することを含むことができる。無線デバイスは、複数のセルに対する複数のアップリンク許可を受信することができる。複数のアップリンク許可は、アップリンク許可を含むことができる。複数のセルは、セルを含むことができる。第１のタイプのＬＢＴおよび第２のタイプのＬＢＴを、アップリンク許可を受信することに応答して実行することができる。
【０３５５】
一実施形態によれば、セルは、１つ以上の帯域幅部分を含むことができる。１つ以上の帯域幅部分のうちの帯域幅部分は、サブバンドを含むことができる。第１のアップリンク信号および第２のアップリンク信号の伝送は、セルの、第１のサブバンドおよび／または１つ以上の他のサブバンドのうちの少なくとも１つの第２のサブバンドの無線リソースを介して１つ以上のトランスポートブロックを伝送することを含むことができる。
【０３５６】
一実施形態によれば、無線デバイスまたは基地局は、サブバンドのうちの第１のサブバンド上での第１のタイプのリスンビフォアトーク（ＬＢＴ）がクリアチャネルを示すこと、および／または第２のサブバンド上での第２のタイプのＬＢＴがクリアチャネルを示すことに基づいて、帯域幅部分のサブバンドのうちの第２のサブバンドを介して信号を伝送することができる。
【０３５７】
一実施形態によれば、無線デバイスは、セルの帯域幅部分（ＢＷＰ）のサブバンドのうちの第１のサブバンド上で第１のタイプのリスンビフォアトーク（ＬＢＴ）を実行することができる。無線デバイスは、ＢＷＰの１つ以上の他のサブバンド上で第２のタイプのＬＢＴを実行することができる。無線デバイスは、第１のタイプのＬＢＴが、第１のサブバンドがクリアであることを示すこと、および／または第２のタイプのＬＢＴが、少なくとも１つのサブバンドがクリアであることを示すことに基づいて、１つ以上の他のサブバンドのうちの少なくとも１つのサブバンドを介してアップリンク信号を伝送することができる。
【０３５８】
一実施形態によれば、無線デバイスは、セルの帯域幅部分（ＢＷＰ）に対するアップリンク許可を受信することができる。セルは、サブバンドを含むことができる。無線デバイスは、ＢＷＰのサブバンドのうちの第１のサブバンド上で第１のタイプのリスンビフォアトーク（ＬＢＴ）を実行することができる。無線デバイスは、ＢＷＰの、第１のサブバンドとは異なる１つ以上の他のサブバンド上で第２のタイプのＬＢＴを実行することができる。無線デバイスは、第１のタイプのＬＢＴが、第１のサブバンドがクリアであることを示すこと、および／または第２のタイプのＬＢＴが、少なくとも１つのサブバンドがクリアであることを示すことに基づいて、１つ以上の他のサブバンドのうちの少なくとも１つのサブバンドを介してアップリンク信号を伝送することができる。
【０３５９】
一実施形態によれば、無線デバイスは、ダウンリンク制御情報を受信することができる。ダウンリンク制御情報は、セルの帯域幅部分（ＢＷＰ）を介したアップリンク信号の伝送のためのアップリンク許可を示すことができる。ＢＷＰは、サブバンドを含むことができる。無線デバイスは、ＢＷＰのサブバンドから第１のサブバンドを選択することができる。無線デバイスは、第１のサブバンド上で第１のタイプのリスンビフォアトーク（ＬＢＴ）を実行することができる。無線デバイスは、ＢＷＰの１つ以上の他のサブバンド上で第２のタイプのＬＢＴを実行することができる。１つ以上の他のサブバンドは、第１のサブバンドとは異なり得る。無線デバイスは、アップリンク許可、および／または第１のタイプのＬＢＴがクリアチャネルを示すことに基づいて、ＢＷＰの第１のサブバンドを介して第１のアップリンク信号を伝送することができる。無線デバイスは、アップリンク許可に基づいて、第１のタイプのＬＢＴが、第１のサブバンドがクリアであることを示すこと、および／または、第２のタイプのＬＢＴが、ＢＷＰの少なくとも１つの第２のサブバンドがクリアであることを示すことに基づいて、１つ以上の他のサブバンドのうちの少なくとも１つの第２のサブバンドを介して、第２のアップリンク信号を伝送することができる。
【０３６０】
一実施形態によれば、無線デバイスは、アップリンク許可に基づいて、第１のタイプのＬＢＴが、第１のサブバンドがビジーであることを示すこと、または、第２のタイプのＬＢＴが、ＢＷＰの少なくとも１つの第３のサブバンドがビジーであることを示すことに基づいて、１つ以上の他のサブバンドのうちの少なくとも１つの第３のサブバンドを介して第３のアップリンク信号を伝送しないことが可能である。無線デバイスは、アップリンク許可に基づいて、第２のタイプのＬＢＴが、ＢＷＰの少なくとも１つの第３のサブバンドがビジーであることを示すことに基づいて、１つ以上の他のサブバンドのうちの少なくとも１つの第３のサブバンドを介して第３のアップリンク信号を伝送しないことが可能である。
【０３６１】
一実施形態によれば、無線デバイスは、無線デバイスのために構成された複数のセルからセルを選択することができる。複数のセルの各々は、１つ以上のそれぞれのサブバンドを含むことができる。複数のセルからセルを選択することは、複数のセルからセルをランダムに選択することを含むことができる。複数のセルからセルをランダムに選択することは、複数のセルからセルを、均一な分布で、ランダムに選択することを含むことができる。複数のセルからセルをランダムに選択することは、複数のセルから、ある持続時間中に一回以下の頻度でセルを選択することをさらに含むことができる。持続時間は、１秒以上を含むことができる。無線デバイスは、複数のセルのうちの、セルとは異なる他のセルのＢＷＰのサブバンド上で第２のタイプのＬＢＴを実行することができる。無線デバイスは、第１のタイプのＬＢＴが、ＢＷＰの第１のサブバンドがクリアであることを示すこと、および第２のタイプのＬＢＴが、サブバンドのうちの少なくとも１つのサブバンドがクリアであることを示すことに基づいて、複数のセルのうちの他のセルの少なくとも１つのＢＷＰを介してアップリンク信号を伝送することができる。
【０３６２】
一実施形態によれば、ＢＷＰのサブバンドから第１のサブバンドを選択することは、ＢＷＰのサブバンドから第１のサブバンドをランダムに選択することを含むことができる。ＢＷＰのサブバンドから第１のサブバンドをランダムに選択することは、ＢＷＰのサブバンドから第１のサブバンドを、均一な分布で、ランダムに選択することを含むことができる。ＢＷＰのサブバンドから第１のサブバンドをランダムに選択することは、ＢＷＰのサブバンドから、ある持続時間中に１回以下の頻度で第１のサブバンドを選択することをさらに含むことができる。持続時間は、１秒以上を含むことができる。
【０３６３】
一実施形態によれば、ＢＷＰの１つ以上の他のサブバンド上で第２のタイプのＬＢＴを実行することは、ＢＷＰの１つ以上の他のサブバンドの各サブバンド上で第２のタイプのＬＢＴを実行することを含むことができる。一実施形態によれば、第１のタイプのＬＢＴは、ランダムバックオフパラメータおよび第１のＬＢＴ持続時間を用いるＬＢＴであり得る。一実施形態によれば、第２のタイプのＬＢＴは、ランダムバックオフを用いないワンショットＬＢＴ持続時間に基づくワンショットＬＢＴであり得る。一実施形態によれば、第１のＬＢＴ持続時間は、ワンショットＬＢＴ持続時間よりも長いことが可能である。一実施形態によれば、ＢＷＰのサブバンドの各々は、複数の連続する物理リソースブロックを含むことができる。
【０３６４】
一実施形態によれば、無線デバイスは、ＬＢＴパラメータ構成メッセージを受信することができる。ＬＢＴパラメータ構成メッセージは、最大エネルギー検出閾値または／またはエネルギー検出閾値オフセットを含むことができる。第１のタイプのＬＢＴおよび第２のタイプのＬＢＴは、同じ最大エネルギー検出閾値または同じエネルギー検出閾値オフセットを使用することができる。ＢＷＰの１つ以上の他のサブバンド上で第２のタイプのＬＢＴを実行することは、ＢＷＰの１つ以上の他のサブバンド上で同じ持続時間を用いて第２のタイプのＬＢＴを実行することを含むことができる。第１のアップリンク信号を伝送することは、ＢＷＰの物理アップリンク共有チャネルを介して１つ以上のトランスポートブロックを伝送することを含むことができる。第２のアップリンク信号を伝送することは、ＢＷＰの物理アップリンク共有チャネルを介して１つ以上のトランスポートブロックを伝送することを含むことができる。
【０３６５】
一実施形態によれば、ダウンリンク制御情報は、セルの帯域幅部分を示すことができる。セルの帯域幅部分は、１つ以上のサブバンドを含むことができる。ＢＷＰのサブバンドの各々は、同じ帯域幅を含むことができる。ＢＷＰのサブバンドの各々は、同数の物理リソースブロックを含むことができる。ダウンリンク制御情報は、ＢＷＰを示す帯域幅部分インジケータフィールド、および／またはＢＷＰの第１のサブバンドおよび１つ以上の他のサブバンドのリソースブロックを示す周波数リソース割り当てフィールド、および／またはＢＷＰの第１のサブバンドおよび１つ以上の他のサブバンドの時間領域リソースを示すタイミング情報フィールドを含むことができる。
【０３６６】
一実施形態によれば、第１のアップリンク信号および／または第２のアップリンク信号を伝送することは、ＢＷＰの、第１のサブバンドおよび１つ以上の他のサブバンドのうちの少なくとも１つの第２のサブバンドの無線リソースを介して１つ以上のトランスポートブロックを伝送することを含むことができる。無線デバイスは、複数のセルに対する複数のアップリンク許可を受信することができる。複数のアップリンク許可は、アップリンク許可を含むことができる。複数のセルは、セルを含むことができる。第１のタイプのＬＢＴおよび第２のタイプのＬＢＴを、アップリンク許可を受信することに応答して実行することができる。セルは、１つ以上の帯域幅部分を含むことができる。１つ以上の帯域幅部分のうちの帯域幅部分は、サブバンドを含むことができる。第１のアップリンク信号および第２のアップリンク信号を伝送することは、セルのＢＷＰの、第１のサブバンドおよび１つ以上の他のサブバンドのうちの少なくとも１つの第２のサブバンドの無線リソースを介して１つ以上のトランスポートブロックを伝送することを含むことができる。
【０３６７】
一実施形態によれば、無線デバイスは、セルの１つ以上のサブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、セルの１つ以上の他のサブバンドがクリアであることを示すことのうちの少なくとも一方に基づいて、セルを介してアップリンク信号を伝送することができる。
【０３６８】
一実施形態によれば、無線デバイスまたは基地局は、第１のセルの第１のサブバンド上での第１のタイプのリスンビフォアトーク（ＬＢＴ）がクリアチャネルを示すこと、および／または第２のセルの第２のサブバンド上での第２のタイプのＬＢＴがクリアチャネルを示すことに基づいて、セルのうちの第２のセルの第２のサブバンドを介して信号を伝送することができる。
【０３６９】
一実施形態によれば、無線デバイスは、セルの１つ以上のサブバンドの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、セルの少なくとも１つの第２のサブバンドがクリアであることを示すことに基づいて、セルの少なくとも１つの第２のサブバンドを介してアップリンク信号を伝送することができる。
【０３７０】
一実施形態によれば、無線デバイスは、セルの１つ以上のサブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、セルの１つ以上の他のサブバンドがクリアであることを示すことに基づいて、セルを介してアップリンク信号を伝送することができる。
【０３７１】
一実施形態によれば、無線デバイスは、少なくとも１つのダウンリンク制御情報（ＤＣＩ）を受信することができる。少なくとも１つのＤＣＩは、セルを介したアップリンク信号の伝送のための少なくとも１つのアップリンク許可を示すことができる。セルの各々は、１つ以上のサブバンドを含むことができる。無線デバイスは、少なくとも１つのＤＣＩを受信することに応答して、セルからセルを選択することができる。無線デバイスは、セルの１つ以上のサブバンドのうちの第１のサブバンド上で第１のタイプのリスンビフォアトーク（ＬＢＴ）を実行することができる。無線デバイスは、セルの、第１のサブバンドとは異なる１つ以上の他のサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、セルの１つ以上の他のサブバンドがクリアであることを示すことに基づいて、セルを介してアップリンク信号を伝送することができる。
【０３７２】
一実施形態によれば、セルからセルを選択することは、セルからセルをランダムに選択することを含むことができる。セルからセルをランダムに選択することは、セルからセルを、均一な分布で、ランダムに選択することを含むことができる。セルからセルをランダムに選択することは、セルから、ある持続時間中に１回以下の頻度でセルを選択することをさらに含むことができる。持続時間は、１秒以上を含むことができる。
【０３７３】
一実施形態によれば、無線デバイスは、セルの１つ以上のサブバンドから第１のサブバンドを選択することができる。セルの１つ以上のサブバンドから第１のサブバンドを選択することは、セルの１つ以上のサブバンドから第１のサブバンドをランダムに選択することを含むことができる。セルの１つ以上のサブバンドから第１のサブバンドをランダムに選択することは、セルの１つ以上のサブバンドから第１のサブバンドを、均一な分布で、ランダムに選択することを含むことができる。セルの１つ以上のサブバンドから第１のサブバンドをランダムに選択することは、セルの１つ以上のサブバンドから、ある持続時間中に１回以下の頻度で第１のサブバンドを選択することをさらに含むことができる。持続時間は、１秒以上を含むことができる。
【０３７４】
一実施形態によれば、セルの１つ以上の他のサブバンド上で第２のタイプのＬＢＴを実行することは、セルの１つ以上の他のサブバンドの各サブバンド上で第２のタイプのＬＢＴを実行することを含むことができる。第１のタイプのＬＢＴは、ランダムバックオフパラメータおよび第１のＬＢＴ持続時間を用いるＬＢＴであり得る。第２のタイプのＬＢＴは、ランダムバックオフを用いないワンショットＬＢＴ持続時間に基づくワンショットＬＢＴであり得る。第１のＬＢＴ持続時間は、ワンショットＬＢＴ持続時間よりも長いことが可能である。
【０３７５】
一実施形態によれば、セルのうちのセルの１つ以上のサブバンドの各々は、複数の連続する物理リソースブロックを含むことができる。無線デバイスは、１つ以上のＬＢＴパラメータ構成メッセージを受信することができる。１つ以上のＬＢＴパラメータ構成メッセージは、１つ以上の最大エネルギー検出閾値または１つ以上のエネルギー検出閾値オフセットを含むことができる。第１のタイプのＬＢＴおよび第２のタイプのＬＢＴは、セルのうちのセルに対する同じ最大エネルギー検出閾値または同じエネルギー検出閾値オフセットを使用することができる。セルの１つ以上の他のサブバンド上で第２のタイプのＬＢＴを実行することは、セルの１つ以上の他のサブバンド上で同じ持続時間を用いて第２のタイプのＬＢＴを実行することを含むことができる。セルを介してアップリンク信号のうちの１つ以上を伝送することは、セルの１つ以上の物理アップリンク共有チャネルを介してトランスポートブロックを伝送することを含むことができる。
【０３７６】
一実施形態によれば、セルを介してアップリンク信号のうちの１つ以上を伝送することは、セルの１つ以上の帯域幅部分を介してアップリンク信号のうちの１つ以上を伝送することを含むことができる。少なくとも１つのＤＣＩは、セルの１つ以上の帯域幅部分を示すことができる。セルの１つ以上の帯域幅部分の各々は、セルの１つ以上のサブバンドを含むことができる。セルのうちのセルの１つ以上のサブバンドの各々は、同じ帯域幅を含むことができる。セルのうちのセルの１つ以上のサブバンドの各々は、同数の物理リソースブロックを含むことができる。
【０３７７】
一実施形態によれば、少なくとも１つのＤＣＩは、帯域幅部分を示す帯域幅部分インジケータフィールド、およびセルの第１のサブバンドおよび１つ以上の他のサブバンドのリソースブロックを示す周波数リソース割り当てフィールド、および／またはセルの第１のサブバンドおよび１つ以上の他のサブバンドの時間領域リソースを示すタイミング情報フィールドを含むことができる。アップリンク信号を伝送することは、セルの第１のサブバンドおよび１つ以上の他のサブバンドの無線リソースを介して１つ以上のトランスポートブロックを伝送することを含むことができる。第１のタイプのＬＢＴおよび第２のタイプのＬＢＴを、少なくとも１つのアップリンク許可を受信することに応答して実行することができる。セルは、１つ以上の帯域幅部分を含むことができる。１つ以上の帯域幅部分のうちの帯域幅部分は、１つ以上のサブバンドを含むことができる。アップリンク信号を伝送することは、セルの帯域幅部分の第１のサブバンドおよび１つ以上の他のサブバンドの無線リソースを介して１つ以上のトランスポートブロックを伝送することを含むことができる。
【０３７８】
一実施形態によれば、無線デバイスまたは基地局は、セルのうちの第１のセルの第１のＢＷＰの第１のサブバンド上での第１のタイプのリスンビフォアトーク（ＬＢＴ）がクリアチャネルを示すこと、および／または第２のＢＷＰの第２のサブバンド上での第２のタイプのＬＢＴがクリアチャネルを示すことに基づいて、セルのうちの第２のセルの第２の帯域幅部分（ＢＷＰ）の第２のサブバンドを介して信号を伝送することができる。
【０３７９】
一実施形態によれば、無線デバイスは、セルのうちの１つの帯域幅部分（ＢＷＰ）の１つ以上のサブバンドのうちの第１のサブバンド上で第１のタイプのリスンビフォアトーク（ＬＢＴ）を実行することができる。無線デバイスは、セルのＢＷＰの１つ以上の他のサブバンド上で第２のタイプのＬＢＴを実行することができる。無線デバイスは、第１のタイプのＬＢＴが、ＢＷＰの第１のサブバンドがクリアであることを示すこと、および／または第２のタイプのＬＢＴが、ＢＷＰの少なくとも１つの第２のサブバンドがクリアであることを示すことに基づいて、ＢＷＰの少なくとも１つの第２のサブバンドを介してアップリンク信号を伝送することができる。
【０３８０】
一実施形態によれば、無線デバイスは、セルのうちの１つの第１の帯域幅部分（ＢＷＰ）の１つ以上のサブバンドのうちの第１のサブバンド上で第１のタイプのリスンビフォアトーク（ＬＢＴ）を実行することができる。無線デバイスは、セルのＢＷＰの１つ以上の他のサブバンド上で第２のタイプのＬＢＴを実行することができる。無線デバイスは、第１のタイプのＬＢＴが、第１のＢＷＰの第１のサブバンドがクリアであることを示すこと、および／または第２のタイプのＬＢＴが、ＢＷＰの１つ以上の他のサブバンドがクリアであることを示すことに基づいて、ＢＷＰを介してアップリンク信号を伝送することができる。
【０３８１】
一実施形態によれば、無線デバイスは、少なくとも１つのダウンリンク制御情報（ＤＣＩ）を受信することができる。少なくとも１つのＤＣＩは、セルの帯域幅部分（ＢＷＰ）を介したアップリンク信号の伝送のための少なくとも１つのアップリンク許可を示することができる。ＢＷＰの各々は、１つ以上のサブバンドを含むことができる。無線デバイスは、少なくとも１つのＤＣＩを受信することに応答して、セルからセルを選択することができる。無線デバイスは、セルの第１のＢＷＰの１つ以上のサブバンドのうちの第１のサブバンド上で第１のタイプのリスンビフォアトーク（ＬＢＴ）を実行することができる。無線デバイスは、セルの１つ以上のＢＷＰの、第１のサブバンドとは異なる１つ以上の他のサブバンド上で第２のタイプのＬＢＴを実行することができる。無線デバイスは、第１のタイプのＬＢＴが、第１のＢＷＰの第１のサブバンドがクリアであることを示すこと、および／または第２のタイプのＬＢＴが、１つ以上のＢＷＰの１つ以上の他のサブバンドがクリアであることを示すことに基づいて、ＢＷＰを介してアップリンク信号のうちの１つ以上を伝送することができる。
【０３８２】
一実施形態によれば、無線デバイスは、１つ以上のプロセッサと、命令を記憶するメモリと、を含むことができる。無線デバイスは、サブバンドを含むセルに対するアップリンク許可を受信することができる。無線デバイスは、サブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴがクリアチャネルを示すこと、および／または第２のタイプのＬＢＴがクリアチャネルを示すことのうちの少なくとも一方に基づいて、セルを介してアップリンク信号を伝送することができる。
【０３８３】
一実施形態によれば、無線デバイスは、１つ以上のプロセッサと、命令を記憶するメモリと、を含むことができる。無線デバイスは、セルの１つ以上のサブバンドのうちの第１のサブバンド上で第１のタイプのリスンビフォアトーク（ＬＢＴ）を実行することができる。無線デバイスは、セルの１つ以上の他のサブバンド上で第２のタイプのＬＢＴを実行することができる。無線デバイスは、第１のタイプのＬＢＴが、セルの第１のサブバンドがクリアであることを示すこと、および／または第２のタイプのＬＢＴが、セルの１つ以上の他のサブバンドがクリアであることを示すことのうちの少なくとも一方に基づいて、セルを介してアップリンク信号を伝送することができる。
【０３８４】
一実施形態によれば、基地局は、セルのサブバンドから第１のサブバンドを選択することができる。基地局は、第１のサブバンド上で第１のタイプのリスンビフォアトーク（ＬＢＴ）を実行することができる。基地局は、セルの１つ以上の他のサブバンド上で第２のタイプのＬＢＴを実行することができる。１つ以上の他のサブバンドは、第１のサブバンドとは異なり得る。基地局は、第１のタイプのＬＢＴが、セルの第１のサブバンドがクリアであることを示すこと、および／または第２のタイプのＬＢＴが、セルの１つ以上の他のサブバンドがクリアであることを示すことに基づいて、セルを介してダウンリンク信号を伝送することができる。
【０３８５】
一実施形態によれば、基地局は、複数のセルからセルを選択することができる。複数のセルの各々は、１つ以上のそれぞれのサブバンドを含むことができる。複数のセルからセルを選択することは、複数のセルからセルをランダムに選択することを含むことができる。複数のセルからセルをランダムに選択することは、複数のセルからセルを、均一な分布で、ランダムに選択することを含むことができる。複数のセルからセルをランダムに選択することは、複数のセルから、ある持続時間中に１回以下の頻度でセルを選択することをさらに含むことができる。持続時間は、１秒以上を含むことができる。基地局は、複数のセルのうちの、このセルとは異なる他のセルのサブバンド上で第２のタイプのＬＢＴを実行することができる。基地局は、第１のタイプのＬＢＴが、セルの第１のサブバンドがクリアであることを示すこと、および／または第２のタイプのＬＢＴが、他のセルの少なくとも１つのサブバンドがクリアであることを示すことに基づいて、複数のセルのうちの他のセルを介してダウンリンク信号を伝送することができる。
【０３８６】
一実施形態によれば、セルのサブバンドから第１のサブバンドを選択することは、セルのサブバンドから第１のサブバンドをランダムに選択することを含むことができる。セルのサブバンドから第１のサブバンドをランダムに選択することは、セルのサブバンドから第１のサブバンドを、均一な分布で、ランダムに選択することを含むことができる。セルのサブバンドから第１のサブバンドをランダムに選択することは、セルのサブバンドから、ある持続時間中に１回以下の頻度で第１のサブバンドを選択することをさらに含むことができる。持続時間は、１秒以上を含むことができる。
【０３８７】
一実施形態によれば、セルの１つ以上の他のサブバンド上で第２のタイプのＬＢＴを実行することは、セルの１つ以上の他のサブバンドの各サブバンド上で第２のタイプのＬＢＴを実行することを含むことができる。第１のタイプのＬＢＴは、ランダムバックオフパラメータおよび／または第１のＬＢＴ持続時間を用いるＬＢＴであり得る。第２のタイプのＬＢＴは、ランダムバックオフを用いないワンショットＬＢＴ持続時間に基づくワンショットＬＢＴであり得る。第１のＬＢＴ持続時間は、ワンショットＬＢＴ持続時間よりも長いことが可能である。セルのサブバンドの各々は、複数の連続する物理リソースブロックを含むことができる。基地局は、ＬＢＴパラメータ構成メッセージを伝送することができる。ＬＢＴパラメータ構成メッセージは、最大エネルギー検出閾値またはエネルギー検出閾値オフセットを含むことができる。第１のタイプのＬＢＴおよび第２のタイプのＬＢＴは、同じ最大エネルギー検出閾値または同じエネルギー検出閾値オフセットを使用することができる。
【０３８８】
一実施形態によれば、セルの１つ以上の他のサブバンド上で第２のタイプのＬＢＴを実行することは、セルの１つ以上の他のサブバン上で同じ時間を用いて第２のタイプのＬＢＴを実行することを含むことができる。セルを介してダウンリンク信号を伝送することは、セルの物理ダウンリンク共有チャネルを介してトランスポートブロックを伝送することを含むことができる。セルを介してダウンリンク信号を伝送することは、セルの帯域幅部分を介してダウンリンク信号を伝送することを含むことができる。セルのサブバンドの各々は、同じ帯域幅を含むことができる。セルのサブバンドの各々は、同数の物理リソースブロックを含むことができる。
【０３８９】
一実施形態によれば、ダウンリンク信号を伝送することは、セルの第１のサブバンドおよび１つ以上の他のサブバンドの無線リソースを介して１つ以上のトランスポートブロックを伝送することを含むことができる。セルは、１つ以上の帯域幅部分を含むことができる。１つ以上の帯域幅部分のうちの帯域幅部分は、サブバンドを含むことができる。ダウンリンク信号を伝送することは、セルの帯域幅部分の第１のサブバンドおよび１つ以上の他のサブバンドの無線リソースを介して１つ以上のトランスポートブロックを伝送することを含むことができる。
【０３９０】
一実施形態によれば、基地局は、セルからセルを選択することができる。セルの各々は、１つ以上のサブバンドを含むことができる。基地局は、セルの１つ以上のサブバンドのうちの第１のサブバンド上で第１のタイプのリスンビフォアトーク（ＬＢＴ）を実行することができる。基地局は、セルの、第１のサブバンドとは異なる１つ以上の他のサブバンド上で第２のタイプのＬＢＴを実行することができる。基地局は、第１のタイプのＬＢＴが、セルの第１のサブバンドがクリアであることを示すこと、および／または第２のタイプのＬＢＴが、セルの１つ以上の他のサブバンドがクリアであることを示すことに基づいて、セルを介してダウンリンク信号のうちの１つ以上を伝送することができる。
【０３９１】
一実施形態によれば、セルからセルを選択することは、セルからセルをランダムに選択することを含むことができる。セルからセルをランダムに選択することは、セルからセルを、均一な分布で、ランダムに選択することを含むことができる。セルからセルをランダムに選択することは、セルから、ある持続時間中に１回以下の頻度でセルを選択することをさらに含むことができる。持続時間は、１秒以上を含むことができる。
【０３９２】
一実施形態によれば、基地局は、セルの１つ以上のサブバンドから第１のサブバンドを選択することができる。セルの１つ以上のサブバンドから第１のサブバンドを選択することは、セルの１つ以上のサブバンドから第１のサブバンドをランダムに選択することを含むことができる。セルの１つ以上のサブバンドから第１のサブバンドをランダムに選択することは、セルの１つ以上のサブバンドから第１のサブバンドを、均一な分布で、ランダムに選択することを含むことができる。セルの１つ以上のサブバンドから第１のサブバンドをランダムに選択することは、セルの１つ以上のサブバンドから、ある持続時間中に１回以下の頻度で第１のサブバンドを選択することをさらに含むことができる。持続時間は、１秒以上を含むことができる。
【０３９３】
一実施形態によれば、セルの１つ以上の他のサブバンド上で第２のタイプのＬＢＴを実行することは、セルの１つ以上の他のサブバンドの各サブバンド上で第２のタイプのＬＢＴを実行することを含むことができる。第１のタイプのＬＢＴは、ランダムバックオフパラメータおよび第１のＬＢＴ持続時間を用いるＬＢＴであり得る。第２のタイプのＬＢＴは、ランダムバックオフを用いないワンショットＬＢＴ持続時間に基づくワンショットＬＢＴであり得る。第１のＬＢＴ持続時間は、ワンショットＬＢＴ持続時間よりも長いことが可能である。セルのうちのセルの１つ以上のサブバンドの各々は、複数の連続する物理リソースブロックを含むことができる。基地局は、１つ以上のＬＢＴパラメータ構成メッセージを伝送することができる。１つ以上のＬＢＴパラメータ構成メッセージは、１つ以上の最大エネルギー検出閾値または１つ以上のエネルギー検出閾値オフセットを含むことができる。第１のタイプのＬＢＴおよび第２のタイプのＬＢＴは、セルのうちのセルに対する同じ最大エネルギー検出閾値または同じエネルギー検出閾値オフセットを使用することができる。
【０３９４】
一実施形態によれば、セルの１つ以上の他のサブバンド上で第２のタイプのＬＢＴを実行することは、セルの１つ以上の他のサブバン上で同じ時間を用いて第２のタイプのＬＢＴを実行することを含むことができる。セルを介してダウンリンク信号のうちの１つ以上を伝送することは、セルの１つ以上の物理ダウンリンク共有チャネルを介してトランスポートブロックを伝送することを含むことができる。セルを介してダウンリンク信号のうちの１つ以上を伝送することは、セルの１つ以上の帯域幅部分を介してダウンリンク信号のうちの１つ以上を伝送することを含むことができる。セルのうちのセルの１つ以上のサブバンドの各々は、同じ帯域幅を含むことができる。セルのうちのセルの１つ以上のサブバンドの各々は、同数の物理リソースブロックを含むことができる。
【０３９５】
一実施形態によれば、ダウンリンク信号のうちの１つ以上を伝送することは、セルの第１のサブバンドおよび１つ以上の他のサブバンドの無線リソースを介して１つ以上のトランスポートブロックを伝送することを含むことができる。セルの各々は、１つ以上の帯域幅部分を含むことができる。１つ以上の帯域幅部分のうちの帯域幅部分は、１つ以上のサブバンドを含むことができる。ダウンリンク信号のうち１つ以上を伝送することは、セルの帯域幅部分の第１のサブバンドおよび１つ以上の他のサブバンドの無線リソースを介して１つ以上のトランスポートブロックを伝送することを含むことができる。
【０３９６】
実施形態は、必要に応じて動作するように構成されてもよい。開示されたメカニズムは、例えば、無線デバイス、基地局、無線環境、ネットワーク、上記の組み合わせなどで、特定の基準が満たされるときに実行され得る。例示的な基準は、例えば、無線デバイスまたはネットワークノード構成、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【０３９７】
基地局は、様々な無線デバイスと通信することができる。無線デバイスおよび／または基地局は、複数の技術、および／または同じ技術の複数のリリースをサポートすることができる。無線デバイスは、無線デバイスのカテゴリおよび／または能力に応じて、いくつかの特定の能力を有してもよい。基地局は、複数のセクタを含んでもよい。本開示が複数の無線デバイスと通信する基地局に言及する場合、本開示は、カバレッジエリア内の全無線デバイスのサブセットに言及し得る。本開示は、例えば、所定の能力を備え、基地局の所定のセクタにある、所定のＬＴＥまたは５Ｇリリースの複数の無線デバイスに言及し得る。本開示における複数の無線デバイスは、選択された複数の無線デバイス、および／または開示された方法などに従って実行するカバレッジエリア内の全無線デバイスのサブセットを指し得る。例えば、それらの無線デバイスまたは基地局は、ＬＴＥまたは５Ｇ技術のより古いリリースに基づいて実行されるため、開示された方法に準拠しない場合があるカバレッジエリアに複数の基地局または複数の無線デバイスが存在し得る。
【０３９８】
本開示において、「ａ」および「ａｎ」ならびに同様のフレーズは、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続くフレーズが、様々な実施形態のうちの１つ以上に用いられるかもしれない、または用いられないかもしれないという多数の好適な可能性のうちの１つの例であることを暗示している。
【０３９９】
ＡおよびＢがセットであり、Ａのあらゆる要素もまた、Ｂの要素である場合、Ａは、Ｂのサブセットと呼ばれる。本明細書では、空でないセットおよびサブセットのみが考慮されている。例えば、Ｂ＝｛セル１、セル２｝の可能なサブセットは、｛セル１｝、｛セル２｝、および｛セル１、セル２｝である。「に基づいて」（または同等に「に少なくとも基づいて」）というフレーズは、用語「に基づいて」に続くフレーズが様々な実施形態の１つ以上に用いられる場合と用いられない場合とがある多数の好適な可能性の１つの例であることを示す。「に応答して」（または同等に「に少なくとも応答して」）というフレーズは、フレーズ「に応答して」に続くフレーズが様々な実施形態の１つ以上に用いられる場合と用いられない場合とがある多数の好適な可能性の１つの例であることを示す。フレーズ「に応じて」（または同等に「に少なくとも応じて」）は、フレーズ「に応じて」に続くフレーズが様々な実施形態の１つ以上に用いられる場合と用いられない場合とがある多数の好適な可能性の１つの例であることを示す。フレーズ「用いる／使用」（または同等に「少なくとも用いる／少なくとも使用」）は、フレーズ「用いる／使用」に続くフレーズが様々な実施形態の１つ以上に用いられる場合と用いられない場合とがある多数の好適な可能性の１つの例であることを示す。
【０４００】
用語「構成された」は、デバイスが動作状態にあるか非動作状態にあるかにかかわらず、デバイスの容量に関連する場合がある。「構成された」とは、デバイスが動作状態にあるか非動作状態にあるかにかかわらず、デバイスの動作特性に影響するデバイスの特定の設定を指す場合もある。換言すれば、ハードウェア、ソフトウェア、ファームウェア、レジスタ、メモリ値などは、デバイスが特定の特性を提供するために、デバイスが動作状態または非動作状態にあるかどうかにかかわらず、デバイス内で「構成され」得る。「デバイスにおいて発生する制御メッセージ」などの用語は、デバイスが動作状態か非動作状態かにかかわらず、制御メッセージがデバイスにおける特定の特性を構成するために使用することができるまたはデバイスにおける特定のアクションを実装するために使用することができるパラメータを有することを意味し得る。
【０４０１】
本開示では、様々な実施形態が開示されている。開示された例示的な実施形態からの制限、特徴、および／または要素が組み合わせられ、本開示の範囲内でさらなる実施形態を作成することができる。
【０４０２】
本開示では、パラメータ（または同等にフィールド、または情報要素：ＩＥと呼ばれる）は、１つ以上の情報オブジェクトを含むことができ、情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合には、例えば、ＮはＫを含み、ＮはＪを含む。例示的な一実施形態では、１つ以上の（または少なくとも１つの）メッセージ（複数可）が複数のパラメータを含むとき、それは、複数のパラメータ中のパラメータが、１つ以上のメッセージのうちの少なくとも１つ内にあるが、１つ以上のメッセージの各々内にある必要はないことを意味する。例示的な実施形態では、１つ以上（または少なくとも１つ）のメッセージが値、イベントおよび／または状態を示すとき、値、イベントおよび／または状態が１つ以上のメッセージの少なくとも１つによって示されるが、１つ以上のメッセージのそれぞれによって示される必要はないことを意味する。
【０４０３】
さらにまた、上記で提示された多くの特徴は、「ｍａｙ」の使用または括弧の使用により任意選択であるものとして説明されている。簡潔さおよび読みやすさのために、本開示は、任意選択の特徴のセットから選択することによって得られ得るありとあらゆる変更を明示的に記載していない。しかしながら、本開示は、そのようなすべての変更を明示的に開示していると解釈されるべきである。例えば、３つの任意選択の特徴を有するものとして説明されたシステムは、７つの異なる方式、すなわち、３つの可能な特徴の１つのみ、３つの特徴のいずれか２つ、または３つの特徴の３つすべてによって具現化されることができる。
【０４０４】
開示される実施形態で説明される要素の多くは、モジュールとして実装されてもよい。ここでモジュールは、定義された機能を実行し、他の要素への定義されたインターフェースを有する要素として定義される。本開示で説明されるモジュールは、ハードウェア、ハードウェアと組み合わせたソフトウェア、ファームウェア、ウェットウェア（すなわち、生物学的要素を備えたハードウェア）、またはそれらの組み合わせで実装されてもよく、それらのすべては、挙動的に等価とすることができる。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）もしくはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔで実行されるように構成されたコンピュータ言語で記述されたソフトウェアルーチンで実装されてもよい。さらに、ディスクリートまたはプログラム可能なアナログ、デジタル、および／または量子ハードウェアを組み込む物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、ＣＰＬＤは、多くの場合、プログラマブルデバイスの機能が少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。機能モジュールの結果を達成するために、上記の技術がしばしば組み合わせて使用される。
【０４０５】
この特許文書の開示には、著作権保護の対象となる資料が組み込まれている。著作権所有者は、特許商標局の特許ファイルまたは記録にあるように、法律で要求される限られた目的のために、特許文書または特許開示の誰しもによるファクシミリ複製に異議を唱えないが、それ以外はあらゆるすべての著作権を留保する。
【０４０６】
様々な実施形態が上記で説明されてきたが、それらは例として提示されており、限定ではないことを理解されたい。当業者には、範囲から逸脱することなく、形態および詳細の様々な変更を行うことができることは明らかであろう。実際、上記の明細書を読んだ後、代替の実施形態を実装する方法が関連技術分野の当業者に明らかになるであろう。したがって、本実施形態は、上述の例示的な実施形態のいずれによっても限定されるべきではない。
【０４０７】
さらに、機能と利点を強調するいかなる図も、例示のみを目的として提示されていることを理解する必要がある。開示されたアーキテクチャは、示されている以外の方式で利用することができるように、十分に柔軟で構成可能である。例えば、いかなるフローチャートにリストされたアクションも、いくつかの実施形態で並べ替えられ、または任意選択としてのみ使用されてもよい。
【０４０８】
さらに、本開示の要約の目的は、米国特許商標庁および一般大衆、特に特許または法的用語または専門語に精通していない当該技術分野の科学者、技術者および実務家が、一瞥して本出願の技術的な開示の性質と本質を迅速に判断できるようにすることである。本開示の要約は、多少なりとも範囲を限定することを意図するものではない。
【０４０９】
最後に、「する手段」または「するステップ」という明示的な用語を含む請求項のみが、３５  Ｕ．Ｓ．Ｃ．１１２の下で解釈されることが出願人の意図である。「する手段」または「するステップ」という語句を明示的に含まない請求項は、３５  Ｕ．Ｓ．Ｃ．１１２の下で解釈されるべきでない。
【図１】
2021525977.tif 000012
【図２Ａ】
2021525977.tif 000013
【図２Ｂ】
2021525977.tif 000014
【図３】
2021525977.tif 000015
【図４Ａ】
2021525977.tif 000016
【図４Ｂ】
2021525977.tif 000017
【図４Ｃ】
2021525977.tif 000018
【図４Ｄ】
2021525977.tif 000019
【図５Ａ】
2021525977.tif 000020
【図５Ｂ】
2021525977.tif 000021
【図６】
2021525977.tif 000022
【図７Ａ】
2021525977.tif 000023
【図７Ｂ】
2021525977.tif 000024
【図８】
2021525977.tif 000025
【図９Ａ】
2021525977.tif 000026
【図９Ｂ】
2021525977.tif 000027
【図１０】
2021525977.tif 000028
【図１１Ａ】
2021525977.tif 000029
【図１１Ｂ】
2021525977.tif 000030
【図１２】
2021525977.tif 000031
【図１３】
2021525977.tif 000032
【図１４】
2021525977.tif 000033
【図１５】
2021525977.tif 000034
【図１６】
2021525977.tif 000035
【図１７】
2021525977.tif 000036
【図１８】
2021525977.tif 000037
【図１９】
2021525977.tif 000038
【図２０Ａ】
2021525977.tif 000039
【図２０Ｂ】
2021525977.tif 000040
【図２１Ａ】
2021525977.tif 000041
【図２１Ｂ】
2021525977.tif 000042
【図２２Ａ】
2021525977.tif 000043
【図２２Ｂ】
2021525977.tif 000044
【図２３Ａ】
2021525977.tif 000045
【図２３Ｂ】
2021525977.tif 000046
【図２４Ａ】
2021525977.tif 000047
【図２４Ｂ】
2021525977.tif 000048
【図２５Ａ】
2021525977.tif 000049
【図２５Ｂ】
2021525977.tif 000050
【図２６Ａ】
2021525977.tif 000051
【図２６Ｂ】
2021525977.tif 000052
【図２７】
2021525977.tif 000053
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
方法であって、
無線デバイスによって、セルの物理アップリンク共有チャネル（ＰＵＳＣＨ）の複数のサブバンド上の伝送をスケジュールするアップリンク許可を受信することであって、前記複数のサブバンドは、第１のサブバンドと１つ以上の他のサブバンドとを備える、ことと、
前記無線デバイスによって、前記アップリンク許可の前記受信に応答して、前記複数のサブバンドの前記第１のサブバンド上で第１のタイプのリッスンビフォアトーク（ＬＢＴ）を実行することと、
前記第１のタイプのＬＢＴの実行が開始した後に、かつ前記第１のサブバンド上の伝送の直前に、前記複数のサブバンドの前記１つ以上の他のサブバンドのそれぞれ上で第２のタイプのＬＢＴを実行することと、
前記第１のタイプのＬＢＴが、前記第１のサブバンドがクリアであることを示す決定、および、
前記第２のタイプのＬＢＴが、前記１つ以上の他のサブバンドのそれぞれがクリアであることを示す決定
に基づいて、前記ＰＵＳＣＨの前記複数のサブバンド上で１つ以上のトランスポートブロックを伝送することと
を含む、方法。
【請求項２】
前記セルの帯域幅部分は、前記セルの前記第１のサブバンドと前記１つ以上の他のサブバンドとを備え、
前記セルの前記ＰＵＳＣＨを介して前記１つ以上のトランスポートブロックを伝送することは、前記セルの前記帯域幅部分の前記ＰＵＳＣＨを介して前記１つ以上のトランスポートブロックを伝送することを含む、請求項１に記載の方法。
【請求項３】
前記第１のＬＢＴタイプの第１の持続時間は、前記第２のＬＢＴタイプの第２の持続時間と異なり、
前記第１のＬＢＴタイプの前記第１の持続時間は、可変であり、かつ、前記第２のＬＢＴタイプの前記第２の持続時間は、固定であり、またはそれらの組み合わせである、請求項１に記載の方法。
【請求項４】
前記第１のタイプのＬＢＴは、ランダムバックオフパラメータと第１のＬＢＴ持続時間とを用いるＬＢＴであり、
前記第２のタイプのＬＢＴは、ランダムバックオフを用いない、ワンショットＬＢＴ持続時間に基づくワンショットＬＢＴである、請求項１に記載の方法。
【請求項５】
前記第２のタイプのＬＢＴは、前記第１のタイプのＬＢＴが、前記第１のサブバンドがクリアであることを示す前記決定に基づいて実行される、請求項１に記載の方法。
【請求項６】
前記第１のサブバンド上の前記伝送の直前に実行される、第２のセルの１つ以上の第２のサブバンド上の前記第２のタイプのＬＢＴが、１つ以上の第２の他のサブバンドのそれぞれがクリアであることを示すことを決定することと、
前記第１のタイプのＬＢＴが、前記第１のサブバンドがクリアであることを示す前記決定、および、
前記第２のタイプのＬＢＴが、前記１つ以上の第２のサブバンドのそれぞれがクリアであることを示す前記決定
に基づいて、前記第２のセルの第２のＰＵＳＣＨを介して１つ以上の第２のトランスポートブロックを伝送することと
をさらに含む、請求項１に記載の方法。
【請求項７】
前記第１のタイプのＬＢＴまたは前記第２のタイプのＬＢＴのうちの少なくとも１つに対する最大エネルギー検出閾値、または
前記第１のタイプのＬＢＴまたは前記第２のタイプのＬＢＴのうちの少なくとも１つに対するエネルギー検出閾値オフセット
のうちの少なくとも１つを備えるＬＢＴパラメータ構成メッセージをさらに受信することをさらに含む、請求項１に記載の方法。
【請求項８】
無線デバイスであって、
１つ以上のプロセッサと、
命令を記憶するメモリと
を備え、
前記命令は、前記１つ以上のプロセッサによって実行されると、前記無線デバイスに、
セルの物理アップリンク共有チャネル（ＰＵＳＣＨ）の複数のサブバンド上の伝送をスケジュールするアップリンク許可を受信することであって、前記複数のサブバンドは、第１のサブバンドと１つ以上の他のサブバンドとを備える、ことと、
前記アップリンク許可の前記受信に応答して、前記複数のサブバンドの前記第１のサブバンド上で第１のタイプのリッスンビフォアトーク（ＬＢＴ）を実行することと、
前記第１のタイプのＬＢＴの実行が開始した後に、かつ前記第１のサブバンド上の伝送の直前に、前記複数のサブバンドの前記１つ以上の他のサブバンドのそれぞれ上で第２のタイプのＬＢＴを実行することと、
前記第１のタイプのＬＢＴが、前記第１のサブバンドがクリアであることを示す決定、および、
前記第２のタイプのＬＢＴが、前記１つ以上の他のサブバンドのそれぞれがクリアであることを示す決定
に基づいて、前記ＰＵＳＣＨの前記複数のサブバンド上で１つ以上のトランスポートブロックを伝送することと
を行わせる、無線デバイス。
【請求項９】
前記セルの帯域幅部分は、前記セルの前記第１のサブバンドと前記１つ以上の他のサブバンドとを備え、
前記セルの前記ＰＵＳＣＨを介して前記１つ以上のトランスポートブロックを伝送することは、前記セルの前記帯域幅部分の前記ＰＵＳＣＨを介して前記１つ以上のトランスポートブロックを伝送することを含む、請求項８に記載の無線デバイス。
【請求項１０】
前記第１のＬＢＴタイプの第１の持続時間は、前記第２のＬＢＴタイプの第２の持続時間と異なり、
前記第１のＬＢＴタイプの前記第１の持続時間は、可変であり、かつ、前記第２のＬＢＴタイプの前記第２の持続時間は、固定であり、またはそれらの組み合わせである、請求項８に記載の無線デバイス。
【請求項１１】
前記第１のタイプのＬＢＴは、ランダムバックオフパラメータと第１のＬＢＴ持続時間とを用いるＬＢＴであり、
前記第２のタイプのＬＢＴは、ランダムバックオフを用いない、ワンショットＬＢＴ持続時間に基づくワンショットＬＢＴである、請求項８に記載の無線デバイス。
【請求項１２】
前記第２のタイプのＬＢＴは、前記第１のタイプのＬＢＴが、前記第１のサブバンドがクリアであることを示す前記決定に基づいて実行される、請求項８に記載の無線デバイス。
【請求項１３】
前記命令は、
前記第１のサブバンド上の前記伝送の直前に実行される、第２のセルの１つ以上の第２のサブバンド上の前記第２のタイプのＬＢＴが、１つ以上の第２の他のサブバンドのそれぞれがクリアであることを示すことを決定することと、
前記第１のタイプのＬＢＴが、前記第１のサブバンドがクリアであることを示す前記決定、および、
前記第２のタイプのＬＢＴが、前記１つ以上の第２のサブバンドのそれぞれがクリアであることを示す前記決定
に基づいて、前記第２のセルの第２のＰＵＳＣＨを介して１つ以上の第２のトランスポートブロックを伝送することと
を前記無線デバイスにさらに行わせる、請求項８に記載の無線デバイス。
【請求項１４】
前記命令は、
前記第１のタイプのＬＢＴまたは前記第２のタイプのＬＢＴのうちの少なくとも１つに対する最大エネルギー検出閾値、または
前記第１のタイプのＬＢＴまたは前記第２のタイプのＬＢＴのうちの少なくとも１つに対するエネルギー検出閾値オフセット
のうちの少なくとも１つを備えるＬＢＴパラメータ構成メッセージをさらに受信することを前記無線デバイスにさらに行わせる、請求項８に記載の無線デバイス。
【請求項１５】
方法であって、
基地局によって、セルの物理ダウンリンク共有チャネル（ＰＤＳＣＨ）の複数のサブバンド上の伝送をスケジュールするダウンリンク許可を伝送することであって、前記複数のサブバンドは、第１のサブバンドと１つ以上の他のサブバンドとを備える、ことと、
前記基地局によって、前記ダウンリンク許可の前記伝送に応答して、前記複数のサブバンドの前記第１のサブバンド上で第１のタイプのリッスンビフォアトーク（ＬＢＴ）を実行することと、
前記第１のタイプのＬＢＴの実行が開始した後に、かつ前記第１のサブバンド上の伝送の直前に、前記複数のサブバンドの前記１つ以上の他のサブバンドのそれぞれ上で第２のタイプのＬＢＴを実行することと、
前記第１のタイプのＬＢＴが、前記第１のサブバンドがクリアであることを示す決定、および、
前記第２のタイプのＬＢＴが、前記１つ以上の他のサブバンドのそれぞれがクリアであることを示す決定
に基づいて、前記セルの前記ＰＤＳＣＨの前記複数のサブバンド上で１つ以上のトランスポートブロックを伝送することと
を含む、方法。
【請求項１６】
前記セルの帯域幅部分は、前記セルの前記第１のサブバンドと前記１つ以上の他のサブバンドとを備え、
前記１つ以上のトランスポートブロックを伝送することは、前記セルの前記帯域幅部分を介して前記１つ以上のトランスポートブロックを伝送することを含む、請求項１５に記載の方法。
【請求項１７】
前記第１のＬＢＴタイプの第１の持続時間は、前記第２のＬＢＴタイプの第２の持続時間と異なり、
前記第１のＬＢＴタイプの前記第１の持続時間は、可変であり、かつ、前記第２のＬＢＴタイプの前記第２の持続時間は、固定であり、またはそれらの組み合わせである、請求項１５に記載の方法。
【請求項１８】
前記第１のタイプのＬＢＴは、ランダムバックオフパラメータと第１のＬＢＴ持続時間とを用いるＬＢＴであり、
前記第２のタイプのＬＢＴは、ランダムバックオフを用いない、ワンショットＬＢＴ持続時間に基づくワンショットＬＢＴである、請求項１５に記載の方法。
【請求項１９】
前記第２のタイプのＬＢＴは、前記第１のタイプのＬＢＴが、前記第１のサブバンドがクリアであることを示す前記決定に基づいて実行される、請求項１５に記載の方法。
【請求項２０】
前記第１のサブバンド上の前記伝送の直前に実行される、第２のセルの１つ以上の第２のサブバンド上の前記第２のタイプのＬＢＴが、前記１つ以上の第２のサブバンドのそれぞれがクリアであることを示すことを決定することと、
前記第１のタイプのＬＢＴが、前記第１のサブバンドがクリアであることを示す前記決定、および、
前記第２のタイプのＬＢＴが、前記１つ以上の第２のサブバンドのそれぞれがクリアであることを示す前記決定
に基づいて、前記第２のセルの第２のＰＤＳＣＨを介して１つ以上の第２のトランスポートブロックを伝送することと
をさらに含む、請求項１５に記載の方法。
【手続補正２】
【補正対象書類名】明細書
【補正対象項目名】０００４
【補正方法】変更
【補正の内容】
【０００４】
本開示の例示的な実施形態は、様々な物理層変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。物理層での信号伝送には、様々な変調方式を適用することができる。変調方式の例としては、以下に限定されないが、位相、振幅、符号、これらの組み合わせ、および／または同様のものが挙げられる。例示的な無線伝送方法は、２相位相変調（ＢＰＳＫ）を使用する直交振幅変調（ＱＡＭ）、４相位相変調（ＱＰＳＫ）、１６−ＱＡＭ、６４−ＱＡＭ、２５６−ＱＡＭ、および／または同様のものを実装することができる。物理的な無線伝送は、伝送要件と無線条件に応じて変調およびコーディング方式を動的または半動的に変更することにより強化することができる。
本願明細書は、例えば、以下の項目も提供する。
（項目１）
無線デバイスによって、一セルを介したアップリンク信号の伝送のためのアップリンク許可を示すダウンリンク制御情報を受信することであって、前記一セルがサブバンドを含むものであることと、
前記一セルの前記サブバンドから第１のサブバンドを選択することと、
前記第１のサブバンド上で第１タイプのリッスンビフォアトーク（ＬＢＴ）を実行することと、
前記一セルの１つ以上のその他のサブバンド上で第２タイプのＬＢＴを実行することであって、前記１つ以上のその他のサブバンドが、前記第１のサブバンドとは異なるものであることと、  
前記第１のタイプのＬＢＴが、前記一セルの前記第１のサブバンドがクリアであることを示し、
前記第２のタイプのＬＢＴが、前記一セルの前記１つ以上の他のサブバンドがクリアであることを示すことに基づき、
前記一セルを介して前記アップリンク信号を伝送することと、を含む方法。
（項目２）
前記無線デバイスのために構成された複数のセルから前記一セルを選択することをさらに含む、項目１に記載の方法。
（項目３）
前記複数のセルの各々が１つ以上のサブバンドをそれぞれ含む、項目２に記載の方法。
（項目４）
前記複数のセルから前記一セルを前記選択することが、前記複数のセルから前記一セルをランダムに選択することを含む、項目３に記載の方法。
（項目５）
前記複数のセルから前記一セルを前記ランダムに選択することが、前記複数のセルから前記一セルを均一分布でランダムに選択することを含む、項目４に記載の方法。
（項目６）
前記複数のセルから前記一セルを前記ランダムに選択することが、前記複数の前記セルから、ある持続時間中に１回だけの頻度で前記一セルを選択することをさらに含む、項目５に記載の方法。
（項目７）
前記持続時間が１秒以上からなる、項目６に記載の方法。
（項目８）
前記複数のセルのうちの、前記一セルとは異なるその他のセルのサブバンド上で前記第２タイプのＬＢＴを実行することをさらに含む、項目３に記載の方法。
（項目９）
前記第１タイプのＬＢＴが前記一セルの前記第１のサブバンドがクリアであることを示し、前記第２タイプのＬＢＴが、前記サブバンドのうちの少なくとも１つのサブバンドがクリアであると示すことに基づいて、前記複数のセルのうち前記その他のセルのうちの少なくとも１つを介してアップリンク信号を伝送することをさらに含む、項目８に記載の方法。
（項目１０）
前記一セルの前記サブバンドから前記第１のサブバンドを前記選択することが、前記一セルの前記サブバンドから前記第１のサブバンドをランダムに選択することを含む、項目１に記載の方法。
（項目１１）
前記一セルの前記サブバンドから前記第１のサブバンドを前記ランダムに選択することが、前記一セルの前記サブバンドから前記第１のサブバンドを、均一分布でランダムに選択することを含む、項目１０に記載の方法。
（項目１２）
前記一セルの前記サブバンドから前記第１のサブバンドを前記ランダムに選択することが、前記セルの前記サブバンドから、ある持続時間中に１回だけの頻度で前記第１のサブバンドを選択することをさらに含む、項目１１に記載の方法。
（項目１３）
前記持続時間が１秒以上からなる、項目１２に記載の方法。
（項目１４）
前記一セルの前記１つ以上のその他のサブバンド上で前記第２タイプのＬＢＴを前記実行することが、前記一セルの前記１つ以上のその他のサブバンドの各サブバンド上で前記第２タイプのＬＢＴを実行することを含む、項目１に記載の方法。
（項目１５）
前記第１タイプのＬＢＴが、ランダムバックオフパラメータおよび第１のＬＢＴ持続時間を用いるＬＢＴである、項目１に記載の方法。
（項目１６）
前記第２タイプのＬＢＴが、ランダムバックオフを用いないワンショットＬＢＴ持続時間に基づくワンショットＬＢＴである、項目１５に記載の方法。
（項目１７）
前記第１のＬＢＴ持続時間が前記ワンショットＬＢＴ持続時間よりも長い、項目１６に記載の方法。
（項目１８）
前記セルの前記サブバンドの各々が複数の連続する物理リソースブロックを含む、項目１に記載の方法。
（項目１９）
最大エネルギー検出閾値またはエネルギー検出閾値オフセットを有するＬＢＴパラメータ構成メッセージを受信することをさらに含む、項目１に記載の方法。
（項目２０）
前記第１タイプのＬＢＴおよび前記第２タイプのＬＢＴが、同じ最大エネルギー検出閾値または同じエネルギー検出閾値オフセットを使用する、項目１９に記載の方法。
（項目２１）
前記一セルの前記１つ以上の他のサブバンド上で前記第２タイプのＬＢＴを前記実行することが、前記一セルの前記１つ以上の他のサブバンド上で、同じ持続時間を用いて前記第２タイプのＬＢＴを実行することを含む、項目１に記載の方法。
（項目２２）
前記一セルを介して前記アップリンク信号を前記伝送することが、前記一セルの物理アップリンク共有チャネルを介してトランスポートブロックを伝送することを含む、項目１に記載の方法。
（項目２３）
前記一セルを介して前記アップリンク信号を前記伝送することが、前記一セルの帯域幅部分を介して前記アップリンク信号を伝送することを含む、項目１に記載の方法。
（項目２４）
前記ダウンリンク制御情報が前記一セルの帯域幅部分を示す、項目１に記載の方法。
（項目２５）
前記一セルの前記帯域幅部分が前記一セルの１つ以上のサブバンドを含む、項目２４に記載の方法。
（項目２６）
前記一セルの前記サブバンドの各々が同じ帯域幅を含む、項目１に記載の方法。
（項目２７）
前記一セルの前記サブバンドの各々が同数の物理リソースブロックを含む、項目１に記載の方法。
（項目２８）
前記ダウンリンク制御情報が、
帯域幅部分を示す帯域幅部分インジケータフィールド、
前記一セルの前記第１のサブバンドおよび前記１つ以上のその他のサブバンドのリソースブロックを示す周波数リソース割り当てフィールド、ならびに／または
前記一セルの前記第１のサブバンドおよび前記１つ以上のその他のサブバンドの時間領域リソースを示すタイミング情報フィールドを含む、項目１に記載の方法。
（項目２９）
前記アップリンク信号を前記伝送することが、前記セルの前記第１のサブバンドおよび前記１つ以上の他のサブバンドの無線リソースを介して１つ以上のトランスポートブロックを伝送することを含む、項目１に記載の方法。
（項目３０）
複数のセルに対する複数のアップリンク許可を受信することをさらに含み、
前記複数のアップリンク許可が、前記アップリンク許可を含み、
前記複数のセルが前記一セルを含む、項目１に記載の方法。
（項目３１）
前記第１タイプのＬＢＴおよび前記第２タイプのＬＢＴが、前記アップリンク許可を受信することに応答して実行される、項目１に記載の方法。
（項目３２）
前記一セルが１つ以上の帯域幅部分を含み、
前記１つ以上の帯域幅部分のうちの帯域幅部分が、前記サブバンドを含む、項目１に記載の方法。
（項目３３）
前記アップリンク信号を前記伝送することが、前記一セルの帯域幅部分の前記第１のサブバンドおよび前記１つ以上の他のサブバンドの無線リソースを介して１つ以上のトランスポートブロックを伝送することを含む、項目１に記載の方法。
（項目３４）
１つ以上のプロセッサと、
前記１つ以上のプロセッサによって実行されると、無線デバイスに項目１〜３３のいずれかに記載の方法を実行させる前記命令を記憶するメモリと、を備える無線デバイス。
（項目３５）
項目１〜３３のいずれかに記載の方法を実行するように構成された無線デバイスと、
前記ダウンリンク制御情報を伝送するように構成された基地局と、を備えるシステム。
（項目３６）
プロセッサによって実行されると、前記プロセッサに項目１〜３３のいずれか一項に記載の方法を実施させる命令を含む、非一時的コンピュータ可読記憶媒体。
（項目３７）
無線デバイスによって、サブバンドを含む一セルを介したアップリンク信号の伝送のためのアップリンク許可を示すダウンリンク制御情報を受信することと、
前記一セルの前記サブバンドのうちの第１のサブバンド上で第１のタイプのリッスンビフォアトーク（ＬＢＴ）を実行することと、
前記一セルの、前記第１のサブバンドとは異なる１つ以上のその他のサブバンド上で第２タイプのＬＢＴを実行することと、
前記第１タイプのＬＢＴおよび前記第２のタイプのＬＢＴがクリアチャネルを示すことに基づいて、前記一セルを介して前記アップリンク信号を伝送することと、を含む方法。
（項目３８）
無線デバイスによって、サブバンドを含む一セルに対するアップリンク許可を受信することと、
前記サブバンドのうちの第１のサブバンド上で第１のタイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２タイプのＬＢＴがクリアチャネルを示すことに基づいて、前記一セルを介してアップリンク信号を伝送することと、を含む方法。
（項目３９）
基地局によって、一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２のタイプのＬＢＴがクリアチャネルを示すことに基づいて、前記一セルを介してダウンリンク信号を伝送することと、を含む方法。
（項目４０）
一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、
前記第１タイプのＬＢＴおよび前記第２タイプのＬＢＴがクリアチャネルを示すことに基づいて、前記一セルを介して信号を伝送することと、を含む方法。
（項目４１）
一セルのサブバンドのうちの第１のサブバンド上で第１タイプのリッスンビフォアトーク（ＬＢＴ）がクリアチャネルを示し、
前記一セルの１つ以上のその他のサブバンドの上で第２タイプのＬＢＴがクリアチャネルを示すことに基づく、前記一セルを介して信号を伝送することを含む、方法。
（項目４２）
無線デバイスによって、サブバンドを含む一セルに対するアップリンクグラントを受信することと、
前記サブバンドのうちの第１のサブバンド上で第１タイプのリッスンビフォアトーク（ＬＢＴ）を実行することと、
前記一セルの１つ以上の他のサブバンド上で第２タイプのＬＢＴを実行することと、
前記第１タイプのＬＢＴがクリアチャネルを示し、
前記第２タイプのＬＢＴがクリアチャネルを示すこと、
のうちの少なくとも一方に基づく、前記一セルを介してアップリンク信号を伝送することと、を含む方法。
（項目４３）
無線デバイスによって、一セルの帯域幅部分（ＢＷＰ）を介したアップリンク信号の伝送のためのアップリンク許可を示すダウンリンク制御情報を受信することであって、前記ＢＷＰが複数のサブバンドを含むものと、
前記ＢＷＰの前記複数のサブバンドから第１のサブバンドを選択することと、
前記第１のサブバンド上で第１タイプのリッスンビフォアトーク（ＬＢＴ）を実行することと、
前記ＢＷＰの１つ以上のその他のサブバンド上で第２タイプのＬＢＴを実行することであって、前記１つ以上のその他のサブバンドが前記第１のサブバンドとは異なるものと、
前記第１タイプのＬＢＴが前記ＢＷＰの前記第１のサブバンドがクリアであることを示し、
前記第２タイプのＬＢＴが、前記ＢＷＰの前記１つ以上のその他のサブバンドがクリアであることを示すこと
に基づき、前記ＢＷＰを介して前記アップリンク信号を伝送することと、を含む方法。
（項目４４）
無線デバイスによって、一セルの帯域幅部分（ＢＷＰ）を介したアップリンク信号の伝送のためのアップリンク許可を示すダウンリンク制御情報を受信することであって、前記ＢＷＰがサブバンドを含むものであることと、
前記ＢＷＰの前記サブバンドのうちの第１のサブバンド上で第１タイプのリッスンビフォアトーク（ＬＢＴ）を実行することと、
前記ＢＷＰの、前記第１のサブバンドとは異なる１つ以上のその他のサブバンド上で第２タイプのＬＢＴを実行することと、
前記第１タイプのＬＢＴおよび前記第２タイプのＬＢＴがクリアチャネルを示すことに基づいて、前記ＢＷＰを介して前記アップリンク信号を伝送することと、を含む方法。
（項目４５）
無線デバイスによって、一セルの帯域幅部分（ＢＷＰ）に対するアップリンク許可を受信することであって、前記ＢＷＰがサブバンドを含むものであることと、
前記ＢＷＰの第１のサブバンド上で第１タイプのリッスンビフォアトーク（ＬＢＴ）を実行することと、
前記ＢＷＰの１つ以上の他のサブバンド上で第２タイプのＬＢＴを実行することと、
前記第１タイプのＬＢＴおよび前記第２タイプのＬＢＴがクリアチャネルを示すことに基づいて、前記ＢＷＰを介してアップリンク信号を伝送することと、を含む方法。
（項目４６）
基地局によって、帯域幅部分（ＢＷＰ）のサブバンドのうちの第１のサブバンド上で第１タイプのリッスンビフォアトーク（ＬＢＴ）を実行することと、
前記ＢＷＰの１つ以上の他のサブバンド上で第２タイプのＬＢＴを実行することと、
前記第１タイプのＬＢＴおよび前記第２タイプのＬＢＴがクリアチャネルを示すことに基づいて、前記ＢＷＰを介してダウンリンク信号を伝送することと、を含む方法。
（項目４７）
一セルの帯域幅部分（ＢＷＰ）のサブバンドのうちの第１のサブバンド上で第１タイプのリッスンビフォアトーク（ＬＢＴ）を実行することと、
前記ＢＷＰの１つ以上のその他のサブバンド上で第２タイプのＬＢＴを実行することと、
前記第１タイプのＬＢＴおよび前記第２タイプのＬＢＴがクリアチャネルを示すことに基づいて、前記ＢＷＰを介して信号を伝送することと、を含む方法。
（項目４８）
ＢＷＰのサブバンドのうちの第１のサブバンドに対する第１タイプのリスンビフォアトーク（ＬＢＴ）がクリアチャネルを示し、
前記ＢＷＰの１つ以上の他のサブバンドに対する第２タイプのＬＢＴがクリアチャネルを示すことに基づいて前記帯域幅部分（ＢＷＰ）を介して信号を伝送することを含む、方法。
（項目４９）
無線デバイスによって、一セルを介したアップリンク信号の伝送のためのアップリンク許可を示すダウンリンク制御情報を受信することであって、前記一セルがサブバンドを含むものであることと、
前記一セルの前記サブバンドから第１のサブバンドを選択することと、
前記第１のサブバンド上で第１タイプのリッスンビフォアトーク（ＬＢＴ）を実行することと、
前記一セルの１つ以上のその他のサブバンド上で第２タイプのＬＢＴを実行することであって、前記１つ以上の他のサブバンドが前記第１のサブバンドとは異なるものであることと、
前記アップリンクグラントと第１タイプのＬＢＴがクリアチャネルを示すことに基づいて、前記一セルの前記第１のサブバンドを介して第１のアップリンク信号を伝送することと、
モミのタイプのＬＢＴが、前記第１のサブバンドがクリアであることを示し、
前記第２のタイプのＬＢＴが、前記一セルの前記少なくとも１つの第２サブバンドがクリアであることを示すこと
に基づき、前記アップリンク許可に基づいて、前記１つ以上のその他のサブバンドのうちの少なくとも１つの第２のサブバンドを介して第２のアップリンク信号を伝送することと、を含む方法。
（項目５０）
モミのタイプのＬＢＴが前記第１のサブバンドがビジーであることを示すこと、または
前記第２タイプのＬＢＴが、前記一セルの前記少なくとも１つの第３のサブバンドがビジーであることを示すことに基づき、
前記アップリンク許可に基づいて、前記１つ以上のその他のサブバンドのうちの少なくとも１つの第３のサブバンドを介して第３のアップリンク信号を伝送しないことをさらに含む、項目４９に記載の方法。
（項目５１）
前記第２タイプのＬＢＴが前記一セルの前記少なくとも１つの第３のサブバンドがビジーであることを示すことに基づき、前記アップリンク許可に基づいて、前記１つ以上のその他のサブバンドのうちの少なくとも１つの第３のサブバンドを介して第３のアップリンク信号を伝送しないことをさらに含む、項目４９に記載の方法。
（項目５２）
前記無線デバイスのために構成された複数のセルから前記一セルを選択することをさらに含む、項目４９に記載の方法。
（項目５３）
前記複数のセルの各々が１つ以上のそれぞれサブバンドを含む、項目５２に記載の方法。
（項目５４）
前記複数のセルから前記一セルを前記選択することが、前記複数のセルから前記一セルをランダムに選択することを含む、項目５３に記載の方法。
（項目５５）
前記複数のセルから前記一セルを前記ランダムに選択することが、前記複数のセルから前記一セルを、均一分布でランダムに選択することを含む、項目５４に記載の方法。
（項目５６）
前記複数のセルから前記一セルを前記ランダムに選択することが、前記複数の前記セルから、ある持続時間中に１回だけの頻度で前記一セルを選択することをさらに含む、項目５５に記載の方法。
（項目５７）
前記持続時間が１秒以上からなる、項目５６に記載の方法。
（項目５８）
前記複数のセルのうちの、前記一セルとは異なる他のセルのサブバンド上で前記第２タイプのＬＢＴを実行することをさらに含む、項目５３に記載の方法。
（項目５９）
前記第１タイプのＬＢＴが前記一セルの前記第１のサブバンドがクリアであることを示し、前記第２タイプのＬＢＴが前記サブバンドのうちの少なくとも１つのサブバンドがクリアであることを示すことに基づいて、前記複数のセルのうちの前記その他のセルのうちの少なくとも１つを介してアップリンク信号を伝送することをさらに含む、項目５８に記載の方法。
（項目６０）
前記一セルの前記サブバンドから前記第１のサブバンドを前記選択することが、前記一セルの前記サブバンドから前記第１のサブバンドをランダムに選択することを含む、項目４９に記載の方法。
（項目６１）
前記一セルの前記サブバンドから前記第１のサブバンドを前記ランダムに選択することが、前記一セルの前記サブバンドから前記第１のサブバンドを、均一な分布でランダムに選択することを含む、項目６０に記載の方法。
（項目６２）
前記一セルの前記サブバンドから前記第１のサブバンドを前記ランダムに選択することが、前記一セルの前記サブバンドから、ある持続時間中に１回だけの頻度で前記第１のサブバンドを選択することをさらに含む、項目６１に記載の方法。
（項目６３）
前記持続時間が１秒以上からなる、項目６２に記載の方法。
（項目６４）
前記一セルの前記１つ以上のその他のサブバンド上で前記第２タイプのＬＢＴを前記実行することが、前記一セルの前記１つ以上のその他のサブバンドの各サブバンド上で前記第２タイプのＬＢＴを実行することを含む、項目４９に記載の方法。
（項目６５）
前記第１タイプのＬＢＴが、ランダムバックオフパラメータおよび第１のＬＢＴ持続時間を用いるＬＢＴである、項目４９に記載の方法。
（項目６６）
前記第２タイプのＬＢＴが、ランダムバックオフを用いないワンショットＬＢＴ持続時間に基づくワンショットＬＢＴである、項目６５に記載の方法。
（項目６７）
前記第１のＬＢＴ持続時間が前記ワンショットＬＢＴ持続時間よりも長い、項目６６に記載の方法。
（項目６８）
前記一セルの前記サブバンドの各々が、複数の連続する物理リソースブロックを含む、項目４９に記載の方法。
（項目６９）
最大エネルギー検出閾値またはエネルギー検出閾値オフセットを有するＬＢＴパラメータ構成メッセージを受信することをさらに含む、項目４９に記載の方法。
（項目７０）
前記第１タイプのＬＢＴおよび前記第２タイプのＬＢＴが、同じ最大エネルギー検出閾値または同じエネルギー検出閾値オフセットを使用する、項目６９に記載の方法。
（項目７１）
前記一セルの前記１つ以上のその他のサブバンド上で前記第２タイプのＬＢＴを前記実行することが、前記一セルの前記１つ以上のその他のサブバンド上で、同じ持続時間を用いて前記第２タイプのＬＢＴを実行することを含む、項目４９に記載の方法。
（項目７２）
前記第１のアップリンク信号を前記伝送することが、前記一セルの物理アップリンク共有チャネルを介して１つ以上のトランスポートブロックを伝送することを含む、項目４９に記載の方法。
（項目７３）
前記第２のアップリンク信号を前記伝送することが、前記一セルの物理アップリンク共有チャネルを介して１つ以上のトランスポートブロックを伝送することを含む、項目４９に記載の方法。
（項目７４）
前記第１のアップリンク信号を前記伝送することが、前記一セルの帯域幅部分を介して前記第１のアップリンク信号を伝送することを含む、項目４９に記載の方法。
（項目７５）
前記第２のアップリンク信号を前記伝送することが、前記一セルの帯域幅部分を介して前記第２のアップリンク信号を伝送することを含む、項目４９に記載の方法。
（項目７６）
前記ダウンリンク制御情報が前記一セルの帯域幅部分を示す、項目４９に記載の方法。
（項目７７）
前記一セルの前記帯域幅部分が前記一セルの１つ以上のサブバンドを含む、項目７６に記載の方法。
（項目７８）
前記一セルの前記サブバンドの各々が同じ帯域幅を含む、項目４９に記載の方法。
（項目７９）
前記一セルの前記サブバンドの各々が同数の物理リソースブロックを含む、項目４９に記載の方法。
（項目８０）
前記ダウンリンク制御情報が、
帯域幅部分を示す帯域幅部分インジケータフィールド、および
前記一セルの前記第１のサブバンドおよび前記１つ以上のその他のサブバンドのリソースブロックを示す周波数リソース割り当てフィールド、ならびに／または
前記一セルの前記第１のサブバンドおよび前記１つ以上のその他のサブバンドの時間領域リソースを示すタイミング情報フィールドを含む、項目４９に記載の方法。
（項目８１）
前記第１のアップリンク信号および前記第２のアップリンク信号を前記伝送することが、前記一セルの前記第１のサブバンドと前記１つ以上のその他のサブバンドのうちの前記少なくとも１つの第２のサブバンドの無線リソースを介して、１つ以上のトランスポートブロックを伝送することを含む、項目４９に記載の方法。
（項目８２）
複数のセルに対する複数のアップリンク許可を受信することをさらに含み、
前記複数のアップリンク許可が前記アップリンク許可を含み、
前記複数のセルが前記一セルを含む、
項目４９に記載の方法。
（項目８３）
前記アップリンク許可を受信することに応答して、前記第１タイプのＬＢＴおよび前記第２タイプのＬＢＴが実行される、項目４９に記載の方法。
（項目８４）
前記一セルが１つ以上の帯域幅部分を含み、
前記１つ以上の帯域幅部分のうちの帯域幅部分が、前記サブバンドを含む、項目４９に記載の方法。
（項目８５）
前記第１のアップリンク信号および前記第２のアップリンク信号を前記伝送することが、前記一セルの帯域幅部分の前記第１のサブバンドと前記１つ以上のその他のサブバンドのうちの前記少なくとも１つの第２のサブバンドとの無線リソースを介して、１つ以上のトランスポートブロックを伝送することを含む、項目４９に記載の方法。
（項目８６）
１つ以上のプロセッサと、
前記１つ以上のプロセッサによって実行されると、無線デバイスに項目４９〜８５のいずれかに記載の方法を実行させる命令を記憶するメモリと、を備える無線デバイス。
（項目８７）
項目４９〜８５のいずれかに記載の方法を実行するように構成された無線デバイスと、
前記ダウンリンク制御情報を伝送するように構成された基地局と、を備えるシステム。
（項目８８）
プロセッサによって実行されると、前記プロセッサに項目４９〜８５のいずれか一項に記載の方法を実施すさせる命令を含む、非一時的コンピュータ可読記憶媒体。
（項目８９）
無線デバイスによって、サブバンドを含む一セルに対するアップリンク許可を受信することと、
前記一セルの前記サブバンドのうちの第１のサブバンド上で第１タイプのリッスンビフォアトーク（ＬＢＴ）を実行することと、
前記一セルの、前記第１のサブバンドとは異なる１つ以上のその他のサブバンド上で第２タイプのＬＢＴを実行することと、
モミのタイプのＬＢＴが前記第１のサブバンドがクリアであることを示し、
前記第２のタイプのＬＢＴが、前記少なくとも１つのサブバンドがクリアであることを示すことに基づいて、
前記１つ以上の他のサブバンドのうちの少なくとも１つのサブバンドを介してアップリンク信号を伝送することと、を含む方法。
（項目９０）
一セルのサブバンドのうちの第１のサブバンド上で第１タイプのリッスンビフォアトーク（ＬＢＴ）を実行することと、
前記一セルの１つ以上のその他のサブバンド上で第２タイプのＬＢＴを実行することと、  
モミのタイプのＬＢＴが前記第１のサブバンドがクリアであることを示し、
前記第２のタイプのＬＢＴが、前記少なくとも１つのサブバンドがクリアであることを示すこと
に基づいて、前記１つ以上のその他のサブバンドのうちの少なくとも１つのサブバンドを介してアップリンク信号を伝送することと、を含む方法。
（項目９１）
サブバンドのうちの第１のサブバンドに対する第１タイプのリッスンビフォアトーク（ＬＢＴ）がクリアチャネルを示し、
第２のサブバンドに対する第２タイプのＬＢＴがクリアチャネルを示すことに基づいて、
一セルのサブバンドのうちの前記第２のサブバンドを介して信号を伝送すること、を含む方法。
（項目９２）
無線デバイスによって、一セルの帯域幅部分（ＢＷＰ）を介したアップリンク信号の伝送のためのアップリンク許可を示すダウンリンク制御情報を受信することであって、前記ＢＷＰがサブバンドを含むものであることと、
前記ＢＷＰの前記サブバンドから第１のサブバンドを選択することと、
前記第１のサブバンド上で第１のタイプのリッスンビフォアトーク（ＬＢＴ）を実行することと、
前記ＢＷＰの１つ以上のその他のサブバンド上で第２のタイプのＬＢＴを実行することであって、前記１つ以上のその他のサブバンドが前記第１のサブバンドとは異なるものであることと、
前記アップリンク許可と第１のタイプのＬＢＴがクリアチャネルを示すことに基づいて、前記ＢＷＰの前記第１のサブバンドを介して第１のアップリンク信号を伝送することと、
モミのタイプのＬＢＴが、前記第１のサブバンドがクリアであることを示し、
前記第２のタイプのＬＢＴが、前記ＢＷＰの前記少なくとも１つの第２のサブバンドがクリアであることを示すことに基づき、
前記アップリンクグラントに基いて、前記１つ以上の他のサブバンドのうちの少なくとも１つの第２のサブバンドを介して第２のアップリンク信号を伝送することと、を含む方法。
（項目９３）
前記モミのタイプのＬＢＴが前記第１のサブバンドがビジーであることを示し、
前記第２のタイプのＬＢＴが前記ＢＷＰの前記少なくとも１つの第３のサブバンドがビジーであることを示すことに基づき、
前記アップリンク許可に基づいて、前記１つ以上の他のサブバンドのうちの少なくとも１つの第３のサブバンドを介して第３のアップリンク信号を伝送しないことをさらに含む、項目９２に記載の方法。
（項目９４）
前記第２タイプのＬＢＴが、前記ＢＷＰの前記少なくとも１つの第３のサブバンドがビジーであることを示すことに基づき、前記アップリンク許可に基づいて前記１つ以上のその他のサブバンドのうちの少なくとも１つの第３のサブバンドを介して第３のアップリンク信号を伝送しないことをさらに含む、項目９２に記載の方法。
（項目９５）
前記無線デバイスのために構成された複数のセルから前記一セルを選択することをさらに含む、項目９２に記載の方法。
（項目９６）
前記複数のセルの各々が、１つ以上のそれぞれのサブバンドを含む、項目９５に記載の方法。
（項目９７）
前記複数のセルから前記一セルを前記選択することが、前記複数のセルから前記一セルをランダムに選択することを含む、項目９５に記載の方法。
（項目９８）
前記複数のセルから前記一セルを前記ランダムに選択することが、前記複数のセルから前記一セルを、均一分布でランダムに選択することを含む、項目９７に記載の方法。
（項目９９）
前記複数のセルから前記一セルを前記ランダムに選択することが、前記複数のセルから、ある持続時間中に１回だけの頻度で前記一セルを選択することをさらに含む、項目９８に記載の方法。
（項目１００）
前記持続時間が１秒以上からなる、項目９９に記載の方法。
（項目１０１）
前記複数のセルのうちの、前記一セルとは異なるその他のセルのＢＷＰのサブバンド上で前記第２タイプのＬＢＴを実行することをさらに含む、項目９６に記載の方法。
（項目１０２）
前記第１タイプのＬＢＴが前記ＢＷＰの前記第１のサブバンドがクリアであることを示し、前記第２タイプのＬＢＴが前記サブバンドのうちの少なくとも１つのサブバンドがクリアであることを示すことに基づいて、前記複数のセルのうちの前記その他のセルの少なくとも１つのＢＷＰを介してアップリンク信号を伝送することをさらに含む、項目１０１に記載の方法。
（項目１０３）
前記ＢＷＰの前記サブバンドから前記第１のサブバンドを前記選択することが、前記ＢＷＰの前記サブバンドから前記第１のサブバンドをランダムに選択することを含む、項目９２に記載の方法。
（項目１０４）
前記ＢＷＰの前記サブバンドから前記第１のサブバンドを前記ランダムに選択することが、前記ＢＷＰの前記サブバンドから前記第１のサブバンドを、均一分布でランダムに選択することを含む、項目１０３に記載の方法。
（項目１０５）
前記ＢＷＰの前記サブバンドから前記第１のサブバンドを前記ランダムに選択することが、前記ＢＷＰの前記サブバンドから、ある持続時間中に１回だけの頻度で前記第１のサブバンドを選択することをさらに含む、項目１０４に記載の方法。
（項目１０６）
前記持続時間が１秒以上からなる、項目１０５に記載の方法。
（項目１０７）
前記ＢＷＰの前記１つ以上のその他のサブバンド上で前記第２のタイプのＬＢＴを前記実行することが、前記ＢＷＰの前記１つ以上のその他のサブバンドの各サブバンド上で前記第２タイプのＬＢＴを実行することを含む、項目９２に記載の方法。
（項目１０８）
前記第１タイプのＬＢＴが、ランダムバックオフパラメータおよび第１のＬＢＴ持続時間を用いるＬＢＴである、項目９２に記載の方法。
（項目１０９）
前記第２タイプのＬＢＴが、ランダムバックオフを用いないワンショットＬＢＴ持続時間に基づくワンショットＬＢＴである、項目１０８に記載の方法。
（項目１１０）
前記第１のＬＢＴ持続時間が前記ワンショットＬＢＴ持続時間よりも長い、項目１０９に記載の方法。
（項目１１１）
前記ＢＷＰの前記サブバンドの各々が複数の連続する物理リソースブロックを含む、項目９２に記載の方法。
（項目１１２）
最大エネルギー検出閾値またはエネルギー検出閾値オフセットを有するＬＢＴパラメータ構成メッセージを受信することをさらに含む、項目９２に記載の方法。
（項目１１３）
前記第１タイプのＬＢＴおよび前記第２タイプのＬＢＴが、同じ最大エネルギー検出閾値または同じエネルギー検出閾値オフセットを使用する、項目１１２に記載の方法。
（項目１１４）
前記ＢＷＰの前記１つ以上のその他のサブバンド上で前記第２タイプのＬＢＴを前記実行することが、前記ＢＷＰの前記１つ以上の他のサブバンド上で、同じ持続時間を用いて前記第２タイプのＬＢＴを実行することを含む、項目９２に記載の方法。
（項目１１５）
前記第１のアップリンク信号を前記伝送することが、前記ＢＷＰの物理アップリンク共有チャネルを介して１つ以上のトランスポートブロックを伝送することを含む、項目９２に記載の方法。
（項目１１６）
前記第２のアップリンク信号を前記伝送することが、前記ＢＷＰの物理アップリンク共有チャネルを介して１つ以上のトランスポートブロックを伝送することを含む、項目９２に記載の方法。
（項目１１７）
前記ダウンリンク制御情報が前記セルの帯域幅部分を示す、項目９２に記載の方法。
（項目１１８）
前記セルの前記帯域幅部分が１つ以上のサブバンドを含む、項目１１７に記載の方法。
（項目１１９）
前記ＢＷＰの前記サブバンドの各々が同じ帯域幅を含む、項目９２に記載の方法。
（項目１２０）
前記ＢＷＰの前記サブバンドの各々が同数の物理リソースブロックを含む、項目９２に記載の方法。
（項目１２１）
前記ダウンリンク制御情報が、
ＢＷＰを示す帯域幅部分インジケータフィールド、
前記ＢＷＰの前記第１のサブバンドおよび前記１つ以上のその他のサブバンドのリソースブロックを示す周波数リソース割り当てフィールド、ならびに／または
前記ＢＷＰの前記第１のサブバンドおよび前記１つ以上の他のサブバンドの時間領域リソースを示すタイミング情報フィールドを含む、項目９２に記載の方法。
（項目１２２）
前記第１のアップリンク信号および前記第２のアップリンク信号を前記伝送することが、前記ＢＷＰの前記第１のサブバンドと前記１つ以上のその他のサブバンドのうちの前記少なくとも１つの第２のサブバンドとの無線リソースを介して、１つ以上のトランスポートブロックを伝送することを含む、項目９２に記載の方法。
（項目１２３）
複数のセルに対する複数のアップリンク許可を受信することをさらに含み、
前記複数のアップリンク許可が前記アップリンク許可を含み、
前記複数のセルが前記一セルを含む、項目９２に記載の方法。
（項目１２４）
前記アップリンク許可を受信することに応答して、前記第１タイプのＬＢＴおよび前記第２タイプのＬＢＴが実行される、項目９２に記載の方法。
（項目１２５）
前記一セルが１つ以上の帯域幅部分からなり、
前記１つ以上の帯域幅部分のうちの帯域幅部分が、前記サブバンドを含む、項目９２に記載の方法。
（項目１２６）
前記第１のアップリンク信号および前記第２のアップリンク信号を前記伝送することが、前記セルの前記ＢＷＰの前記第１のサブバンドと前記１つ以上のその他のサブバンドのうちの前記少なくとも１つの第２のサブバンドとの無線リソースを介して、１つ以上のトランスポートブロックを伝送することを含む、項目９２に記載の方法。
（項目１２７）
１つ以上のプロセッサと、
前記１つ以上のプロセッサによって実行されると、無線デバイスに項目９２〜１２６のいずれかに記載の方法を実行させる命令を記憶するメモリと、
を備える無線デバイス。
（項目１２８）
項目９２〜１２６のいずれかに記載の方法を実行するように構成された無線デバイスと、
前記ダウンリンク制御情報を伝送するように構成された基地局と、
を備えるシステム。
（項目１２９）
プロセッサによって実行されると、前記プロセッサに項目９２〜１２６のいずれか一項に記載の方法を実施させる命令を含む、非一時的コンピュータ可読記憶媒体。
（項目１３０）
無線デバイスによって、サブバンドを含むセルの帯域幅部分（ＢＷＰ）に対するアップリンク許可を受信することと、
前記ＢＷＰの前記サブバンドのうちの第１のサブバンド上で第１タイプのリッスンビフォアトーク（ＬＢＴ）を実行することと、
前記ＢＷＰの、前記第１のサブバンドとは異なる１つ以上のその他のサブバンド上で第２タイプのＬＢＴを実行することと、
モミのタイプのＬＢＴが前記第１のサブバンドがクリアであることを示し、
前記第２のタイプのＬＢＴが前記少なくとも１つのサブバンドがクリアであることを示すことに基づき、
前記１つ以上のその他のサブバンドのうちの少なくとも１つのサブバンドを介してアップリンク信号を伝送することと、を含む方法。
（項目１３１）
セルの帯域幅部分（ＢＷＰ）のサブバンドのうちの第１のサブバンド上で第１タイプのリッスンビフォアトーク（ＬＢＴ）を実行することと、
前記ＢＷＰの１つ以上のその他のサブバンド上で第２タイプのＬＢＴを実行することと、  
モミのタイプのＬＢＴが前記第１のサブバンドがクリアであることを示し、
前記第２のタイプのＬＢＴが、前記少なくとも１つのサブバンドがクリアであることを示すことに基づき、
前記１つ以上のその他のサブバンドのうちの少なくとも１つのサブバンドを介してアップリンク信号を伝送することと、を含む方法。
（項目１３２）
サブバンドのうちの第１のサブバンド上における第１タイプのリッスンビフォアトーク（ＬＢＴ）がクリアチャネルを示し、
前記第２のサブバンド上における第２タイプのＬＢＴがクリアチャネルを示すことに基づき、
帯域幅部分のサブバンドのうちの前記第２のサブバンドを介して信号を伝送することを含む、方法。
（項目１３３）
無線デバイスによって、一セルを介したアップリンク信号の伝送のための少なくとも１つのアップリンク許可を示す少なくとも１つのダウンリンク制御情報（ＤＣＩ）を受信することであって、前記セルの各々が１つ以上のサブバンドを含むものと、
前記少なくとも１つのＤＣＩを前記受信することに応答して、前記セルからセルを選択することと、
前記セルの前記１つ以上のサブバンドのうちの第１のサブバンド上で第１タイプのリッスンビフォアトーク（ＬＢＴ）を実行することと、
前記セルの、前記第１のサブバンドとは異なる１つ以上のその他のサブバンド上で第２タイプのＬＢＴを実行することと、
前記第１のタイプのＬＢＴが前記セルの前記第１のサブバンドがクリアであることを示し、
前記第２のタイプのＬＢＴが、前記セルの前記１つ以上のその他のサブバンドがクリアであることを示すことに基づき、
前記セルを介して前記アップリンク信号のうちの１つ以上を伝送することと、を含む方法。
（項目１３４）
前記セルから前記一セルを前記選択することが、前記セルから前記一セルをランダムに選択することを含む、項目１３３に記載の方法。
（項目１３５）
前記セルから前記一セルを前記ランダムに選択することが、前記セルから前記一セルを、均一分布でランダムに選択することを含む、項目１３４に記載の方法。
（項目１３６）
前記セルから前記一セルを前記ランダムに選択することが、前記セルからある持続時間中に１回だけの頻度で前記一セルを選択することをさらに含む、項目１３４に記載の方法。
（項目１３７）
前記持続時間が１秒以上からなる、項目１３６に記載の方法。
（項目１３８）
前記一セルの前記１つ以上のサブバンドから前記第１のサブバンドを選択することをさらに含む、項目１３３に記載の方法。
（項目１３９）
前記一セルの前記１つ以上のサブバンドから前記第１のサブバンドを前記選択することが、前記一セルの前記１つ以上のサブバンドから前記第１のサブバンドをランダムに選択することを含む、項目１３８に記載の方法。
（項目１４０）
前記一セルの前記１つ以上のサブバンドから前記第１のサブバンドを前記ランダムに選択することが、前記一セルの前記１つ以上のサブバンドから前記第１のサブバンドを、均一分布でランダムに選択することを含む、項目１３９に記載の方法。
（項目１４１）
前記一セルの前記１つ以上のサブバンドから前記第１のサブバンドを前記ランダムに選択することが、前記一セルの前記１つ以上のサブバンドから、ある持続時間中に１回だけの頻度で前記第１のサブバンドを選択することをさらに含む、項目１４０に記載の方法。
（項目１４２）
前記持続時間が１秒以上からなる、項目１４１に記載の方法。
（項目１４３）
前記セルの前記１つ以上の他のサブバンド上で前記第２タイプのＬＢＴを前記実行することが、前記セルの前記１つ以上のその他のサブバンドの各サブバンド上で前記第２タイプのＬＢＴを実行することを含む、項目１３３に記載の方法。
（項目１４４）
前記第１タイプのＬＢＴが、ランダムバックオフパラメータおよび第１のＬＢＴ持続時間を用いるＬＢＴである、項目１３３に記載の方法。
（項目１４５）
前記第２タイプのＬＢＴが、ランダムバックオフを用いないワンショットＬＢＴ持続時間に基づくワンショットＬＢＴである、項目１４４に記載の方法。
（項目１４６）
前記第１のＬＢＴ持続時間が前記ワンショットＬＢＴ持続時間よりも長い、項目１４５に記載の方法。
（項目１４７）
前記セルのうちのあるセルの前記１つ以上のサブバンドの各々が、複数の連続する物理リソースブロックを含む、項目１３３に記載の方法。
（項目１４８）
１つ以上の最大エネルギー検出閾値または１つ以上のエネルギー検出閾値オフセットを有する１つ以上のＬＢＴパラメータ構成メッセージを受信することをさらに含む、項目１３３に記載の方法。
（項目１４９）
前記第１タイプのＬＢＴおよび前記第２タイプのＬＢＴが、前記セルのうちの一セルに対する、同じ最大エネルギー検出閾値または同じエネルギー検出閾値オフセットを使用する、項目１４８に記載の方法。
（項目１５０）
前記セルの前記１つ以上のその他のサブバンド上で前記第２タイプのＬＢＴを前記実行することが、前記セルの前記１つ以上の他のサブバンド上で、同じ持続時間を用いて前記第２タイプのＬＢＴを実行することを含む、項目１３３に記載の方法。
（項目１５１）
前記セルを介して前記アップリンク信号のうちの前記１つ以上を前記伝送することが、前記セルの１つ以上の物理アップリンク共有チャネルを介してトランスポートブロックを伝送することを含む、項目１３３に記載の方法。
（項目１５２）
前記セルを介して前記アップリンク信号のうちの前記１つ以上を前記伝送することが、前記セルの１つ以上の帯域幅部分を介して前記アップリンク信号のうちの前記１つ以上を伝送することを含む、項目１３３に記載の方法。
（項目１５３）
前記少なくとも１つのＤＣＩが、前記セルの１つ以上の帯域幅部分を示す、項目１３３に記載の方法。
（項目１５４）
前記セルの前記１つ以上の帯域幅部分の各々が、前記一セルの１つ以上のサブバンドを含む、項目１５３に記載の方法。
（項目１５５）
前記セルのうちの一セルの前記１つ以上のサブバンドの各々が同じ帯域幅を含む、項目１３３に記載の方法。
（項目１５６）
前記セルのうちの一セルの前記１つ以上のサブバンドの各々が同数の物理リソースブロックを含む、項目１３３に記載の方法。
（項目１５７）
前記少なくとも１つのＤＣＩが、
帯域幅部分を示す帯域幅部分インジケータフィールド、および
前記セルの前記第１のサブバンドおよび前記１つ以上の他のサブバンドのリソースブロックを示す周波数リソース割り当てフィールド、ならびに／または
前記セルの前記第１のサブバンドおよび前記１つ以上のその他のサブバンドの時間領域リソースを示すタイミング情報フィールドを備える、項目１３３に記載の方法。
（項目１５８）
前記アップリンク信号を前記伝送することが、前記セルの前記第１のサブバンドおよび前記１つ以上のその他のサブバンドの無線リソースを介して１つ以上のトランスポートブロックを伝送することを含む、項目１３３に記載の方法。
（項目１５９）
前記第１タイプのＬＢＴおよび前記第２タイプのＬＢＴが、前記少なくとも１つのアップリンク許可を受信することに応答して実行される、項目１３３に記載の方法。
（項目１６０）
前記一セルが１つ以上の帯域幅部分を含み、
前記１つ以上の帯域幅部分のうちのある帯域幅部分が前記１つ以上のサブバンドを含む、項目１３３に記載の方法。
（項目１６１）
前記アップリンク信号を前記伝送することが、前記セルの帯域幅部分の前記第１のサブバンドおよび前記１つ以上のその他のサブバンドの無線リソースを介して１つ以上のトランスポートブロックを伝送することを含む、項目１３３に記載の方法。
（項目１６２）
１つ以上のプロセッサと、
前記１つ以上のプロセッサによって実行されると、無線デバイスに項目１３３〜１６１のいずれかに記載の方法を実行させる命令を記憶するメモリと、を備える無線デバイス。
（項目１６３）
項目１３３〜１６１のいずれかに記載の方法を実行するように構成された無線デバイスと、
前記少なくとも１つのダウンリンク制御情報を伝送するように構成された基地局と、を備えるシステム。
（項目１６４）
プロセッサによって実行されると、前記プロセッサに項目１３３〜１６１のいずれか一項に記載の方法を実施させる命令を含む、非一時的コンピュータ可読記憶媒体。
（項目１６５）
一セルの１つ以上のサブバンドのうちの第１のサブバンド上で第１タイプのリッスンビフォアトーク（ＬＢＴ）を実行することと、
セルの１つ以上のその他のサブバンド上で第２タイプのＬＢＴを実行することと、
前記第１タイプのＬＢＴが前記一セルの前記第１のサブバンドがクリアであることを示し、
前記第２タイプのＬＢＴが、前記一セルの前記１つ以上のその他のサブバンドがクリアであることを示すことに基づき、
前記セルを介してアップリンク信号を伝送することと、を含む方法。
（項目１６６）
一セルの１つ以上のサブバンドのうちの第１のサブバンド上において第１タイプのリスンビフォアトーク（ＬＢＴ）を実行することと、
セルの１つ以上のその他のサブバンド上で第２タイプのＬＢＴを実行することと、
前記第１タイプのＬＢＴが前記一セルの前記第１のサブバンドがクリアであることを示し、
前記第２タイプのＬＢＴが、前記一セルの前記少なくとも１つの第２のサブバンドがクリアであることを示すことに基づき、
前記セルの少なくとも１つの第２のサブバンドを介してアップリンク信号を伝送することと、を含む方法。
（項目１６７）
第１のセルの第１のサブバンド上における第１タイプのリッスンビフォアトーク（ＬＢＴ）がクリアチャネルを示し、
第２のセルの前記第２のサブバンド上における第２タイプのＬＢＴがクリアチャネルを示すことに基づき、
セルのうちの第２のセルの第２のサブバンドを介して信号を伝送することを含む、方法。
（項目１６８）
一セルの１つ以上のサブバンドのうちの第１のサブバンド上で第１タイプのリスンビフォアトーク（ＬＢＴ）を実行することと、
セルの１つ以上のその他のサブバンド上で第２タイプのＬＢＴを実行することと、    前記第１タイプのＬＢＴが前記一セルの前記第１のサブバンドがクリアであることを示すこと、および
前記第２タイプのＬＢＴが、前記一セルの前記１つ以上のその他のサブバンドがクリアであることを示すこと、のうちの少なくとも一方に基づき、
前記セルを介してアップリンク信号を伝送することと、を含む方法。
（項目１６９）
無線デバイスによって、セルの帯域幅部分（ＢＷＰ）を介したアップリンク信号の伝送のための少なくとも１つのアップリンク許可を示す少なくとも１つのダウンリンク制御情報（ＤＣＩ）を受信することであって、前記ＢＷＰの各々が１つ以上のサブバンドを含むものであることと、
前記少なくとも１つのＤＣＩを前記受信することに応答して、前記セルから一セルを選択することと、
前記一セルの第１のＢＷＰの前記１つ以上のサブバンドのうちの第１のサブバンド上で第１タイプのリッスンビフォアトーク（ＬＢＴ）を実行することと、
前記セルの１つ以上のＢＷＰの、前記第１のサブバンドとは異なる１つ以上のその他のサブバンド上で第２タイプのＬＢＴを実行することと、
前記第１タイプのＬＢＴが前記第１のＢＷＰの前記第１のサブバンドがクリアであることを示し、
前記第２タイプのＬＢＴが、前記１つ以上のＢＷＰの前記１つ以上のその他のサブバンドがクリアであることを示すことに基づき、
前記ＢＷＰを介して前記アップリンク信号のうちの１つ以上を伝送することと、を含む方法。
（項目１７０）
セルのうちの１つの第１の帯域幅部分（ＢＷＰ）の１つ以上のサブバンドのうちの第１のサブバンド上で第１タイプのリッスンビフォアトーク（ＬＢＴ）を実行することと、
前記セルのＢＷＰの１つ以上のその他のサブバンド上で第２のタイプのＬＢＴを実行することと、
前記第１タイプのＬＢＴが前記第１のＢＷＰの前記第１のサブバンドがクリアであることを示し、
前記第２タイプのＬＢＴが、前記ＢＷＰの前記１つ以上の他のサブバンドがクリアであることを示すことに基づき、
前記ＢＷＰを介してアップリンク信号を伝送することと、を含む方法。
（項目１７１）
セルのうちの一セルの帯域幅部分（ＢＷＰ）の１つ以上のサブバンドのうちの第１のサブバンド上で第１タイプのリッスンビフォアトーク（ＬＢＴ）を実行することと、
前記セルのＢＷＰの１つ以上のその他のサブバンド上で第２のタイプのＬＢＴを実行することと、  
前記第１タイプのＬＢＴが前記ＢＷＰの前記第１のサブバンドがクリアであることを示し、
前記第２のタイプのＬＢＴが、前記ＢＷＰの前記少なくとも１つの第２のサブバンドがクリアであることを示すことに基づき、
前記ＢＷＰの少なくとも１つの第２のサブバンドを介してアップリンク信号を伝送することと、を含む方法。
（項目１７２）
セルのうちの第１のセルの第１のＢＷＰの第１のサブバンド上で第１のタイプのリッスンビフォアトーク（ＬＢＴ）がクリアチャネルを示し、
前記第２のＢＷＰの第２のサブバンドで第２のタイプのＬＢＴがクリアチャネルを示すことに基づき、
前記セルのうちの第２のセルの第２の帯域幅部分（ＢＷＰ）の第２のサブバンドを介して信号を伝送することを含む、方法。
（項目１７３）
１つ以上のプロセッサと、
前記１つ以上のプロセッサによって実行されると、無線デバイスに、
サブバンドを含む一セルのためのアップリンク許可を受信することと、
前記サブバンドのうちの第１のサブバンド上で第１のタイプのリッスンビフォアトーク（ＬＢＴ）を実行することと、
前記セルの１つ以上のその他のサブバンド上で第２タイプのＬＢＴを実行することと、      前記第１タイプのＬＢＴがクリアチャネルを示すこと、および
前記第２タイプのＬＢＴがクリアチャネルを示すこと、
のうちの少なくとも一方に基づき、前記セルを介してアップリンク信号を伝送することと、
を行わせる命令を記億するメモリとを備えた、無線デバイス。
（項目１７４）
１つ以上のプロセッサと、
前記１つ以上のプロセッサによって実行されると、前記無線デバイスに、
一セルの１つ以上のサブバンドのうちの第１のサブバンド上で第１タイプのリッスンビフォアトーク（ＬＢＴ）を実行することと、
セルの１つ以上のその他のサブバンド上で第２タイプのＬＢＴを実行することと、  
前記第１タイプのＬＢＴが前記セルの前記第１のサブバンドがクリアであることを示すこと、および
前記第２タイプのＬＢＴが、前記セルの前記１つ以上の他のサブバンドがクリアであることを示すこと、
のうちの少なくとも一方に基づき、前記セルを介してアップリンク信号を伝送することと、
を行わせる命令を記憶するメモリを備える、無線デバイス。
（項目１７５）
基地局によって、あるセルのサブバンドから第１のサブバンドを選択することと、
前記第１のサブバンド上で第１のタイプのリッスンビフォアトーク（ＬＢＴ）を実行することと、
前記一セルの１つ以上のその他のサブバンド上で第２タイプのＬＢＴを実行することであって、前記１つ以上のその他のサブバンドが前記第１のサブバンドとは異なるものであることと、    前記第１タイプのＬＢＴが、前記一セルの前記第１のサブバンドがクリアであることを示し、
前記第２タイプのＬＢＴが、前記一セルの前記１つ以上のその他のサブバンドがクリアであることを示すこと、
に基づき、前記セルを介してダウンリンク信号を伝送することと、を含む方法。
（項目１７６）
複数のセルから前記一セルを選択することをさらに含む、項目１７５に記載の方法。
（項目１７７）
前記複数のセルの各々が１つ以上のそれぞれのサブバンドを含む、項目１７６に記載の方法。
（項目１７８）
前記複数のセルから前記一セルを前記選択することが、前記複数のセルから前記一セルをランダムに選択することを含む、項目１７６に記載の方法。
（項目１７９）
前記複数のセルから前記一セルを前記ランダムに選択することが、前記複数のセルから前記一セルを、均一分布でランダムに選択することを含む、項目１７８に記載の方法。
（項目１８０）
前記複数のセルから前記一セルを前記ランダムに選択することが、前記複数の前記セルからある持続時間中に１回だけの頻度で前記一セルを選択することをさらに含む、項目１７８に記載の方法。
（項目１８１）
前記持続時間が１秒以上からなる、項目１８０に記載の方法。
（項目１８２）
前記複数のセルのうちの、前記一セルとは異なる他のセルのサブバンド上で前記第２タイプのＬＢＴを実行することをさらに含む、項目１７７に記載の方法。
（項目１８３）
前記第１タイプのＬＢＴが
前記一セルの前記第１のサブバンドがクリアであることを示し、
前記第２タイプのＬＢＴが、前記他のセルのうちの少なくとも１つのサブバンドがクリアであることを示すこと
に基づいて、前記複数のセルのうちの前記その他のセルを介してダウンリンク信号を伝送することをさらに含む、項目１８２に記載の方法。
（項目１８４）
前記セルの前記サブバンドから前記第１のサブバンドを前記選択することが、前記セルの前記サブバンドから前記第１のサブバンドをランダムに選択することを含む、項目１７５に記載の方法。
（項目１８５）
前記一セルの前記サブバンドから前記第１のサブバンドを前記ランダムに選択することが、前記一セルの前記サブバンドから前記第１のサブバンドを、均一分布でランダムに選択することを含む、項目１８４に記載の方法。
（項目１８６）
前記一セルの前記サブバンドから前記第１のサブバンドを前記ランダムに選択することが、前記一セルの前記サブバンドから、ある持続時間中に１回に限る頻度で前記第１のサブバンドを選択することをさらに含む、項目１８４に記載の方法。
（項目１８７）
前記持続時間が１秒以上からなる、項目１８６に記載の方法。
（項目１８８）
前記一セルの前記１つ以上の他のサブバンド上で前記第２タイプのＬＢＴを前記実行することが、前記一セルの前記１つ以上の他のサブバンドの各サブバンド上で前記第２タイプのＬＢＴを実行することを含む、項目１７５に記載の方法。
（項目１８９）
前記第１タイプのＬＢＴが、ランダムバックオフパラメータおよび第１のＬＢＴ持続時間を用いるＬＢＴである、項目１７５に記載の方法。
（項目１９０）
前記第２タイプのＬＢＴが、ランダムバックオフを用いないワンショットＬＢＴ持続時間に基づくワンショットＬＢＴである、項目１８９に記載の方法。
（項目１９１）
前記第１のＬＢＴ持続時間が、前記ワンショットＬＢＴ持続時間よりも長い、項目１９０に記載の方法。
（項目１９２）
前記一セルの前記サブバンドの各々が複数の連続する物理リソースブロックを含む、項目１７５に記載の方法。
（項目１９３）
最大エネルギー検出閾値またはエネルギー検出閾値オフセットを有する、ＬＢＴパラメータ構成メッセージを伝送することをさらに含む、項目１７５に記載の方法。
（項目１９４）
前記第１タイプのＬＢＴおよび前記第２タイプのＬＢＴが、同じ最大エネルギー検出閾値または同じエネルギー検出閾値オフセットを使用する、項目１９３に記載の方法。
（項目１９５）
前記一セルの前記１つ以上のその他のサブバンド上で前記第２タイプのＬＢＴを前記実行することが、前記一セルの前記１つ以上の他のサブバンド上で、同じ持続時間を用いて前記第２のタイプのＬＢＴを実行することを含む、項目１７５に記載の方法。
（項目１９６）
前記一セルを介して前記ダウンリンク信号を前記伝送することが、前記一セルの物理ダウンリンク共有チャネルを介してトランスポートブロックを伝送することを含む、項目１７５に記載の方法。
（項目１９７）
前記一セルを介して前記ダウンリンク信号を伝送することが、前記一セルの帯域幅部分を介して前記ダウンリンク信号を伝送することを含む、項目１７５に記載の方法。
（項目１９８）
前記一セルの前記サブバンドの各々が同じ帯域幅を含む、項目１７５に記載の方法。
（項目１９９）
前記一セルの前記サブバンドの各々が同数の物理リソースブロックを含む、項目１７５に記載の方法。
（項目２００）
ダウンリンク信号を前記伝送することが、前記一セルの前記第１のサブバンドおよび前記１つ以上のその他のサブバンドの無線リソースを介して１つ以上のトランスポートブロックを伝送することを含む、項目１７５に記載の方法。
（項目２０１）
前記一セルが１つ以上の帯域幅部分からなり、
前記１つ以上の帯域幅部分のうちのある帯域幅部分は前記サブバンドを含む、
項目１７５に記載の方法。
（項目２０２）
ダウンリンク信号を前記伝送することが、前記一セルの帯域幅部分の前記第１のサブバンドおよび前記１つ以上のその他のサブバンドの無線リソースを介して１つ以上のトランスポートブロックを伝送することを含む、項目１７５に記載の方法。
（項目２０３）
１つ以上のプロセッサと、
前記１つ以上のプロセッサによって実行されると、基地局に項目１７５〜２０２のいずれかに記載の方法を実行することを行わせる命令を記憶するメモリと、を備える基地局。
（項目２０４）
項目１７５〜２０２のいずれかに記載の方法を実行するように構成された基地局と、
前記ダウンリンク信号を受信するように構成された無線デバイスと、を備える、システム。
（項目２０５）
プロセッサによって実行されると、前記プロセッサに項目１７５〜２０２のいずれか一項に記載の方法を実施させる命令を含む、非一時的コンピュータ可読記憶媒体。
（項目２０６）
基地局によってセルから一セルを選択することであって、前記セルの各々が１つ以上のサブバンドを含むものであることと、
前記一セルの前記１つ以上のサブバンドのうちの第１のサブバンド上で第１タイプのリッスンビフォアトーク（ＬＢＴ）を実行することと、
前記セルの、前記第１のサブバンドとは異なる１つ以上の他のサブバンド上で第２タイプのＬＢＴを実行することと、    前記第１タイプのＬＢＴが、前記一セルの前記第１のサブバンドがクリアであることを示し、
前記第２タイプのＬＢＴが、前記一セルの前記１つ以上の他のサブバンドがクリアであることを示すことに基づき、
前記セルを介してダウンリンク信号のうちの１つ以上を伝送することと、を含む方法。
（項目２０７）
前記セルから前記一セルを前記選択することが、前記セルから前記一セルをランダムに選択することを含む、項目２０６に記載の方法。
（項目２０８）
前記セルから前記一セルを前記ランダムに選択することが、前記セルから前記一セルを、均一分布でランダムに選択することを含む、項目２０７に記載の方法。
（項目２０９）
前記セルから前記一セルを前記ランダムに選択することが、前記セルから、ある持続時間中に１回に限る頻度で前記セルを選択することをさらに含む、項目２０７に記載の方法。
（項目２１０）
前記持続時間が１秒以上からなる、項目２０９に記載の方法。
（項目２１１）
前記一セルの前記１つ以上のサブバンドから前記第１のサブバンドを選択することをさらに含む、項目２０６に記載の方法。
（項目２１２）
前記一セルの前記１つ以上のサブバンドから前記第１のサブバンドを前記選択することが、前記一セルの前記１つ以上のサブバンドから前記第１のサブバンドをランダムに選択することを含む、項目２１１に記載の方法。
（項目２１３）
前記一セルの前記１つ以上のサブバンドから前記第１のサブバンドを前記ランダムに選択することが、前記一セルの前記１つ以上のサブバンドから前記第１のサブバンドを、均一分布でランダムに選択することを含む、項目２１２に記載の方法。
（項目２１４）
前記一セルの前記１つ以上のサブバンドから前記第１のサブバンドを前記ランダムに選択することが、前記一セルの前記１つ以上のサブバンドから、ある持続時間中に１回以下の頻度で前記第１のサブバンドを選択することをさらに含む、項目２１２に記載の方法。
（項目２１５）
前記持続時間が１秒以上からなる、項目２１４に記載の方法。
（項目２１６）
前記セルの前記１つ以上の他のサブバンド上で前記第２のタイプのＬＢＴを前記実行することが、前記セルの前記１つ以上の他のサブバンドの各サブバンド上で前記第２のタイプのＬＢＴを実行することを含む、項目２０６に記載の方法。
（項目２１７）
前記第１のタイプのＬＢＴが、ランダムバックオフパラメータおよび第１のＬＢＴ持続時間を用いるＬＢＴである、項目２０６に記載の方法。
（項目２１８）
前記第２タイプのＬＢＴが、ランダムバックオフを用いないワンショットＬＢＴ持続時間に基づくワンショットＬＢＴである、項目２１７に記載の方法。
（項目２１９）
前記第１のＬＢＴ持続時間が前記ワンショットＬＢＴ持続時間よりも長い、項目２１８に記載の方法。
（項目２２０）
前記セルのうちの一セルの前記１つ以上のサブバンドの各々が、複数の連続する物理リソースブロックを含む、項目２０６に記載の方法。
（項目２２１）
１つ以上の最大エネルギー検出閾値または１つ以上のエネルギー検出閾値オフセットを有する１つ以上のＬＢＴパラメータ構成メッセージを伝送することをさらに含む、項目２０６に記載の方法。
（項目２２２）
前記第１のタイプのＬＢＴおよび前記第２のタイプのＬＢＴが、前記セルのうちの一セルに対する、同じ最大エネルギー検出閾値または同じエネルギー検出閾値オフセットを使用する、項目２２１に記載の方法。
（項目２２３）
前記セルの前記１つ以上の他のサブバンド上で前記第２のタイプのＬＢＴを前記実行することが、前記セルの前記１つ以上の他のサブバンド上で、同じ持続時間を用いて前記第２のタイプのＬＢＴを実行することを含む、項目２０６に記載の方法。
（項目２２４）
前記セルを介してダウンリンク信号のうちの前記１つ以上を前記伝送することが、前記セルの１つ以上の物理ダウンリンク共有チャネルを介してトランスポートブロックを伝送することを含む、項目２０６に記載の方法。
（項目２２５）
前記セルを介してダウンリンク信号のうちの前記１つ以上を前記伝送することが、前記セルの１つ以上の帯域幅部分を介してダウンリンク信号のうちの前記１つ以上を伝送することを含む、項目２０６に記載の方法。
（項目２２６）
前記セルのうちの一セルの前記１つ以上のサブバンドの各々が、同じ帯域幅を含む、項目２０６に記載の方法。
（項目２２７）
前記セルのうちの一セルの前記１つ以上のサブバンドの各々が、同数の物理リソースブロックを含む、項目２０６に記載の方法。
（項目２２８）
ダウンリンク信号のうちの１つ以上を前記伝送することが、前記セルの前記第１のサブバンドおよび前記１つ以上のその他のサブバンドの無線リソースを介して１つ以上のトランスポートブロックを伝送することを含む、項目２０６に記載の方法。
（項目２２９）
前記セルの各々が、１つ以上の帯域幅部分を含み、
前記１つ以上の帯域幅部分のうちの帯域幅部分が、前記１つ以上のサブバンドを含む、項目２０６に記載の方法。
（項目２３０）
ダウンリンク信号のうちの１つ以上を前記伝送することが、前記セルの帯域幅部分の前記第１のサブバンドおよび前記１つ以上の他のサブバンドの無線リソースを介して、１つ以上のトランスポートブロックを伝送することを含む、項目２０６に記載の方法。
（項目２３１）
１つ以上のプロセッサと、
前記１つ以上のプロセッサによって実行されると、前記基地局に項目２０６〜２３０のいずれかに記載の方法を実行することを行わせる命令を記憶するメモリと、を備える基地局。
（項目２３２）
項目２０６〜２３０のいずれかに記載の方法を実行するように構成された基地局と、
ダウンリンク信号のうちの前記１つ以上を受信するように構成された無線デバイスと、備えるシステム。
（項目２３３）
プロセッサによって実行されると、前記プロセッサに項目２０６〜２３０のいずれか一項に記載の方法を実施させる命令を含む、、非一時的コンピュータ可読記憶媒体。
【国際調査報告】
2021525977.tif 000054
2021525977.tif 000055
2021525977.tif 000056
2021525977.tif 000057